(57)【要約】ロングタームエボリューション（ＬＴＥ）システムにおける動作のための方法、システムおよび装置が提供され、セルによってサービスされるワイヤレス送信／受信ユニット（ＷＴＲＵ）によって実装される方法を含み、エンハンスト物理ブロードキャストチャネル（ｅＰＢＣＨ）は、セルによって送られてもよく、ＷＴＲＵ制御のための基本情報を含んでもよい。方法は、ＷＴＲＵによって、ｅＰＢＣＨを受信すること、および、復調基準信号（ＤＭＲＳ）に基づいて、ｅＰＢＣＨを復調することを含み得る。いくつかの実施形態では、ｅＰＢＣＨを復調することは、プライマリ同期信号（ＰＳＳ）、セカンダリ同期信号、およびセル固有基準信号（ＣＲＳ）のうちのいずれかに同様に基づき得る。また、提供されるものは、休止セルの近傍におけるＷＴＲＵによって実装される方法である。方法は、休止セルから、信号を受信すること、サービングセルから、１または複数の休止セルの測定を始動するためのトリガを受信すること、および、信号を測定することのうちの、いずれかを含み得る。
2015536097.tif 000002
【特許請求の範囲】
【請求項１】
セルによってサービスされるワイヤレス送信／受信ユニット（ＷＴＲＵ）によって実装される方法であって、前記セルによって送られるエンハンスト物理ブロードキャストチャネル（ｅＰＢＣＨ）は、ＷＴＲＵ制御のための基本情報を含み、前記方法は、
前記ＷＴＲＵによって、前記ｅＰＢＣＨを受信するステップと、
前記ＷＴＲＵによって、復調基準信号（ＤＭＲＳ）に基づいて、前記ｅＰＢＣＨを復調するステップと
を備える、方法。
【請求項２】
前記復調するステップは、（１）プライマリ同期信号（ＰＳＳ）、（２）セカンダリ同期信号（ＳＳＳ）、および／または（３）セル固有基準信号（ＣＲＳ）のうちのいずれかにさらに基づく、請求項１に記載の方法。
【請求項３】
前記ｅＰＢＣＨの前記復調するステップは、単一または複数のＤＭＲＳに基づいており、前記方法は、
前記ＷＴＲＵによって、前記ｅＰＢＣＨ復調のためのＤＭＲＳポートを、（１）あらかじめ定義された、および／もしくはあらかじめ構成されたＤＭＲＳポート、または（２）セルＩＤ、ＰＳＳインデックス、および／もしくはＳＳＳインデックスに応じたもの、ならびに（３）あらかじめ定義されたセットのＤＭＲＳポートの中からの前記ＤＭＲＳポートのブラインド検出のうちの１つに従って、判断するステップ
をさらに備える、請求項１に記載の方法。
【請求項４】
前記ｅＰＢＣＨの前記復調するステップは、複数のＤＭＲＳポートに基づいており、前記方法は、
前記ＷＴＲＵによって、前記複数のＤＭＲＳポートのうちの１つを選択するステップと、
利用可能なセットのリソース要素を、前記ＤＭＲＳポートのうちの前記選択された１つに関連付けるステップと、
前記ＤＭＲＳポートのうちの前記選択された１つを使用して、前記ＤＭＲＳポートのうちの前記選択された１つに関連付けられた前記リソース要素において、前記ｅＰＢＣＨを復調するステップと
をさらに備える、請求項１に記載の方法。
【請求項５】
前記ＷＴＲＵによって、複数のサブフレームの１または複数のリソースブロック（ＲＢ）において、前記ｅＰＢＣＨを受信するステップと、
前記ＷＴＲＵによって、（１）前記ｅＰＢＣＨのサブフレームロケーション、（２）前記ｅＰＢＣＨを搬送する前記ＲＢのロケーション、（３）ｅＰＢＣＨコンテキストのために使用されるスクランブリング、および／または（４）サイクリック冗長検査（ＣＲＣ）に基づいて、システムフレーム番号（ＳＦＮ）の少なくとも部分を判断するステップと
をさらに備える、請求項１に記載の方法。
【請求項６】
前記ｅＰＢＣＨは、（１）無線フレーム内の、１つのあらかじめ定義されたサブフレーム、もしくは、複数のあらかじめ定義されたサブフレーム、（２）前記無線フレームにおける位置が、セルＩＤに応じたものである、１つのサブフレームもしくは複数のサブフレーム、（３）前記無線フレームにおける前記位置が、動作のモードに応じたものである、１つのサブフレームもしくは複数のサブフレーム、または（４）前記無線フレームにおける前記位置が、フレーム番号もしくはシステムフレーム番号（ＳＦＮ）に応じたものである、１つのサブフレームもしくは複数のサブフレームのうちのいずれかにおいて、１または複数のリソースブロックにマッピングされる、請求項１に記載の方法。
【請求項７】
ネットワークリソースによって、前記ネットワークリソースに関連付けられたセルのカバレージエリア内である、１または複数のＷＴＲＵを構成するために実装される方法であって、
前記ネットワークリソースによって、第１のセットのｅＰＢＣＨ関連情報を第１のＤＭＲＳポート上で送信するステップと、
前記ネットワークリソースによって、第２のセットのｅＰＢＣＨ関連情報を第２のＤＭＲＳポート上で送信するステップと
を備える、方法。
【請求項８】
前記第１のＤＭＲＳポート上の前記第１のセットのｅＰＢＣＨ関連情報は、第１のタイプのＷＴＲＵに関連付けられた第１のセットの属性を含み、前記第２のＤＭＲＳポート上の前記第２のセットのｅＰＢＣＨ関連情報は、第２の、異なるタイプのＷＴＲＵに関連付けられた第２のセットの属性を含む、請求項７に記載の方法。
【請求項９】
前記第１のセットのｅＰＢＣＨ関連情報は、前記第２のセットのｅＰＢＣＨ関連情報によってサポートされた帯域幅よりも広い帯域幅をサポートする、請求項７に記載の方法。
【請求項１０】
ＷＴＲＵによって実装される方法であって、
前記ＷＴＲＵによって、ネットワークリソースから、第１のセットのｅＰＢＣＨ関連情報および第２のセットのｅＰＢＣＨ関連情報を、それぞれ、第１のＤＭＲＳポートおよび第２のＤＭＲＳポート上で受信するステップと、
前記ＷＴＲＵによって、前記第１のセットのｅＰＢＣＨ関連情報および前記第２のセットのｅＰＢＣＨ関連情報を復号するステップと、
前記ＷＴＲＵによって、前記第１のセットのｅＰＢＣＨ関連情報または前記第２のセットのｅＰＢＣＨ関連情報のうちの１つを選択するステップと、
前記第１のセットのｅＰＢＣＨ関連情報または前記第２のセットのｅＰＢＣＨ関連情報のうちの、前記選択された１つに従う動作のために、前記ＷＴＲＵを構成するステップと
を備える、方法。
【請求項１１】
前記ＷＴＲＵが第１のタイプのものである場合、前記第１のセットのｅＰＢＣＨ関連情報または前記第２のセットのｅＰＢＣＨ関連情報の前記選択するステップは、前記第１のセットのｅＰＢＣＨ関連情報を選択するステップを含み、前記ＷＴＲＵが第２のタイプのものである場合、前記第１のセットのｅＰＢＣＨ関連情報または前記第２のセットのｅＰＢＣＨ関連情報の前記選択するステップは、前記第２のセットのｅＰＢＣＨ関連情報を選択するステップを含む、請求項１０に記載の方法。
【請求項１２】
前記第１のタイプの前記ＷＴＲＵは、第１の帯域幅能力を有するＷＴＲＵを含み、前記第２のタイプの前記ＷＴＲＵは、第２の、より高い帯域幅能力を有するＷＴＲＵを含む、請求項１１に記載の方法。
【請求項１３】
ネットワークリソースによって、前記ネットワークリソースに関連付けられた複数のセルの重複するカバレージエリア内で、１または複数のＷＴＲＵを構成するために実装される方法であって、前記複数のセルは、重複するリソースブロック（ＲＢ）を有し、前記方法は、
前記複数のセルのうちの第１のセルおよび第２のセルについて、第１のｅＰＢＣＨ関連情報および第２のｅＰＢＣＨ関連情報を生成するステップであって、前記第１のｅＰＢＣＨ関連情報および前記第２のｅＰＢＣＨ関連情報は、共通して同期信号のセットを有するステップと、
前記ネットワークリソースによって、前記重複するＲＢにおいて、前記第１のｅＰＢＣＨ関連情報および前記第２のｅＰＢＣＨ関連情報を送信するステップと
を備える、方法。
【請求項１４】
前記第１のｅＰＢＣＨ関連情報および前記第２のｅＰＢＣＨ関連情報は、前記重複するＲＢにおいて、それぞれの第１のサブセットのリソース要素および第２のサブセットのリソース要素において送信される、請求項１３に記載の方法。
【請求項１５】
前記同期信号のセットは、プライマリ同期信号およびセカンダリ同期信号のセットのいずれかを備える、請求項１３または１４に記載の方法。
【請求項１６】
前記第１のｅＰＢＣＨ関連情報および前記第２のｅＰＢＣＨ関連情報は、それぞれの第１のＤＭＲＳポートおよび第２のＤＭＲＳポート上で送信される、請求項１３乃至１５のいずれか一項に記載の方法。
【請求項１７】
前記第１のセルおよび前記第２のセルは、それぞれの第１の送信帯域幅および第２の送信帯域幅を有し、前記第１の送信帯域幅は、前記第２の送信帯域幅を、全体において、または部分において包含する、請求項１３乃至１６のいずれか一項に記載の方法。
【請求項１８】
前記複数のセルの前記重複するカバレージエリアは、前記第１のセルの第１のカバレージエリア、および、前記第２のセルの第２のカバレージエリアを備え、前記第１のカバレージエリアおよび前記第２のカバレージエリアは、部分的に重複する、請求項１３乃至１７のいずれか一項に記載の方法。
【請求項１９】
前記ネットワークリソースに関連付けられた複数のセルの重複するカバレージエリア内のＷＴＲＵによって実装される方法であって、前記複数のセルのうちの第１のセルおよび第２のセルは、重複するリソースブロック（ＲＢ）を有し、前記方法は、
前記重複するＲＢにおいて受信された、第１のセルおよび第２のセルの、第１のｅＰＢＣＨ関連情報および第２のｅＰＢＣＨ関連情報のうちのいずれかから、同期信号のセットを受信するステップであって、前記同期信号のセットは、前記第１のｅＰＢＣＨ関連情報と前記第２のｅＰＢＣＨ関連情報の両方に共通であるステップと、
前記同期信号のセットに少なくとも部分的に基づいて、前記第１のセルのセル識別子を判断するステップと
を備える、方法。
【請求項２０】
前記第１のセルの前記判断されたセル識別子に少なくとも部分的に基づいて、前記第２のセルのセル識別子を判断するステップ
をさらに備える、請求項１９に記載の方法。
【請求項２１】
第１のｅＰＢＣＨ関連情報および第２のｅＰＢＣＨ関連情報のうちのいずれかを含む、１または複数のファクタに基づいて、前記第２のセルのセル識別子を判断するステップ
をさらに備える、請求項１９に記載の方法。
【請求項２２】
前記第１のｅＰＢＣＨ関連情報および前記第２のｅＰＢＣＨ関連情報の一方または両方を受信するステップ
をさらに備える、請求項１９乃至２１のいずれか一項に記載の方法。
【請求項２３】
前記第１のｅＰＢＣＨ関連情報および前記第２のｅＰＢＣＨ関連情報は、前記重複するＲＢにおいて、それぞれの第１のサブセットのリソース要素および第２のサブセットのリソース要素において受信される、請求項１９乃至２２のいずれか一項に記載の方法。
【請求項２４】
前記同期信号のセットは、プライマリ同期信号およびセカンダリ同期信号のセットのいずれかを備える、請求項１９乃至２３のいずれか一項に記載の方法。
【請求項２５】
前記第１のｅＰＢＣＨ関連情報および前記第２のｅＰＢＣＨ関連情報は、それぞれの第１のＤＭＲＳポートおよび第２のＤＭＲＳポート上で受信される、請求項１９乃至２４のいずれか一項に記載の方法。
【請求項２６】
前記第１のセルおよび前記第２のセルは、それぞれの第１の送信帯域幅および第２の送信帯域幅を有する、請求項１９乃至２５のいずれか一項に記載の方法。
【請求項２７】
休止セルの近傍におけるワイヤレス送信／受信ユニット（ＷＴＲＵ）によって実装される方法であって、
前記ＷＴＲＵによって、休止セルから、信号を受信するステップと、
前記ＷＴＲＵによって、サービングセルから、１または複数の休止セルの測定を始動するためのトリガを受信するステップと、
前記ＷＴＲＵによって、前記信号を測定するステップと
を備える、方法。
【請求項２８】
前記信号は、非周期信号または１回限りの信号であり、
前記信号の前記測定するステップは、前記非周期信号のタイミング、前記非周期信号の帯域、前記非周期信号のために使用されるシーケンス、および／または直交カバーコードを測定するステップを含む、請求項２７に記載の方法。
【請求項２９】
前記ＷＴＲＵによって、後続の測定レポートのために使用されることになるリソースのセットを前記ＷＴＲＵに指示するビットフィールドを受信するステップ
をさらに備える、請求項２７に記載の方法。
【請求項３０】
前記ＷＴＲＵによって、前記信号が１または複数の基準を満足するかどうかを判断するステップと、
前記１または複数の基準が満足されるとき、前記ＷＴＲＵによって、サービングセルへ、測定レポートを送るステップと
をさらに備える、請求項２７に記載の方法。
【請求項３１】
前記測定レポートは、前記ＷＴＲＵが前記構成されたリソースにおいて前記信号を検出することができるかどうかを指示するためのインジケータを含む、請求項３０に記載の方法。
【請求項３２】
休止セルのためのアクセスポイントによって実装される方法であって、
前記休止セルのための１または複数の非周期信号構成を確立するステップと、
前記休止セルによって、前記休止セルの休止状態非周期信号を通信するために使用されることになるリソースを構成するステップと、
前記休止セルによって、１または複数の隣接するセル、セルクラスタ、および／またはマクロセルに、前記休止状態非周期信号を通信するために使用されることになる前記構成されたリソースを知らせるステップと、
前記休止セルによって、前記休止状態非周期信号をトリガするための要求を受信するステップと、
前記休止セルによって、前記受信された要求に応答して、前記構成されたリソースを使用して、前記休止状態非周期信号を送るステップと
を備える、方法。
【請求項３３】
前記休止状態非周期信号をトリガするための前記要求の前記受信するステップは、隣接するセルから、Ｘ２インターフェースを介して、前記休止状態非周期信号をトリガするための前記要求を受信するステップを含む、請求項３２に記載の方法。
【請求項３４】
前記休止状態非周期信号をトリガするための前記要求は、前記隣接するセルにより所望された非周期シグナリング構成を含み、前記方法は、前記休止セルによって、肯定応答信号を、前記Ｘ２インターフェースを介して、前記隣接するセルへ送り、前記休止セルが前記所望された非周期シグナリング構成を使用することになることを指示するステップをさらに備える、請求項３３に記載の方法。
【請求項３５】
前記休止状態非周期信号をトリガするための前記要求の前記受信するステップは、ワイヤレス送信／受信ユニット（ＷＴＲＵ）から、物理ランダムアクセスチャネル（ＰＲＡＣＨ）送信を介して、前記休止状態非周期信号をトリガするための前記要求を受信するステップを含む、請求項３２に記載の方法。
【請求項３６】
ワイヤレス送信／受信ユニット（ＷＴＲＵ）によって実装される方法であって、
前記ＷＴＲＵによって、１または複数の休止状態信号について監視するステップと、
前記ＷＴＲＵによって、各休止状態信号の少なくとも１つの基準を測定するステップと、
各休止状態信号について、比較結果として、前記少なくとも１つの基準をしきいと比較するステップと、
前記ＷＴＲＵによって、測定レポートを送るかどうかを、前記比較結果に基づいて判断するステップと、
前記ＷＴＲＵによって、前記測定レポートを送るステップと
を備える、方法。
【請求項３７】
前記１または複数の休止状態信号は、非周期信号であり、前記方法は、前記ＷＴＲＵによって、物理ランダムアクセスチャネル（ＰＲＡＣＨ）送信を、前記ＷＴＲＵの近傍における休止セルから、前記１または複数の休止状態信号をトリガするための要求として、始動するステップをさらに備える、請求項３６に記載の方法。
【請求項３８】
前記１または複数の休止状態信号について前記監視するステップは、
前記１または複数の休止状態信号についてブラインド探索するステップと、
前記ブラインド探索に基づいて、前記１または複数の休止状態信号を検出するステップと
を含む、請求項３６に記載の方法。
【請求項３９】
各休止状態信号の前記少なくとも１つの基準の前記測定するステップは、（１）前記休止状態信号のサブフレームロケーション、（２）前記休止状態信号の時間ロケーション、および／または（３）前記休止状態信号の帯域のうちのいずれかを判断するステップであって、前記サブフレームロケーション、前記時間ロケーション、および前記帯域は、ＰＲＡＣＨトリガ送信のために使用されるサブフレームリソースまたは物理ランダムアクセスチャネル（ＰＲＡＣＨ）リソースに応じたものであるステップを含む、請求項３６に記載の方法。
【発明の詳細な説明】
【技術分野】
【０００１】
本出願は、無線通信に関する。
【背景技術】
【０００２】
第３世代パートナーシッププロジェクト（３ＧＰＰ）ロングタームエボリューション（ＬＴＥ）リリース８および／または９（ＬＴＥ  Ｒｅｌ−８／９）は、２×２構成では、ダウンリンク（ＤＬ）において最大１００Ｍｂｐｓ、および、アップリンク（ＵＬ）において最大５０Ｍｂｐｓをサポートすることができる。ＬＴＥ  ＤＬ送信方式は、直交周波数分割多重アクセス（ＯＦＤＭＡ）エアインターフェースに基づいている。
【０００３】
ＬＴＥ  Ｒｅｌ−８／９および／またはリリース１０（まとめて「ＬＴＥ  Ｒｅｌ−８／９／１０」）システムは、（例えば、柔軟な展開、その他の目的のために）スケーラブルな送信帯域幅をサポートする。そのようなスケーラブルな送信帯域幅は、例えば、１．４、２．５、５、１０、１５および２０メガヘルツ（ＭＨｚ）の帯域幅を含み得る。
【０００４】
ＬＴＥ  Ｒｅｌ−８／９において、および、ＬＴＥ  Ｒｅｌ−１０に適用可能なように、各無線フレームは、１０ミリ秒（ｍｓ）の持続時間を有し、１０個のサブフレームからなり、その各々は１ｍｓである。各サブフレームは、それぞれ０．５ｍｓの２つのタイムスロットからなる。タイムスロット当たり７（７）個または６（６）個のいずれかの直交周波数分割多重（ＯＦＤＭ）シンボルがあり得る。タイムスロット当たり７（７）個のシンボルは、通常のサイクリックプレフィックス長とともに使用され、タイムスロット当たり６（６）個のシンボルは、拡張サイクリックプレフィックス長とともに使用される。ＬＴＥ  Ｒｅｌ−８／９システムのためのサブキャリアスペーシングは、１５ｋＨｚである。７．５ｋＨｚを使用する、低減されたサブキャリアスペーシングモードもまた可能である。
【０００５】
リソース要素（ＲＥ）は、１（１）個のＯＦＤＭシンボル間隔中の１（１）個のサブキャリアに対応する。０．５ｍｓタイムスロット中の１２（１２）個の連続サブキャリアは、１（１）個のリソースブロック（ＲＢ）を構成する。したがって、タイムスロット当たり７（７）個のシンボルでは、各ＲＢは、１＊７＝８４ＲＥからなる。シングルキャリア構成では、ＤＬキャリアは、ほぼ１ＭＨｚから２０ＭＨｚの全体のスケーラブルな送信帯域幅に対応する、６（６）個のＲＢから１１０（１１０）個のＲＢまでに及び得る。
【０００６】
動的スケジューリングのための基本時間ドメインユニットは、１つのサブフレームであり、それは、２つの連続タイムスロットからなる。これは、時々、リソース−ブロックペアと呼ばれる。いくつかのＯＦＤＭシンボル上のいくつかのサブキャリアが、時間周波数グリッドにおいてパイロット信号を搬送するために割り振られる。送信帯域幅の端部におけるいくつかのサブキャリアは、スペクトルマスク要件に準拠するために、一般に送信されない。
【０００７】
ネットワークが、ユーザ機器（ＵＥ）を、周波数分割二重（ＦＤＤ）モードではＵＬキャリアおよびＤＬキャリアのただ１つのペア、または、時分割二重（ＴＤＤ）モードではＵＬおよびＤＬのために共有された１つのキャリア時間に割り当てることができる、シングルキャリア構成における、ＬＴＥ  Ｒｅｌ−８／９において、および、Ｒｅｌ−１０において、任意の所与のサブフレームについて、ＵＬのためにアクティブな単一のハイブリッド自動再送要求（ＨＡＲＱ）プロセス、および、ＤＬにおいてアクティブな単一のＨＡＲＱプロセスがあり得る。
【０００８】
キャリアアグリゲーションを伴うＬＴＥアドバンスト（LTE-Advanced with Carrier Aggregation）（ＬＴＥ  ＣＡ  Ｒｅｌ−１０）は、他のソリューションの中でも、キャリアアグリゲーション（ＣＡ）とも呼ばれる帯域幅拡張を使用して、シングルキャリアＬＴＥデータレートを改善することを目指す、エボリューションである。ＣＡとともに、ＵＥは、複数のサービングセルの物理アップリンク共有チャネル（ＰＵＳＣＨ）および物理ダウンリンク共有チャネル（ＰＤＳＣＨ）を（それぞれ）介して、同時に送信および受信することができる。例えば、最大４個のセカンダリサービングセル（ＳＣｅｌｌ）が、プライマリサービングセル（ＰＣｅｌｌ）に加えて使用され、それによって、最大１００ＭＨｚの柔軟な帯域幅割当てがサポートされ得る。アップリンク制御情報（ＵＣＩ）は、ＨＡＲＱ肯定応答および／もしくは否定応答（ＡＣＫ／ＮＡＣＫ）フィードバック、ならびに／またはチャネル状態情報（ＣＳＩ）を含んでもよく、ＰＣｅｌｌの物理アップリンク制御チャネル（ＰＵＣＣＨ）リソース上、または、ＵＬ送信のために構成されたサービングセルのために利用可能なＰＵＳＣＨリソース上のいずれかで、送信され得る。
【０００９】
ＰＤＳＣＨおよびＰＵＳＣＨのスケジューリングのための制御情報は、１または複数の物理ダウンリンク制御チャネル（複数可）（ＰＤＣＣＨ）上で送られ得る。ＵＬキャリアおよびＤＬキャリアのペアのために１つのＰＤＣＣＨを使用するＬＴＥ  Ｒｅｌ−８／９スケジューリングに加えて、クロスキャリアスケジューリングもまた、所与のＰＤＣＣＨによってサポートされ、ネットワークが、１または複数の他のサービングセルにおける送信のために、ＰＤＳＣＨ割当ておよび／またはＰＵＳＣＨグラントを提供することが可能にされ得る。
【００１０】
ＣＡとともに動作するＦＤＤ  ＬＴＥ  Ｒｅｌ−１０  ＵＥでは、サービングセルごとに１つのＨＡＲＱエンティティがあり得る。各ＨＡＲＱエンティティは、最大８個のＨＡＲＱプロセス、例えば、１往復時間（ＲＴＴ）についてサブフレーム当たり１つを有し得る。さらに、ＣＡとともに動作するＦＤＤ  ＬＴＥ  Ｒｅｌ−１０  ＵＥでは、任意の所与のサブフレームにおいて、ＵＬのために、およびＤＬのためにアクティブな、２以上のＨＡＲＱプロセスがあり得るが、構成されたサービングセル当たり、多くとも１つのＵＬ  ＨＡＲＱプロセスおよび１つのＤＬ  ＨＡＲＱプロセスがあり得る。
【図面の簡単な説明】
【００１１】
より詳細な理解は、本明細書に添付された図面とともに例として与えられる、以下の詳細な説明から得られ得る。そのような図面における図は、詳細な説明のように、例である。したがって、図および詳細な説明は、限定的と見なされるべきではなく、他の等しく効果的な例が可能であり、可能性がある。さらに、図における同様の参照番号は、同様の要素を指示し、以下の通りである。
【図１Ａ】それにおいて１または複数の開示される実施形態が実装され得る、例示的な通信システムの図である。
【図１Ｂ】図１Ａに示された通信システム内で使用され得る、例示的なワイヤレス送信／受信ユニット（ＷＴＲＵ）のシステム図である。
【図１Ｃ】図１Ａに示された通信システム内で使用され得る、例示的な無線アクセスネットワークおよび例示的なコアネットワークのシステム図である。
【図１Ｄ】図１Ａに示された通信システム内で使用され得る、別の例示的な無線アクセスネットワークおよび例示的なコアネットワークのシステム図である。
【図１Ｅ】図１Ａに示された通信システム内で使用され得る、別の例示的な無線アクセスネットワークおよび例示的なコアネットワークのシステム図である。
【図２Ａ】ＴＤＤ無線フレームを示すブロック図である。
【図２Ｂ】それぞれのＴＤＤ  ＵＬ／ＤＬ構成に従って形成された様々なＴＤＤ無線フレームを示すブロック図である。
【図３】一実施形態による、ページングのための例示的な方法を示すフロー図である。
【図４】一実施形態による、ページングを検出するための例示的な方法を示すフロー図である。
【図５】一実施形態による、再選択を実行するための例示的な方法を示すフロー図である。
【図６】一実施形態による、ハンドオーバを制御するための例示的な方法を示すフロー図である。
【図７】一実施形態による、ＮＣＴセル上でＭＢＭＳ動作をサポートするための例示的な方法を示すフロー図である。
【図８】一実施形態による、ＮＣＴセル上でＭＢＭＳ動作をサポートするための例示的な方法を示すフロー図である。
【図９】一実施形態による、ＮＣＴセル上でＭＢＭＳ動作をサポートするための例示的な方法を示すフロー図である。
【図１０】一実施形態による、ＮＣＴセル上でＭＢＭＳ動作をサポートするための例示的な方法を示すフロー図である。
【図１１】一実施形態による、ＮＣＴセル上でＭＢＭＳ動作をサポートするための例示的な方法を示すフロー図である。
【図１２】一実施形態による、ＮＣＴセル上でＭＢＭＳ動作をサポートするための例示的な方法を示すフロー図である。
【図１３】一実施形態による、ＮＣＴセル上でＭＢＭＳ動作をサポートするための例示的な方法を示すフロー図である。
【図１４】一実施形態による、ＮＣＴセル上でＭＢＭＳ動作をサポートするための例示的な方法を示すフロー図である。
【図１５】一実施形態による、ＮＣＴセル上でＭＢＭＳ動作をサポートするための例示的な方法を示すフロー図である。
【図１６】一実施形態による、ＮＣＴセル上でＭＢＭＳ動作をサポートするための例示的な方法を示すフロー図である。
【図１７】一実施形態による、ＮＣＴセル上でＭＢＭＳ動作をサポートするための例示的な方法を示すフロー図である。
【図１８】一実施形態による、エンハンスト物理ブロードキャストチャネル（enhanced physical broadcast channel）（ｅＰＢＣＨ）の受信をサポートするための例示的な方法を示すフロー図である。
【図１９】一実施形態による、複数のｅＰＢＣＨの送信をサポートするための例示的な方法を示すフロー図である。
【図２０】一実施形態による、ｅＰＢＣＨの送信をサポートするための例示的な方法を示すフロー図である。
【図２１】一実施形態による、ｅＰＢＣＨ情報の受信をサポートするための例示的な方法を示すフロー図である。
【図２２】一実施形態による、ｅＰＢＣＨ関連情報の送信をサポートするための例示的な方法を示すフロー図である。
【図２３】一実施形態による、ｅＰＢＣＨ情報の受信をサポートするための例示的な方法を示すフロー図である。
【図２４】一実施形態による、ｅＰＢＣＨ関連情報の送信をサポートするための例示的な方法２４００を示すフロー図である。
【図２５】一実施形態による、ｅＰＢＣＨ情報の受信をサポートするための例示的な方法を示すフロー図である。
【図２６】一実施形態による、ｅＰＢＣＨ関連情報の送信をサポートするための例示的な方法を示すフロー図である。
【図２７】一実施形態による、ｅＰＢＣＨ情報の受信をサポートするための例示的な方法を示すフロー図である。
【図２８】一実施形態による、休止セル動作をサポートするための例示的な方法を示すシーケンスフロー図である。
【図２９】一実施形態による、休止セル動作をサポートするための例示的な方法を示すシーケンスフロー図である。
【図３０】一実施形態による、休止セル動作をサポートするための例示的な方法を示すシーケンスフロー図である。
【図３１】一実施形態による、休止セル動作をサポートするための例示的な方法を示すシーケンスフロー図である。
【発明を実施するための形態】
【００１２】
以下の詳細な説明では、本明細書で開示される実施形態および／または例の十分な理解を提供するために、多数の具体的な詳細が記載される。ただし、そのような実施形態および例が、本明細書に記載される具体的な詳細の一部または全部なしに実施され得ることは、理解されよう。他の事例では、よく知られている方法、手順、構成要素および回路は、以下の説明を不明瞭にしないために、詳細に説明されていない。さらに、本明細書で具体的に説明されない実施形態および例は、本明細書で開示される実施形態および他の例の代わりに、またはそれらとの組合せにおいて実施され得る。
【００１３】
例示的なアーキテクチャ
図１Ａは、それにおいて１または複数の開示される実施形態が実装され得る、例示的な通信システム１１００の図である。通信システム１００は、音声、データ、ビデオ、メッセージング、ブロードキャスト、その他などのコンテンツを複数のワイヤレスユーザに提供する、多重アクセスシステムであり得る。通信システム１００は、ワイヤレス帯域幅を含むシステムリソースの共有を通して、複数のワイヤレスユーザがそのようなコンテンツにアクセスすることを可能にすることができる。例えば、通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、および同様のものなど、１または複数のチャネルアクセス方法を採用することができる。
【００１４】
図１Ａに示されているように、通信システム１００は、ワイヤレス送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話ネットワーク（ＰＳＴＮ）１０８、インターネット１１０、および他のネットワーク１１２を含み得るが、開示される実施形態が任意の数のＷＴＲＵ、基地局、ネットワーク、および／またはネットワーク要素を企図することは諒解されよう。ＷＴＲＵ１０２ａ、１０２ｂ、１０２ｃ、１０２ｄの各々は、ワイヤレス環境内で動作および／または通信するように構成された任意のタイプのデバイスであり得る。例として、ＷＴＲＵ１０２ａ、１０２ｂ、１０２ｃ、１０２ｄは、ワイヤレス信号を送信および／または受信するように構成されてもよく、ユーザ機器（ＵＥ）、移動局、固定またはモバイル加入者ユニット、ページャ、携帯電話、携帯情報端末（ＰＤＡ）、スマートフォン、ラップトップ、ネットブック、パーソナルコンピュータ、タブレットコンピュータ、ワイヤレスセンサ、家庭用電子機器、および同様のものを含み得る。
【００１５】
通信システム１００はまた、基地局１１４ａおよび基地局１１４ｂを含み得る。基地局１１４ａ、１１４ｂの各々は、ＷＴＲＵ１０２ａ、１０２ｂ、１０２ｃ、１０２ｄのうちの少なくとも１つとワイヤレスにインターフェースして、コアネットワーク１０６、インターネット１１０、および／またはネットワーク１１２など、１または複数の通信ネットワークへのアクセスを容易にするように構成された、任意のタイプのデバイスであり得る。例として、基地局１１４ａ、１１４ｂは、トランシーバ基地局（ＢＴＳ）、ノードＢ、ｅノードＢ、ホームノードＢ、ホームｅノードＢ、サイトコントローラ、アクセスポイント（ＡＰ）、ワイヤレスルータ、および同様のものであり得る。基地局１１４ａ、１１４ｂは、それぞれ単一の要素として示されるが、基地局１１４ａ、１１４ｂが任意の数の相互接続された基地局および／またはネットワーク要素を含み得ることは諒解されよう。
【００１６】
基地局１１４ａは、ＲＡＮ１０４の部分であってもよく、それはまた、基地局コントローラ（ＢＳＣ）、無線ネットワークコントローラ（ＲＮＣ）、リレーノード、その他など、他の基地局および／またはネットワーク要素（図示せず）を含み得る。基地局１１４ａおよび／または基地局１１４ｂは、セル（図示せず）と呼ばれることがある特定の地理的領域内で、ワイヤレス信号を送信および／または受信するように構成され得る。セルは、セルセクタにさらに分割され得る。例えば、基地局１１４ａに関連付けられたセルは、３つのセクタに分割され得る。したがって、一実施形態では、基地局１１４ａは３つのトランシーバを、すなわち、セルのセクタごとに１つずつ含み得る。別の実施形態では、基地局１１４ａは、多入力多出力（ＭＩＭＯ）技術を採用することができ、したがって、セルのセクタごとに複数のトランシーバを利用することができる。
【００１７】
基地局１１４ａ、１１４ｂは、エアインターフェース１１６を介して、ＷＴＲＵ１０２ａ、１０２ｂ、１０２ｃ、１０２ｄのうちの１または複数と通信することができ、エアインターフェース１１６は、任意の好適なワイヤレス通信リンク（例えば、無線周波数（ＲＦ）、マイクロ波、赤外線（ＩＲ）、紫外線（ＵＶ）、可視光線、その他）であり得る。エアインターフェース１１６は、任意の好適な無線アクセス技術（ＲＡＴ）を使用して確立され得る。
【００１８】
より詳細には、上述されたように、通信システム１００は、多重アクセスシステムであってもよく、ＣＤＭＡ、ＴＤＭＡ、ＦＤＭＡ、ＯＦＤＭＡ、ＳＣ−ＦＤＭＡ、および同様のものなど、１または複数のチャネルアクセス方式を採用することができる。例えば、ＲＡＮ１０４における基地局１１４ａおよびＷＴＲＵ１０２ａ、１０２ｂ、１０２ｃは、ユニバーサルモバイル電気通信システム（ＵＭＴＳ）地上無線アクセス（ＵＴＲＡ）などの無線技術を実装することができ、それは、広帯域ＣＤＭＡ（ＷＣＤＭＡ（登録商標））を使用して、エアインターフェース１１６を確立することができる。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００１９】
別の実施形態では、基地局１１４ａおよびＷＴＲＵ１０２ａ、１０２ｂ、１０２ｃは、発展型ＵＭＴＳ地上無線アクセス（Ｅ−ＵＴＲＡ）などの無線技術を実装することができ、それは、ロングタームエボリューション（ＬＴＥ）および／またはＬＴＥアドバンスト（ＬＴＥ−Ａ）を使用して、エアインターフェース１１６を確立することができる。
【００２０】
他の実施形態では、基地局１１４ａおよびＷＴＲＵ１０２ａ、１０２ｂ、１０２ｃは、ＩＥＥＥ８０２．１６（すなわち、ワールドワイドインターオペラビリティフォーマイクロウェーブアクセス（ＷｉＭＡＸ（登録商標）））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、モバイル通信用グローバルシステム（ＧＳＭ（登録商標））、ＧＳＭ進化型高速データレート（ＥＤＧＥ）、ＧＳＭ  ＥＤＧＥ（ＧＥＲＡＮ）、および同様のものなどの無線技術を実装することができる。
【００２１】
図１Ａにおける基地局１１４ｂは、例えば、ワイヤレスルータ、ホームノードＢ、ホームｅノードＢ、またはアクセスポイントであってもよく、職場、自宅、車両、キャンパス、および同様のものなど、局在化されたエリア内のワイヤレス接続性を容易にするための任意の好適なＲＡＴを利用することができる。一実施形態では、基地局１１４ｂおよびＷＴＲＵ１０２ｃ、１０２ｄは、ＩＥＥＥ８０２．１１などの無線技術を実装して、ワイヤレスローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実装して、ワイヤレスパーソナルエリアネットワーク（ＷＰＡＮ）を確立することができる。さらに別の実施形態では、基地局１１４ｂおよびＷＴＲＵ１０２ｃ、１０２ｄは、セルラーベースのＲＡＴ（例えば、ＷＣＤＭＡ、ＣＤＭＡ２０００、ＧＳＭ、ＬＴＥ、ＬＴＥ−Ａ、その他）を利用して、ピコセルまたはフェムトセルを確立することができる。図１Ａに示されているように、基地局１１４ｂは、インターネット１１０への直接接続を有することができる。したがって、基地局１１４ｂは、コアネットワーク１０６を介してインターネット１１０にアクセスすることが必要とされなくてもよい。
【００２２】
ＲＡＮ１０４は、コアネットワーク１０６と通信していてもよく、それは、音声、データ、アプリケーション、および／またはボイスオーバーインターネットプロトコル（ＶｏＩＰ）サービスを、ＷＴＲＵ１０２ａ、１０２ｂ、１０２ｃ、１０２ｄのうちの１または複数に提供するように構成された、任意のタイプのネットワークであり得る。例えば、コアネットワーク１０６は、呼制御、課金サービス、モバイルロケーションベースのサービス、プリペイド通話、インターネット接続性、ビデオ配信、その他を提供し、および／または、ユーザ認証などの高レベルセキュリティ機能を実行することができる。図１Ａに図示されていないが、ＲＡＮ１０４および／またはコアネットワーク１０６は、ＲＡＮ１０４と同じＲＡＴまたは異なるＲＡＴを採用する他のＲＡＮと、直接的または間接的に通信中であり得ることは諒解されよう。例えば、Ｅ−ＵＴＲＡ無線技術を利用中であり得るＲＡＮ１０４に接続されることに加えて、コアネットワーク１０６はまた、ＧＳＭ無線技術を採用する別のＲＡＮ（図示せず）と通信中でもあり得る。
【００２３】
コアネットワーク１０６はまた、ＷＴＲＵ１０２ａ、１０２ｂ、１０２ｃ、１０２ｄがＰＳＴＮ１０８、インターネット１１０、および／または他のネットワーク１１２にアクセスするための、ゲートウェイとして働くこともできる。ＰＳＴＮ１０８は、基本電話サービス（ＰＯＴＳ）を提供する回線交換電話ネットワークを含み得る。インターネット１１０は、ＴＣＰ／ＩＰインターネットプロトコルスイートにおける、伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークおよびデバイスのグローバルなシステムを含み得る。ネットワーク１１２は、他のサービスプロバイダによって所有および／または運用される、ワイヤードまたはワイヤレス通信ネットワークを含み得る。例えば、ネットワーク１１２は、ＲＡＮ１０４と同じＲＡＴまたは異なるＲＡＴを採用することができる１または複数のＲＡＮに接続された、別のコアネットワークを含み得る。
【００２４】
通信システム１００におけるＷＴＲＵ１０２ａ、１０２ｂ、１０２ｃ、１０２ｄの一部または全部は、マルチモード能力を含んでもよく、すなわち、ＷＴＲＵ１０２ａ、１０２ｂ、１０２ｃ、１０２ｄは、異なるワイヤレスリンクを介して異なるワイヤレスネットワークと通信するための複数のトランシーバを含み得る。例えば、図１Ａに示されたＷＴＲＵ１０２ｃは、セルラーベースの無線技術を採用することができる基地局１１４ａと、および、ＩＥＥＥ８０２無線技術を採用することができる基地局１１４ｂと、通信するように構成され得る。
【００２５】
図１Ｂは、例示的なＷＴＲＵ１０２のシステム図である。図１Ｂに示されているように、ＷＴＲＵ１０２は、プロセッサ１１８と、トランシーバ１２０と、送信／受信要素１２２と、スピーカー／マイクロフォン１２４と、キーパッド１２６と、ディスプレイ／タッチパッド１２８と、非リムーバブルメモリ１９と、リムーバブルメモリ１３２と、電源１３４と、全地球測位システム（ＧＰＳ）チップセット１３６と、他の周辺機器１３８とを含み得る。ＷＴＲＵ１０２は、一実施形態と矛盾しないままで、前述の要素の任意の部分組合せを含み得ることは諒解されよう。
【００２６】
プロセッサ１１８は、汎用プロセッサ、専用プロセッサ、従来のプロセッサ、デジタル信号プロセッサ（ＤＳＰ）、複数のマイクロプロセッサ、また、ＤＳＰコア、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械、および同様のものに関連する、１または複数のマイクロプロセッサであり得る。プロセッサ１１８は、信号コーディング、データ処理、電力制御、入力／出力処理、および／または、ＷＴＲＵ１０２がワイヤレス環境において動作することを可能にする任意の他の機能性を実行し得る。プロセッサ１１８は、送信／受信素子１２２に結合され得るトランシーバ１２０に結合され得る。図１Ｂは、プロセッサ１１８およびトランシーバ１２０を別々の構成要素として示すが、プロセッサ１１８およびトランシーバ１２０は、電子パッケージまたはチップにおいて共に統合され得ることは諒解されよう。
【００２７】
送信／受信要素１２２は、エアインターフェース１１６を介して、基地局（例えば、基地局１１４ａ）へ信号を送信し、または、基地局から信号を受信するように構成され得る。例えば、一実施形態では、送信／受信要素１２２は、ＲＦ信号を送信および／または受信するように構成されたアンテナであり得る。別の実施形態では、送信／受信要素１２２は、例えば、ＩＲ、ＵＶ、または可視光信号を送信および／または受信するように構成されたエミッタ／検出器であり得る。さらに別の実施形態では、送信／受信要素１２２は、ＲＦ信号と光信号の両方を送信および受信するように構成され得る。送信／受信要素１２２は、任意の組合せのワイヤレス信号を送信および／または受信するように構成され得ることは諒解されよう。
【００２８】
加えて、送信／受信要素１２２は、図１Ｂにおいて単一の要素として示されるが、ＷＴＲＵ１０２は、任意の数の送信／受信要素１２２を含んでもよい。より詳細には、ＷＴＲＵ１０２は、ＭＩＭＯ技術を採用することができる。したがって、一実施形態では、ＷＴＲＵ１０２は、エアインターフェース１１６を介してワイヤレス信号を送信および受信するための、２またはそれ以上の送信／受信要素１２２（例えば、複数のアンテナ）を含み得る。
【００２９】
トランシーバ１２０は、送信／受信要素１２２によって送信されることになる信号を変調するように、および、送信／受信要素１２２によって受信される信号を復調するように構成され得る。上述されたように、ＷＴＲＵ１０２は、マルチモード能力を有することができる。したがって、トランシーバ１２０は、ＷＴＲＵ１０２が、例えば、ＵＴＲＡおよびＩＥＥＥ８０２．１１などの複数のＲＡＴを介して通信することを可能にするための、複数のトランシーバを含み得る。
【００３０】
ＷＴＲＵ１０２のプロセッサ１１８は、スピーカー／マイクロフォン１２４、キーパッド１２６、および／または、ディスプレイ／タッチパッド１２８（例えば、液晶ディスプレイ（ＬＣＤ）ディスプレイユニット、または有機発光ダイオード（ＯＬＥＤ）ディスプレイユニット）に結合されてもよく、それらからユーザ入力データを受信することができる。プロセッサ１１８はまた、ユーザデータを、スピーカー／マイクロフォン１２４、キーパッド１２６、および／または、ディスプレイ／タッチパッド１２８に出力することもできる。加えて、プロセッサ１１８は、非リムーバブルメモリ１３０および／またはリムーバブルメモリ１３２など、任意のタイプの好適なメモリからの情報にアクセスし、それにデータを記憶することができる。非リムーバブルメモリ１９は、ランダムアクセスメモリ（ＲＡＭ）、読取り専用メモリ（ＲＯＭ）、ハードディスク、または任意の他のタイプのメモリ記憶デバイスを含み得る。リムーバブルメモリ１３２は、加入者識別モジュール（ＳＩＭ）カード、メモリスティック、セキュアデジタル（ＳＤ）メモリカード、および同様のものを含み得る。他の実施形態では、プロセッサ１１８は、サーバまたはホームコンピュータ（図示せず）上など、ＷＴＲＵ１０２上に物理的にロケートされないメモリからの情報にアクセスし、それにデータを記憶することができる。
【００３１】
プロセッサ１１８は、電源１３４から電力を受信することができ、ＷＴＲＵ１０２における他の構成要素への電力を分配および／または制御するように構成され得る。電源１３４は、ＷＴＲＵ１０２に電力供給するための任意の好適なデバイスであり得る。例えば、電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）、その他）、太陽電池、燃料電池、および同様のものを含み得る。
【００３２】
プロセッサ１１８はまた、ＧＰＳチップセット１３６に結合されてもよく、それは、ＷＴＲＵ１０２の現在のロケーションに関するロケーション情報（例えば、経度および緯度）を提供するように構成され得る。ＧＰＳチップセット１３６からの情報に加えて、またはその代わりに、ＷＴＲＵ１０２は、エアインターフェース１１６を介して、基地局（例えば、基地局１１４ａ、１１４ｂ）からロケーション情報を受信し、および／または、信号が２またはそれ以上の近くの基地局から受信されるタイミングに基づいて、そのロケーションを判断することができる。ＷＴＲＵ１０２は、一実施形態と矛盾しないままで、任意の好適なロケーション判断方法によってロケーション情報を獲得し得ることは諒解されよう。
【００３３】
プロセッサ１１８は、他の周辺機器１３８にさらに結合されてもよく、それらは、追加の特徴、機能性、および／またはワイヤードもしくはワイヤレス接続性を提供する、１または複数のソフトウェアおよび／またはハードウェアモジュールを含み得る。例えば、周辺機器１３８は、加速度計、ｅコンパス、衛星トランシーバ、デジタルカメラ（写真またはビデオ用）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、および同様のものを含み得る。
【００３４】
図１Ｃは、一実施形態によるＲＡＮ１０４およびコアネットワーク１０６のシステム図である。上述されたように、ＲＡＮ１０４は、ＵＴＲＡ無線技術を採用して、エアインターフェース１１６を介してＷＴＲＵ１０２ａ、１０２ｂ、１０２ｃと通信することができる。ＲＡＮ１０４はまた、コアネットワーク１０６とも通信中であり得る。図１Ｃに示されているように、ＲＡＮ１０４は、ノードＢ１４０ａ、１４０ｂ、１４０ｃを含んでもよく、それらは、エアインターフェース１１６を介してＷＴＲＵ１０２ａ、１０２ｂ、１０２ｃと通信するための、１または複数のトランシーバをそれぞれ含み得る。ノードＢ１４０ａ、１４０ｂ、１４０ｃは、それぞれＲＡＮ１０４内の特定のセル（図示せず）に関連付けられ得る。ＲＡＮ１０４はまた、ＲＮＣ１４２ａ、１４２ｂを含み得る。ＲＡＮ１０４は、一実施形態と矛盾しないままで、任意の数のノードＢおよびＲＮＣを含み得ることは諒解されよう。
【００３５】
図１Ｃに示されているように、ノードＢ１４０ａ、１４０ｂは、ＲＮＣ１４２ａと通信中であり得る。加えて、ノードＢ１４０ｃは、ＲＮＣ１４２ｂと通信中であり得る。ノードＢ１４０ａ、１４０ｂ、１４０ｃは、Ｉｕｂインターフェースを介してそれぞれのＲＮＣ１４２ａ、１４２ｂと通信することができる。ＲＮＣ１４２ａ、１４２ｂは、Ｉｕｒインターフェースを介して互いに通信中であり得る。ＲＮＣ１４２ａ、１４２ｂの各々は、それが接続される先のそれぞれのノードＢ１４０ａ、１４０ｂ、１４０ｃを制御するように構成され得る。加えて、ＲＮＣ１４２ａ、１４２ｂの各々は、アウターループ電力制御、負荷制御、アドミッション制御、パケットスケジューリング、ハンドオーバ制御、マクロダイバーシティ、セキュリティ機能、データ暗号化、および同様のものなど、他の機能性を実行またはサポートするように構成され得る。
【００３６】
図１Ｃに示されたコアネットワーク１０６は、メディアゲートウェイ（ＭＧＷ）１４４、モバイル交換センター（ＭＳＣ）１４６、サービングＧＰＲＳサポートノード（ＳＧＳＮ）１４８、および／またはゲートウェイＧＰＲＳサポートノード（ＧＧＳＮ）１５０を含み得る。前述の要素の各々は、コアネットワーク１０６の部分として示されるが、これらの要素のいずれか１つは、コアネットワークオペレータ以外のエンティティによって所有および／または運用され得ることは諒解されよう。
【００３７】
ＲＡＮ１０４におけるＲＮＣ１４２ａは、ＩｕＣＳインターフェースを介して、コアネットワーク１０６におけるＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃに、ＰＳＴＮ１０８などの回線交換ネットワークへのアクセスを提供して、ＷＴＲＵ１０２ａ、１０２ｂ、１０２ｃと従来の陸線通信デバイスとの間の通信を容易にすることができる。
【００３８】
ＲＡＮ１０４におけるＲＮＣ１４２ａはまた、ＩｕＰＳインターフェースを介して、コアネットワーク１０６におけるＳＧＳＮ１４８にも接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にすることができる。
【００３９】
上述されたように、コアネットワーク１０６はまた、ネットワーク１１２に接続されてもよく、ネットワーク１１２は、他のサービスプロバイダによって所有および／または運用される、他のワイヤードまたはワイヤレスネットワークを含み得る。
【００４０】
図１Ｄは、一実施形態によるＲＡＮ１０４およびコアネットワーク１０６のシステム図である。上述されたように、ＲＡＮ１０４は、Ｅ−ＵＴＲＡ無線技術を採用して、エアインターフェース１１６を介してＷＴＲＵ１０２ａ、１０２ｂ、１０２ｃと通信することができる。ＲＡＮ１０４はまた、コアネットワーク１０６とも通信中であり得る。
【００４１】
ＲＡＮ１０４は、ｅノードＢ１６０ａ、１６０ｂ、１６０ｃを含み得るが、ＲＡＮ１０４は、一実施形態と矛盾しないままで、任意の数のｅノードＢを含み得ることは諒解されよう。ｅノードＢ１６０ａ、１６０ｂ、１６０ｃは、エアインターフェース１１６を介してＷＴＲＵ１０２ａ、１０２ｂ、１０２ｃと通信するための、１または複数のトランシーバをそれぞれ含み得る。一実施形態では、ｅノードＢ１６０ａ、１６０ｂ、１６０ｃは、ＭＩＭＯ技術を実装することができる。したがって、ｅノードＢ１６０ａは、例えば、複数のアンテナを使用して、ワイヤレス信号をＷＴＲＵ１０２ａへ送信し、ワイヤレス信号をＷＴＲＵ１０２ａから受信することができる。
【００４２】
ｅノードＢ１６０ａ、１６０ｂ、１６０ｃの各々は、特定のセル（図示せず）に関連付けられてもよく、無線リソース管理決定、ハンドオーバ決定、アップリンクおよび／またはダウンリンクにおけるユーザのスケジューリング、ならびに同様のことを扱うように構成され得る。図１Ｄに示されているように、ｅノードＢ１６０ａ、１６０ｂ、１６０ｃは、Ｘ２インターフェースを介して互いに通信することができる。
【００４３】
図１Ｄに示されたコアネットワーク１０６は、モビリティ管理ゲートウェイ（ＭＭＥ）１６２と、サービングゲートウェイ１６４と、パケットデータネットワーク（ＰＤＮ）ゲートウェイ１６６とを含み得る。前述の要素の各々は、コアネットワーク１０６の部分として示されるが、これらの要素のいずれか１つは、コアネットワークオペレータ以外のエンティティによって所有および／または運用され得ることは諒解されよう。
【００４４】
ＭＭＥ１６２は、Ｓ１インターフェースを介して、ＲＡＮ１０４におけるｅノードＢ１６０ａ、１６０ｂ、１６０ｃの各々に接続されてもよく、制御ノードとして働くことができる。例えば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期アタッチ中に特定のサービングゲートウェイを選択すること、および同様のことを担うことができる。ＭＭＥ１４２はまた、ＲＡＮ１０４と、ＧＳＭまたはＷＣＤＭＡなどの他の無線技術を採用する他のＲＡＮ（図示せず）との間で切り替えるための、制御プレーン機能を提供することもできる。
【００４５】
サービングゲートウェイ１６４は、Ｓ１インターフェースを介して、ＲＡＮ１０４におけるｅノードＢ１６０ａ、１６０ｂ、１６０ｃの各々に接続され得る。サービングゲートウェイ１６４は、一般に、ユーザデータパケットをＷＴＲＵ１０２ａ、１０２ｂ、１０２ｃへ／からルーティングおよびフォワーディングすることができる。サービングゲートウェイ１６４はまた、ｅノードＢ間ハンドオーバ中にユーザプレーンをアンカリングすること、ダウンリンクデータがＷＴＲＵ１０２ａ、１０２ｂ、１０２ｃのために利用可能であるとき、ページングをトリガすること、ＷＴＲＵ１０２ａ、１０２ｂ、１０２ｃのコンテキストを管理および記憶すること、ならびに同様のことなど、他の機能を実行することもできる。
【００４６】
サービングゲートウェイ１６４はまた、ＰＤＮゲートウェイ１６６に接続されてもよく、ＰＤＮゲートウェイ１６６は、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にすることができる。
【００４７】
コアネットワーク１０６は、他のネットワークとの通信を容易にすることができる。例えば、コアネットワーク１０６は、ＷＴＲＵ１０２ａ、１０２ｂ、１０２ｃに、ＰＳＴＮ１０８などの回線交換ネットワークへのアクセスを提供して、ＷＴＲＵ１０２ａ、１０２ｂ、１０２ｃと従来の陸線通信デバイスとの間の通信を容易にすることができる。例えば、コアネットワーク１０６は、コアネットワーク１０６とＰＳＴＮ１０８との間のインターフェースとして働くＩＰゲートウェイ（例えば、ＩＰマルチメディアサブシステム（ＩＭＳ）サーバ）を含んでもよく、またはＩＰゲートウェイと通信してもよい。加えて、コアネットワーク１０６は、ＷＴＲＵ１０２ａ、１０２ｂ、１０２ｃに、ネットワーク１１２へのアクセスを提供することができ、ネットワーク１１２は、他のサービスプロバイダによって所有および／または運用される、他のワイヤードまたはワイヤレスネットワークを含み得る。
【００４８】
図１Ｅは、一実施形態によるＲＡＮ１０４およびコアネットワーク１０６のシステム図である。ＲＡＮ１０４は、ＩＥＥＥ８０２．１６無線技術を採用して、エアインターフェース１１６を介してＷＴＲＵ１０２ａ、１０２ｂ、１０２ｃと通信する、アクセスサービスネットワーク（ＡＳＮ）であり得る。以下でさらに説明されるように、ＷＴＲＵ１０２ａ、１０２ｂ、１０２ｃの異なる機能エンティティと、ＲＡＮ１０４と、コアネットワーク１０６との間の通信リンクは、基準点として定義され得る。
【００４９】
図１Ｅに示されているように、ＲＡＮ１０４は、基地局１７０ａ、１７０ｂ、１７０ｃと、ＡＳＮゲートウェイ１４２とを含み得るが、ＲＡＮ１０４は、一実施形態と矛盾しないままで、任意の数の基地局およびＡＳＮゲートウェイを含み得ることは諒解されよう。基地局１７０ａ、１７０ｂ、１７０ｃは、それぞれＲＡＮ１０４における特定のセル（図示せず）に関連付けられてもよく、エアインターフェース１１６を介してＷＴＲＵ１０２ａ、１０２ｂ、１０２ｃと通信するための、１または複数のトランシーバをそれぞれ含み得る。一実施形態では、基地局１７０ａ、１７０ｂ、１７０ｃは、ＭＩＭＯ技術を実装することができる。したがって、基地局１７０ａは、例えば、複数のアンテナを使用して、ワイヤレス信号をＷＴＲＵ１０２ａへ送信し、ワイヤレス信号をＷＴＲＵ１０２ａから受信することができる。基地局１７０ａ、１７０ｂ、１７０ｃはまた、ハンドオフトリガリング、トンネル確立、無線リソース管理、トラフィック分類、サービス品質（ＱｏＳ）ポリシー実施、および同様のことなど、モビリティ管理機能を提供することもできる。ＡＳＮゲートウェイ１４２は、トラフィックアグリゲーションポイントとして働くことができ、ページング、加入者プロファイルのキャッシング、コアネットワーク１０６へのルーティング、および同様のことを担うことができる。
【００５０】
ＷＴＲＵ１０２ａ、１０２ｂ、１０２ｃとＲＡＮ１０４との間のエアインターフェース１１６は、ＩＥＥＥ８０２．１６仕様を実装するＲ１基準点として定義され得る。加えて、ＷＴＲＵ１０２ａ、１０２ｂ、１０２ｃの各々は、コアネットワーク１０６との論理的インターフェース（図示せず）を確立することができる。ＷＴＲＵ１０２ａ、１０２ｂ、１０２ｃとコアネットワーク１０６との間の論理的インターフェースは、認証、認可、ＩＰホスト構成管理、および／またはモビリティ管理のために使用され得る、Ｒ２基準点として定義され得る。
【００５１】
基地局１７０ａ、１７０ｂ、１７０ｃの各々の間の通信リンクは、ＷＴＲＵハンドオーバおよび基地局間のデータの転送を容易にするためのプロトコルを含む、Ｒ８基準点として定義され得る。基地局１７０ａ、１７０ｂ、１７０ｃとＡＳＮゲートウェイ１４２との間の通信リンクは、Ｒ６基準点として定義され得る。Ｒ６基準点は、ＷＴＲＵ１０２ａ、１０２ｂ、１０２ｃの各々に関連付けられたモビリティイベントに基づいて、モビリティ管理を容易にするためのプロトコルを含み得る。
【００５２】
図１Ｅに示されているように、ＲＡＮ１０４は、コアネットワーク１０６に接続され得る。ＲＡＮ１０４とコアネットワーク１０６との間の通信リンクは、例えば、データ転送およびモビリティ管理能力を容易にするためのプロトコルを含む、Ｒ３基準点として定義され得る。コアネットワーク１０６は、モバイルＩＰホームエージェント（ＭＩＰ−ＨＡ）１４４と、認証、認可、課金（ＡＡＡ）サーバ１４６と、ゲートウェイ１４８とを含み得る。前述の要素の各々は、コアネットワーク１０６の部分として示されるが、これらの要素のいずれか１つは、コアネットワークオペレータ以外のエンティティによって所有および／または運用され得ることは諒解されよう。
【００５３】
ＭＩＰ−ＨＡ１４４は、ＩＰアドレス管理を担うことができ、ＷＴＲＵ１０２ａ、１０２ｂ、１０２ｃが異なるＡＳＮおよび／または異なるコアネットワーク間でローミングすることを可能にすることができる。ＭＩＰ−ＨＡ１４４は、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にすることができる。ＡＡＡサーバ１４６は、ユーザ認証、および、ユーザサービスをサポートすることを担うことができる。ゲートウェイ１４８は、他のネットワークとの相互作用を容易にすることができる。例えば、ゲートウェイ１４８は、ＷＴＲＵ１０２ａ、１０２ｂ、１０２ｃに、ＰＳＴＮ１０８などの回線交換ネットワークへのアクセスを提供して、ＷＴＲＵ１０２ａ、１０２ｂ、１０２ｃと従来の陸線通信デバイスとの間の通信を容易にすることができる。加えて、ゲートウェイ１４８は、ＷＴＲＵ１０２ａ、１０２ｂ、１０２ｃに、ネットワーク１１へのアクセスを提供することができ、ネットワーク１１は、他のサービスプロバイダによって所有および／または運用される、他のワイヤードまたはワイヤレスネットワークを含み得る。
【００５４】
図１Ｅには図示されていないが、ＲＡＮ１０４は他のＡＳＮに接続されてもよく、コアネットワーク１０６は他のコアネットワークに接続されてもよいことは諒解されよう。ＲＡＮ１０４と他のＡＳＮとの間の通信リンクは、Ｒ４基準点として定義されてもよく、Ｒ４基準点は、ＲＡＮ１０４と他のＡＳＮとの間のＷＴＲＵ１０２ａ、１０２ｂ、１０２ｃのモビリティを調整するためのプロトコルを含み得る。コアネットワーク１０６と他のコアネットワークとの間の通信リンクは、Ｒ５基準として定義されてもよく、Ｒ５基準は、ホームコアネットワークと訪問されたコアネットワークとの間の相互作用を容易にするためのプロトコルを含み得る。
【００５５】
システム情報獲得
ネイバーセルに対応する周波数において測定を実行するように構成される接続モードにおけるＷＴＲＵ１０２は、ＷＴＲＵ１０２が（例えば、ｓｉ−ＲｅｑｕｅｓｔＦｏｒＨＯパラメータを使用して）関連付けられた測定ｒｅｐｏｒｔＣｏｎｆｉｇのためにそのような情報を読み取るように明示的に命令されない限り、ネイバーセルのマスタ情報ブロック（複数可）（「ＭＩＢ（複数可））および／またはシステム情報ブロック（「ＳＩＢ（複数可）」）を読み取らないことがある（または、そうすることが必要とされないことがある）。しかしながら、セルグローバル識別情報（「ＣＧＩ」）検出は、ＭＩＢおよび／またはＳＩＢ１の獲得を必要とし得る。
【００５６】
接続モードにおける測定
測定は、典型的には、モビリティ制御のために、無線リンク監視のために、および電力設定のために使用される。ＷＴＲＵ１０２は、セル固有の（もしくは、共通の）基準信号（ＣＲＳ）の、および／またはそれを使用した、いくつかの測定を行うことができる。ＷＴＲＵ１０２は、測定を使用して、例えば、１または複数のＬＴＥセルの無線品質を判断することができる。測定の例は、基準信号受信電力（ＲＳＲＰ）測定、基準信号受信品質（ＲＳＲＱ）測定、受信強度信号インジケータ（ＲＳＳＩ）測定、およびＤＬ経路損失（ＰＬ）推定（ＲＳＲＰ測定に基づき得る）のうちのいずれかを含む。ＷＴＲＵ１０２は、あるレベルの精度を指定する要件に従って、測定を行うことができる。そのような要件に従って、ＷＴＲＵ１０２は、ＣＲＳがあらゆるＤＬサブフレームにおいて現存すること、および、少なくとも１つのＤＬサブフレームが、少なくともそれらのＣＲＳを使用して、無線フレームごとに測定され得ることを仮定することができる。ＷＴＲＵ１０２は、それにおいてサービングセルの周波数のための測定を実行するべきＤＬサブフレームを制限するパラメータで構成され得る。そのようなパラメータの例は、ｍｅａｓＳｕｂｆｒａｍｅＰａｔｔｅｒｎＣｏｎｆｉｇＮｅｉｇｈパラメータであり得る。
【００５７】
レイヤ３（Ｌ３）フィルタリングは、測定量ごとに、例えば、ＲＡＴタイプごとに構成され得る。適用されるフィルタリング期間は、典型的には、ハンドオーバが発生し得るインスタンスの量、および／またはハンドオーバ遅延を（例えば、スライディングスケールにおいて）調節するように働く。そのようなフィルタリング期間は、ＷＴＲＵ１０２の速度に応じたものであり得る。短いフィルタリング期間は、低いハンドオーバ遅延につながり得るが、高いハンドオーバレートにつながり得る。長いフィルタリング期間（例えば、短いフィルタリング期間よりも、持続時間において長い）は、高いハンドオーバ遅延および／または低いハンドオーバレートにつながり得る。測定当たりのより多い数のサンプル（例えば、構成される場合、測定ギャップ内）は、測定精度を改善することができ、ハンドオーバのレートを低下させることに寄与することができる。フィルタ係数は、測定タイプごとに（例えば、ＲＳＲＰ測定、ＲＳＲＱ測定、ＲＳＳＩ測定、ＤＬ  ＰＬ推定、その他のために）構成され得る。
【００５８】
ＲＳＲＰおよび／またはＲＳＲＱ測定は、典型的には、ＷＴＲＵ１０２によって、セルを検出するために必要とされる。ＤＬ  ＰＬ推定では、フィルタリングもまた、サービングセルごとに構成および適用され得る。
【００５９】
接続モードにおける無線リンク監視（ＲＬＭ）および測定
ＰＣｅｌｌについて、ＷＴＲＵ１０２は、無線リンク監視（ＲＬＭ）を実行し得る。ＷＴＲＵ１０２は、物理制御フォーマットインジケータチャネル（ＰＣＦＩＣＨ）誤りを含む、仮説的ＰＤＣＣＨの受信のための問題誤り率を推定することによって、そのように行うことができる。ＷＴＲＵ１０２は、２００ｍｓ期間にわたって測定を実行することができ、誤り率を、Ｑinでは２％に、およびＱoutでは１０％に設定することができる。ＷＴＲＵ１０２は、ＲＬＭ測定のための時間において任意のサブフレーム制限を適用することができる。ＷＴＲＵ１０２は、ＲＬＭのために、無線フレームごとに少なくとも１つの測定可能サブフレームを必要とし得る。
【００６０】
測定およびセル再選択
アイドルモードでは、ＷＴＲＵ１０２は、それがキャンプオンしている現在のサービングセルの測定、および、（ｉ）同じキャリア周波数、例えば、周波数内と、（ｉｉ）異なるキャリア周波数、例えば、周波数間の両方における、隣接するセルの測定を実行することができる。
【００６１】
サービングｅノードＢ１６０は、測定のための隣接するセル情報に関する情報を、そのシステムブロードキャスト情報において、および／または、例えば、無線リソース制御（ＲＲＣ）シグナリングなど、専用シグナリングを介して、提供することができる。サービングｅノードＢ１６０は、専用ＲＲＣシグナリングを通して、専用優先度情報を（例えば、セルリストによって）提供することができる。ＷＴＲＵ１０２は、提供されたセルリストの部分ではないセルを検出および測定することができる。ＷＴＲＵ１０２が遂行しなければならない測定の量を限定するために、および／または、ＷＴＲＵ１０２のＤＲＸサイクル中にバッテリ消費を最小化するために、例えば、ＷＴＲＵ１０２は、いつ測定するべきか、ならびに、周波数間ネイバーセル測定および周波数内ネイバーセル測定では、どのセルを測定するべきかを判断するとき、いくつかの周波数に割り当てられた優先度を使用することができる。ＷＴＲＵ１０２は、以下のように、または、以下のうちの少なくとも１つに記載されるように、ネイバー測定を行うことができ、すなわち、（ｉ）現在の周波数よりも高い優先度が割り当てられた周波数では、ＷＴＲＵ１０２は、そのより高い優先度周波数におけるセルにおいて周波数間測定を実行することができ、（ｉｉ）現在の周波数に等しいか、もしくはそれよりも低い優先度が割り当てられた周波数では、ＷＴＲＵ１０２は、現在のセルのＲＳＲＰおよび／もしくはＲＳＲＱ測定（複数可）がそれぞれの指定されたしきいを下回った後、周波数間測定を実行することができ、ならびに／または（ｉｉｉ）ＷＴＲＵ１０２は、現在のセルのＲＳＲＰおよび／もしくはＲＳＲＱ測定（複数可）がそれぞれの指定されたしきいを下回った後、周波数内測定を実行することができる。
【００６２】
隣接するセルの測定は、アイドルモードにおけるＷＴＲＵ１０２によって監視および評価され得る。ＷＴＲＵ１０２は、１または複数のセル再選択基準が満足されるとき、別のセルへのセル再選択を実行することを決定することができる。そのようなセル再選択基準は、１または複数のしきいに基づき得る。これらのしきいは、システム情報において提供され得る。
【００６３】
ＤＲＸ／ページング
ネットワークは、ページングメッセージを使用して、アイドルモードにおけるときのＷＴＲＵ１０２に到達するか、またはそれと通信することができる。ページングメッセージは、ＷＴＲＵ１０２に固有であり得る情報（ＷＴＲＵ固有の情報）、および／または一般的なインジケータを含み得る。
【００６４】
ＷＴＲＵ固有の情報は、ネットワークへの接続を確立するための情報であってもよく、および／またはそれを含んでもよい。一般的なインジケータは、セルのブロードキャスト情報への変更をＷＴＲＵ１０２（および、他のＷＴＲＵ）に通知するためのインジケータであってもよく、および／またはそれを含んでもよい。このブロードキャスト情報は、例えば、地震および津波警報システム（ＥＴＷＳ）情報、商用モバイルアラートシステム（ＣＭＡＳ）情報、その他を含み得る。ＷＴＲＵ１０２が可能なページを探すために必要とする時間の量を最小化するために、ＤＲＸサイクルおよびページングオケージョンが、セルシステム情報を通して、および／または、指定されたより高いレイヤによって指定されたパラメータを通して、ＷＴＲＵ１０２に割り当てられ得る。
【００６５】
ページング情報は、ＰＤＳＣＨ上で、いくつかのサブフレーム上で送られ得る。ページング情報のためのＰＤＳＣＨ上のリソースロケーションは、ページング無線ネットワーク一時識別子（複数可）（Ｐ−ＲＮＴＩ）でマスクされたＰＤＣＣＨ上で送られ得る。単一のＰ−ＲＮＴＩがセルに割り当てられると仮定すると、単一のページングメッセージは、いくつかの（例えば、あらかじめ割り当てられた）サブフレーム上で送られ得る。このページングメッセージは、ＷＴＲＵのうちの１または複数のためのページング情報を含み得る。
【００６６】
ＬＴＥ動作モード
動作のＦＤＤモードでは、異なるキャリアが、ＵＬ送信およびＤＬ送信のために使用され得る。ＷＴＲＵ１０２は、ＤＬにおける受信、およびＵＬにおける送信を同時に行うことができる。動作のＴＤＤモードでは、ＵＬ送信およびＤＬ送信は、時間において分離された同じキャリア周波数上で搬送され得る。所与のキャリアについて、ＴＤＤ下で動作するＷＴＲＵ１０２は、ＤＬにおける受信、およびＵＬにおける送信を同時に行わない。
【００６７】
図２Ａは、ＴＤＤ無線フレームを示すブロック図である。ＴＤＤ無線フレームは、１０（１０）ｍｓの持続時間を有してもよく、１０（１０）個のサブフレームを含んでもよく、その各々が１（１）ｍｓの持続時間を有してもよい。ＴＤＤ無線フレームは、特定のタイプの構造タイプ、例えば、（例えば、５（５）ｍｓスイッチポイント周期性のための）フレーム構造タイプ２などを有してもよい。
【００６８】
ＴＤＤ無線フレームは、サブフレームのための様々な構成のうちの１つ（各「ＴＤＤ  ＵＬ／ＵＬ構成」）に従って構成され得る。各ＴＤＤ  ＵＬ／ＵＬ構成は、どのサブフレーム（例えば、その量および／または配列）がＤＬサブフレームおよびＵＬサブフレームであるかを指定することができる。示されたＴＤＤ  ＵＬ／ＵＬ構成に従って、１０（１０）個のサブフレームは、（ｉ）サブフレーム番号（「ｎｏ．」）０、３〜５、および８〜９、（ｉｉ）サブフレームｎｏ．２および７、ならびに（ｉｉｉ）サブフレームｎｏ．１および６としてそれぞれ配列された、６（６）個のＤＬサブフレーム、２（２）個のＵＬサブフレーム、および２（２）個の特殊サブフレームに分けられ得る。１０（１０）個のサブフレームは、他の方法（例えば、他のＴＤＤ  ＵＬ／ＵＬ構成のうちのいずれか）で、同様に分けられ、配列され得る。
【００６９】
図２Ｂは、ＬＴＥ  ＲＥＬ−１０においてサポートされる、それぞれのＴＤＤ  ＵＬ／ＤＬ構成に従って形成された、７個のＴＤＤ無線フレームを示すブロック図である。表１（以下）は、７個の（異なる）ＴＤＤ  ＵＬ／ＤＬ構成のＵＬからＤＬスイッチングポイント周期性をリストする。
【００７０】
【表１】
2015536097.tif 000003
【００７１】
表１、図２Ｂに示されたＴＤＤ無線フレーム、および／または、図２Ａに示されたＴＤＤ無線フレームに記載されるように、サブフレームｎｏ．１および６は、ＤＬサブフレームからＵＬサブフレームへ切り替えるために使用される特殊サブフレームである。特殊サブフレームとして、各々は、ＤＬ部分（例えば、ＤＬパイロットタイムスロット（「ＤｗＰＴＳ」））、ガード期間、および、ＵＬ部分（例えば、ＷＬパイロットタイムスロット（「ＵｐＰＴＳ」））を含む。
【００７２】
隣接するセル上でひどい干渉を生成することを回避するために、所与の近隣内の各セルは、典型的には、同じＴＤＤ  ＵＬ／ＤＬ構成を使用する。概して、あるＴＤＤ  ＵＬ／ＤＬ構成から別のものに変更することは、（例えば、構成を変更することによって引き起こされ得る接続の途絶を限定するために）しばしば発生するものではなく、静的または半静的と見なされ得る。
【００７３】
発展型マルチメディアブロードキャストサービス（ｅＭＢＭＳ）
発展型マルチメディアブロードキャストマルチキャストサービス（ｅＭＢＭＳ）をサポートするＷＴＲＵ１０２は、マルチメディアブロードキャストマルチキャストサービス（ＭＢＭＳ）単一周波数ネットワーク（ＳＦＮ）（まとめて「ＭＢＳＦＮ」）エリア内のセルのグループから、同時にブロードキャスト／マルチキャストデータを受信することができる。
【００７４】
物理レイヤ観点からすると、ＭＢＭＳ送信（複数可）は、ＭＢＳＦＮサブフレームにおいて発生し得る。所与の無線フレームでは、最大６個のサブフレームが、ＭＢＳＦＮサブフレームに割り振られ、他のサブフレームタイプへの割振りのために、サブフレームの残部が残され得る。どのサブフレーム番号がＭＢＳＦＮサブフレームに割り振られるかは、例えば、ＳＩＢ２を含む、１または複数のＳＩＢにおいて指定された（例えば、含まれ得る）サブフレームパターンに依存し得る。一例として、サブフレームパターンは、ＭＢＳＦＮサブフレームがサブフレームｎｏ．０、４、５および９に割り振られ、ならびに／または、それらにおいて送信されることにならないことを指示し得る。ＭＢＳＦＮサブフレームは、サブフレームｎｏ．０、４、５および９に割り振られ、ならびに／または、それらにおいて送信されないことがあり、例えば、その理由は、プライマリ同期信号および／もしくはセカンダリ同期信号（ＰＳＳ／ＳＳＳ）、物理ブロードキャストチャネル（ＰＢＣＨ）など、セル信号およびチャネル、ならびに／またはページングが、サブフレームｎｏ．０、４、５および９に割り振られ、ならびに／または、それらにおいて送信される、サブフレームにおいて発生し得るからである。
【００７５】
ＭＢＳＦＮサブフレームは、（ｉ）１または複数の非ＭＢＳＦＮ領域、および（ｉｉ）１または複数のＭＢＳＦＮ領域からなるものであってもよく、またはそれらを含んでもよい。非ＭＢＳＦＮ領域は、サブフレームの最初の２つのシンボルにおいて提供され得る。非ＭＢＳＦＮ領域は、ＰＤＣＣＨ、物理ハイブリッドＡＲＱインジケータチャネル（ＰＨＩＣＨ）および／またはＰＣＦＩＣＨなど、制御チャネルの送信のために使用され得る。通常のサイクリックプレフィックス（ＣＰ）は、そのような制御チャネルの送信のために使用され得る。ＭＢＳＦＮ領域は、ＭＢＳＦＮサブフレームの残りのシンボルにおいて提供され得る。ＭＢＳＦＮ領域は、物理マルチキャストチャネル（ＰＭＣＨ）の送信のために使用され得る。ＰＭＣＨは、ＭＢＭＳ関連トラフィックおよび制御データを搬送することができる。ＭＢＳＦＮ領域は、１または複数の基準信号（ＭＢＳＦＮ−ＲＳ）を含み得る。これらのＭＢＳＦＮ−ＲＳは、ＰＭＣＨの復調のために使用され得る。拡張ＣＰは、ＭＢＳＦＮ領域のために使用され得る。拡張ＣＰを使用することによって、１０個のシンボルがＭＢＳＦＮ領域において利用可能であり得る。
【００７６】
ｅノードＢ１６０は、ＭＢＳＦＮサブフレームがＰＭＣＨ送信のためにスケジュールされない事例では、送信モード９または１０をサポートするＷＴＲＵ１０２に、ユニキャストＰＤＳＣＨ送信のための１または複数のＤＬグラントを提供することができる。グラントを提供されたＷＴＲＵ１０２は、通常のＣＰを伴うＰＤＳＣＨを受信することができる。
【００７７】
ｅＭＢＭＳサービスを受信することに関心があるＷＴＲＵ１０２では、ｅＭＢＭＳに関係付けられた構成および情報は、（ｉ）ＳＩＢ２、（ｉｉ）ＳＩＢ１３、（ｉｉｉ）ＳＩＢ１５、および／またはＭＣＣＨにおいて送信され、および／または、それらから獲得され得る。例えば、セルのＭＢＳＦＮサブフレーム構成、およびＭＢＳＦＮエリアは、ＳＩＢ２において送信され、および／または、それから獲得され得る。マルチキャスト制御チャネル（ＭＣＣＨ）構成情報は、例えば、ＳＩＢ１３において送信され、および／または、それから獲得され得る。あるいは、および／または加えて、ＭＢＭＳサービス連続性関連情報は、ＳＩＢ１５において送信され、および／または、それから獲得され得る。ＲＲＣ  ＭＢＭＳＡｒｅａＣｏｎｆｉｇｕｒａｔｉｏｎおよび／またはＭＢＭＳＣｏｕｎｔｉｎｇＲｅｑｕｅｓｔメッセージを搬送する、マルチキャストトラフィックチャネル（ＭＴＣＨ）構成、ＭＢＭＳスケジューリング情報は、例えば、ＭＣＣＨにおいて送信され、および／または、それから獲得される。
【００７８】
ＭＣＣＨにおいて送信された制御情報は、概して、比較的静的のままである。ＭＣＣＨ構成における、またはそれに対する変更がやがて来ようとしているときの事例では、ＷＴＲＵ１０２は、ＰＤＣＣＨによって、ＭＢＭＳ無線ネットワーク一時識別子（Ｍ−ＲＮＴＩ）でスクランブルされたＤＬ制御情報（ＤＣＩ）フォーマット１Ｃを使用して、変更を通知され得る。ＰＤＣＣＨにおいて送信された８ビットビットマップを読み取ることによって、ＷＴＲＵ１０２は、やがて来ようとするＭＣＣＨ修正期間において発生することになる、ＭＣＣＨ構成における変更に気づくようになる。
【００７９】
ＭＢＭＳサービスのスケジューリングは、様々な方法で、ＷＴＲＵ１０２に指示され得る。例えば、ＷＴＲＵ１０２は、共通サブフレーム割振り（ＣＳＡ）によって、ＭＢＭＳサービスのスケジューリングをアドバイスされ得る。ＣＳＡは、ＭＢＳＦＮエリアにおいてＰＭＣＨによって占有され得るＭＢＳＦＮサブフレームの周期的パターンを指示することができる。ＣＳＡは、ＭＣＣＨを介してＷＴＲＵ１０２へ送信され、および／または、ＷＴＲＵ１０２によって受信され得る。
【００８０】
ＷＴＲＵ１０２は、マルチキャストチャネル（ＭＣＨ）スケジューリング割振り／期間（ＭＳＡ／ＭＳＰ）によって、ＭＢＭＳサービスのスケジューリングをアドバイスされ得る。ＭＳＡ／ＭＳＰは、特定のＭＴＣＨのための（例えば、特定のサービスのための）ＭＢＳＦＮサブフレームの割振り、および、そのような割振りの周期性を指示することができる。ＭＳＡ／ＭＳＰは、ＭＣＣＨを介してＷＴＲＵ１０２へ送信され、および／または、ＷＴＲＵ１０２によって受信され得る。あるいは、および／または加えて、ＷＴＲＵ１０２は、ＭＣＨスケジューリング情報（ＭＳＩ）によって、ＭＢＭＳサービスのスケジューリングをアドバイスされ得る。ＭＳＩは、ＭＳＰを介してＷＴＲＵ１０２へ送信され、および／または、ＷＴＲＵ１０２によって受信され得る。ＭＳＩは、ＭＳＰの始めに送られて、所与のＭＳＰにおいてＭＴＣＨのために割り振られ得るＭＢＳＦＮサブフレームが指示され得る。すべての割り振られたＭＢＳＦＮサブフレームが、このＭＳＰ中に使用され得るとは限らないことが企図される（例えば、媒体アクセス制御（ＭＡＣ）制御要素（ＣＥ）を介して送られるもの）。ＰＭＣＨ送信のためのＭＢＳＦＮサブフレームの実際の使用は、ＭＳＩによって判断され得る。
【００８１】
アドバンストロングタームエボリューション（ＬＴＥ）システムにおけるＷＴＲＵおよびネットワーク動作に向けられた方法、システムおよび装置が、開示される。方法、システムおよび装置の中には、ニューキャリアタイプ（new carrier type）（ＮＣＴ）キャリア、および／または、ＮＣＴキャリアを採用するセル（以下、「ＮＣＴセル」）に鑑みた、ＷＴＲＵおよびネットワーク動作における進化に向けられた方法、システムおよび装置がある。そのような方法、システムおよび装置のうちの少なくともいくつかは、ＮＣＴキャリアおよび／またはＮＣＴセルのサポートにおいて、ＷＴＲＵおよび／またはネットワーク動作を遂行するための高度な手順を定義、構成および／または実行することに向けられる。本明細書で提供される方法、システムおよび装置は、ＮＣＴキャリアおよび／またはＮＣＴセルのサポートにおいて、ページング、セル再選択および測定、無線リンク監視、システム情報獲得、ならびに／またはセルタイプ検出を遂行するための高度な手順を定義、構成および／または実行することができる。
【００８２】
ＷＴＲＵおよびネットワーク動作における進化に向けられた方法、システムおよび装置の中には、キャリア（例えば、同じキャリア）において、ＮＣＴサブフレームを１または複数の他のサブフレームタイプと選択的に混合することを含み得る、方法がある。キャリアは、ＮＣＴキャリアまたは従来のキャリアであり得る。
【００８３】
従来のキャリアは、第１のセットのルールおよび／またはプロトコル（まとめて「プロトコル」）に従って、ＵＬおよび／またはＤＬ送信を搬送するように適合された、ＦＤＤまたはＴＤＤキャリアであり得る。従来のキャリアは、例えば、レガシーキャリア、レガシーキャリアと後方互換であるキャリア（「後方互換キャリア」）、および／または、ＮＣＴキャリアではない任意の他のキャリア（「非ＮＣＴキャリア」）であり得る。レガシーキャリアでは、第１のセットのプロトコルは、３ＧＰＰ  ＬＴＥ  Ｒｅｌ８／９／１０／１１のうちの少なくとも１つなど、３ＧＰＰ  ＴＳのリリース１２（１２）より前のＬＴＥに向けられた第３世代パートナーシッププロジェクト（３ＧＰＰ）技術仕様（複数可）（ＴＳ（複数可））（まとめて「３ＧＰＰ  ＬＴＥ  ｐｒｅ−Ｒｅｌ−１２」）のうちの少なくとも１つのリリースに従うものであり得る。後方−後方互換キャリアでは、第１のセットのプロトコルは、３ＧＰＰ  ＬＴＥ  ｐｒｅ−Ｒｅｌ−１２に続く３ＧＰＰ  ＴＳ（複数可）のうちの少なくとも１つのリリース（「３ＧＰＰ  Ｒｅｌ−１２＋」）に従うものであり、３ＧＰＰ  ＬＴＥ  ｐｒｅ−Ｒｅｌ−１２と互換であり得る。様々な実施形態では、非ＮＣＴキャリアは、ＦＤＤおよび／またはＴＤＤモード以外のモードで動作することができる。
【００８４】
ＮＣＴキャリアは、第２のセットのプロトコルに従ってＵＬおよび／またはＤＬ送信を搬送するように適合されたキャリアであってもよく、第２のセットのプロトコルは、第１のセットのプロトコルとは異なる少なくとも１つのプロトコル（例えば、物理（ＰＨＹ）レイヤプロトコル）を有する。第２のセットのプロトコルは、例えば、３ＧＰＰ  Ｒｅｌ−１２＋に従うものであり、３ＧＰＰ  ＬＴＥ  ｐｒｅ−Ｒｅｌ−１２と互換でなくてもよい。ＮＣＴキャリアは、ＦＤＤ、ＴＤＤまたは他の（例えば、二重）モードキャリアであり得る。
【００８５】
ＮＣＴサブフレームは、従来のサブフレームタイプとは異なる少なくとも１つのプロトコルに従って定義されたサブフレームであってもよく、または少なくともその部分を含んでもよい。ＮＣＴサブフレームは、例えば、ＣＲＳなし（CRS-less subframe）サブフレーム、ＣＲＳ限定された（CRS-limited subframe）サブフレーム、限定されたポートＣＲＳ（limited port CRS subframe）サブフレーム、ＤＭ−ＲＳサブフレーム、非後方互換サブフレーム、および、混合されたＮＣＴ（mixed NCT subframe）サブフレームであり得る。
【００８６】
他のサブフレームタイプは、非ＮＣＴサブフレームであり得る。非ＮＣＴサブフレームは、従来のサブフレームタイプを含み得る。従来のサブフレームタイプは、３ＧＰＰ  ＬＴＥ  ｐｒｅ−Ｒｅｌ−１２に従って定義され得る。非ＮＣＴサブフレームの例は、通常の（例えば、ＵＬおよび／またはＤＬ）サブフレーム、特殊サブフレーム、マルチメディアブロードキャストマルチキャストサービス（ＭＢＭＳ）単一周波数ネットワーク（ＳＦＮ）（「ＭＢＳＦＮ」）サブフレーム、および、概ブランクサブフレーム（almost-blank subframe）（ＡＢＳ）を含み得る。
【００８７】
本明細書で使用されるような、「従来のセル」という用語は、従来のキャリアを採用するセルを指す。従来のセルの例は、レガシーキャリアを採用するセル（「レガシーセル」）、および、後方互換キャリアを採用するセル（「後方互換セル」）を含む。さらに、本明細書で使用されるような、「セル」という用語は、キャリアを暗示し、解説の容易さのために、「セル」および「キャリア」という用語は、本明細書で互換的に使用され得る。
【００８８】
レガシーセルでは、ＰＤＣＣＨ、ＰＨＩＣＨおよびＣＲＳは、あらゆるＤＬサブフレームにおいて送信され得る。ＮＣＴセルでは、ＰＤＣＣＨ、ＰＨＩＣＨ、ＰＣＦＩＣＨ、またはその均等物など、１または複数の制御チャネルは、送信されないことがあり、および／または、そうであるとしても、ＣＲＳは、（従来のセルと比較して）限定された数のサブフレームにおいて送信され得る。一例として、ＣＲＳは、無線フレームのサブフレームｎｏ．０および５においてのみ送信され得る。
【００８９】
ＮＣＴセルをサポートすることができるＷＴＲＵ１０２（「ＮＣＴ可能ＷＴＲＵ」）では、ＮＣＴセルがサービングセルおよび／またはネイバーセルであることに鑑みて、測定を実行し、アイドルモードおよび／または接続モード動作を可能にするための、プロセスおよび／または手順が、本明細書で提供される。ＮＣＴをサポートしないＷＴＲＵ１０２（「非ＮＣＴ可能ＷＴＲＵ」または「従来のＷＴＲＵ」）では、ＮＣＴセルにキャンプオンおよび／またはハンドオーバすることは、可能であってもよく、または可能でなくてもよい。これに鑑みて、ＮＣＴセルに鑑みてこれらの非ＮＣＴ可能ＷＴＲＵに関して、そのような非ＮＣＴ可能ＷＴＲＵによる、およびｅノードＢ１６０による不要なアクション、例えば、測定を回避するために、プロセスおよび／または手順が、本明細書で提供される。
【００９０】
様々な実施形態では、ＷＴＲＵ１０２は、アイドルモードにおいてのみ、または接続モードにおいてのみ、ＮＣＴセルをサポートすることができる。解説の簡単のために、そのようなＷＴＲＵは、区別が行われる必要がない限り、本明細書で、以下で「ＮＣＴ可能ＷＴＲＵ」と呼ばれるようになる。その場合、アイドルモードにおいてのみＮＣＴセルをサポートするＷＴＲＵ１０２は、「ｉｍ−ＮＣＴ可能ＷＴＲＵ」と呼ばれるようになり、接続モードにおいてのみＮＣＴセルをサポートするＷＴＲＵ１０２は、「ｃｍ−ＮＣＴ可能ＷＴＲＵ」と呼ばれるようになる。アイドルモードに関して本明細書で言及されるとき、ＮＣＴ可能ＷＴＲＵによって、および／またはそれとともに遂行される、いかなる行為、動作、プロセス、手順、方法、その他も、別段に記載されていない限り、ｉｍ−ＮＣＴ可能ＷＴＲＵによって、および／またはそれとともに同じく遂行され得る。接続モードに関して本明細書で言及されるとき、ＮＣＴ可能ＷＴＲＵによって、および／またはそれとともに遂行される、いかなる行為、動作、プロセス、手順、方法、その他も、別段に記載されていない限り、ｃｍ−ＮＣＴ可能ＷＴＲＵによって、および／またはそれとともに同じく遂行され得る。
【００９１】
アイドルモードに関して本明細書で言及されるとき、「非ＮＣＴ可能ＷＴＲＵ」または「従来のＷＴＲＵ」という用語は、接続モードにおいてのみＮＣＴセルをサポートするＷＴＲＵ１０２を指すことがある。接続モードに関して本明細書で言及されるとき、「非ＮＣＴ可能ＷＴＲＵ」または「従来のＷＴＲＵ」という用語は、アイドルモードにおいてのみＮＣＴセルをサポートするＷＴＲＵ１０２を指すことがある。
【００９２】
ＮＣＴセルまたはキャリアに鑑みた、従来のＬＴＥアイドルモード関連動作
ページング
ｅノードＢ１６０が、ネットワークによって、ページをＷＴＲＵ１０２へ送るように指図されるとき、ｅノードＢ１０６は、ＷＴＲＵ１０２のロケーションを知らされる。ＷＴＲＵ１０２のロケーションは、ネットワークに登録されたＷＴＲＵ１０２の１または複数の追跡エリア（ＴＡ）に関して表現され得る。ｅノードＢ１６０は、そのような登録されたＴＡの一部または全部のセルにおいて、ＷＴＲＵ１０２をページングすることができる。ｅノードＢ１６０は、ＷＴＲＵ１０２が属していないことが知られているＣＳＧセルにおいて、ＷＴＲＵ１０２をページングしないことがある。
【００９３】
ＷＴＲＵ１０２をページングする時間に、ｅノードＢ１６０が、ＷＴＲＵ１０２がＮＣＴセルまたはキャリアをサポートするかどうかについての知識を欠いている場合、ｅノードＢ１６０は、ＮＣＴセルが従来のＷＴＲＵの登録されたＴＡ（複数可）におけるものである場合、ＮＣＴセルにおいて、従来のＷＴＲＵをページングすることがある。これは、ＮＣＴセル上のリソースを無駄にする結果になり得る。本明細書で、以下で提供されるプロセスおよび／または手順は、ＮＣＴセルにおける非ＮＣＴ可能ＷＴＲＵのページングを回避することに向けられ、ならびに／または、ＮＣＴセルおよび／もしくは別のキャリアタイプセルにおいてＮＣＴ可能ＷＴＲＵをページングすることに向けられる。
【００９４】
セル選択／再選択
低減されたＣＲＳ送信を伴うものなど、ＮＣＴセルは、非ＣＲＳサブフレームをＤＴＸすることによって、よりエネルギー効率の良いものになることができ、潜在的に、ＣＲＳ送信によって引き起こされる他のセルへの干渉を低減しながら、より高度な送信モードとともに使用され得る。加えて、ＮＣＴ可能ＷＴＲＵをページングするためのＮＣＴセルの使用は、従来のセルのページング負荷を低減し得る。これに鑑みて、例えば、アイドルモードである間、ＮＣＴ可能ＷＴＲＵがＮＣＴセルにキャンプオンすることが望ましい、および／または好ましいことであり得る。以下で詳細に説明されるように、本明細書で提供される方法および手順は、したがって、ＮＣＴ可能ＷＴＲＵが、利用可能なとき（セル選択および再選択を実行するときなど）にＮＣＴセルを測定すること、および／またはそれにキャンプオンすることを、可能にすることに向けられる。
【００９５】
ＮＣＴセルまたはキャリアに鑑みた、従来のＬＴＥ接続モード関連動作
ハンドオーバ
従来のセルにキャンプオンまたは接続され得る非ＮＣＴ可能ＷＴＲＵは、ＮＣＴセルのＲＳＲＰおよび／またはＲＳＲＱ測定をレポートすることができる。レポートされた測定は、ＮＣＴセルへのハンドオーバ（ＨＯ）をトリガすることを、対応するｅノードＢに行わせるために十分であり得る。非ＮＣＴ可能ＷＴＲＵがＮＣＴセルをサポートしないとすれば、ＨＯ失敗が、ＨＯプロセスにおけるあるポイントで発生する可能性がある。ＨＯ失敗は、ＷＴＲＵが元の従来のセルに戻ること、または無線リンク失敗の結果となり得るものであり、その両方が、ドロップまたは遅延されるパケットの結果となり得る。本明細書で、以下で提供されるプロセスおよび／または手順は、したがって、ＮＣＴセルへの非ＮＣＴ可能ＷＴＲＵの不要なＨＯ、またはＨＯの試行を回避することに向けられる。
【００９６】
ＲＬＭおよび測定
ＲＬＭおよびいくつかの他の測定は、あらゆるＤＬサブフレームにおけるＣＲＳの存在に依拠し得る。いくつかのサブフレームにおけるＣＲＳの不在において、ＲＬＭおよびいくつかの他の測定の精度は、大幅に低減され得る。本明細書で、以下で提供されるプロセスおよび／または手順は、したがって、あらゆるＤＬサブフレームにおいてＣＲＳを欠いているセルにおいてＲＬＭおよび測定を扱うことに向けられる。
【００９７】
他のサブフレームタイプとともにＮＣＴサブフレームを扱うこと
単一のサブフレームのタイプ（「サブフレームタイプ」）、または、異なるサブフレームタイプの混合が、ネットワーク構成に従って、キャリアにおいて使用され得る。上述されたように、例えば、図２ＡのＴＤＤ無線フレームは、通常の（例えば、ＵＬおよび／またはＤＬ）サブフレームおよび特殊サブフレームを含み得る。他のサブフレームタイプは、例えば、マルチメディアブロードキャストマルチキャストサービス（ＭＢＭＳ）単一周波数ネットワーク（ＳＦＮ）（「ＭＢＳＦＮ」）サブフレーム、概ブランクサブフレーム（ＡＢＳ）、およびＮＣＴサブフレームを含み得る。従来のセルでは、ＮＣＴサブフレーム以外の異なるサブフレームタイプが、同じキャリアにおいて混合され得る。本明細書で、以下で提供されるプロセスおよび／または手順は、したがって、（ｉ）同じキャリアにおいてＮＣＴサブフレームを他のサブフレームタイプと混合すること、ならびに／または（ｉｉ）他のサブフレームタイプとのＮＣＴサブフレームの動作および／もしくは統合に向けられる。同じキャリアにおいてＮＣＴサブフレームを他のサブフレームタイプと混合することは、ＣＲＳがオーバーヘッドと見なされることに鑑みて、（例えば、そのようなフレームを混合しないことと比較されるとき）（例えば、ダウンリンク）時間／周波数リソースのよりよい利用を提供することができる。
【００９８】
ＮＣＴセルまたはキャリアに鑑みた、従来のＬＴＥシステム情報獲得およびセル検出
セル検出
ＮＣＴセルによって送信された制御信号および／または基準信号などの信号が、従来のセルによって送信された同様タイプ信号との差異を有し得るとすれば、ＷＴＲＵ１０２が、セルがＮＣＴセルであるか、従来のセルであるかを知らない場合、いくつかの手順における遅延および非効率が発生し得る。本明細書で、以下で提供されるプロセスおよび／または手順は、したがって、セルが従来のセルであるか、ＮＣＴセルであるかを判断することに向けられる。これらのプロセスおよび／または手順のうちの少なくともいくつかは、方法および手順を遂行する前に、またはその早い段階で、セルが従来のセルであるか、ＮＣＴセルであるかを判断することに向けられる。そのようなプロセスおよび／または手順の例は、測定、ハンドオーバ、および／または、システム情報の獲得を遂行するためのプロセスおよび／または手順を含む。プロセスおよび／もしくは手順を遂行する前に、またはその早い段階で、セルが従来のセルであるか、ＮＣＴセルであるかを判断することは、そのようなプロセスおよび／または手順の、待ち時間を低減し、および／または、複雑さを最小化することができる。
【００９９】
エンハンストＰＢＣＨ
従来のＰＢＣＨの検出性能は、ＮＣＴキャリアについて、影響を与えられ、または大幅に影響を与えられ得る。これは、ＮＣＴキャリアが従来のキャリアとは異なる構造を有するためであり得る。一例として、ＣＲＳポートがＮＣＴキャリアにおいて復調のために使用されない場合、ＣＲＳの存在に依存し得る、従来のＰＢＣＨの検出は、ロバストに検出されないことがある。本明細書で、以下で提供されるプロセスおよび／または手順は、したがって、ＰＢＣＨ情報をＮＣＴ可能ＷＴＲＵへ送達することに向けられる。
【０１００】
ＮＣＴセルまたはキャリアに鑑みた、従来のＬＴＥ  ＭＢＭＳ関連動作
追加のＭＢＳＦＮサブフレーム
追加のＭＢＭＳサブフレーム、例えば、サブフレームｎｏ．０、４、５、および／または９は、ＮＣＴセルおよび／またはキャリア上でページングオケージョンと競合することがある。本明細書で、以下で提供されるプロセスおよび／または手順は、したがって、ＭＢＭＳをサポートすることが可能であるＮＣＴ可能ＷＴＲＵのための、ページングオケージョンの割振りを導出することに向けられる。そのようなプロセスおよび／または手順は、追加のＭＢＳＦＮサブフレームがＮＣＴセルにおいて構成されているとき、有用であり得る。
【０１０１】
ＭＣＣＨ修正通知
様々な実施形態では、来るべき修正期間におけるＭＣＣＨ修正をＷＴＲＵ１０２に通知するための手順が実装される。これらの手順は、ＰＤＣＣＨがＮＣＴセルまたはキャリアにおいてサポートされない場合、ＰＤＣＣＨを使用しないことがある。加えて、エンハンストＰＤＤＣＨ（ｅＰＤＣＣＨ）が使用されないことがあり、その理由は、非ＭＢＳＦＮ領域が十分に大きくないことがあるからであり、また、ｅＰＤＣＣＨがＭＢＳＦＮ領域において使用されないことがあり、その理由は、それが拡張ＣＰを有するからである。本明細書で、以下で提供されるプロセスおよび／または手順は、したがって、ＭＢＭＳをサポートすることが可能であるＮＣＴ可能ＷＴＲＵのための、ＮＣＴセルにおけるＭＣＣＨ修正通知を提供することに向けられる。
【０１０２】
拡張されたＭＢＳＦＮ領域
ＮＣＴキャリアが、通常の動作の部分として、ＰＤＣＣＨ、ＰＨＩＣＨおよびＰＣＦＩＣＨなどの制御信号をサポートしないことがあるとすれば、ＮＣＴキャリアが従来のｅＭＢＭＳ動作に従う場合、ＭＢＳＦＮサブフレームの非ＭＢＳＦＮ領域における２つのシンボルは、未使用であり得る。さらに、従来のＭＢＭＳ動作におけるように、ＵＬグラントを指示するか、電力制御情報を指示するか、通常のＰＤＳＣＨ送信のためのＭＢＳＦＮサブフレームの使用の場合、ＤＬグラントを提供するかにかかわらず、ＭＢＳＦＮサブフレームにおける制御チャネルは、非ＭＢＭＳ  ＷＴＲＵをアドレス指定するために必要とされ得るものであり、または使用され得るものである。非ＭＢＳＦＮ領域を含む、拡張されたＭＢＳＦＮ領域は、ＰＭＣＨおよび／またはＰＤＳＣＨ送信のために、ＭＢＳＦＮサブフレームにおいて利用可能なリソースを十分に利用するための手段を提供することができる。
【０１０３】
非ＮＣＴ可能ＷＴＲＵのためのＭＢＭＳサポート
ＭＢＭＳサービス受信をサポートする非ＮＣＴ可能ＷＴＲＵは、ＮＣＴセルからのＭＢＭＳ送信にアクセスすることが可能でないことがある。ＮＣＴセルを含むＭＢＭＳサービスエリアにおけるＭＢＭＳ受信ＷＴＲＵのサポートを最大化する努力において、本明細書で、以下で提供されるプロセスおよび／または手順は、したがって、すべてのＭＢＭＳ可能ＷＴＲＵによるＭＢＭＳ受信をサポートすることに向けられる。
【０１０４】
アイドルモード関連動作
ページング
ページングされることになるＷＴＲＵの登録された追跡エリアＴＡに基づいて、ＭＭＥ１６２は、Ｓ１ページングメッセージをいくつかのｅノードＢ１６０へ送ることができる。これらのｅノードＢ１６０は、登録されたＴＡの、例えば、ｅノードＢ１６０の一部または全部であり得る。Ｓ１ページングメッセージは、例えば、ＷＴＲＵ１０２のＩＭＳＩのＬＳＢのうちの１または複数、および、ＷＴＲＵ１０２のＳ−ＴＭＳＩ（または、ＩＭＳＩ）を含み得る。Ｓ１ページングメッセージはまた、ＷＴＲＵ固有のＤＲＸサイクルを含み得る。ｅノードＢ１６０は、ＷＴＲＵ１０２のためのページングオケージョンにおいて、Ｐ−ＲＮＴＩによってアドレス指定された、ＲＲＣページングメッセージを送ることができる。ページングオケージョンは、ＷＴＲＵ固有のＤＲＸサイクル、セルのデフォルトＤＲＸサイクル、セルの利用可能なページングオケージョンの頻度、および、ＷＴＲＵ１０２のＩＭＳＩのＬＳＢのうちの、１または複数から導出され得る。特定のページングオケージョンにおいて、所与のセルにおいて送られたＲＲＣページングメッセージは、同じページングオケージョンを共有するそのようなセルにおいてページングされることになる、各ＷＴＲＵ１０２のＳ−ＴＭＳＩまたはＩＭＳＩを含有し得る。
【０１０５】
ＮＣＴセルにおける非ＮＣＴ可能ＷＴＲＵのページングを回避することに向けられ、ならびに／または、ＮＣＴセルおよび／もしくは別のキャリアタイプセルにおいてＮＣＴ可能ＷＴＲＵをページングすることに向けられる、プロセスおよび／または手順が後続する。
【０１０６】
ＭＭＥにＮＣＴ能力情報を提供する
一実施形態では、ＷＴＲＵ１０２（ＮＣＴ可能または非ＮＣＴ可能のいずれか）がＮＣＴセルをサポートするかどうかを指示する情報（ＮＣＴ能力情報）が、ＭＭＥ１６２に提供され得る。ＮＣＴ能力情報は、ＷＴＲＵ１０２の能力情報（ＷＴＲＵ能力情報）中に含まれ得る。このＷＴＲＵ能力情報は、例えば、ＷＴＲＵ１０２に関連付けられた無線能力情報であってもよく、および／またはそれを含んでもよい。そのようなＷＴＲＵ無線能力情報の例は、ＷＴＲＵ−ＥＵＴＲＡ能力情報、および／または、ＷＴＲＵ−ＥＵＴＲＡ能力情報のための情報要素（ＩＥ）（「ＷＴＲＵ−ＥＵＴＲＡ能力ＩＥ」）を含む。ＷＴＲＵ能力情報（例えば、ＷＴＲＵ無線能力情報、ＷＴＲＵ−ＥＵＴＲＡ能力情報、ＷＴＲＵ−ＥＵＴＲＡ能力ＩＥ、その他のうちのいずれか）は、ＭＭＥ１６２に提供され、および／または、それによって記憶され得る。ＭＭＥ１６２は、例えば、ＷＴＲＵ１０２が登録され得る先の、または、ＷＴＲＵ１０２が以前もしくは最後に登録されたことがあり得る先の、ＭＭＥであり得る）。
【０１０７】
以下のうちの１または複数が、ＮＣＴ能力情報の転送および／または記憶とともに適用され得る。
【０１０８】
１．ＲＲＣ  ＷＴＲＵ能力転送手順は、ｅノードＢ１６０によってトリガされ得る。そのようなＲＲＣ  ＷＴＲＵ能力転送手順は、例えば、ＭＭＥ１６２からメッセージを受信した後、またはそれに応答して、トリガおよび／または遂行され得る。このメッセージは、例えば、ＷＴＲＵ無線能力ＩＥを含有しないＷＴＲＵのためのＳ１初期コンテキストセットアップ要求メッセージであり得る。
【０１０９】
２．ＷＴＲＵ１０２は、ＮＣＴ能力情報を明示的にシグナリングすることができる。これは、例えば、ＲＲＣ  ＷＴＲＵＣａｐａｂｉｌｉｔｙＩｎｆｏｒｍａｔｉｏｎメッセージを介してなど、より高いレイヤシグナリングを介して遂行され得る。ＮＣＴ可能ＷＴＲＵは、常に、ＮＣＴ能力情報を提供することができる。あるいは、ＮＣＴ可能ＷＴＲＵは、ＮＣＴ可能ＷＴＲＵのサービングセルが、ＮＣＴセルおよび／またはＮＣＴアウェアなセル（まとめて「ＮＣＴセル」）である場合（例えば、サービングセルがそうである場合のみ）など、そのサービングセルのタイプに基づいて、ＮＣＴ能力情報を提供することができる。
【０１１０】
３．ＷＴＲＵ１０２は、ＮＣＴ能力情報、および／または、そのＷＴＲＵ−ＥＵＴＲＡ能力情報もしくはＩＥなど、その無線能力情報をもつＮＣＴ能力情報の指示を含み得る。
【０１１１】
４．ｅノードＢ１６０は、ＮＣＴ能力情報、および／またはＮＣＴ能力情報の指示を、ＭＭＥ１６２に提供することができる。
【０１１２】
５．ＷＴＲＵ無線能力は、ｅノードＢ１６０によって、ＭＭＥ１６２にアップロードされ得る。これは、例えば、ＲＲＣ  ＷＴＲＵ能力転送手順の後、ＮＣＴ能力情報、および／またはＮＣＴ能力情報の指示を含み得る、Ｓ１  ＷＴＲＵ  ＣＡＰＡＢＩＬＩＴＹ  ＩＮＦＯ  ＩＮＤＩＣＡＴＩＯＮメッセージを介して、発生し得る。
【０１１３】
６．ＭＭＥ１６２は、ＮＣＴ能力情報、および／またはＮＣＴ能力情報の指示を記憶することができる。ＭＭＥ１６２は、例えば、ＷＴＲＵ１０２がＥＭＭ＿ＩＤＬＥ状態である間、ＮＣＴ能力情報、および／またはＮＣＴ能力情報の指示を記憶することができる。
【０１１４】
７．ＭＭＥ１６２は、ＷＴＲＵ１０２のためのその記憶された無線能力の部分として、ＮＣＴ能力情報、および／またはＮＣＴ能力情報の指示を記憶することができる。
【０１１５】
８．ＭＭＥ１６２は、ＮＣＴ能力情報、および／またはＮＣＴ能力情報の指示を含み得る、ＷＴＲＵ無線能力を記憶することができる。ＭＭＥ１６２は、例えば、ＷＴＲＵ１０２がＥＭＭ＿ＩＤＬＥ状態である間、ＷＴＲＵ無線能力を記憶することができる。
【０１１６】
様々な実施形態では、ＷＴＲＵ１０２が従来のセルを介して登録する場合、従来のセルは、その能力における、ＮＣＴ能力情報、および／またはＮＣＴ能力情報の指示の包含または排除を認識しないことがある。そのような事例では、ＷＴＲＵ１０２は、ＭＭＥ１６２に、ＮＣＴ能力情報、および／またはＮＣＴ能力情報の指示を除く、能力を送ることができる。
【０１１７】
ＭＭＥ１６２は、ＮＣＴサポートの１または複数の状態を維持することができる。そのような状態は、サポートを含んでもよく、サポートを含まなくてもよく、および／または、知られていないサポートを含んでもよい。（例えば、より古いバージョンシグナリングを使用して）従来のセルのｅノードＢ１６０からＷＴＲＵ能力を受信するとき、ＭＭＥ１６２は、ＷＴＲＵ１０２のためのＮＣＴサポートの状態を、ＮＣＴセルの知られていないサポートおよびサポートなしのいずれかであると見なすことができる。
【０１１８】
様々な実施形態では、従来のセル、または従来のセルのｅノードＢは、ＮＣＴ能力情報、および／またはＮＣＴ能力情報の指示を含む、ＷＴＲＵ能力を受け入れることができ、そのような情報をＭＭＥ１６２に渡すことができる。これは、Ｓ１  ＷＴＲＵ  ＣＡＰＡＢＩＬＩＴＹ  ＩＮＦＯ  ＩＮＤＩＣＡＴＩＯＮメッセージを介して行われ得る。ｅノードＢは、ＷＴＲＵ能力を読み取らないことがあるが、それは、それらをＭＭＥ１６２に渡すことができる。ＭＭＥ１６２は、能力を読み取らないことがあるが、それは、それらを記憶することができる。
【０１１９】
ＴＡ更新（ＴＡＵ）は、ＷＴＲＵ１０２がＮＣＴ可能ＷＴＲＵであるか、非ＮＣＴ可能ＷＴＲＵであるかを判断することにおいて、ＭＭＥ１６２または他のネットワークノードを支援するために使用され得る。
【０１２０】
ＷＴＲＵ１０２は、例えば、ＴＡＵを実行するとき、ＮＣＴ能力情報、および／またはＮＣＴ能力情報の指示を含み得る。ＷＴＲＵ１０２は、それがＴＡＵをレポートするとき、それがＮＣＴセルをサポートするかどうか、例えば、それがＮＣＴセルをサポートすることを識別することができる。
【０１２１】
あるいは、および／または加えて、ＷＴＲＵ１０２は、従来のセルからＮＣＴセルに再選択するとき、または、初めてそれが従来のセルからＮＣＴセルに再選択するとき、ＴＡＵを実行するか、またはＴＡＵメッセージを送ることができる。そのような再選択は、ＴＡが実際に変更になったかどうかとは無関係であり得る。
【０１２２】
様々な実施形態では、ＮＣＴ能力情報は、アイドルモード、接続モード、もしくは両方におけるＮＣＴのためのサポートを含んでもよく、および／または、ＮＣＴ能力情報の指示は、それを指示してもよい。ＷＴＲＵ１０２は、アイドルモードのための、および接続モードのための、別個のＮＣＴ能力情報、および／またはＮＣＴ能力情報の別個の指示を提供することができる。
【０１２３】
ＷＴＲＵ１０２は、アイドルモードと接続モードの両方におけるＮＣＴセルのためのサポートを表す、ＮＣＴ能力情報、および／またはＮＣＴ能力情報の単一の指示を提供することができる。あるいは、ＮＣＴ能力情報、および／またはＮＣＴ能力情報の単一の指示は、接続モードにおけるＮＣＴセルのためのサポート、および、アイドルモードにおけるＮＣＴセルのためのサポートがないこと（ならびに、その逆も同様）を指示することができる。
【０１２４】
特定のモードにおいてＮＣＴ能力情報、および／またはＮＣＴ能力情報の指示を除くこと（例えば、能力をレポートするときなど、メッセージからＩＥを除くこと）は、ＮＣＴのための、または特定のモードにおけるＮＣＴのための、サポートの欠如を指示することと同じであり得る。
【０１２５】
ＮＣＴ能力情報の指示は、複数の指示であり得る。
【０１２６】
従来のセルとは異なる追跡エリア識別情報（ＴＡＩ）でＮＣＴを構成する
ＮＣＴセルは、後方互換セルのそれもしくはそれらとは異なる、１つのＴＡ識別情報（ＴＡＩ）または複数のＴＡ識別情報（「ＮＣＴセル  ＴＡＩ」）で構成され得る。非ＮＣＴ可能ＷＴＲＵが、非ＮＣＴ可能ＷＴＲＵがネットワークにおいて見つかり得るＴＡ（複数可）をレポートするとき、ＮＣＴセル  ＴＡＩをレポートしなくてもよく、またはレポートしないようになるとすれば、ＮＣＴセル上で非ＮＣＴ可能ＷＴＲＵをページングしなくてもよく、またはページングしないようになる。
【０１２７】
ＮＣＴセルと従来のセルとの間のＴＡの分離が与えられると、様々な実施形態では、ＭＭＥ１６２がＷＴＲＵ１０２に（例えば、ＴＡＵ要求に応答して、および／または、ＴＡＵ受入れメッセージにおいて）提供するＴＡＩリストは、そこからＴＡＵ要求が受信されたセルに依存し得る。
【０１２８】
様々な実施形態では、ＭＭＥ１６２が、ＮＣＴセルのために構成されたＴＡ（ＮＣＴセルＴＡ）、またはＴＡにおけるＷＴＲＵ１０２から、ＴＡＵ要求メッセージを受信するとき、ＴＡＵ要求メッセージは、ＮＣＴセルＴＡ（複数可）および後方互換セルのＴＡの、ＴＡＩを含み得る。これは、ＷＴＲＵ１０２がＮＣＴセルと後方互換セルとの間で移動するとき、更新手順を追跡することに関して、ＷＴＲＵの性能を低減し得るものであり、したがって、ＴＡを変更する。
【０１２９】
様々な実施形態では、ＭＭＥ１６２が、後方互換セルのために構成されたＴＡ、またはＴＡにおけるＷＴＲＵ１０２から、ＴＡＵ要求メッセージを受信するとき、ＴＡＵ要求メッセージは、後方互換セルのＴＡのＴＡＩのみを含み得る。
【０１３０】
ＭＭＥ１６２は、ＴＡＩ間の分離がＮＣＴに基づくか、またはＮＣＴに基づかないことを、知らなくてもよい。ＭＭＥ１６２は、第１のセットのルールが１つのセットのＴＡまたはＴＡＩに対して適用され、第２のセットのルールが別のセットのＴＡまたはＴＡＩに対して適用されること、および、それに応じてルールを適用することを知ることができる。
【０１３１】
ＭＭＥ１６２が、ＮＣＴセルＴＡのためのＴＡＵ要求を以前に決して受信しなかった場合、ＭＭＥ１６２は、それがＷＴＲＵ１０２へ送るＴＡＩリストに、いかなるＮＣＴセルＴＡＩも含めなくてもよい。これは、一部または全部のＷＴＲＵ１０２に対して適用されてもよく、および／または、あるＷＴＲＵ１０２に固有であってもよい。例えば、ＭＭＥ１６２が、ＮＣＴセルのＴＡのための、あるＷＴＲＵ１０２のためのＴＡＵ要求を決して受信しなかった場合、ＭＭＥ１６２は、ＷＴＲＵ１０２に送られたＴＡＩリストに（例えば、ＴＡＵ受入れメッセージに）、ＮＣＴ  ＴＡのためのＴＡＩを含めていなくてもよい。
【０１３２】
あるいは、および／または加えて、ＭＭＥ１６２は、例えば、ＭＭＥ１６２が、ＮＣＴセルＴＡからＴＡＵメッセージを決して受信しなかった場合、いかなるＷＴＲＵ１０２へのＴＡＵ受入れメッセージにもＮＣＴセルＴＡＩを含めていなくてもよい。
【０１３３】
ＭＭＥ１６２が、ＷＴＲＵ１０２のためのＮＣＴセルＴＡからの以前のＴＡＵの記録を有し、ＷＴＲＵ１０２がＮＣＴ可能ＷＴＲＵであることが知られている場合、ＭＭＥ１６２は、ＮＣＴセルＴＡＩを、互換セルのＴＡとともに、ＴＡＩリストに含めることができる。これは、そこからＴＡＵメッセージが受信されるＴＡ、または、ＷＴＲＵ１０２の最後の訪問されたＴＡＩとは無関係であり得る。
【０１３４】
ＷＴＲＵ無線能力を含むように、Ｓ１ページングメッセージを拡張すること
ＷＴＲＵ１０２のＥＭＭ＿ＩＤＬＥ状態中に、ＷＴＲＵ無線能力は、ＷＴＲＵ１０２が以前に登録した先のＭＭＥ１６２に記憶され得る。ｅノードＢ１０６は、ＭＭＥ１６２からＷＴＲＵ無線能力を取得することができる。ＷＴＲＵ無線能力は、例えば、ＷＴＲＵ１０２がページに応答した（および、ページングの時間にＷＴＲＵ無線能力を有していないことがある）後、初期コンテキストセットアップ要求メッセージを介して、取得され得る。
【０１３５】
ＮＣＴ能力情報、および／またはＮＣＴ能力情報の指示が、例えば、ＷＴＲＵ無線能力の部分として、ＭＭＥ１６２によって以前にシグナリングおよび記憶された場合、Ｓ１ページングメッセージは、ＮＣＴサポート情報のＷＴＲＵ無線能力を含むように拡張され得る。
【０１３６】
ＷＴＲＵ無線能力に含まれ得る、ＮＣＴ能力情報、および／またはＮＣＴ能力情報の指示に基づいて、ｅノードＢ１６０は、ページングされているＷＴＲＵ１０２が、ＮＣＴ可能ＷＴＲＵではないか、またはアイドルモードにおいてＮＣＴ可能ではないと判断することができる。ｅノードＢ１６０は、判断に基づいて、ＮＣＴセルにおいて、ＷＴＲＵ１０２の識別情報とともにＲＲＣページングメッセージを送信しなくてもよい。
【０１３７】
そのためのＮＣＴサポートが知られていないＷＴＲＵ１０２では、ｅノードＢ１６０は、ＮＣＴセルにおいてそのようなＷＴＲＵ１０２をページングすることができる。あるいは、ｅノードＢ１６０は、ＷＴＲＵ１０２がＮＣＴセルをサポートしていないか、または、アイドルモードにおいてＮＣＴセルをサポートしていないと見なすことができ、ＮＣＴセルにおいてそのようなＷＴＲＵ１０２をページングしなくてもよい。
【０１３８】
様々な実施形態では、ｅノードＢ１６０は、その制御下のセルにおいてＷＴＲＵ１０２をページングすることができる。ＮＣＴセルを制御するｅノードＢは、ＮＣＴセルにおいてＷＴＲＵ１０２をページングすることができ、そのようなｅノードＢ１０２は、ＮＣＴ能力情報、および／またはＮＣＴ能力情報の指示を提供する、ＭＭＥ１６２からのシグナリングを理解することができる。
【０１３９】
ＭＭＥ１６２は、ＷＴＲＵ無線能力を知ることが可能ではないことがあるが、ＭＭＥ１６２は、様々な実施形態では、ＯＡ＆Ｍを通して構成されてもよく、ＭＭＥ１６２が、いくつかのｅノードＢ１６０（例えば、ＮＣＴセルを制御するｅノードＢ）へのＳ１ページングメッセージに、ＷＴＲＵ無線能力を含める（例えば、そのようにのみ含める）ようにされてもよい。
【０１４０】
セル選択／再選択
ＮＣＴセルへ、および／またはＮＣＴセルからの、選択および／または再選択に向けられる、プロセスおよび／または手順が後続する。
【０１４１】
様々な実施形態では、ＮＣＴ可能ＷＴＲＵは、セル選択および／またはセル再選択のために、少なくとも１または複数の従来のセルに勝るように、１または複数のＮＣＴセルを優先度付けおよび／または再優先度付けすることができる。ＮＣＴ可能ＷＴＲＵは、本明細書で説明される実施形態のうちの１または複数に従って、そのような優先度付けおよび／または再優先度付けを実行することができる。
【０１４２】
ＮＣＴ可能ＷＴＲＵは、１または複数のＮＣＴセルの検出に反応して、検出されたＮＣＴセルのうちの１つを、再選択のために選択し、および／またはそれに再選択することができる。ＮＣＴ可能ＷＴＲＵが再選択のために選択するＮＣＴセルは、例えば、ＮＣＴ可能ＷＴＲＵが現在キャンプオンされているセルのものとは異なる周波数上にあり得る、好適なＮＣＴセルであり得る。ＮＣＴ可能ＷＴＲＵは、ＮＣＴ可能ＷＴＲＵが現在キャンプオンされているセル（「キャンプオンされたセル」）の周波数優先度には関係なく、ＮＣＴセルの選択、および／または、選択されたＮＣＴセルへの再選択を遂行することができる。加えて、および／またはあるいは、ＮＣＴ可能ＷＴＲＵは、例えば、関係しているＮＣＴセルが、その周波数上で最高にランク付けされたセルまたはＮＣＴセルである場合（または、その場合のみ）、ＮＣＴセルの選択、および／または、選択されたＮＣＴセルへの再選択を遂行する。あるいは、および／または加えて、ＮＣＴ可能ＷＴＲＵは、キャンプオンされたセルと同じ周波数上で検出されたＮＣＴを、再選択のために選択し、および／または、それに再選択することができる。
【０１４３】
ＮＣＴ可能ＷＴＲＵは、自律的に、従来のセルに勝るようにＮＣＴセルを優先度付けまたは再優先度付けすることができる。従来のセルに勝るＮＣＴセルの自律的優先度付けまたは再優先度付けは、例えば、セル再選択および／またはセル選択を実行するとき、遂行され得る。様々な実施形態では、ＮＣＴ可能ＷＴＲＵは、自律的優先度付けおよび／または再優先度付けを遂行するために、（例えば、ルールとともに）あらかじめ構成され、および／または半静的に構成され得る。
【０１４４】
従来のセルに勝るＮＣＴセルの優先度付けおよび／または再優先度付けは、例えば、いくつかの基準および／または値が満たされることに基づき得る。いくつかの基準がそれに基づき得るいくつかの基準および／または値は、例えば、ｅノードＢ１６０を介して、ＮＣＴ可能ＷＴＲＵにシグナリングされ得る。いくつかの基準および／または値を搬送するシグナリングは、ＲＲＣシグナリングなど、ブロードキャストおよび／または専用シグナリングを介して、ＮＣＴ可能ＷＴＲＵによって受信され、および／またはｅノードＢ１６０から送信され得る。
【０１４５】
様々な実施形態では、従来のセルに勝るＮＣＴセルの優先度付けおよび／または再優先度付けは、ターゲットＮＣＴセル（例えば、それへの再選択が検討されている、検出されたＮＣＴセル）の信号強度および／または品質に基づき得る。様々な実施形態では、従来のセルに勝るＮＣＴセルの優先度付けおよび／または再優先度付けは、信号強度しきいまたは品質しきいのうちの少なくとも１つに基づき得る。例えば、ＮＣＴ可能ＷＴＲＵによるターゲットＮＣＴセルへの再選択は、ターゲットＮＣＴセルの信号強度および／または品質がしきいおよび／またはそれぞれのしきい（値（複数可））を満足する（例えば、それよりもよい値を有する）場合、またはその場合のみ、発生し得る。１または複数のしきい値（例えば、信号強度および／または品質しきい値）は、ＮＣＴ可能ＷＴＲＵによって受信され、および／または、ｅノードＢ１６０から（を介して）送信され得る。しきい値は、シグナリングにおいて搬送され得る。このシグナリングは、ＲＲＣシグナリングなど、ブロードキャストおよび／または専用シグナリングであり得る。
【０１４６】
様々な実施形態では、しきい（および／または値）のうちの１または複数は、もしあれば、ＮＣＴ可能ＷＴＲＵが他のタイプの再選択、例えば、従来の、周波数間再選択のために使用することができるしきい（複数可）（および／または値）とは、異なり得る。ＮＣＴ可能ＷＴＲＵは、同じしきいを、いずれかの検出された、および／もしくは好適なＮＣＴセルに、ならびに／または、キャンプオンされたセルとは異なるキャリア周波数上のいずれかの検出された、および／もしくは好適なＮＣＴセルに適用することができる。様々な実施形態では、しきいは、特定のキャリア周波数および／または物理セルｉｄに関連付けられ得る。ＮＣＴ可能ＷＴＲＵは、そのようなしきいを、特定のキャリア周波数および／もしくは物理セルｉｄを有する、１つのＮＣＴセルもしくは複数のＮＣＴセルに適用し、または、そのようにのみ適用することができる。
【０１４７】
様々な実施形態では、従来のセルに勝るＮＣＴセルの優先度付けまたは再優先度付けは、少なくとも、ターゲットＮＣＴセルとキャンプオンされたセルとの間の信号強度および／または品質オフセットに基づき得る。例えば、ＮＣＴ可能ＷＴＲＵによるＮＣＴセルへの再選択は、ターゲットセルの信号強度および／または品質のうちの少なくとも１つが、少なくとも、キャンプオンされたセルの信号強度および／もしくは品質とは異なるオフセットであり、ならびに／または、キャンプオンされたセルの信号強度および／もしくは品質に関連付けられたオフセットしきい値を満足する場合、発生し、またはそのようにのみ発生し得る。オフセット値および／またはオフセットしきい値（例えば、信号強度オフセット、品質オフセットおよび／またはオフセットしきい値）は、ＮＣＴ可能ＷＴＲＵによって、ｅノードＢ１６０から受信され得る。オフセット値および／またはオフセットしきい値は、シグナリングにおいて搬送され得る。シグナリングは、ＲＲＣシグナリングなど、ブロードキャストおよび／または専用シグナリングであり得る）。ＮＣＴ可能ＷＴＲＵは、同じオフセットまたはオフセットしきいを、いずれかの検出された、および／もしくは好適なＮＣＴセルに、ならびに／または、キャンプオンされたセルとは異なるキャリア周波数上のいずれかの検出された、および／もしくは好適なＮＣＴセルに適用することができる。様々な実施形態では、オフセットまたはオフセットしきいは、特定のキャリア周波数および／または物理セルｉｄに関連付けられ得る。ＮＣＴ可能ＷＴＲＵは、そのようなオフセットまたはオフセットしきいを、特定のキャリア周波数および／もしくは物理セルｉｄを有する、１つのＮＣＴセルもしくは複数のＮＣＴセルに適用し、または、そのようにのみ適用することができる。
【０１４８】
様々な実施形態では、それより上でＮＣＴ可能ＷＴＲＵが隣接するＮＣＴセルを探索および／または測定する必要がなくてもよい、サービングセル信号強度および／または品質しきいは、それより上でＮＣＴ可能ＷＴＲＵが周波数内および／または周波数間の従来のセルを探索および／または測定する必要がなくてもよい、サービングセル信号強度および／または品質しきいとは異なり得る。
【０１４９】
それより下でＮＣＴ可能ＷＴＲＵが隣接するＮＣＴセルを探索および／または測定することが必要とされ得る、サービングセル信号強度および／または品質しきいは、それより下でＮＣＴ可能ＷＴＲＵが周波数内および／または周波数間の従来のセルを探索および／または測定することが必要とされ得る、サービングセル信号強度および／または品質しきいとは異なり得る。
【０１５０】
様々な実施形態では、ＮＣＴ可能ＷＴＲＵは、ｅノードＢ１６０から、ＮＣＴセルにキャンプオンすること、および／またはそれへの再選択が好ましいという指示を、受信することができる。この指示は、ＲＲＣシグナリングなど、ブロードキャストまたは専用シグナリングにおいて提供され得る。ＮＣＴ可能ＷＴＲＵは、例えば、ＮＣＴ可能ＷＴＲＵがこの指示を受信する場合、またはその場合のみ、従来のセルに勝るようにＮＣＴセルを優先度付けおよび／または再優先度付けすることができる。
【０１５１】
様々な実施形態では、ＷＴＲＵ１０２は、ネイバーセル測定を実行することができる。ＷＴＲＵ１０２は、セル再選択決定を行うために、および／または、セル選択もしくは再選択を実行するために、ネイバーセル測定を使用することができる。セル再選択決定を行うこと、および／または、セル選択もしくは再選択を実行することは、以下のうちの少なくとも１つに基づき、および／またはそれに従うものであり得る。
【０１５２】
ＮＣＴセルは、従来のセルとは異なる周波数（または、複数の周波数）上で展開され得る。その上でＮＣＴセルが展開され得る周波数（または、複数の周波数）は、本明細書でＮＣＴ周波数と呼ばれることがある。再選択のためのものなど、ＮＣＴ周波数（もしくは、複数の周波数）、および／または、ＮＣＴ周波数（もしくは、複数の周波数）の優先度（もしくは、複数の優先度）は、ＷＴＲＵ１０２にシグナリングされ得る。ブロードキャストを介して（例えば、ＬＴＥ  Ｒｅｌ−１２または後のシグナリングをサポートするセルから）シグナリングされる場合、ＮＣＴ周波数（もしくは、複数の周波数）および／または優先度（もしくは、複数の優先度）は、従来のＷＴＲＵにとって可視ではないか、または場合によっては未知であり得る、拡張ＩＥ（または、複数のＩＥ）においてシグナリングされ得る。ＮＣＴ可能ＷＴＲＵがそのようなシグナリングを受信する様々な実施形態では、そのようなＮＣＴ可能ＷＴＲＵは、周波数のうちの少なくとも１つにおける少なくとも１つのセルを測定することができる。ＮＣＴ可能ＷＴＲＵは、どのセルを測定するべきか、ならびに／または、いつおよび／もしくはどの順序で、セル再選択もしくはセル再選択決定のためにセルを測定するべきかを判断するとき、測定された周波数のうちの少なくとも１つ、および／または、優先度のうちの少なくとも１つを使用することができる。
【０１５３】
様々な実施形態では、従来のＷＴＲＵは、ＮＣＴ周波数、および／またはＮＣＴ周波数の優先度を搬送する、シグナリングを受信することができないことがある。様々な実施形態では、シグナリングを受信することができない従来のＷＴＲＵは、セル再選択のためのその測定にＮＣＴ周波数を含めなくてもよく、および／または、これらの周波数上でセルを検出しなくてもよい。シグナリングを受信することができる従来のＷＴＲＵは、セル再選択のためのその測定にＮＣＴ周波数を含めなくてもよく、および／または、これらの周波数上でセルを検出しなくてもよい。
【０１５４】
対応するＮＣＴ周波数のためのシグナリングされた優先度値は、従来のセルのためのそれぞれの周波数のための優先度値のうちの１もしくは複数と比較可能であってもよく、またはそうでなくてもよい。例えば、ＮＣＴ周波数のための再選択優先度値は、従来のセル周波数のうちの１つのための再選択優先度と同じであり得るが、ＮＣＴ周波数（別個の空間にあり得る）のための優先度値は、ＮＣＴ周波数間の比較のために使用されてもよく、またはそのようにのみ使用されてもよい。様々な実施形態では、そのうちのいくつかが従来のセルのために使用される周波数と同じ優先度を有し得る、ＮＣＴセルのために使用され得るすべての周波数は、従来のセルのための周波数よりも高い優先度を有し得る。
【０１５５】
様々な実施形態では、ＷＴＲＵ１０２は、ＮＣＴセルでなくてもよいが、隣接するＮＣＴセルに関する情報を提供することができるセルに、キャンプオンもしくは接続することができ、またはそうすることが必要とされ得る。
【０１５６】
様々な実施形態では、ＮＣＴ可能ＷＴＲＵは、ｅノードＢ１６０または他のネットワークエンティティから（例えば、サービングセル、または、ＮＣＴ可能ＷＴＲＵがキャンプオンされるセルを介して）、例えば、セル再選択のために測定するべきＮＣＴセルまたはＮＣＴ周波数を明示的に識別し得る、シグナリングを受信することができる。サービングセル、またはキャンプオンされたセルは、ＮＣＴセルまたは非ＮＣＴセルであり得る。ＮＣＴ可能ＷＴＲＵは、識別されたＮＣＴセルもしくはＮＣＴ周波数を探索および／もしくは測定することができ、または、そのようにのみ行うことができる。ＮＣＴ可能ＷＴＲＵは、ブロードキャストおよび／または専用シグナリングを介して、この情報を受信することができる。そのような専用シグナリングは、例えば、専用優先度付け情報であり得る。あるいは、および／または加えて、ＮＣＴ可能ＷＴＲＵは、例えば、ＲＲＣ接続解放メッセージにおいて、情報を受信することができる。
【０１５７】
様々な実施形態では、ＮＣＴ可能ＷＴＲＵは、例えば、測定（アイドルモード測定など）を行うとき、および／またはセル再選択のために、ＮＣＴセルと後方互換セルとの間で、自律的に区別することが必要とされなくてもよい。様々な実施形態では、ＮＣＴ可能ＷＴＲＵは、例えば、サービングセルまたはキャンプオンされたセルのｅノードＢから、別様に指示する情報を受信しない限り、一部または全部のセルを、それらが従来のセルであるかのように測定することができる。
【０１５８】
様々な実施形態では、ＮＣＴ可能ＷＴＲＵは、現在のサービングセルもしくはキャンプオンされたセルがＮＣＴセルである場合、および／または、現在のサービングセルもしくはキャンプオンされたセルが、いくつかのセル、例えば、ネイバーセルを、ＮＣＴセルとして指示する情報を提供する場合、ＮＣＴセルに再選択することができ、または、そのようにのみ再選択することができる。
【０１５９】
様々な実施形態では、ＮＣＴ可能ＷＴＲＵは、ＮＣＴ可能ＷＴＲＵが、セルがＮＣＴセルであるという以前の情報を有する場合、ＮＣＴセルを選択し、もしくはそれに再選択することができ、または、そのようにのみ行うことができる。
【０１６０】
様々な実施形態では、従来のセルは、隣接するＮＣＴセルを１または複数のブラックリストに含めて、アイドルまたは接続モードにおける非ＮＣＴ可能ＷＴＲＵによるＮＣＴセルの測定を回避することができる。様々な実施形態では、ＮＣＴ可能ＷＴＲＵ（例えば、ＮＣＴセルを検出することができるか、または、ＮＣＴセルを識別するネットワークからの指示を受信することができるもの）は、ブラックリストのうちの少なくとも１つに記載されたＮＣＴセルの一部または全部に関連付けられた、１または複数の制限を無視することができる。様々な実施形態では、ＮＣＴ可能ＷＴＲＵは、非ＮＣＴ可能ＷＴＲＵからの異なるブラックリストを使用することができ、非ＮＣＴ可能ＷＴＲＵによって使用されたブラックリスト（複数可）における制限の一部または全部を無視することができる。ＮＣＴセルの現存を理解する非ＮＣＴ可能ＷＴＲＵは、非ＮＣＴ可能ＷＴＲＵと同様の従来のブラックリストを使用することができる。
【０１６１】
ＮＣＴセルの現存を理解する非ＮＣＴ可能ＷＴＲＵは、ＮＣＴセルに関係するシグナリングを使用して、そのような非ＮＣＴ可能ＷＴＲＵがＮＣＴセルであることを知る周波数またはセルを探索すること、測定すること、またはそれへの再選択を試行することのうちの、少なくとも１つを回避することができる。
【０１６２】
様々な実施形態では、ＮＣＴ可能ＷＴＲＵは、セルを測定すること、ならびに／または、いくつかのセルの間で測定結果および／もしくは測定品質を比較することより前に、セルがＮＣＴセルであるかどうかを判断することができ、または、そうすることが必要とされ得る。例えば、ＮＣＴ可能ＷＴＲＵは、アイドルモードであってもよく、少なくともあるセルがＮＣＴセルであるかどうかを判断することができ、または、そうすることが必要とされ得る。ＮＣＴ可能ＷＴＲＵは、例えば、ネイバーセルのランク付け、および／もしくは、最高にランク付けされたネイバーを判断する前に、セルのＭＩＢを読み取ることによって、ならびに／または、本明細書で、以下で別様に説明されるように、そのように行うことができる。
【０１６３】
様々な実施形態では、ＮＣＴ可能ＷＴＲＵは、ａｌｌｏｗｅｄＭｅａｓＢａｎｄｗｉｄｔｈに基づいて、それが特定のキャリア周波数上で隣接するＮＣＴセルを有するかどうかを判断することができる。例えば、ＮＣＴ可能ＷＴＲＵは、ａｌｌｏｗｅｄＭｅａｓＢａｎｄｗｉｄｔｈがＮＣＴセルの測定のために必要とされた最小値よりも低い場合、特定のキャリア周波数において測定するべき隣接するＮＣＴセルがないと判断することができる。
【０１６４】
様々な実施形態では、ＮＣＴ可能ＷＴＲＵは、リストから、サービングセルまたはキャンプオンされたセルの、隣接するＮＣＴセルを取得することができる。このリストは、例えば、ホワイトリストであり得る。ホワイトリストは、サービングセルまたはキャンプオンされたセルによって提供され得る。リストは、ＮＣＴセルに対応する物理セル識別情報（ＰＣＩ）のセットを含有し得る。セットにおけるセルは、明示的に識別され得る。あるいは、セットにおけるセルは、ＰＣＩの連続範囲であってもよく、ただ１つのＰＣＩが指定され、連続ＰＣＩの数が指定されて、ＮＣＴ可能ＷＴＲＵがＮＣＴのためのＰＣＩ範囲を判断することを可能にするようにされてもよい。リストは、アイドルモードと接続モードの両方のために使用され得る。あるいは、別個のリストが、アイドルモードおよび接続モードにおける使用のために提供され得る。
【０１６５】
接続モード関連動作
ハンドオーバ
ＮＣＴセルは、非ＮＣＴ可能ＷＴＲＵによってアクセス可能でなくてもよい。ＮＣＴセルが、非ＮＣＴ可能ＷＴＲＵのためのハンドオーバ、例えば、接続モードＨＯのためのターゲットセルと見なされることを、防止することが望ましいことがある。
【０１６６】
ネットワークは、ＮＣＴセルが、いかなる非ＮＣＴ可能ＷＴＲＵのための接続モードＨＯのためのターゲットセルとも見なされ得ないように、制限を提供することができる。これらの制限は、シグナリングを介して提供され得る。制限は、非ＮＣＴ可能ＷＴＲＵに、および／または、あるネットワークノードから別のものに提供され得る。
【０１６７】
ＭＭＥ１６２は、ｅノードＢ１６０に、例えば、ＨＯ制限リスト情報の部分として、ＷＴＲＵ１０２が非ＮＣＴ可能ＷＴＲＵ（または、いくつかの非ＮＣＴ可能ＷＴＲＵもしくはすべての非ＮＣＴ可能ＷＴＲＵなど、非ＮＣＴ可能ＷＴＲＵ）であり、ＮＣＴセルのために使用されるＴＡ、または、従来のセルとともにＮＣＴセルを含み得るＴＡなど、いくつかのＴＡにおけるセルにアクセスしなくてもよいという、指示を提供することができる。
【０１６８】
様々な実施形態では、あるｅノードＢ１６０ａは、別のｅノードＢ１６０ｂに、そのセルのうちの１または複数がＮＣＴセルであることを知らせることができる。ｅノードＢ１６０は、この情報を、例えば、Ｘ２シグナリングを介して交換することができる。
【０１６９】
様々な実施形態では、ｅノードＢ１６０は、ネイバーが従来のセルであるか、ＮＣＴセルであるかを追跡することができる。ｅノードＢ１６０は、追跡情報をその自動ネイバー関係（ＡＮＲ）情報に記憶することによって、ネイバーの追跡を記憶化することができる。ｅノードＢ１６０は、ＯＡ＆Ｍまたは他のネットワーク構成エンティティ、別のｅノードＢ（ネイバーセルを制御するｅノードＢなど）、および、測定レポートにおけるＮＣＴ指示を含み得るＷＴＲＵからの測定レポートからの情報のうちの少なくとも１つによって、ＡＮＲ情報を取得することができる。
【０１７０】
様々な実施形態では、ｅノードＢ１６０は、ネイバーセルがＮＣＴセルであるというその知識に基づいて、１または複数の非ＮＣＴ可能ＷＴＲＵを、ネイバーセルへのＨＯから制限（または、ブロック）することができる。そのような知識は、ＡＮＲ情報に基づき得る。あるＷＴＲＵについて、あるセルへのＨＯを制限すること（または、ブロックすること）は、ｅノードＢ１６０が、そのあるＷＴＲＵ１６０をそのあるセルへＨＯすることを試行しなくてもよいこと、または、そのあるＷＴＲＵの、そのあるセルへのＨＯが、許可されないことを意味し得る。
【０１７１】
様々な実施形態では、ｅノードＢ１６０は、ネイバーセルへのＨＯに関して、非ＮＣＴ可能ＷＴＲＵのためのその制限を更新することができる。制限に対する更新は、ネイバーセルがＮＣＴセルであるという知識に基づいてもよく、その知識は、ＡＮＲ情報に基づいてもよい。ＨＯに関するＷＴＲＵのための制限は、ｅノードＢ１６０が、そのあるＷＴＲＵをそのあるセルへＨＯすることを試行しなくてもよいこと、または、そのあるＷＴＲＵの、そのあるセルへのＨＯが、許可されないことを意味し得る。
【０１７２】
隣接するセルのためのＡＮＲにおける「Ｎｏ＿ＨＯ」パラメータが使用されてもよく、ならびに／または、非ＮＣＴ可能ＷＴＲＵのための、および／もしくは、一部もしくは全部のＷＴＲＵのための、ＨＯがない（例えば、ハンドオーバが、あるパラメータに関連付けられたある１つのセルまたは複数のセルに対して許可されない）ことを指示するように拡大され得る。一例として、非ＮＣＴ  ＷＴＲＵのためのＮＣＴセルへの試行されたＨＯが失敗するか、または、ターゲットｅノードＢによって拒否される場合、それは、非ＮＣＴ可能ＷＴＲＵについて、Ｎｏ＿ＨＯパラメータが真に設定されることを使用して）、ソースｅノードＢによって指示され得るが、ＮＣＴ可能ＷＴＲＵについては、真に設定されない。別の例として、ｅノードＢから提供されたＮｏ＿ＨＯパラメータは、そのあるネイバーへの一定数の試行されたＨＯが失敗するか、もしくは非ＮＣＴ可能ＷＴＲＵについて拒否された後、またはそれに反応して、あるネイバーセルについて、非ＮＣＴ可能ＷＴＲＵについて真に設定され得る。
【０１７３】
ＨＯ拒否節（rejection clause）は、（例えば、３ＧＰＰ  ＴＳ  ３６．３００、または、本明細書の教示に従ったその修正による）ハンドオーバ準備手順の部分であり得るものであり、ハンドオーバされることになるＷＴＲＵとターゲットセルとの間など、非互換性に関係付けられた新しい失敗節（failure clause）を含み得る。失敗節は、例えば、ＨＯがＷＴＲＵ互換性問題のために失敗したことを指示することができる。失敗節は、例えば、ＮＣＴセルへのＨＯが非ＮＣＴ可能ＷＴＲＵのために試行されたことを指示することができる。ソースｅノードＢは、そのような指示を使用して、ターゲットセルのためのそのＡＮＲ情報を更新することができる。例えば、ソースｅノードＢが、あるセルへの試行されたＨＯの結果として、この失敗節を受信する場合、ｅノードＢは、そのＡＮＲ情報において、このセルがＮＣＴセルであることを指示することができる。ｅノードＢは、次いで、非ＮＣＴ可能ＷＴＲＵについて、そのセルへのＨＯを制限する（例えば、ブロックするか、または試行しない）ことができる。
【０１７４】
様々な実施形態では、ｅノードＢ１６０は、ＷＴＲＵ１０２がＮＣＴ可能ＷＴＲＵであるかどうかを、以下のうちの１または複数に基づいてアドバイスされ、および／または維持することができ、すなわち、（ｉ）ｅノードＢ１６０が、ＭＭＥ１６２から（例えば、ＷＴＲＵ無線能力情報の部分として）ＷＴＲＵ１０２に関連付けられたＮＣＴ能力情報を受信すること、（ｉｉ）ＷＴＲＵ１０２が、ＮＣＴセル（例えば、ｅノードＢ１６０の制御下のもの）にアクセスおよび／もしくは接続すること、（ｉｉｉ）ＷＴＲＵ１０２が、（非ＮＣＴ可能ＷＴＲＵがＮＣＴセルをレポート／認識することを防止するため、もしくは、非ＮＣＴ可能ＷＴＲＵを、ＮＣＴセルをレポート／認識することから区別するために、適切な機構を有することを仮定して）例えば、ＥＭＭ＿ＣＯＮＮＥＣＴＥＤ状態において、隣接するＮＣＴセルの測定をレポートすること、ならびに／または、（ｉｖ）ＷＴＲＵ１０２が、（非ＮＣＴ可能ＷＴＲＵがＮＣＴセルをレポート／認識することを防止するため、もしくは、非ＮＣＴ可能ＷＴＲＵを、ＮＣＴセルをレポート／認識することから区別するために、適切な機構を有することを仮定して）例えば、ＥＭＭ＿ＣＯＮＮＥＣＴＥＤ状態において、ネイバーがＮＣＴセルであるという明示的な指示とともに、隣接するセルの測定をレポートすることである。
【０１７５】
ＲＬＭおよび測定
ＲＲＣ接続モードにおけるＷＴＲＵ１０２の動作の態様が、本明細書で、以下で提供される。様々な実施形態では、ＮＣＴ可能ＷＴＲＵは、本明細書で説明されるプロセスおよび手順のうちの少なくとも１つに従って、測定を扱うことができる。
【０１７６】
ＲＳＲＰ測定
ＮＣＴ可能ＷＴＲＵは、それが、キャリアがＮＣＴキャリアであると判断するとき、所与のセルについてのそのＲＳＲＰ測定および／またはＲＳＲＱ測定および／またはＤＬ  ＰＬ推定を、再初期化および再開することができる。ＮＣＴ可能ＷＴＲＵは、そのためのＣＲＳがＮＣＴキャリアについて予想されないサブフレームに対応する測定のために使用される、いかなるサブフレーム（例えば、サブフレームｎｏ．０および５以外のサブフレーム）も、測定からフィルタ除去することができる。
【０１７７】
測定構成およびＮＣＴセルの検出
ＮＣＴ可能ＷＴＲＵは、測定オブジェクトで構成されてもよく、そのための関連付けられたレポート構成のための目的は、ＮＣＴセルを検出することである。例えば、ＮＣＴ可能ＷＴＲＵは、構成された測定のリストにおける、測定識別情報、ｍｅａｓＩＤをもつ測定オブジェクトで構成され、関連付けられたｒｅｐｏｒｔＣｏｎｆｉｇのための目的が、ＮＣＴセルのレポート、例えば、ｒｅｐｏｒｔＮＣＴに設定されるようにされ得る。あるいは、キャリアタイプが、ＭＩＢ、ＳＩＢ１、および／または任意の他のＳＩＢの獲得からのみ判断され得る場合、レポーティング構成、ｒｅｐｏｒｔＣｏｎｆｉｇはまた、ＮＣＴ可能ＷＴＲＵが（例えば、パラメータｓｉ−ＲｅｑｕｅｓｔＦｏｒＨＯを使用することによって）システム情報の少なくとも部分を獲得することを要求されるように、構成され得る。
【０１７８】
ＮＣＴ可能ＷＴＲＵは、関係している範囲におけるＰＣＩがＮＣＴセルまたはキャリアのためのものであるように、ＰＣＩの範囲の構成から、セルがＮＣＴセルであるかどうかを暗示的に判断することができる。例えば、ＮＣＴ可能ＷＴＲＵは、サブフレーム測定制限ｍｅａｓＳｕｂｆｒａｍｅＰａｔｔｅｒｎＣｏｎｆｉｇＮｅｉｇｈで指示されたＰＣＩ範囲ｍｅａｓＳｕｂｆｒａｍｅＣｅｌｌＬｉｓｔが、ＮＣＴキャリアに対応し得ると、判断することができる。そのような判断は、例えば、サブフレーム制限が、ＮＣＴキャリア上のＣＲＳ送信のための制限に一致する（例えば、サブフレームｎｏ．０および５のみが測定され得る）場合のみ、行われ得る。
【０１７９】
ＮＣＴ可能ＷＴＲＵは、セルが従来のセルのものであるか、ＮＣＴセルのものであるかの、アプリオリな知識を有していないことがある。そのような場合、ＮＣＴ可能ＷＴＲＵは、例えば、ＭＩＢおよび／またはＳＩＢ１を獲得することによってなど、それが測定を実行する間に、セルが従来のセルであるか、ＮＣＴセルであるかを判断することができる。ＭＩＢおよび／またはＳＩＢ１の獲得は、例えば、ＢＣＨのブラインド検出を実行することによって、および／または、ｅＰＤＣＣＨを獲得することによって、遂行され得る。ＮＣＴ可能ＷＴＲＵがセルのタイプを判断すると、ＮＣＴ可能ＷＴＲＵは、その測定結果に対する必要な調節（ＣＲＳを搬送すると予想されるサブフレームであることなど、または、ＮＣＴ可能ＷＴＲＵが、セルがＮＣＴセルであると判断する場合、サブフレームｎｏ．０もしくはサブフレームｎｏ．５であることなど、いくつかの基準を満たすサブフレームに対応しない、いかなるサブフレームもフィルタ除去することなど）を実行することができる。
【０１８０】
様々な実施形態では、ＮＣＴ可能ＷＴＲＵは、最初に、セルが従来のセルであると仮定し、従来の手順に従って測定を実行することができる。ＮＣＴ可能ＷＴＲＵが、従来の手順を使用した測定結果に基づいて、セルが好適なセルではないと判断する場合、ＮＣＴ可能ＷＴＲＵは、続いて、ＮＣＴセルのための手順を使用して、測定を試行することができる。例えば、ＮＣＴ可能ＷＴＲＵは、タイミングサブフレーム制限を暗示的に適用し、例えば、ＣＲＳを搬送すると予想されるサブフレーム、または、とりわけ、サブフレームｎｏ．０および／もしくはサブフレームｎｏ．５など、いくつかのサブフレームにおいて（例えば、いくつかのサブフレームにおいてのみ）測定を実行することができる。あるいは、または加えて、ＮＣＴ可能ＷＴＲＵは、異なる測定結果を並列に、または別様に維持することができる。例えば、ＮＣＴ可能ＷＴＲＵは、同じく（例えば、同時に）（例えば、サブフレームｎｏ．０および／もしくはサブフレームｎｏ．５、または、ＣＲＳを搬送すると予想される他のサブフレームなど、いくつかの（例えば、いくつかのみの）サブフレームを使用して）ＮＣＴセルのための測定を実行しながら、任意のサブフレームを使用して、関係しているセルのための従来の測定を実行することができる。
【０１８１】
様々な実施形態では、従来の手順に従って取られた測定と、ＮＣＴセルまたはキャリアについて取られた測定とが、両方とも好適ではないと見なされる場合（例えば、その場合のみ）、ＮＣＴ可能ＷＴＲＵは、測定結果に基づいて、セルが好適ではないと判断する（または、セルを検出しない）ことができる。様々な実施形態では、ＮＣＴ可能ＷＴＲＵは、測定結果から、キャリアのタイプを暗示的に判断することができる。ＮＣＴ可能ＷＴＲＵは、暗示的に判断されたキャリアのタイプを、ｅノードＢ１６０にレポートすることができる。例えば、ＮＣＴセルまたはキャリアについて実行された測定が好適であると見なされる場合（または、その場合のみ）、ＮＣＴ可能ＷＴＲＵは、検出されたセルがＮＣＴセルであるとレポートすることができる。
【０１８２】
測定構成およびサブフレーム制限
測定構成は、サブフレーム制限が、サービング周波数とは異なる周波数に対応する測定オブジェクト（すなわち、周波数間測定）に適用され得るように、拡張され得る。一例として、様々な実施形態では、ＮＣＴ可能ＷＴＲＵは、周波数間測定のための測定オブジェクトで構成されてもよく、ただし、ｍｅａｓＯｂｊｅｃｔは、パラメータｍｅａｓＳｕｂｆｒａｍｅＰａｔｔｅｒｎＣｏｎｆｉｇＮｅｉｇｈを含み得る。ＮＣＴ可能ＷＴＲＵは、次いで、関係しているｍｅａｓＯｂｊｅｃｔにおいて指示された一部または全部の適用可能な周波数上で、サービングセルのためのもの（例えば、ＬＴＥ）と同じＲＡＴタイプのための隣接するセルの対応する測定を実行し、周波数ごとに、隣接するセルに対して、ｍｅａｓＳｕｂｆｒａｍｅＰａｔｔｅｒｎＣｏｎｆｉｇＮｅｉｇｈによる時間ドメイン測定リソース制限を適用することができる（関係しているｍｅａｓＯｂｊｅｃｔにおいてそのように構成される場合）。あるいは、サブフレーム制限は、測定識別情報ごとに構成され得る。
【０１８３】
測定ギャップ
様々な実施形態では、ＮＣＴ可能ＷＴＲＵは、測定ギャップで構成され得る。この測定ギャップは、６ｍｓである、従来の測定ギャップとは異なる長さのものであり得る。長さは、固定された値であってもよく、例えば、キャリアが従来のキャリアであるか、ＮＣＴキャリアであるかを、ＷＴＲＵが判断することを可能にするために十分に大きいか、または異なり得る。あるいは、長さは、構成可能であり得る。測定ギャップは、測定のタイプ（例えば、周波数内および／または周波数間）に、測定オブジェクトｍｅａｓＯｂｊｅｃｔに、および／または、ＮＣＴ可能ＷＴＲＵのＷＴＲＵ測定構成の測定識別情報ｍｅａｓＩｄに固有であり得る。様々な実施形態では、それは、セルがＮＣＴセルであるかどうかをレポートするために設定されたレポート構成ｒｅｐｏｒｔＣｏｎｆｉｇに関連付けられる、構成された測定に固有であり得る。
【０１８４】
様々な実施形態では、ＮＣＴ可能ＷＴＲＵは、そのようなギャップで、ならびに従来のギャップで、並行して構成され得る。ギャップは、従来の測定ギャップの期間と同様の期間を有し得る。代替として、ギャップは、時間において従来のギャップが散在させられ得る。様々な実施形態では、ＮＣＴ可能ＷＴＲＵは、関係しているギャップタイプに対応する測定のサブセットのための固有のギャップタイプ（または、長さ）を使用することができる。
【０１８５】
レイヤ３フィルタリング
様々な実施形態では、ＮＣＴ可能ＷＴＲＵは、キャリアタイプごとに適用可能であるＬ３フィルタリング（例えば、ｆｉｌｔｅｒＣｏｅｆｆｉｃｉｅｎｔ）で構成され得る。例えば、ＥＵＴＲＡに適用可能な量構成（ＱｕａｎｔｉｔｙＣｏｎｆｉｇＥＵＴＲＡ）では、追加のフィルタ係数エントリ（例えば、ＲＳＲＰのためのもの−ｆｉｌｔｅｒＣｏｅｆｆｉｃｉｅｎｔＲＳＲＰ−ＮＣＴ−、および／または、ＲＳＲＱのためのもの−ｆｉｌｔｅｒＣｏｅｆｆｉｃｉｅｎｔＲＳＲＱ−ＮＣＴ）が、ＮＣＴキャリアのための測定のために提供（および／または、それに適用）され得る。あるいは、既存のＲＳＲＰおよび／またはＲＳＲＱ係数に適用可能な係数が導入され得る。あるいは、これは、ＱｕａｎｔｉｔｙＣｏｎｆｉｇ情報要素においてＬＴＥ  ＮＣＴのための代替的な量構成を指定することによって達成され得る。
【０１８６】
様々な実施形態では、ＮＣＴセルであるＰＣｅｌｌとともに接続モードで動作するＮＣＴ可能ＷＴＲＵは、ＣＲＳの送信によるＲＬＭのための測定に、タイミングサブフレーム制限を適用することができる。例えば、ＮＣＴ可能ＷＴＲＵは、ＣＲＳを搬送すると予想されるサブフレーム、例えば、サブフレームｎｏ．０および／またはサブフレームｎｏ．５）において（例えば、サブフレームにおいてのみ）、ＲＬＭ測定を実行することができる。
【０１８７】
様々な実施形態では、ＮＣＴセルであるＰＣｅｌｌとともに接続モードで動作するＮＣＴ可能ＷＴＲＵは、サービングセルのためのＲＬＭ手順では、例えば、ｅＰＣＦＩＣＨ誤りを含む（ｅＰＣＦＩＣＨが適用可能である場合）、仮説的ｅＰＤＣＣＨ受信を使用することができる。様々な実施形態では、ＮＣＴ可能ＷＴＲＵは、関係しているＮＣＴ可能ＷＴＲＵに適用可能なｅＰＤＣＣＨの再構成時に、ＲＬＭ関連測定を再初期化および再開することができる。
【０１８８】
様々な実施形態では、本明細書で説明されるプロセスおよび／または手順は、関係しているプロセスおよび／または手順が、関係しているセルに適用可能である場合、ＮＣＴセルであるＷＴＲＵ構成の任意のＳＣｅｌｌに適用可能であり得る。
【０１８９】
ＮＣＴサブフレーム
以下で詳細に説明されるように、本明細書で提供されるプロセスおよび／または手順は、したがって、（ｉ）同じキャリアにおいてＮＣＴサブフレームを他のサブフレームタイプと混合すること、ならびに／または（ｉｉ）他のサブフレームタイプとのＮＣＴサブフレームの動作および／もしくは統合に向けられる。様々な実施形態では、同じキャリアにおいてＮＣＴサブフレームを他のサブフレームタイプと混合することは、ＴＤＤおよびＦＤＤを含む、いかなるタイプの二重モードに対しても適用可能であり得る。後続する説明における解説の容易さのために、そのような他のサブフレームタイプは、サブフレームタイプにかかわらず、総称的に「非ＮＣＴサブフレーム」（各々「非ＮＣＴサブフレーム」）と呼ばれることがある。
【０１９０】
ＮＣＴサブフレームの様々な実施形態の中には、ＣＲＳなしサブフレーム、ＣＲＳ限定されたサブフレーム、限定されたポートＣＲＳサブフレーム、ＤＭ−ＲＳサブフレーム、非後方互換サブフレーム、および、混合されたＮＣＴサブフレームがある。後続する説明における解説の容易さのために、ＮＣＴサブフレーム、およびその様々な実施形態は、互換的に言及され得る。
【０１９１】
ＣＲＳなしサブフレーム
ＣＲＳなしサブフレームは、複数のＲＥを含んでもよく、そのいずれもが、ＣＲＳのために予約および／または占有されない（ＣＲＳのために予約されたＲＥを有する非ＮＣＴサブフレームとは異なる）。ＣＲＳなしサブフレームは、ＰＢＣＨにおいて検出されたアンテナポートの数には関係なく、ＣＲＳを含まない。そうでなければ（非ＮＣＴサブフレームの場合のように）ＣＲＳのために予約および／または占有されるであろうＲＥは、例えば、（利用可能な場合）ＰＤＳＣＨ、ＤＭ−ＲＳ、ＰＲＳ、およびＣＳＩ−ＲＳを含む、他の信号のために使用され得る。
【０１９２】
ＣＲＳ限定されたサブフレーム
ＣＲＳ限定されたサブフレームは、複数のＲＥを含んでもよく、そのうちのいくつかが、ＣＲＳのために予約および／または占有されるが、ＣＲＳオーバーヘッド（ならびに、次には、ＣＲＳのためのＲＥ予約および／または占有）を所与のレベルに限定することができ、そのようなレベルは、（ｉ）（例えば、広帯域ＣＲＳ送信をサポートしながら）ＣＲＳのためのＲＥ予約および／もしくは占有を最小化するように、ならびに／または（ｉ）ＣＲＳオーバーヘッドを、例えば、通常のサブフレームに関連付けられたＣＲＳオーバーヘッド未満にさせるように設定される。
【０１９３】
様々な実施形態では、ＣＲＳ限定されたサブフレームは、時間ドメインにおいてＣＲＳオーバーヘッドを限定するように形成され得る。一例として、ＣＲＳ限定されたサブフレームの第１のスロットまたは第２のスロットのいずれか（しかし、両方ではない）は、ＣＲＳのためのＯＦＤＭシンボルのセットを含み得る。この場合、ＣＲＳ限定されたサブフレームのＣＲＳオーバーヘッドは、通常のサブフレームに関連付けられたＣＲＳオーバーヘッドの半分のレベルで限定され得る。様々な実施形態では、ＯＦＤＭシンボルのセットは、いくつかのＯＦＤＭシンボルおよびロケーションとして、ならびに／または、スロット番号として、あらかじめ定義され得る。様々な実施形態では、ＯＦＤＭシンボルのセットは、より高いレイヤによって構成され、または、ＭＩＢもしくはＳＩＢ−ｘを介してブロードキャストされ得る。
【０１９４】
様々な実施形態では、ＣＲＳ限定されたサブフレームは、周波数ドメインにおいてＣＲＳオーバーヘッドを限定するように形成され得る。様々な実施形態では、ＣＲＳ限定されたサブフレームのＰＲＢペアのサブセットは、ＣＲＳを含み得る。例えば、ＣＲＳ限定されたサブフレームの偶数番号のＰＲＢペアは、ＣＲＳを含んでもよく、奇数番号のＰＲＢペアは、そうしなくてもよく、またはそうしない。あるいは、ＣＲＳ限定されたサブフレームの奇数番号のＰＲＢペアは、ＣＲＳを含んでもよく、偶数番号のＰＲＢペアは、そうしなくてもよく、またはそうしない。様々な実施形態では、ＰＲＢペアのサブセットは、ビットマップ、偶数／奇数ＰＲＢペア、ＲＢＧ、その他であらかじめ定義され得る。様々な実施形態では、ＰＲＢペアのサブセットは、より高いレイヤによって構成され、または、ＭＩＢもしくはＳＩＢ−ｘを介してブロードキャストされ得る。
【０１９５】
様々な実施形態では、ＣＲＳ限定されたサブフレームは、アンテナポートドメインにおいてＣＲＳオーバーヘッドを限定するように形成され得る。様々な実施形態では、ＣＲＳのためのアンテナポートのサブセット（例えば、ポート０〜３）が使用され得る。様々な実施形態では、最小セットのアンテナポートが、ＰＢＣＨにおいて検出されたアンテナポートには関係なく、ＣＲＳ限定されたサブフレームにおいて使用され得る。例えば、ＰＢＣＨにおいて単一のアンテナポートよりも多くを検出する（例えば、４個のアンテナポート（０〜３）を検出する）にもかかわらず、単一のアンテナポート（例えば、アンテナポート０）が、ＣＲＳ限定されたサブフレームにおいて使用され得る。様々な実施形態では、単一のアンテナポートは、セルと結び付けられ得る（例えば、アンテナポート３は、単一のアンテナポートとして使用され得る）。このように、セルの弁別は、異なるアンテナポート番号を使用して行われ得る。
【０１９６】
様々な実施形態では、最大アンテナポートが、ＣＲＳ限定されたサブフレームにおいて使用され得る。最大アンテナポートは、例えば、あらかじめ定義された最大数のアンテナポートであり得る。一例として、アンテナポートのあらかじめ定義された最大数は、Ｎとして定義されてもよく、ＰＢＣＨにおいて検出されたアンテナポートの数がＮよりも大きい場合、Ｎ個のアンテナポートが、ＣＲＳ限定されたサブフレームにおいて使用される。そうでない場合、ＣＲＳのためのアンテナポートの数は、ＰＢＣＨにおいて検出されたアンテナポートの数に従い得る。
【０１９７】
様々な実施形態では、ＣＲＳなしサブフレームおよびＣＲＳ限定されたサブフレームは、ＮＣＴサブフレームの間で分散されてもよく、第１のサブセットのＮＣＴサブフレームは、ＣＲＳなしサブフレームであってもよく、第２のサブセットのＮＣＴサブフレームは、ＣＲＳ限定されたサブフレームであってもよい。この場合、以下のうちの１または複数が適用されてもよく、すなわち、（ｉ）ＣＲＳなしサブフレームおよびＣＲＳ限定されたサブフレームを選択的に運ぶためのサブフレーム構成が、ＮＣＴサブフレームにおけるＰＳＳ／ＳＳＳの存在に従って、あらかじめ定義され得ること、ならびに（ｉｉ）サブフレーム番号が、ＮＣＴサブフレームタイプと結び付けられ得ることである。前者に関して、１または複数の実施形態では、ＮＣＴサブフレームがＰＳＳ／ＳＳＳを含有する場合、ＣＲＳ限定されたサブフレームが使用されてもよく、そうでない場合、ＣＲＳなしサブフレームが使用されてもよい。後者に関して、例えば、ＮＣＴサブフレームとして定義される場合、サブフレームｎｏ．０および５は、ＣＲＳ限定されたサブフレームを使用することができ、サブフレームｎｏ．１、２、３、４、６、７、８、および９は、ＣＲＳなしサブフレームを使用することができる。ＣＲＳ限定されたサブフレームのためのサブフレーム番号は、上述の例に限定されない。様々な実施形態では、任意のサブセットのサブフレーム番号は、サブセットが重複する要素を有していない限り、ＣＲＳ限定されたサブフレームおよびＣＲＳなしサブフレームのために、それぞれ使用され得る。
【０１９８】
混合されたＮＣＴサブフレーム
様々な実施形態では、ＮＣＴサブフレームは、混合されたＮＣＴサブフレームであり得る。混合されたＮＣＴサブフレームは、複数の部分を含んでもよく、そのうちの少なくともいくつかは、非ＮＣＴサブフレームの要素を含んでもよい。例えば、混合されたＮＣＴサブフレームは、（特殊サブフレームのように）ＧＰ部分およびＵｐＰＴＳ部分を含んでもよいが、（特殊サブフレームとは異なり）ＤｗＰＴＳ部分を含まなくてもよい。混合されたＮＣＴサブフレームはまた、ＣＲＳなしサブフレーム、ＣＲＳ限定されたサブフレーム、および、任意の他のＮＣＴサブフレームのうちのいずれかとして構成された部分を含み得る。
【０１９９】
様々な実施形態では、混合されたＮＣＴサブフレームは、（例えば、ダウンリンクスループットを増大させるために）ＴＤＤにおいて特殊サブフレームに取って代わり得る。
【０２００】
様々な実施形態では、混合されたＮＣＴサブフレームは、非ＮＣＴサブフレームに従って定義されたＯＦＤＭシンボルのセット、および、ＮＣＴサブフレームに従って定義されたＯＦＤＭシンボルのセットを含み得る。一例として、あるセットの７個のＯＦＤＭシンボルは、非ＮＣＴサブフレームに従って定義されてもよく、他のセットの７個のＯＦＤＭシンボルは、ＮＣＴサブフレームに従って定義されてもよい。様々な実施形態では、ある（例えば、第１の）セットの７個のＯＦＤＭシンボルは、非ＮＣＴサブフレームに従ってＣＲＳを含み、他の（例えば、第２の）セットの７個のＯＦＤＭシンボルは、ＣＲＳを含まない。
【０２０１】
様々な実施形態では、非ＮＣＴサブフレームに従う部分、および、ＮＣＴサブフレームに従う部分のための、スロット−レベル構成が使用され得る。
【０２０２】
様々な実施形態では、ＰＲＢペアのサブセットは、非ＮＣＴサブフレームに従うものであってもよく、他のＰＲＢペアは、ＮＣＴサブフレームに従うものであってもよい。
【０２０３】
混合されたサブフレーム構成
ＦＤＤのための混合されたサブフレーム構成
様々な実施形態では、ＦＤＤのためのＮＣＴサブフレーム構成は、１または複数の以下のプロパティを有し得る。
【０２０４】
１．ＰＳＳ／ＳＳＳおよび／またはＰＢＣＨを欠いているサブフレームは、ＮＣＴサブフレーム構成のために検討され得る。ある実施形態では、サブフレーム０および５は、ＮＣＴサブフレームのために構成されないことがある。
【０２０５】
２．ページングチャネルを欠いているサブフレームは、ＮＣＴサブフレーム構成のために検討され得る。
【０２０６】
３．ＨＡＲＱプロセスのサブセットは、ＮＣＴサブフレームとして構成され得る。８個のＨ−ＡＲＱプロセスが使用され得るとすれば、８個のＨ−ＡＲＱプロセスは、再送信および新しい送信のために８ｍｓデューティサイクルを有するサブフレームに対応し得る。例えば、８（８）個のＨＡＲＱプロセスが使用される場合、そのＨＡＲＱプロセスのサブセットは、ＮＣＴサブフレームによって搬送され得る。一例として、第１のＨＡＲＱプロセスおよび第２のＨＡＲＱプロセスが、ＮＣＴサブフレームのために使用される場合、８（８）個のダウンリンクサブフレームごとに、第１のサブフレームおよび第２のサブフレームが、ＮＣＴサブフレームとして構成され得る。
【０２０７】
様々な実施形態では、ＮＣＴサブフレームは、より高いレイヤおよび／またはブロードキャスティングチャネル（複数可）によって構成され得る。以下のうちの１または複数が適用されてもよく、すなわち、（ｉ）ＮＣＴサブフレームが、デューティサイクル、ｘで構成されてもよく、ビットマップが（例えば、十分な柔軟性のために）使用され得ること、および（ｉｉ）ＮＣＴサブフレームが、オン／オフ指示で構成され得ることである。様々な実施形態では、デューティサイクルｘは、例えば、８、１０、２０、４０、および１００ｍｓのうちの１つであり得る。様々な実施形態では、ＮＣＴサブフレーム構成は、あらかじめ定義されてもよく、ＮＣＴサブフレームがキャリア内で使用されるかどうかは、オン／オフインジケータで構成および／またはブロードキャストされる。このオン／オフインジケータは、例えば、１または複数のビットであり得る。
【０２０８】
ＴＤＤのためのサブフレーム構成
様々な実施形態では、ＴＤＤのためのＮＣＴサブフレーム構成は、１または複数の以下のものを有してもよく、すなわち、（ｉ）セル固有のＵＬ／ＤＬサブフレーム構成におけるアップリンクサブフレーム、（ｉｉ）特殊サブフレーム、および（ｉｉｉ）ＤＬサブフレームである。様々な実施形態では、ＤｗＰＴＳおよびＵｐＰＴＳをもつ特定の特殊サブフレーム構成は、例えば、ＮＣＴサブフレーム構成のために（例えば、そのようにのみ）可能にされ得る。様々な実施形態では、ＤＬサブフレームのサブセットは、例えば、それがＰＳＳ／ＳＳＳおよび／またはＰＢＣＨを含有する場合、非ＮＣＴサブフレームに制限され得る。
【０２０９】
様々な実施形態では、ＮＣＴサブフレームは、より高いレイヤまたはブロードキャスティングチャネル（複数可）によって構成され得る。以下のうちの１または複数が適用されてもよく、すなわち、（ｉ）アップリンクサブフレームの中で、サブセットが、より高いレイヤシグナリングまたはブロードキャスティングチャネル（複数可）を介して、ダウンリンクＮＣＴサブフレームのために構成され得ること、および（ｉｉ）アップリンクサブフレームおよび特殊サブフレームの中で、サブセットが、より高いレイヤシグナリングまたはブロードキャスティングチャネル（複数可）を介して、ダウンリンクＮＣＴサブフレームのために構成され得ることである。
【０２１０】
制御チャネルおよびデータチャネルの受信
制御チャネル
ＰＤＣＣＨとｅＰＤＣＣＨの両方は、サブフレームおよび／または探索空間に従って使用され得る。ＰＤＣＣＨおよびｅＰＤＣＣＨ受信挙動は、非ＮＣＴサブフレームおよび／またはＮＣＴサブフレーム構成に従って定義され得る。以下のうちの１または複数が適用され得る。
【０２１１】
１．ＰＤＣＣＨは、非ＮＣＴサブフレームにおいて、ＷＴＲＵ固有の探索空間と共通の探索空間の両方のために使用されてもよく、ｅＰＤＣＣＨは、ＮＣＴサブフレームにおいて、ＷＴＲＵ固有の探索空間のために使用されてもよい。共通の探索空間は、ＥＰＤＣＣＨを伴うＮＣＴサブフレームにおいてサポートされないことがあるので、ブロードキャスティング、ページング、およびＰＲＡＣＨは、非ＮＣＴサブフレームのみにおいてサポートされ得る。および、ＷＴＲＵは、ＮＣＴサブフレームにおいて、ＤＬ／ＵＬグラントを受信することができる。
【０２１２】
２．ＰＤＣＣＨは、非ＮＣＴサブフレームにおいて、ＷＴＲＵ固有の探索空間と共通の探索空間の両方のために使用されてもよく、ｅＰＤＣＣＨは、ＮＣＴサブフレームにおいて、ＷＴＲＵ固有の探索空間と共通の探索空間の両方のために使用され得る。
【０２１３】
３．非ＮＣＴサブフレームにおいて、ＰＤＣＣＨまたはｅＰＤＣＣＨのいずれかが、構成に従ってＷＴＲＵ固有の探索空間のために使用されてもよく、ＰＤＣＣＨは、共通の探索空間のために使用されてもよい。ｅＰＤＣＣＨは、ＮＣＴサブフレームのために、ＷＴＲＵ固有の探索空間のために使用され得る。および、ＷＴＲＵは、ＮＣＴサブフレームにおいて、ＤＬ／ＵＬグラントを（例えば、そのようにのみ）受信することができる。
【０２１４】
４．非ＮＣＴサブフレームにおいて、ＰＤＣＣＨまたはｅＰＤＣＣＨのいずれかが、構成に従って、ＷＴＲＵ固有の探索空間および／または共通の探索空間のために使用され得る。ｅＰＤＣＣＨは、ＮＣＴサブフレームのために、ＷＴＲＵ固有の探索空間および／または共通の探索空間のために、（例えば、そのようにのみ）使用され得る。
【０２１５】
様々な実施形態では、ｅＰＤＣＣＨ構成は、サブフレームタイプに従って異なり得る。以下のうちの１または複数が適用され得る。
【０２１６】
１．ＷＴＲＵが、非ＮＣＴサブフレームにおいて、ｅＰＤＣＣＨを監視するように構成される場合、ＷＴＲＵ固有の探索空間のためのｅＰＤＣＣＨパラメータは、非ＮＣＴサブフレームおよび／またはＮＣＴサブフレームのために独立して構成され得る。この点について、ｅＰＤＣＣＨリソースセットの数、ｅＰＤＣＣＨセット当たりのＰＲＢの数、ならびに／または、局在化および分散された送信は、非ＮＣＴサブフレームおよびＮＣＴサブフレームのために独立して構成され得る。
【０２１７】
２．２つの異なるｅＰＤＣＣＨ構成が、非ＮＣＴサブフレームおよびＮＣＴサブフレームのために使用される場合、ｅＰＤＣＣＨ開始シンボルインジケータは、独立して構成され得る。あるいは、ＮＣＴサブフレームのための開始シンボルは、ゼロ（０）または他のシンボル番号に固定され得る。
【０２１８】
３．同じｅＰＤＣＣＨ構成が、サブフレームタイプには関係なく使用され得る。
【０２１９】
データチャネル
様々な実施形態では、送信方式は、サブフレームタイプに従って適合され得る。この点について、以下のうちの少なくとも１つが使用されてもよく、すなわち、（ｉ）非ＮＣＴサブフレームにおいて、ＷＴＲＵが、ダウンリンク制御情報（ＤＣＩ）フォーマットによる構成された送信方式で、ＰＤＳＣＨを受信することができること、（ｉｉ）ＮＣＴサブフレームにおいて、ＷＴＲＵが、（例えば、構成された）送信モードにかかわらず固定され得る、あらかじめ定義された送信方式で、ＰＤＳＣＨを受信することができること、（ｉｉｉ）非ＮＣＴサブフレームにおいて、ＷＴＲＵが、ＤＣＩフォーマットによる構成された送信方式で、ＰＤＳＣＨを受信することができること、および（ｉｖ）（制御チャネルタイプが復調タイプと相関させられ得るので）対応する制御チャネルタイプと結び付けられ得るＰＤＳＣＨのための送信方式である。
【０２２０】
ＷＴＲＵが、ＮＣＴサブフレームにおいて、送信モードにかかわらず固定され得る、あらかじめ定義された送信方式で、ＰＤＳＣＨを受信することができる、様々な実施形態では、ＮＣＴサブフレームがＣＲＳなしサブフレームである場合、例えば、送信方式は、アンテナポート７〜１４、またはＬＴＥ送信モード（ＴＭ）９／１０の均等物など、ＤＭ−ＲＳに基づき得る。あるいは、および／または加えて、ＮＣＴサブフレームがＣＲＳ限定されたサブフレームである場合、送信方式は、アンテナポート７〜１４、またはＬＴＥ送信モード９／１０の均等物など、ＤＭ−ＲＳに基づき得る。
【０２２１】
ＷＴＲＵが、非ＮＣＴサブフレームにおいて、ＤＣＩフォーマットによる構成された送信方式で、ＰＤＳＣＨを受信することができる、様々な実施形態では、非ＮＣＴサブフレームは、ＣＲＳ限定されたサブフレームであり得る。その場合、送信方式は、非ＮＣＴサブフレームのために使用される送信方式に基づき得るが、アンテナポートの数は、それに応じて低減され得る。例えば、４Ｔｘ送信モード（ＴＭ）３（「ＴＭ３」）が、非ＮＣＴサブフレームにおいて使用される場合、２ＴｘＴＭ３がＮＣＴサブフレームにおいて使用され得る（２個のＣＲＳポートがＮＣＴサブフレームにおいて最大として使用され得ること、および、４個のＣＲＳポートがＰＢＣＨにおいて検出されることを仮定する）。
【０２２２】
対応する制御チャネルタイプと結び付けられ得るＰＤＳＣＨのための送信方式の様々な実施形態では、ＷＴＲＵがサブフレームにおいてＰＤＳＣＨを受信し、対応するＤＣＩがＰＤＣＣＨを介して送信される場合、ＷＴＲＵは、例えば、ＰＤＣＣＨと結び付けられる特定の送信方式で、ＰＤＳＣＨを受信することができる。あるいは、ＷＴＲＵがサブフレームにおいてＰＤＳＣＨを受信し、対応するＤＣＩがｅＰＤＣＣＨを介して送信される場合、ＷＴＲＵは、ｅＰＤＣＣＨと結び付けられる特定の送信方式で、ＰＤＳＣＨを受信することができる。一例として、ＴｘＤがＰＤＣＣＨで構成され／それと結び付けられてもよく、アンテナポート７がｅＰＤＣＣＨで構成され／それと結び付けられてもよいとすれば、ＷＴＲＵは、ＰＤＣＣＨおよびｅＰＤＣＣＨの受信に従って、ＴｘＤまたはアンテナポート７のいずれかで、それぞれＰＤＳＣＨを受信することができる。
【０２２３】
システム情報獲得およびセル検出
本明細書で、以下で提供されるプロセスおよび手順は、ＬＴＥセルのためのキャリアのタイプを判断すること、および／または、対応するセルのためのシステム情報を獲得することに向けられる。様々な実施形態では、ＷＴＲＵ１０２が所与のセルのためのキャリアのタイプを判断すると、または場合によってはそうした後、ＷＴＲＵ２０３は、検出されたキャリアのタイプに応じて、異なるセットの手順を実行することができる。
【０２２４】
物理セル識別情報（ＰＣＩ）値および割り振られた範囲に応じたキャリアのタイプ
様々な実施形態では、ＷＴＲＵ１０２は、以下のうちの少なくとも１つで構成されてもよく、すなわち、（ｉ）特定のキャリアのタイプに対応し得る、１または複数の物理セル識別情報（ＰＣＩ）値、（ｉｉ）特定のキャリアのタイプに対応し得る、１または複数のＰＣＩ値の範囲、および（ｉｉｉ）特定のキャリアのタイプに対応し得る、（例えば、１６８個の代替物を有する）１または複数のセル識別情報グループである。
【０２２５】
ＷＴＲＵ１０２が、特定のキャリアのタイプに対応し得るＰＣＩ値で構成され得る、様々な実施形態では、ＷＴＲＵ１０２は、所与の周波数上のセルに対応する特定のＰＣＩ値が、特定のセルのタイプ、例えば、ＮＣＴセルであることを指示する、シグナリングを受信することができる。様々な実施形態では、ＷＴＲＵは、ｍｏｂｉｌｉｔｙＣｏｎｔｒｏｌＩｎｆｏｒｍａｔｉｏｎ（例えば、ＨＯコマンド）を伴うＲＲＣ接続再構成メッセージにおいてそのような指示を受信することができる。
【０２２６】
ＷＴＲＵ１０２が、特定のキャリアのタイプに対応し得るＰＣＩ値の範囲で構成され得る、様々な実施形態では、ＷＴＲＵ１０２は、ＰＣＩ値の範囲が、特定のキャリアのタイプに対応し得ること、例えば、対応するセル（複数可）がＮＣＴセルであり得ることを指示する、シグナリングを受信することができる。様々な実施形態では、ＷＴＲＵ１０２は、例えば、モビリティ関連測定、アイドルモード測定、ならびに／または、選択および／もしくは再選択手順を容易にする目的のために、そのような指示を受信することができる。
【０２２７】
ＷＴＲＵ１０２が、特定のキャリアのタイプに対応し得る、１または複数のセル識別情報グループで構成され得る、様々な実施形態では、ＷＴＲＵ１０２は、例えば、モビリティ関連測定、アイドルモード測定、ならびに／または、選択および／もしくは再選択手順を容易にする目的のために、そのような指示を受信することができる。
【０２２８】
ＷＴＲＵ１０２は、そのような構成および／または指示を、以下のうちの少なくとも１つに従って受信することができ、すなわち、（ｉ）ブロードキャストされたＲＲＣシグナリング（例えば、ネイバーセルのリストにおけるものなど、システム情報の受信）、および（ｉｉ）＿専用ＲＲＣシグナリングである。専用ＲＲＣシグナリングは、（ｉ）（例えば、所与のキャリア周波数のためのネイバーセルのリストにおける、例えば、測定構成のための）ＲＲＣ接続再構成の受信、（ｉｉ）（例えば、ハンドオーバコマンドのための）モビリティ制御情報を伴うＲＲＣ接続再構成の受信、または（ｉｉｉ）例えば、ｃｅｌｌＩｎｆｏＬｉｓｔの部分としての、（別のセルへのリダイレクションのための）リダイレクションを伴うＲＲＣ接続解放（RRC Connection Release with Redirection）の受信、もしくは（例えば、ＦｒｅｑＰｒｉｏｒｉｔｙＥＵＴＲＡ  ＩＥの部分としての、（セル（再）選択手順のための優先度付けのための）アイドルモードモビリティ制御情報の受信を含み得る。
【０２２９】
あるいは、ＰＣＩ値（複数可）および／またはＰＣＩ範囲（複数可）は、所与の３ＧＰＰリリースのＷＴＲＵのために、または、概して（例えば、製造時にプログラムされるか、もしくは、ＯＭＡ−ＤＭ管理されたオブジェクトを介して、続いて構成された）ＲＲＣシグナリングの使用なしにＷＴＲＵに構成されるように、指定され得る。別個のブロードキャストおよび／または専用ＲＲＣシグナリングは、そのような構成が現在のネットワークのために有効であるかどうかをシグナリングするために送られ得る。
【０２３０】
リダイレクション、セル選択、セル（再選択および／またはハンドオーバ制御の目的のために、従来のセルおよびＮＣＴセルは、関係している手順において、ＲＡＴ間キャリアと見なされ得る。
【０２３１】
まだ知られていない場合、ＷＴＲＵ１０２は、続いて、プライマリ同期信号（ＰＳＳ）を獲得することによって、セル識別情報グループ内のセル識別情報を判断することができ、セカンダリ同期信号（ＳＳＳ）の獲得から、セル識別情報グループを判断することができ、その位置は、ＰＳＳが検出されると、または場合によってはその後に知られ、その理由は、ＳＳＳがＰＳＳに対して固定されたオフセットを有するからである。ＷＴＲＵ１０２が、所与のキャリア上のセルのＰＣＩを判断するとき、それは、構成されたＰＣＩ、ＰＣＩ範囲、および／またはＰＣＩグループを、セルのＰＣＩと比較することによって、セルのタイプを判断することができる。ＷＴＲＵ１０２が所与のセルのためのキャリアのタイプを判断すると、または場合によってはそうした後、ＷＴＲＵ１０２は、検出されたキャリアのタイプに応じて、異なるセットの手順を実行することができる。
【０２３２】
サービングセルが従来のセルであり得る、様々な実施形態では、ＮＣＴ可能ＷＴＲＵでは、ＮＣＴセルのための範囲または値内のＰＣＩは、例えば、ＳＩＢ４およびＳＩＢ５においてシグナリングされる、等しいブラックリストに載せられたＰＣＩを無効化する。これは、ＮＣＴ可能ＷＴＲＵに影響を与えることなしに、ＮＣＴセルをブラックリストに載せることによって、ＮＣＴセルを測定および／または検出することから、非ＮＣＴ可能ＷＴＲＵを容易にし得る。
【０２３３】
様々な実施形態では、ＮＣＴセルのためのＰＣＩ範囲または値は、サービングセルのＴＡ内、ＴＡのリスト内、またはＰＬＭＮ全体内で有効であり、ＷＴＲＵ１０２が従来のセルへ移動した後（従来のセルは、次には、ＮＣＴセルのための予約されたＰＣＩ範囲をシグナリングすることができないことがある）、対応するＮＣＴセルのためのＰＣＩ検出基準が、なお有効であるようにしてもよい。有効性タイマーが、ＮＣＴ  ＰＣＩ範囲およびＴＡ／ＴＡＩリスト／ＰＬＭＮの関連付けに適用され、関連付け／ＰＣＩ範囲が、タイマー終了時にもはや有効ではないようにしてもよい。これは、オペレータが関連付けおよびＰＣＩ範囲を再構成することを容易にし得る。有効性時間／エリアは、ＲＲＣメッセージ、および／またはＯＭＡ−ＤＭ管理されたオブジェクトの構成など、ブロードキャストまたは専用シグナリングのいずれかによってシグナリングされ得る。
【０２３４】
ＰＳＳ／ＳＳＳ獲得
様々な実施形態では、ＷＴＲＵ１０２は、ＰＳＳとＳＳＳとの間のタイミングオフセットに基づいて、キャリアのタイプを判断することができる。例えば、ＷＴＲＵ１０２は、従来のキャリアではない（例えば、ＮＣＴ）キャリアのキャリアタイプに固有のタイミングオフセットを使用して、ＰＳＳを獲得し、ＳＳＳの獲得を試行することができる。そのようなオフセットは、ＷＴＲＵ１０２によって知られ（例えば、指定および／もしくはハードコードされ）、または、あるいは、モビリティ手順および／もしくはアイドルモード制御手順の部分として、ＷＴＲＵ１０２にシグナリングされ得る。
【０２３５】
様々な実施形態では、ＷＴＲＵ１０２は、従来のキャリアに関連付けられたタイミングに従って、ＰＳＳおよびＳＳＳの獲得を試行し、不成功の場合、異なるタイミングオフセットを使用して、１または複数の追加の試行をブラインドで実行することができる。この異なるタイミングオフセットは、例えば、ＮＣＴキャリアに対応し得る。成功する場合、ＷＴＲＵ１０２は、セルがＮＣＴセルであると判断することができ、したがって、それは、検出されたキャリアのタイプに応じて、異なるセットの手順を実行することができる。
【０２３６】
ＣＲＳ密度検出に応じたキャリアのタイプ
様々な実施形態では、ＷＴＲＵ１０２は、ＣＲＳ密度の検出に基づいて、キャリアのタイプを判断することができる。ＷＴＲＵ１０２は、例えば、ＣＲＳ受信が、任意のサブフレームにおいて（従来のキャリアのためのもの、または、知られているかもしくは判断されたサブセットのサブフレームにおいてのみ、例えば、ＮＣＴキャリアに関連付けられたサブフレームｎｏ．０および５においてなど、検出されたＣＲＳに対応するかどうかを判断することができる。
【０２３７】
様々な実施形態では、タイプは、受信された信号強度間の差が所与のしきいを超えることに応じて、判断され得る。様々な実施形態では、検出は、例えば、受信された信号強度、ＲＳＲＰ、ＲＳＲＰおよび／またはＲＳＳＩに関して、関連測定が１または複数の特定のしきいを超えることに基づいて、検証され得る。
【０２３８】
ＮＣＴセルが、異なるサブセットのサブフレームにおいてＣＲＳを搬送することができると仮定すると、ＷＴＲＵ１０２は、測定および／もしくは検出、ならびに／または、それにおいてそれが送信され得るサブフレーム間の知られているルールもしくは関係によって、そのようなサブフレームを判断することができる。例えば、ＣＲＳが、サブフレームｎおよびｎ＝５、例えば、所与のＮＣＴセルにおけるサブフレーム０および５、または１および６、または２および７、その他において送信される場合、ＷＴＲＵ１０２は、あらゆるＤＬサブフレームにおいてＣＲＳを測定および／または検出することを（例えば、それが後方互換セルであるかどうかを最初に判断するために）試行することができる。さらに、あらゆるＤＬサブフレームにおいて見つからない場合、ＷＴＲＵ１０２は、ＣＲＳが任意のペアのサブフレームｎおよびｎ＋５におけるものであるかどうかを判断することができる。そのようなペアを見つけることに基づいて、ＷＴＲＵ１０２は、セルがＮＣＴセルであると判断または結論付けることができる。
【０２３９】
ＭＩＢ受信のためのＢＣＨのブラインド検出に応じたキャリアのタイプ
従来のＬＴＥキャリアでは、ＢＣＨの受信（ＢＣＨ受信）は、アンテナポート｛０｝、｛０，１｝または｛０，１，２，３｝、ＱＰＳＫ、中心の７２個のＲＥ、ＰＢＣＨ上のサブフレーム＃０における第２のスロットの最初の４個のシンボルによって特徴づけられる。ＢＣＨのトランスポートブロック（ＴＢ）は、４０ｍｓ間隔の４個のサブフレームにマッピングされ、自己復号可能である。ＢＣＨは、固定された、あらかじめ定義されたトランスポートフォーマットを有する。
【０２４０】
ＮＣＴキャリアでは、アンテナポート｛０｝（例えば、アンテナポート｛０｝のみ）が使用され得る。しかし、これは、それ自体では、キャリアが従来のキャリアであるか、ＮＣＴキャリアであるかを、ＷＴＲＵが判断することを可能にするために十分ではないことがある。
【０２４１】
様々な実施形態では、ＷＴＲＵ１０２は、ＢＣＨ受信のためのブラインド検出を実行して、セルのためのキャリアのタイプを判断することができる。例えば、ＷＴＲＵは、以下のうちの少なくとも１つに従って、ＢＣＨ上のＭＩＢの受信を試行することができ、すなわち、（ｉ）従来のキャリアのためのＢＣＨ上のＭＩＢ受信とは異なるトランスポートフォーマットを使用して、ＢＣＨを復号すること、（ｉｉ）従来のキャリアのためのＢＣＨ上のＭＩＢ受信とは異なる、スクランブリングシーケンスおよび／またはスクランブリングシーケンス初期化を使用して、ＢＣＨを復号すること、（ｉｉｉ）従来のキャリアのためのＢＣＨ上のＭＩＢ受信とは異なる、レイヤマッピングおよび／またはプリコーディング機能を使用して、ＢＣＨを復号すること、（ｉｖ）従来のキャリアのためのＢＣＨ上のＭＩＢ受信とは異なる、キャリアのリソース要素のマッピングを使用して、ＢＣＨを復号すること、ならびに（ｖ）従来のキャリアのためのＢＣＨ上のＭＩＢ受信とは異なるタイミングを使用して、ＢＣＨを復号することである。ＷＴＲＵが、従来のキャリアのためのＢＣＨ上のＭＩＢ受信とは異なるタイミングを使用して、ＢＣＨを復号する、様々な実施形態では、ＢＣＨがマッピングされる先のシンボル（すなわち、タイミング）は、例えば、第１のスロットにおける、および／または、サブフレームｎｏ．５（ＣＲＳを伴うサブフレーム）におけるものであり得る。
【０２４２】
いずれか（または、上記の組合せ）に従うＢＣＨ上のＭＩＢの受信が成功すると、ＷＴＲＵ１０２は、キャリアがＮＣＴキャリアであると判断することができる。上記のすべての例では、重要であり、必要であり、または場合によっては、もしあれば、ＢＣＨ上の成功したＭＩＢ受信のために必要とされる、および、従来のキャリアの同様のパラメータとは異なる、パラメータは、それがＷＴＲＵ１０２に知られるように指定され得る。したがって、ＢＣＨ上のＭＩＢの送信／受信が上記に従うキャリアでは、（ｉ）従来の手順に従ってＭＩＢ獲得を実行するＷＴＲＵ１０２は、ＭＩＢを獲得することに失敗することがあり、セルを除外されるものと見なし、例えば、異なるセル（例えば、周波数内）に再選択することがあり、および（ｉｉ）ＮＣＴ可能ＷＴＲＵは、従来のキャリアのための手順に従ってＭＩＢを獲得することを試行し、そのような手順を使用してＢＣＨ上のＭＩＢを成功裏に復号することに失敗し、次いで、ＮＣＴキャリアに対応する手順に従って、ＭＩＢ獲得を実行することができる。
【０２４３】
ＭａｓｔｅｒＩｎｆｏｒｍａｔｉｏｎＢｌｏｃｋフォーマットおよび／または内容に応じたキャリアのタイプ
従来のＬＴＥキャリアでは、ＭａｓｔｅｒＩｎｆｏｒｍａｔｉｏｎＢｌｏｃｋ（ＭＩＢ）は、システム帯域幅（４ビット）、ＰＨＩＣＨ構成（３ビット）、ＳＦＮ（７ビット）、および１０スペアビットを提供する。それは、１６ビットのＣＲＣを含み、１６ビットのＣＲＣは、ＭＩＢの復号を検証するために使用される。
【０２４４】
例えば、従来のＷＴＲＵ動作のための後方互換性が、ＮＣＴキャリアのために実装もしくは必要とされなくてもよい（および／または、可能であってもよく、もしくは可能でなくてもよい）という仮定に基づいて、ＭＩＢフォーマットおよび／またはその内容は、従来のＭＩＢのものとは異なり得る。ＮＣＴ可能ＷＴＲＵは、ＭＩＢが、ダウンリンク制御チャネル、例えば、ｅＰＤＣＣＨのＰＲＢ（または、セルにおいてｅＰＤＣＣＨのために使用される全ＰＲＢのサブセット）に関して、ロケーションを判断するために必要なパラメータを含む場合、ＮＣＴキャリア上でＭＩＢを受信および復号することができる。適用可能な場合、ＭＩＢはまた、特に、ｅＰＤＣＣＨ受信とｅＰＨＩＣＨのロケーションとの間に依存性がある場合、ｅＰＨＩＣＨのロケーションを判断するためのパラメータを含み得る。
【０２４５】
ＮＣＴ可能ＷＴＲＵは、以下のうちの少なくとも１つに従って、ＢＣＨ上でＭＩＢを受信することができ、すなわち、（ｉ）受信されたＭＩＢを従来の方法に従って復号するが、ＣＲＣ確認が成功するが、ＭＩＢの内容が不正確であると判断し、したがって、代替的なフォーマットを使用してＭＩＢの復号を試行すること、ならびに（ｉｉ）従来のフォーマットによる、ＰＨＩＣＨ−ｃｏｎｆｉｇ  ＩＥ、および／または、１０スペアビットのうちの少なくともいくつかが、代替的な意味、例えば、ｅＰＤＣＣＨ構成および／またはｅＰＨＩＣＨ構成などを有するように、ＭＩＢを復号することである。
【０２４６】
ＭＩＢのための代替的なフォーマットを受信することの、非ＮＣＴ可能ＷＴＲＵに対する影響は、ＭＩＢの内容への修正に依存し得る。例えば、非ＮＣＴ可能ＷＴＲＵは、「不正確」なフォーマットを検出することがあるか、または、単に不正確な値を得て、例えば、ＳＩＢを獲得するための試行を続けることがあるかのいずれかである。いずれの場合も、非ＮＣＴ可能ＷＴＲＵは、ＳＩＢ１および他のＳＩＢを重要なシステム情報として獲得することに失敗することがある。非ＮＣＴ可能ＷＴＲＵは、セルを除外されるものと見なし、例えば、異なるセル（例えば、周波数内）に再選択することがある。
【０２４７】
様々な実施形態では、ＮＣＴ可能ＷＴＲＵは、ＭＩＢが従来のＭＩＢであるか、ＮＣＴキャリアに対応するＭＩＢであるかを、検出することができる。これは、例えば、（従来のフォーマットによる）スペアビットのうちの１もしくは複数が非ゼロであると検出すること、または、成功すると、ＭＩＢがＮＣＴキャリアのためのものであると指示することができる、代替的なＣＲＣ計算を使用することに基づき得る。ＮＣＴキャリアのためのＭＩＢは、従来のキャリアのものとは異なる数のビットを有し得る。
【０２４８】
システム情報ブロック１受信のタイミングに応じたキャリアのタイプ
従来のＬＴＥキャリアでは、ＳＩＢは、システム情報メッセージとして送信され、ＷＴＲＵ１０２は、８０ｍｓ周期性で、サブフレームｎｏ．５においてＳＩＢ１を受信することができ、ＳＩＢ１は、他のシステム情報で多重化されなくてもよい。ＰＤＣＣＨは、ＳＩＢ１を受信するために使用されることになるＲＢの数を判断するために使用されてもよく、ＲＢのその数は、スケジューリング情報に基づいて変動し得る。
【０２４９】
様々な実施形態では、ＮＣＴ可能ＷＴＲＵは、ＳＩＢ１の受信のタイミングに応じて、キャリアが従来のキャリアであるか、ＮＣＴキャリアであるかを検出することができる。そのようなＮＣＴ可能ＷＴＲＵは、サブフレームｎｏ．５内以外のサブフレームにおいて（および、例えば、知られているアプリオリな、例えば、固定されたサブフレームで）ＳＩＢ１の復号を試行することができる。
【０２５０】
ＮＣＴ可能ＷＴＲＵがＭＩＢを獲得すると、または場合によってはそうした後、ＮＣＴ可能ＷＴＲＵは、それにおいてそれが従来のキャリアのためのＳＩＢ１を予想するようになるサブフレームとは異なるサブフレームにおいて、ＳＩＢ１のブラインド復号を試行することによって、キャリアのタイプを判断することができる。様々な実施形態では、ＮＣＴ可能ＷＴＲＵは、ＳＩＢ１受信のためにｅＰＤＣＣＨを使用して、スケジューリング情報を復号するように構成され得る。ＮＣＴ可能ＷＴＲＵは、それがサブフレームｎｏ．５において（したがって、タイプを従来のキャリアに設定する、または別のサブフレームにおいて（ＮＣＴキャリアを暗示する）のいずれかで、ＳＩＢ１を成功裏に復号するとすぐに、キャリアのタイプを判断することができる。様々な実施形態では、ＮＣＴ可能ＷＴＲＵは、両方の方法を使用した試行に続いて、ＳＩＢ１を獲得することに失敗した後、および／または、そのような試行を実行中にある遅延後に、それが重要なシステム情報を逸していると判断することができる（例えば、そのようにのみ判断することができる）。そのような失敗の場合、ＮＣＴ可能ＷＴＲＵは、セルを除外されるものと見なし、例えば、異なるセル（例えば、周波数内）に再選択することができる。
【０２５１】
ＰＤＣＣＨおよび／またはｅＰＤＣＣＨのブラインド復号に応じたキャリアのタイプ
様々な実施形態では、ＷＴＲＵ１０２が、ＰＳＳ、ＳＳＳを獲得し、ＢＣＨを復号し、ＭＩＢを受信した後、キャリアのタイプを判断していない場合、および、ＷＴＲＵ１０２が、可能なロケーション、または、より一般的には、ＮＣＴキャリアのためにｅＰＤＣＣＨをどのように復号するかの知識を有する場合、ＷＴＲＵ１０２は、それがセルのためのＤＬ制御シグナリングチャネルを獲得するとき、キャリアのタイプを判断することができる。
【０２５２】
様々な実施形態では、ＮＣＴ可能ＷＴＲＵは、ｅＰＤＣＣＨを復号することにおけるブラインド試行によって、キャリアが従来のキャリアであるか、ＮＣＴキャリアであるかを検出することができる。ｅＰＤＣＣＨのブラインド復号は、従来の方法に従ってＰＤＣＣＨを獲得することを同じく試行しながら、実行され得る。様々な実施形態では、ＮＣＴ可能ＷＴＲＵは、同じサブフレームにおいて並列に、または、異なるサブフレームにおいて順に、復号試行を行うことができる。ＮＣＴ可能ＷＴＲＵが、ｅＰＤＣＣＨを（例えば、ＳＩＢ１の受信、および／または制御シグナリングの受信から）成功裏に獲得する場合、それは、キャリアがＮＣＴキャリアであると判断することができる。ＮＣＴ可能ＷＴＲＵはまた、この時点で、ＰＤＣＣＨのためのブラインド復号試行を停止することもできる。あるいは、ＮＣＴ可能ＷＴＲＵが、ＰＤＣＣＨを（例えば、ＳＩＢ１の、または、そのための制御シグナリングの受信から）成功裏に獲得する場合、それは、キャリアのタイプが従来のキャリアであると判断することができる。ＮＣＴ可能ＷＴＲＵはまた、この時点で、ｅＰＤＣＣＨのためのブラインド復号試行を停止することもできる。その間にＮＣＴ可能ＷＴＲＵが制御チャネルを獲得することを試行する期間が限られ、ＮＣＴ可能ＷＴＲＵが、ブラインド復号試行のいずれもが期間の終わり前に成功しなかった場合、それがセルを獲得することに失敗したと判断するようにされてもよい。この失敗の場合、ＮＣＴ可能ＷＴＲＵは、セルを除外されるものと見なし、例えば、異なるセル（例えば、周波数内）に再選択することができる。
【０２５３】
キャリア（例えば、ｅＰＤＣＣＨを制御チャネルとして伴う）上でＮＣＴセルを獲得する非ＮＣＴ可能ＷＴＲＵは、ＰＤＣＣＨを復号することに失敗することがあり、ＳＩＢ１および他のＳＩＢを重要なシステム情報として獲得することに失敗することがある。非ＮＣＴ可能ＷＴＲＵは、セルを除外されるものと見なし、異なるセル（例えば、周波数内）に再選択することがある。
【０２５４】
様々な実施形態では、ＮＣＴ可能ＷＴＲＵは、ＰＤＣＣＨを復号することに失敗することがあり、および／または、ｅＰＤＣＣＨを復号することに成功することがある。次には、ＮＣＴ可能ＷＴＲＵは、次いで、ＳＩＢ１および他のＳＩＢを−従来のＰＤＣＣＨのためのものと同様のスケジューリング方法を使用するが、ｅＰＤＣＣＨ上で、成功裏に復号することができる。ＷＴＲＵが、ｅＰＤＣＣＨが現存し、復号され得ること、および、セルがＮＣＴセルであることを判断すると、または場合によってはそうした後、非ＮＣＴ可能ＷＴＲＵは、ＰＤＣＣＨのために復号することを試行することを停止することができる。非ＮＣＴ可能ＷＴＲＵが、ＰＤＣＣＨとｅＰＤＣＣＨの両方を獲得することに失敗する場合、非ＮＣＴ可能ＷＴＲＵは、従来の誤り処理を適用することができ（および、セルを除外されるものと見なすことができ、異なるセル（例えば、周波数内）に再選択することができる。
【０２５５】
ＰＣＦＩＣＨ検出に応じたキャリアのタイプ
セル探索手順の部分として、ＷＴＲＵが、ＢＣＨ上で必須のシステム情報を獲得すると、または場合によってはそうした後、次いで、それは、ＤＬ共有チャネル（ＤＬ−ＳＣＨ）上で送信された、システム情報、すなわちＳＩＢ（例えば、ＳＩＢ１で始まる）の残りの部分を読み取るように、受信機を構成することができる。この時点で、非ＮＣＴ可能ＷＴＲＵは、ＳＩＢを獲得するためにＰＤＣＣＨ検出へ進むことができるように、制御チャネルのサイズを判断するために、ＰＣＦＩＣＨを検出する必要がある。ＮＣＴの場合、従来の制御領域は存在しないことがあり、ＰＣＦＩＣＨが必要とされなくてもよい。加えて、ＮＣＴセルのために、例えば、サブフレームｎｏ．０および５において送信されたＣＲＳは、復調における使用のために意図されなくてもよい。
【０２５６】
様々な実施形態では、ＷＴＲＵがＰＣＦＩＣＨを検出することに失敗する場合、それは、キャリアがＮＣＴキャリアであると仮定することができ、ＰＤＣＣＨブラインド検出ではなく、ｅＰＤＣＣＨ検出へ進むことができる。ＰＣＦＩＣＨは、本質的に、非常に信頼できる物理チャネルであり、したがって、ＷＴＲＵによるＰＣＦＩＣＨの検出の失敗は、自動的に、原理上はＰＣＦＩＣＨよりも信頼できない他の従来の制御チャネル（例えば、ＰＨＩＣＨおよびＰＤＣＣＨ）の検出における、ＷＴＲＵの失敗の結果となり得る。上述された技法の利点の１つは、ＰＤＣＣＨおよびｅＰＤＣＣＨの並行検出のために必要とされるブラインド復号の数が、大幅に低減され得ることであり、その理由は、所与のサブフレームにおいて、ＷＴＲＵが、ｅＰＤＣＣＨを含有するものである１つの共通（例えば、ただ１つの共通）の探索空間において、システム−情報グラントを探索することができるからである。
【０２５７】
ニューキャリアタイプセル上のＭＢＭＳ動作
様々な実施形態では、プロセスおよび手順が、ＮＣＴセル上のＭＢＭＳ動作のサポートのために実装され得る。ＮＣＴセルは、従来のセルを含み得るか、または、ＮＣＴセル（例えば、ＮＣＴセルのみ）からなり得るか、または、それを含み得る、ＭＢＳＦＮエリアの部分として動作することができる。ＭＢＭＳサポートＷＴＲＵ（MBMS supporting WTRU）の観点からすると、ＮＣＴセルは、ＰＣｅｌｌもしくはＳＣｅｌｌ、または、例えば、ＭＢＭＳサービスのためのスタンドアロンセルであり得る。いくつかの事例では、可能なＭＢＳＦＮサブフレームの数は、例えば、ＭＢＭＳをサポートするＮＣＴ（複数可）では、６から８に変更され得る。
【０２５８】
追加のＭＢＳＦＮサブフレーム
様々な実施形態では、代表的な方法は、ＮＣＴセルのＭＢＳＦＮサブフレーム構成と、サブフレームｎｏ．０、４、５、および／または９を含むためのＭＢＳＦＮサブフレームの拡張とに応じて、その割り振られたページングフレームおよびオケージョンを判断することができる、ＷＴＲＵを含み得る。
【０２５９】
その内容が参照により本明細書に組み込まれる、３ＧＰＰ  ＴＳ  ３６．３０４：”Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｕｓｅｒ  Ｅｑｕｉｐｍｅｎｔ  （ＵＥ）  ｐｒｏｃｅｄｕｒｅｓ  ｉｎ  ｉｄｌｅ  ｍｏｄｅ”に定義されているように、例えば、ＷＴＲＵは、サブフレーム４および９を含むためのＭＢＳＦＮサブフレーム構成の拡張とともに、ＷＴＲＵ＿ＩＤに基づいた計算の出力に応じて、その割り振られたページングオケージョン（サブフレーム）がサブフレームｎｏ．０または５であり得ると判断することができる。
【０２６０】
ＷＴＲＵは、ＮＣＴセルからのＲＲＣ  ＳＩＢ２メッセージの部分として、例えば、１フレームまたは４フレームＭＢＳＦＮサブフレームパターンのいずれかまたは両方のための追加のサブフレームのビットマップとして、拡張されたＭＢＳＦＮサブフレーム構成を受信することができる。各ビットは、拡張されたビットマップにおいて、サブフレームｎｏ．０、４、５、９をそれぞれ表すことができる。異なるサイズのＭＢＳＦＮサブフレームパターンが開示される（例えば、１フレームサイズおよび４フレームサイズ）が、他のサイズが可能である。
【０２６１】
ＭＣＣＨ変更通知
様々な実施形態では、代表的な方法は、非ＭＢＳＦＮサブフレームにおいて、ＰＤＣＣＨまたはｅＰＤＣＣＨにおいて、来るべきＭＣＣＨ変更についての通知を受信することができる、ＷＴＲＵを含み得る。ＷＴＲＵは、非ＭＢＳＦＮサブフレームにおいて、Ｍ−ＲＮＴＩでスクランブルされたＤＣＩフォーマット１Ｃを受信することができる。例えば、ＭＢＭＳサービスをＳＣｅｌｌ上で受信中であり得るＷＴＲＵは、非ＭＢＳＦＮサブフレームにおいて、ＰＣｅｌｌのＰＤＣＣＨ／ｅＰＤＣＣＨ上で、変更通知を受信することができる。
【０２６２】
ＷＴＲＵは、非ＭＢＳＦＮサブフレームのサブフレームインデックスを指示することができる、ＲＲＣにおけるＳＩＢ１３におけるＭＢＭＳ−ＮｏｔｉｆｉｃａｔｉｏｎＣｏｎｆｉｇ−ｒ９に基づいて、非ＭＢＳＦＮサブフレームにおいて、ＭＣＣＨ変更通知を受信するようにスケジュールされ得る。
【０２６３】
ＷＴＲＵは、従来のＳＩＢ１３構成に従って、そのためにＭＣＣＨ変更通知が発生するようにスケジュールされ得るＭＢＳＦＮサブフレームの前または後の最も近い非ＭＢＳＦＮサブフレームについて、ＰＤＣＣＨ／ｅＰＤＣＣＨを監視することによって、可能なＭＣＣＨ変更通知スケジュールを導出することができる。
【０２６４】
ＭＢＳＦＮサブフレーム領域の拡張
ＰＤＣＣＨ、ＰＣＦＩＣＨおよび／またはＰＨＩＣＨの送信をサポートしないことがある、１つのＮＣＴセルまたは複数のＮＣＴセルでは、非ＭＢＳＦＮ領域における、従来のＭＢＳＦＮサブフレームの最初の２つのシンボルは、未使用であり得る。
【０２６５】
拡張ＣＰにおける拡張されたＭＢＳＦＮサブフレーム
様々な実施形態では、代表的な方法は、可能なＰＭＣＨ送信のためにサブフレーム全体を含むように拡張され得る、ＭＢＳＦＮサブフレームを含み得る。ＭＢＭＳ  ＷＴＲＵは、ＭＢＳＦＮサブフレーム全体において、拡張ＣＰを伴うＰＭＣＨを受信することができる。ＷＴＲＵは、ＭＢＳＦＮサブフレームの最初の２つのシンボルにも拡張され得るＰＭＣＨの復調のために、ＭＢＳＦＮ  ＲＳを受信することができる。
【０２６６】
ＭＢＭＳサポートＷＴＲＵは、拡張されたＭＢＳＦＮサブフレームにおいてＰＭＣＨを受信するとともに、サブフレーム全体のための拡張ＣＰを伴うｅＰＤＣＣＨを監視することができる。様々な実施形態では、非ＭＢＭＳ  ＷＴＲＵ、例えば、送信モード９もしくは１０、および／または、ＮＣＴ固有の送信モードをサポートするＷＴＲＵは、拡張されたＭＢＳＦＮサブフレームにおいてＰＤＳＣＨ送信を受信することができる。様々な実施形態では、ユニキャストＰＤＳＣＨ送信では、ＷＴＲＵは、通常のＣＰを伴うデータを受信することができる。非ＭＢＭＳ  ＷＴＲＵは、来るべきＭＢＳＦＮサブフレームが、ＰＭＣＨ送信のためではなく、ユニキャストＰＤＳＣＨのために使用され得るかどうかを、以下の動作のうちの１または複数で判断することができる。
【０２６７】
１．非ＭＢＭＳ  ＷＴＲＵは、ＭＣＨスケジューリングを読み取ることができる：ＰＭＣＨを受信しないＷＴＲＵは、ＭＣＣＨにおけるＣＳＡ、ＭＳＰを含む、ＭＣＨ送信スケジュールを読み取ることができ、また、各ＭＴＣＨの最初にスケジュールされた（例えば、各最初にスケジュールされた）サブフレームにおけるＭＣＨのＭＡＣ  ＣＥにおけるＭＳＩを読み取ることもできる。ＷＴＲＵは、次いで、ＰＭＣＨのためにスケジュールされるＭＢＳＦＮサブフレーム、および、そうではなく、ＰＤＳＣＨ送信のためにスケジュールされ得るものに、十分に気づいていることができる。ＰＤＳＣＨ送信のために使用されるＭＢＳＦＮサブフレームでは、非ＭＢＭＳ  ＷＴＲＵは、通常のＣＰを伴うｅＰＤＣＣＨを監視することができる。
【０２６８】
２．Ｍ−ＲＮＴＩを伴うＤＣＩフォーマット１Ｃの使用：ＷＴＲＵは、非ＭＢＳＦＮサブフレームにおけるｅＰＤＣＣＨ上のＭ−ＲＮＴＩでスクランブルされたＤＣＩフォーマット１Ｃの使用による、ＰＭＣＨおよび／またはＰＤＳＣＨの送信のための来るべきＭＢＳＦＮサブフレームスケジュールで指示され得る。ＷＴＲＵは、（例えば、ＤＣＩフォーマット１Ｃにおいて現在定義されている８ビットビットマップを再使用するか、または、ビットマップを拡張する）ビットマップを受信することができ、それは、ＰＭＣＨ送信および／またはＰＤＳＣＨ送信のための来るべきＭＢＳＦＮサブフレーム使用を指示する。例えば、ＷＴＲＵは、（例えば、１フレームパターンまたは４フレームパターンとして）ＳＩＢ２において指示されるような、ＭＢＳＦＮサブフレームパターンの始めにおけるサブフレーム＃０において、Ｍ−ＲＮＴＩでスクランブルされたＤＣＩフォーマット１Ｃを受信することができる。ＷＴＲＵは、次いで、各ビットをＭＢＳＦＮサブフレームとして読み取ることができ、第１の論理レベル（例えば、「０」）を、ＰＭＣＨ送信のためのＭＢＳＦＮサブフレームとして解釈／判断することができ、第２の論理レベル（例えば、「１」）をＰＤＳＣＨ送信として解釈／判断することができ、またはその逆も同様である。
【０２６９】
３．ＷＴＲＵは、次いで、来るべきＭＢＳＦＮサブフレームがＰＤＳＣＨ送信のためにスケジュールされる（および／もしくは使用される）場合、通常のＣＰを伴う、または、来るべきＭＢＳＦＮサブフレームがＰＭＣＨ送信のためにスケジュールされる（および／もしくは使用される）場合、拡張ＣＰを伴う、ｅＰＤＣＣＨについて監視することができる。
【０２７０】
様々な実施形態では、ＳＣｅｌｌとしてＭＢＭＳサポートＮＣＴ（MBMS supporting NCT）を伴う非ＭＢＭＳ  ＷＴＲＵは、ＰＣｅｌｌまたは別のＳＣｅｌｌのＰＤＣＣＨ／ｅＰＤＣＣＨによるクロスキャリアスケジューリングとともに、ＬＴＥ  Ｒｅｌ−１１手順に従って、ＭＢＳＦＮサブフレームにおいてＰＤＳＣＨのためのＤＬグラントで指示され得る。
【０２７１】
ＷＴＲＵは、サブフレーム固有のクロスキャリアスケジューリングをサポートすることができ、またはそのために構成され得る。例えば、ＷＴＲＵは、いくつかのサブフレームにおいてサービングセル（ＣＣ）の制御チャネル（例えば、ＰＤＣＣＨまたはｅＰＤＣＣＨ）を監視して、例えば、そのサービングセルのためのグラントおよび／または電力制御情報を受信することができ、いくつかの他のサブフレームにおいて、クロスキャリアスケジュールされ得る（例えば、１つのサービングセルを監視して、別のサービングセルのためのスケジューリングおよび／または電力制御情報を受信する）。例えば、キャリアのアグリゲーションのために構成されるＷＴＲＵは、クロスキャリアスケジューリングを介して、他のサービングセル（例えば、ＰＣｅｌｌおよび／または他の構成されたＳＣｅｌｌ）から、ＭＢＳＦＮサブフレームにおいてグラントおよび／または電力制御情報を受信することができる。（例えば、ＭＢＳＦＮサブフレームを使用する）ｅＭＢＭＳのためのサービングセルで構成されたＷＴＲＵは、ＭＢＳＦＮサブフレームにおいて（例えば、ＭＢＳＦＮサブフレームにおいてのみ）、別のサービングセル上で、このサービングセルのためのグラントおよび／または電力制御情報について監視することができる。非ＭＢＳＦＮサブフレームにおいて、ＷＴＲＵは、（例えば、自己スケジューリングのために）このサービングセル上で制御チャネルを監視することができる。例えば、ＷＴＲＵは、ＳＣｅｌｌ  ＭＢＳＦＮサブフレーム中に（例えば、デフォルトではＰＣｅｌｌ  ＰＤＣＣＨ／ｅＰＤＣＣＨを介して、および／または、キャリア指示フィールド（ＣＩＦ）のために構成されるような、別のＳＣｅｌｌを介して）、クロスキャリアスケジュールされ得る。例えば、ＭＢＳＦＮサブフレームがＰＣｅｌｌにおいて発生する場合、ＷＴＲＵは、（例えば、ＲＲＣを介して）高いレイヤによって構成されるように、別のＳＣｅｌｌ上でＰＣｅｌｌのためのグラントおよび電力制御情報を提供され得る。
【０２７２】
１シンボル非ＭＢＳＦＮ領域
様々な実施形態では、代表的な方法は、１つの通常のＣＰシンボルに限定された非ＭＢＳＦＮ領域と、ＰＭＣＨ送信のための拡張されたＭＢＳＦＮ領域とを含み得る、ＭＢＳＦＮサブフレームを含み得る。ＷＴＲＵは、あらかじめ定義されるような、ＭＢＳＦＮサブフレームの１シンボル非ＭＢＳＦＮ領域構成で指示されてもよく、および／または、ＷＴＲＵは、より高いレイヤによって、例えば、ＳＩＢ２においてＭＢＳＦＮサブフレーム構成の部分として、指示されてもよい。
【０２７３】
ＷＴＲＵは、非ＭＢＳＦＮ領域において、以下の情報のうちの１つを受信することができる。
【０２７４】
１．ＭＢＳＦＮ領域使用の指示：ＷＴＲＵは、来るべきＭＢＳＦＮ領域が、拡張ＣＰを伴うＰＭＣＨ送信のために使用され得るか、通常のＣＰを伴うＰＤＳＣＨ送信のために使用され得るかを指示する、バイナリ指示を、非ＭＢＳＦＮ領域において受信することができる。指示に基づいて、ＷＴＲＵは、拡張ＣＰまたは通常のＣＰのいずれかを伴うｅＰＤＣＣＨを監視することができる。
【０２７５】
２．ＭＣＣＨ変更通知：ＷＴＲＵは、例えば、１シンボル非ＭＢＳＦＮ領域において、ＭＣＣＨへの来るべき変更を指示する、８ビットビットマップを受信することができる。ＷＴＲＵは、より高いレイヤによって（例えば、ＳＩＢ１３において）指定され得る通知スケジュールに従って指示を受信することができ、または、情報が、セルによってあらゆるＭＢＳＦＮサブフレームにおいて送られ得る。
【０２７６】
上記の情報は、非ＭＢＳＦＮ領域において、別個にまたは一緒に符号化および送信され得る。情報は、とりわけ、ＭＢＳＦＮエリア固有のスクランブリングコード、および／または、物理セルＩＤ固有のスクランブリングコードでスクランブルされ得る。
【０２７７】
通常のＣＰにおける拡張されたＭＢＳＦＮサブフレーム
様々な実施形態では、代表的な方法は、サブフレーム全体のために拡張され得るＭＢＳＦＮサブフレームを含んでもよく、ＰＭＣＨを受信するＷＴＲＵは、通常のＣＰモードにおいてそのように行う（例えば、ＰＭＣＨを受信する）ことができる。例えば、ＭＢＳＦＮエリアは、小さいＮＣＴセルからなるものであってもよく、またはそれを含んでもよく、小さいＮＣＴセルは、小さいアグリゲートされた物理エリアを構成し得る。ＭＢＳＦＮエリアの遅延拡散は、通常のＣＰを伴うデータの送信によってサポートされるために十分小さいものであり得る。通常のＣＰ  ＭＢＳＦＮサブフレームにおいて、ＷＴＲＵは、関連付けられたＰＭＣＨを受信および復号する目的のために、異なるセットのＭＢＳＦＮ（復調）ＲＳパターンを使用することができる。
【０２７８】
通常のＣＰ、ＭＢＳＦＮサブフレームにおいて、非ＭＢＭＳサポートＷＴＲＵと、ＭＢＭＳサポートＷＴＲＵの両方が、例えば、ＷＴＲＵ固有の探索空間におけるＵＬグラント、電力制御情報、ならびに／または、共通の探索空間における特定のＲＮＴＩ（例えば、とりわけ、Ｍ−ＲＮＴＩ、および／もしくはＰ−ＲＮＴＩ）について、ｅＰＤＣＣＨを監視することができる。様々な実施形態では、非ＭＢＭＳ  ＷＴＲＵは、ＤＬグラントおよびＰＤＳＣＨ送信をＭＢＳＦＮサブフレームにおいて、そのＭＢＳＦＮサブフレームにおけるＰＭＣＨの送信ありでまたはなしで、受信することができる。
【０２７９】
非ＮＣＴ  ＷＴＲＵによるＮＣＴセル上のＭＢＭＳ受信
ＷＴＲＵ（例えば、すべてのＷＴＲＵ）へのＭＢＭＳサービスの受信を最大化するために、ＷＴＲＵは、ＮＣＴセルから（例えば、それから直接）ＲＲＣ＿ＩＤＬＥおよび／またはＲＲＣ＿Ｃｏｎｎｅｃｔｅｄモードにおいて、ＭＢＭＳデータ、および、関連付けられたＭＢＭＳ関連情報を受信することが可能であり得る。様々な実施形態では、ＭＢＭＳサポートＷＴＲＵは、ＮＣＴセルから直接、ＭＢＭＳ関連構成情報を受信することができる。この場合、ＭＢＭＳサポートＷＴＲＵは、ＮＣＴ可能ＷＴＲＵまたは非ＮＣＴ可能ＷＴＲＵのいずれかであってもよく、ＮＣＴセルは、ＮＣＴ可能ＷＴＲＵのためにＰＣｅｌｌとして構成されてもよく（例えば、スタンドアロンＮＣＴ）、または、ＳＣｅｌｌとしてのみ構成されてもよい（例えば、非スタンドアロンＮＣＴ）。
【０２８０】
ＷＴＲＵは、以下の代表的な手順のうちの１または複数で、ブロードキャスト情報を通して、ＮＣＴセルからＭＢＭＳ関連情報を受信することができる。
【０２８１】
１．ＷＴＲＵは、他のＭＢＭＳ関連情報のリストをスケジュールするためのＳＩＢ１を受信することができる。例えば、スケジューリングは、ＳＩＢ２、ＳＩＢ１３および／またはＳＩＢ１５を含み得る。ＳＩＢ２、ＳＩＢ１３および／またはＳＩＢ１５のスケジューリングは、任意の所与のフレームについて、サブフレームｎｏ．０および／もしくは５における受信に限定されてもよく、または限定されなくてもよい。ＰＤＣＣＨもまた、サブフレームｎｏ．０および／または５において受信され得る。ＳＩ−ＲＮＴＩをもつＰＤＣＣＨは、それらのサブフレームにおいて受信され得る。
【０２８２】
２．ＷＴＲＵは、ＭＢＳＦＮサブフレーム構成のためのＳＩＢ２を受信することができる。ＳＩＢ２の内容は、ＷＴＲＵがＮＣＴセルに直接アクセスすることを試行しなくてもよいように、ＭＢＭＳ関連情報に限定されてもよく、例えば、ＮＣＴセルは、非スタンドアロンＮＣＴセルであり得る。ＷＴＲＵは、ＭＢＭＳ受信およびサービス連続性のためのＳＩＢ１３および／またはＳＩＢ１５を受信することができる。
【０２８３】
３．ＷＴＲＵは、ＭＢＭＳ受信に関連するもの以外の任意の他のＳＩＢを受信してもよく、または受信しなくてもよい。ＷＴＲＵは、次いで、このＮＣＴセルが通常のセルアクセスのために使用されなくてもよいことを指示され得る。
【０２８４】
ＷＴＲＵは、ＲＲＣ＿ＩＤＬＥモードまたはＲＲＣ＿ｃｏｎｎｅｃｔｅｄモードにおいて、ＮＣＴセルからＭＢＭＳ関連ＳＩＢを受信することができる。接続モードでは、ＷＴＲＵは、ＮＣＴセルＭＢＭＳ関連ＳＩＢを、ネイバーセル測定の部分として、例えば、ＷＴＲＵが現在接続されている先のセルから受信されるような測定構成の部分であり得る、ＳＩＢ１受信の部分として、読み取ることができる。例えば、ＷＴＲＵは、ＳＩＢ１において、スケジューリングリストがＭＢＭＳ関連ＳＩＢのみを含む場合、他のＭＢＭＳ関連ＳＩＢを読み取ることができる。
【０２８５】
接続モードＷＴＲＵは、ＲＲＣ専用シグナリングによって、現在接続されたセルから、ＭＢＭＳ関連情報および構成を受信することができる。例えば、キャリアアグリゲーションが可能なＷＴＲＵは、ＳＣｅｌｌとしてのＮＣＴセル、またはＳＣｅｌｌとしてのＮＣＴセルの再構成を追加するとき、ＲＲＣ再構成メッセージを介して、ＭＢＭＳ関連情報を受信することができる。
【０２８６】
後方互換ＭＢＳＦＮサブフレーム
ＮＣＴのＭＢＳＦＮサブフレームは、２シンボル非ＭＢＳＦＮ領域、および残りのＭＢＳＦＮ領域を維持することによって、ＬＴＥ  Ｒｅｌ−１１構成に従うことができる。ＷＴＲＵは、非ＭＢＳＦＮ領域において、ＰＤＣＣＨ、ＰＨＩＣＨ、および／またはＰＣＦＩＣＨによって、いかなる制御情報をも受信しないことがあり、その理由は、非ＭＢＳＦＮ領域が、ＮＣＴセルによって「ブランク」のまま残され得るからである。例えば、ＷＴＲＵは、非ＭＢＳＦＮ領域において、ＭＢＳＦＮサブフレーム中にＮＣＴ（例えば、ＮＣＴセル）によって送信され（例えば、そのようにのみ送信され）得る、ＰＣＦＩＣＨ／ＰＤＣＣＨ／ＰＨＩＣＨを受信することができる。ＭＢＳＦＮサブフレームにおいて制御情報を受信するために、ＷＴＲＵは、ＬＴＥ  Ｒｅｌ−１１手順に戻ることができる。様々な実施形態では、ＮＣＴセルは、ポート０（例えば、ポート０のみ）上の制御情報送信とともに、ポート０（例えば、ポート０のみ）上でＣＲＳを送信することができる。様々な実施形態では、ＮＣＴセルは、（例えば、ＮＣＴが、ＬＴＥ  Ｒｅｌ−１１において指定されるようにＰＢＣＨを送信する場合）、ＰＢＣＨにおいて指定されるようなアンテナポート上で、ＣＲＳおよび制御情報を送信することができる。
【０２８７】
代表的な方法
図３は、一実施形態による、ページングのための例示的な方法３００を示すフロー図である。方法３００は、図１Ａ〜１Ｅの例示的な通信システムを参照しながら説明される。方法３００は、他のアーキテクチャを使用して、同様に遂行され得る。
【０２８８】
ブロック３０２で、ネットワーク要素が、ＷＴＲＵ１０２がＮＣＴキャリアをサポートすることが可能であるかどうかを判断することができる。ブロック３０４で、ネットワーク１０４／１０６が、ＷＴＲＵがＮＣＴキャリアをサポートすることが可能ではないという条件で、ＮＣＴセルにおいてＷＴＲＵ１０２をページングすることを回避することができる。あるいは、ブロック３０６で示されるように、ネットワーク１０４／１０６が、ＷＴＲＵがＮＣＴキャリアをサポートすることが可能であるという条件で、ＮＣＴセルおよび／または別のキャリアタイプセルにおいて、ＷＴＲＵをページングすることができる。
【０２８９】
いくつかの実施形態では、ネットワーク要素は、ＷＴＲＵ１０２がＮＣＴキャリアをサポートすることが可能であることを指示するＮＣＴ能力情報を、受信することができる。このＮＣＴ能力情報は、例えば、ＷＴＲＵ能力情報を含み得る。
【０２９０】
いくつかの実施形態では、ＮＣＴ能力情報は、ＷＴＲＵ１０２から受信され得る。いくつかの実施形態では、ＮＣＴ能力情報は、ＷＴＲＵ１０２に関連付けられた能力情報に含まれる。いくつかの実施形態では、ＷＴＲＵ１０２に関連付けられた能力情報は、ＷＴＲＵに関連付けられた無線能力情報を含む。いくつかの実施形態では、ＮＣＴ能力情報は、モビリティ管理エンティティによって受信される。いくつかの実施形態では、ＮＣＴ能力情報は、モビリティ管理エンティティによって受信および記憶される。
【０２９１】
図４は、一実施形態による、ページングを検出するための例示的な方法４００を示すフロー図である。方法４００は、図１Ａ〜１Ｅの例示的な通信システムを参照しながら説明される。方法４００は、他のアーキテクチャを使用して、同様に遂行され得る。
【０２９２】
ブロック４０２で、ＷＴＲＵ１０２が、ＮＣＴ能力情報をネットワーク要素に提供することができる。ブロック４０４で、ＷＴＲＵが、ＷＴＲＵがＮＣＴキャリアをサポートすることが可能であるという条件に基づいて、ＮＣＴセルおよび別のキャリアタイプセルのいずれかにおけるページングを予想することができる。いくつかの実施形態では、ＮＣＴ能力情報は、無線リソース制御（ＲＲＣ）シグナリングを使用して提供される。
【０２９３】
図５は、一実施形態による、再選択を実行するための例示的な方法５００を示すフロー図である。方法５００は、図１Ａ〜１Ｅの例示的な通信システムを参照しながら説明される。方法５００は、他のアーキテクチャを使用して、同様に遂行され得る。
【０２９４】
ブロック５０２で、ＷＴＲＵ１０２が、セルにキャンプオンすることができる。ブロック５０４で、ＷＴＲＵ１０２が、アイドルモードにおいて、ＮＣＴセルを検出することができる。ブロック５０６で、ＷＴＲＵ１０２が、ＷＴＲＵがＮＣＴキャリアをサポートすることが可能であるという条件で、ＮＣＴセルに再選択することができる。
【０２９５】
いくつかの実施形態では、ＷＴＲＵ１０２は、キャンプオンされたセルの優先度には関係なく、ＮＣＴセルに再選択することができる。いくつかの実施形態では、ＷＴＲＵ１０２は、ＮＣＴセルが最高にランク付けされたセルであるという条件で、ＮＣＴセルに再選択することができる。いくつかの実施形態では、ＷＴＲＵ１０２は、ＮＣＴセルがキャンプオンされたセルと同じ周波数上であるという条件で、ＮＣＴセルに再選択することができる。いくつかの実施形態では、ＷＴＲＵ１０２は、ＮＣＴセルの優先度を調節して、キャンプオンされたセルに勝るように、ＮＣＴセルを優先度付けすることができる。いくつかの実施形態では、ＷＴＲＵ１０２は、ＮＣＴセルの調節された優先度に基づいて、ＮＣＴセルに再選択することができる。
【０２９６】
図６は、一実施形態による、ハンドオーバを制御するための例示的な方法６００を示すフロー図である。方法６００は、図１Ａ〜１Ｅの例示的な通信システムを参照しながら説明される。方法６００は、他のアーキテクチャを使用して、同様に遂行され得る。
【０２９７】
ブロック６０２で、第１のネットワーク要素が、第２のネットワーク要素に、非ＮＣＴ可能ＷＴＲＵであるＷＴＲＵ１０２について、ハンドオーバをＮＣＴセル以外のセル（非ＮＣＴセル）に制限するための情報を提供することができる。ブロック６０４で、第２のネットワーク要素が、非ＮＣＴ可能ＷＴＲＵがＮＣＴセルへハンドオーバすることをブロックすることができる。ブロック６０６で、第３のネットワーク要素が、非ＮＣＴ可能ＷＴＲＵが非ＮＣＴセルへハンドオーバすることを許可することができる。
【０２９８】
図７は、一実施形態による、ＮＣＴセル上でＭＢＭＳ動作をサポートするための例示的な方法７００を示すフロー図である。方法７００は、図１Ａ〜１Ｅの例示的な通信システムを参照しながら説明される。方法７００は、他のアーキテクチャを使用して、同様に遂行され得る。
【０２９９】
ブロック７０２で、ＮＣＴセルによってサービスされるＷＴＲＵ１０２が、ＭＢＳＦＮサブフレーム構成を受信することができる。ブロック７０２で、ＷＴＲＵ１０２が、受信されたＭＢＳＦＮサブフレーム構成に基づいて、ＷＴＲＵのための割り振られたページングフレーム、および／または割り振られたページングオケージョンを判断することができる。
【０３００】
いくつかの実施形態では、ＭＢＳＦＮサブフレームは、サブフレームｎｏ．０、４、５、および／または９のうちの少なくとも１つを含み得る。いくつかの実施形態では、ＷＴＲＵは、少なくとも部分的に、ＭＢＳＦＮサブフレームパターンを表すビットマップを取得することによって、ＭＢＳＦＮサブフレーム構成を受信することができる。
【０３０１】
図８は、一実施形態による、ＮＣＴセル上でＭＢＭＳ動作をサポートするための例示的な方法８００を示すフロー図である。方法８００は、図１Ａ〜１Ｅの例示的な通信システムを参照しながら説明される。方法８００は、他のアーキテクチャを使用して、同様に遂行され得る。
【０３０２】
ブロック８０２で、ＮＣＴセルによってサービスされるＷＴＲＵ１０２が、ＮＣＴフレームの非ＭＢＳＦＮサブフレームのサブフレームインデックスを指示する、ＳＩＢにおける情報を受信することができる。ブロック８０４で、ＷＴＲＵ１０２が、エンハンスト物理ダウンリンク制御チャネル（ｅＰＤＣＣＨ）を監視して、マルチキャスト制御チャネル（ＭＣＣＨ）変更通知スケジュールを導出することができる。ブロック８０６で、ＷＴＲＵ１０２が、ＮＣＴセルから、導出されたＭＣＣＨ変更通知スケジュールに従って、無線フレームの非ＭＢＳＦＮサブフレームにおいて、来るべきＭＣＣＨ変更についての通知を受信することができる。
【０３０３】
いくつかの実施形態では、ＷＴＲＵは、非ＭＢＳＦＮサブフレームにおいて、Ｍ−ＲＮＴＩでスクランブルされたＤＣＩフォーマットを受信し、および／または、Ｍ−ＲＮＴＩを使用して、非ＭＢＳＦＮサブフレームにおいてＤＣＩフォーマットを復号することができる。
【０３０４】
図９は、一実施形態による、ＮＣＴセル上でＭＢＭＳ動作をサポートするための例示的な方法９００を示すフロー図である。方法９００は、図１Ａ〜１Ｅの例示的な通信システムを参照しながら説明される。方法９００は、他のアーキテクチャを使用して、同様に遂行され得る。図９の方法９００は、以下で説明されるものを除いて、図８の方法８００と同様である。
【０３０５】
ブロック９０２で、ＮＣＴセルによってサービスされるＷＴＲＵ１０２が、非ＭＢＳＦＮサブフレームにおいて、ＭＢＭＳ無線ネットワーク一時識別子（Ｍ−ＲＮＴＩ）でスクランブルされたダウンリンク制御情報（ＤＣＩ）フォーマットを受信することができる。ブロック９０４で、ＷＴＲＵ１０２が、Ｍ−ＲＮＴＩを使用して、非ＭＢＳＦＮサブフレームにおいてＤＣＩフォーマットを復号することができる。
【０３０６】
図１０は、一実施形態による、ＮＣＴセル上でＭＢＭＳ動作をサポートするための例示的な方法１０００を示すフロー図である。方法１０００は、図１Ａ〜１Ｅの例示的な通信システムを参照しながら説明される。方法１０００は、他のアーキテクチャを使用して、同様に遂行され得る。
【０３０７】
ブロック１００２で、ＮＣＴセルによってサービスされるＷＴＲＵ１０２が、ＭＢＳＦＮサブフレームを受信することができる。ブロック１００４で、ＷＴＲＵ１０２が、ＭＢＳＦＮ基準信号を受信することができる。ブロック１００６で、ＷＴＲＵ１０２が、ＭＢＳＦＮ基準信号を使用して、ＭＢＳＦＮサブフレームにおける情報を復調することができる。
【０３０８】
いくつかの実施形態では、ＷＴＲＵ１０２は、ＭＢＳＦＮサブフレームにおいて、ＰＤＳＣＨ送信を受信することができる。いくつかの実施形態では、ＷＴＲＵ１０２は、来るべきＭＢＳＦＮサブフレームが、（１）ＰＤＳＣＨ上の通常のＣＰを伴うユニキャスト送信、または（２）ＰＭＣＨ送信のうちの１つのために使用されるかどうかを、判断することができる。
【０３０９】
いくつかの実施形態では、ＷＴＲＵ１０２は、ＭＣＨ送信スケジュール、および、各ＭＴＣＨの最初にスケジュールされたサブフレームにおけるＭＣＨスケジューリング情報を読み取り、ならびに／または、ＰＭＣＨ送信のためにスケジュールされる、および／もしくは、ＰＤＳＣＨ送信のためにスケジュールされる、ＭＢＳＦＮサブフレームを判断することができる。
【０３１０】
いくつかの実施形態では、ＷＴＲＵ１０２は、ＭＢＳＦＮサブフレームパターンを受信し、ＭＢＳＦＮサブフレームパターンの各ビットを読み取り、および／または、それぞれのビットの論理レベルに基づいて、対応するＭＢＳＦＮサブフレームが、（１）ＰＭＣＨ送信、もしくは（２）ＰＤＳＣＨ送信のうちの１つのためのものであるかどうかを、判断することができる。
【０３１１】
いくつかの実施形態では、ＷＴＲＵ１０２は、対応するビットの判断された論理レベルに基づいて、来るべきＭＢＳＦＮサブフレームがＰＤＳＣＨ送信のために使用される場合、通常のＣＰを伴う情報、または、来るべきＭＢＳＦＮサブフレームがＰＭＣＨ送信のためにスケジュールされる場合、拡張ＣＰを伴う情報について、監視することができる。いくつかの実施形態では、ＭＢＳＦＮサブフレームは、ＰＭＣＨ送信のために全体として拡張ＣＰを有し、ＷＴＲＵ１０２は、ＭＢＳＦＮサブフレームにおいてＰＭＣＨを復調することができる。
【０３１２】
図１１は、一実施形態による、ＮＣＴセル上でＭＢＭＳ動作をサポートするための例示的な方法１１００を示すフロー図である。方法１１００は、図１Ａ〜１Ｅの例示的な通信システムを参照しながら説明される。方法１１００は、他のアーキテクチャを使用して、同様に遂行され得る。図１１の方法１１００は、ブロック１１０２で、ＮＣＴセルによってサービスされるＷＴＲＵ１０２が、ＭＢＳＦＮサブフレームにおいてＰＤＣＣＨ送信を受信することができることを除いて、図１０の方法１０００と同様である。
【０３１３】
図１２は、一実施形態による、ＮＣＴセル上でＭＢＭＳ動作をサポートするための例示的な方法１２００を示すフロー図である。方法１２００は、図１Ａ〜１Ｅの例示的な通信システムを参照しながら説明される。方法１２００は、他のアーキテクチャを使用して、同様に遂行され得る。図１２の方法１２００は、ブロック１２０２で、ＮＣＴセルによってサービスされるＷＴＲＵ１０２が、来るべきＭＢＳＦＮサブフレームが（１）ＰＤＳＣＨ上の通常のサイクリックプレフィックスを伴うユニキャスト送信、または（２）物理マルチキャストチャネル（ＰＭＣＨ）送信のうちの１つのために使用されるかどうかを、判断することができることを除いて、図１０の方法１０００と同様である。
【０３１４】
図１３は、一実施形態による、ＮＣＴセル上でＭＢＭＳ動作をサポートするための例示的な方法１３００を示すフロー図である。方法１３００は、図１Ａ〜１Ｅの例示的な通信システムを参照しながら説明される。方法１３００は、他のアーキテクチャを使用して、同様に遂行され得る。図１３の方法１３００は、以下で説明されるものを除いて、図１０の方法１０００と同様である。
【０３１５】
ブロック１３０２で、ＮＣＴセルによってサービスされるＷＴＲＵ１０２が、ＭＣＨ送信スケジュール、および、各ＭＴＣＨの最初にスケジュールされたサブフレームにおけるＭＣＨスケジューリング情報を読み取ることができる。ブロック１３０４で、ＷＴＲＵ１０２が、ＰＭＣＨ送信のためにスケジュールされる、および／もしくは、ＰＤＳＣＨ送信のためにスケジュールされる、ＭＢＳＦＮサブフレームを判断することができる。
【０３１６】
図１４は、一実施形態による、ＮＣＴセル上でＭＢＭＳ動作をサポートするための例示的な方法１４００を示すフロー図である。方法１４００は、図１Ａ〜１Ｅの例示的な通信システムを参照しながら説明される。方法１４００は、他のアーキテクチャを使用して、同様に遂行され得る。図１４の方法１４００は、以下で説明されるものを除いて、図１０の方法１０００と同様である。
【０３１７】
ブロック１４０２で、ＮＣＴセルによってサービスされるＷＴＲＵ１０２が、ＭＢＳＦＮサブフレームパターンを受信することができる。ブロック１４０２で、ＷＴＲＵ１０２が、ＭＢＳＦＮサブフレームパターンの各ビットを読み取ることができる。ブロック１４０６で、ＷＴＲＵ１０２が、それぞれのビットの論理レベルに基づいて、対応するＭＢＳＦＮサブフレームが（１）ＰＭＣＨ送信、または（２）ＰＤＳＣＨ送信のうちの１つのためのものであるかどうかを、判断することができる。
【０３１８】
図１５は、一実施形態による、ＮＣＴセル上でＭＢＭＳ動作をサポートするための例示的な方法１５００を示すフロー図である。方法１５００は、図１Ａ〜１Ｅの例示的な通信システムを参照しながら説明される。方法１５００は、他のアーキテクチャを使用して、同様に遂行され得る。図１５の方法１５００は、ブロック１５０２で、ＮＣＴセルによってサービスされるＷＴＲＵ１０２が、対応するビットの判断された論理レベルに基づいて、来るべきＭＢＳＦＮサブフレームがＰＤＳＣＨ送信のために使用される場合、通常のサイクリックプレフィックスを伴う情報、または、来るべきＭＢＳＦＮサブフレームがＰＭＣＨ送信のためにスケジュールされる場合、拡張ＣＰを伴う情報について、監視することができることを除いて、図１４の方法１４００と同様である。
【０３１９】
図１６は、一実施形態による、ＮＣＴセル上でＭＢＭＳ動作をサポートするための例示的な方法１６００を示すフロー図である。方法１６００は、図１Ａ〜１Ｅの例示的な通信システムを参照しながら説明される。方法１６００は、他のアーキテクチャを使用して、同様に遂行され得る。
【０３２０】
方法１６００では、単一の通常のＣＰシンボルの非ＭＢＳＦＮ領域と、ＰＭＣＨの送信のための拡張されたＭＢＳＦＮ領域とを有する、ＭＢＳＦＮサブフレームを提供するように構成された、ＮＣＴセルによってサービスされる、ＷＴＲＵ１０２である。ブロック１６０２で、ＷＴＲＵ１０２が、非ＭＢＳＦＮ領域において、（ｉ）来るべきＭＢＳＦＮ領域が、拡張ＣＰを伴うＰＭＣＨの送信のために使用されるか、通常のＣＰを伴うＰＤＳＣＨ送信の送信のために使用されるかを指示する、バイナリ指示、および／または（ｉｉ）１シンボル非ＭＢＳＦＮ領域において、制御チャネルへの来るべき変更を指示する、ビットマップインジケータを含む、情報を受信することができる。ブロック１６０４で、ＷＴＲＵ１０２が、受信された情報に従って、ＷＴＲＵの動作を構成することができる。
【０３２１】
図１７は、一実施形態による、ＮＣＴセル上でＭＢＭＳ動作をサポートするための例示的な方法１７００を示すフロー図である。方法１７００は、図１Ａ〜１Ｅの例示的な通信システムを参照しながら説明される。方法１７００は、他のアーキテクチャを使用して、同様に遂行され得る。
【０３２２】
ブロック１７０２で、ＮＣＴセルによってサービスされるＷＴＲＵ１０２が、通常のサイクリックプレフィックス（ＣＰ）モードにおいて、ＭＢＳＦＮサブフレームの物理マルチキャストチャネル（ＰＭＣＨ）を受信することができ、そのＭＢＳＦＮサブフレームは、ＰＭＣＨの送信のためのサブフレーム全体のための拡張されたＭＢＳＦＮ領域を有する。ブロック１７０４で、ＷＴＲＵ１０２が、拡張ＣＰモードにおける送信のために使用されるＭＢＳＦＮ基準パターンのセットとは異なる、第１のセットのＭＢＳＦＮ基準パターンを確立することができる。ブロック１７０６で、ＷＴＲＵ１０２が、第１のセットのＭＢＳＦＮ基準パターンを使用して、ＰＭＣＨを復号することができる。
【０３２３】
エンハンストＰＢＣＨ
ＷＴＲＵは、レガシーＰＢＣＨのものとは部分的にまたは完全に異なり得る構造（または、設計）を有する、新しいＰＢＣＨ（例えば、エンハンストＰＢＣＨ（ｅＰＢＣＨ））を受信することができる。ｅＰＢＣＨは、レガシーＰＢＣＨの一部または全部の情報を含むか、または含有することができる。例えば、ｅＰＢＣＨは、ＳＦＮを含む（例えば、そのようにのみ含むか、または含有する）ことができる。様々な実施形態では、ｅＰＢＣＨは、レガシーＰＢＣＨに含まれない、ある情報を送達するために使用され得る。
【０３２４】
復調基準信号（ＤＭＲＳ）ベースのｅＰＢＣＨ
ＷＴＲＵ１０２は、以下の信号のうちの１つまたは組合せに基づいて、ｅＰＢＣＨを復調することができ、すなわち、（１）ＰＳＳ／ＳＳＳ、（２）ＣＲＳ、および／または（３）ＤＭＲＳである。ＷＴＲＵ１０２がＤＭＲＳを使用するとき、ＷＴＲＵ１０２は、検出のために単一または複数のＤＭＲＳを使用（例えば、仮定）することができる。ＷＴＲＵ１０２は、以下のうちの１つまたは組合せに従って、ｅＰＢＣＨ復調のために使用されることになるＤＭＲＳポートを判断することができ、すなわち、（ｉ）あらかじめ定義されたＤＭＲＳポート、例えば、ＤＭＲＳポート７／８／１０７／１０８／１０９／１１０のうちの１つ、（ｉｉ）とりわけ、セルＩＤ、ＰＳＳインデックス、および／またはＳＳＳインデックスに応じたもの、ならびに（ｉｉｉ）あらかじめ定義されたセットのＤＭＲＳポートの中からのＤＭＲＳポートのブラインド検出である。様々な実施形態では、ＰＳＳの検出時に、ＷＴＲＵ１０２は、セル識別情報グループ内でセルＩＤを識別することができる。セル識別情報グループは、３つの異なる値のうちの１つを取ることができ、検出された値に応じて、ＷＴＲＵ１０２は、あらかじめ定義されたセットのＤＭＲＳポートの中から、１つのＤＭＲＳポート（例えば、単一のＤＭＲＳポート、例えば、ＤＭＲＳポート１０８）を使用（例えば、仮定）することができる。様々な実施形態では、ブラインド検出が、ＷＴＲＵ１０２によって使用されて、実際の使用されるＤＭＲＳポートが判断されてもよく、実際の使用されるＤＭＲＳポートに応じて、ＷＴＲＵ１０２は、追加の情報を同様に導出（例えば、暗示的に導出）することができる。
【０３２５】
ｅＰＢＣＨリソースマッピング
いくつかの物理リソースブロック（ＰＲＢ）は、ｅＰＢＣＨを搬送するように構成され得る。ｅＰＢＣＨは、エンハンスト制御チャネル要素（ＥＣＣＥ）および／またはエンハンストリソース−要素グループ（ＥＲＥＧ）概念および／または実装形態を使用して、リソース要素（ＲＥ）にマッピングされ得る。
【０３２６】
ＷＴＲＵ１０２は、以下のうちの１つまたは組合せに従って、ＰＲＢの一部または全部の利用可能なＲＥにおけるｅＰＢＣＨを予想することができる。
【０３２７】
１．セル固有基準信号（ＣＲＳ）のために予約されたＲＥは、ｅＰＢＣＨマッピングのために利用可能でなくてもよい。一例として、サブフレームｎｏ．０および５において送られ得る、ＣＲＳポート０に割り振られたＲＥは、ｅＰＢＣＨ  ＲＥマッピングのために使用されなくてもよい。
【０３２８】
２．ＤＭＲＳポートのために予約されたＲＥは、ｅＰＢＣＨマッピングのために利用可能でなくてもよい。
【０３２９】
３．ＣＳＩ−ＲＳのために予約されたＲＥは、ｅＰＢＣＨマッピングのために利用可能でなくてもよい。一例として、ＷＴＲＵ１０２は、ｅＰＢＣＨ送信のために割り振られたＰＲＢにおいて、限定された数のＣＳＩ−ＲＳポート、例えば、ただ１つのポートを使用（例えば、仮定）することができる。
【０３３０】
４．利用可能なＲＥは、使用されることになるＤＭＲＳポートに応じたものであり得る。例えば、２つのＤＭＲＳポートが、例えば、セルの２つの異なる部分のために使用される場合、各ＤＭＲＳは、あるセットのＲＥに関連付けられ得る。
【０３３１】
様々な実施形態では、ＷＴＲＵ１０２は、ｅＰＢＣＨ送信のために割り振られたＰＲＢにおいて、ＣＳＩ−ＲＳがないと仮定することができ、例えば、ＷＴＲＵ１０２は、ｅＰＢＣＨ送信のために割り振られたＰＲＢにおいて、いかなるＣＳＩ−ＲＳをも使用しなくてもよい。
【０３３２】
ｅＰＢＣＨリソース割振り
ＷＴＲＵ１０２は、以下の機構のうちの１つまたは組合せに従って、ｅＰＢＣＨを予想および／または判断することができる。ｅＰＢＣＨは、１または複数の無線フレームにおける、１または複数のサブフレームにおける、１または複数のＰＲＢにマッピングされ得る。
【０３３３】
ｅＰＢＣＨサブフレームロケーション
ＷＴＲＵ１０２は、以下のうちの１つまたは組合せに従って、無線フレームの１または複数のサブフレームにおいてｅＰＢＣＨを受信することができ、すなわち、（ｉ）無線フレーム内の、あらかじめ定義された１つのサブフレームまたは複数のサブフレーム（例えば、各無線フレームの第１のサブフレーム）において、（ｉｉ）無線フレームにおけるサブフレーム位置が、セルＩＤに応じたものであり得る（例えば、セルＩＤに応じて、ＷＴＲＵ１０２が、サブフレームｎｏ．０もしくは５、または両方のいずれかにおいてｅＰＢＣＨを予想することができる）、１つのサブフレームまたは複数のサブフレームにおいて、（ｉｉｉ）無線フレームにおけるサブフレーム位置が、動作のＴＤＤまたはＦＤＤモードに応じたものであり得る（例えば、ＷＴＲＵ１０２が、ＴＤＤではサブフレームｎｏ．０において、および、ＦＤＤではサブフレームｎｏ．５において、ｅＰＢＣＨを予想することができる）、１つのサブフレームまたは複数のサブフレームにおいて、ならびに（ｉｖ）無線フレームにおけるサブフレーム位置が、フレーム番号またはＳＦＮに応じたものであり得る、１つのサブフレームまたは複数のサブフレームにおいてである。ＷＴＲＵ１０２が、無線フレームにおけるサブフレーム位置がフレーム番号に応じたものであり得る、１つのサブフレームまたは複数のサブフレームにおいて、ｅＰＢＣＨを受信することができる、いくつかの実施形態では、ｅＰＢＣＨ送信は、４個の無線フレームの各々におけるｅＰＢＣＨ送信のサブフレーム位置（ロケーション）が異なり得る、４個の無線フレームの周期性を有し得る。一例として、無線フレーム０、１、２および３では、ｅＰＢＣＨは、サブフレームｎｏ．０、１、５および６において送信され得る。
【０３３４】
ｅＰＢＣＨ物理リソースブロック（ＰＲＢ）ロケーション
ＷＴＲＵ１０２は、以下のうちの１つまたは組合せに従って、サブフレームの１または複数のＰＲＢにおいて、ｅＰＢＣＨを受信することができる。
【０３３５】
１．ＷＴＲＵ１０２は、中心領域におけるＰＲＢの（例えば、（帯域幅における）６個の中心ＰＲＢのうちの、１つまたはサブセットにおいて、ｅＰＢＣＨを予想および／または判断することができる。一例として、６個の中心ＰＲＢの中からの２個のＰＲＢである。
【０３３６】
２．ＷＴＲＵ１０２は、いくつかの近接した、または分散されたＰＲＢにおいて、ｅＰＢＣＨを予想および／または判断することができる。様々な実施形態では、ｅＰＢＣＨは、あらかじめ定義された帯域幅にわたるものであり得る。
【０３３７】
３．ＷＴＲＵ１０２は、セルＩＤに応じて、ＰＲＢのロケーションを予想および／または判断することができる。一例として、異なるセルＩＤをもつ異なるセルは、異なるＰＲＢにおいてｅＰＢＣＨを送信することができ、他のセル上のｅＰＢＣＨ干渉を回避することが可能であり得る。
【０３３８】
４．ＰＲＢのロケーションは、サブフレーム内でＷＴＲＵ１０２に対して明示的に指定されなくてもよく、代わりに、ＷＴＲＵ１０２は、ブラインド検出を実行して、ｅＰＢＣＨを搬送するＰＲＢのロケーションを判断することができる。ＷＴＲＵ１０２は、ｅＰＢＣＨ  ＰＲＢの検出されたロケーションに基づいて、ある暗示的な情報を受信することができる。一例として、ＷＴＲＵ１０２は、検出されたＰＲＢロケーションに基づいて、システム帯域幅（範囲であり得る）を判断することができる。
【０３３９】
５．ＰＲＢのロケーションは、サブフレームごとに異なることがあり、および／または、ＳＦＮに依存し得る。この場合、ＷＴＲＵ１０２は、ｅＰＢＣＨ  ＰＲＢを検出するために、異なる仮説、方法、および／またはロケーションを試行する（例えば、試みる）ことができる。一例として、ｅＰＢＣＨ送信は、４個の無線フレームの周期性を有してもよく、そこで、各無線フレームは、１つのサブフレームにおいて（例えば、単一のサブフレーム、例えば、サブフレームｎｏ．０においてのみ）ＰＢＣＨを搬送することができ、それらのサブフレームの各々におけるＰＲＢのロケーションは、異なる。
【０３４０】
ＷＴＲＵによるＳＦＮビットの判断
ＷＴＲＵ１０２は、ｅＰＢＣＨの検出時に、限定された数のＳＦＮビットおよび／または他の情報を判断することができる。ＷＴＲＵ１０２は、異なる無線フレームにおいて、以下のうちの１つまたは組合せにおいて異なり得るｅＰＢＣＨ送信を予想および／または判断することができ、すなわち、とりわけ（１）サブフレームロケーション、（２）ＰＲＢロケーション、（３）ｅＰＢＣＨコンテキストのために使用されるスクランブリング、および／または（４）サイクリック冗長検査（ＣＲＣ）である。
【０３４１】
異なる無線フレームにおける異なるｅＰＢＣＨ送信の検出、および／または、可能性（１もしくは複数の可能性）のうちの１つの検出時に、ＷＴＲＵ１０２は、特定の１つの無線フレームまたは複数の無線フレームを残部と区別することができ、ＳＦＮの限定された数の最下位ビット（ＬＳＢ）を判断することができる。一例として、ｅＰＢＣＨ送信は、各無線フレームが１つのサブフレームにおいて（例えば、単一のサブフレーム（例えば、サブフレームｎｏ．０）においてのみ）ＰＢＣＨを搬送することができる、４個の無線フレームの周期性を有し得る。ｅＰＢＣＨは、それぞれ、無線フレーム０、１、２および３に対応する、｛０，３｝、｛１，４｝、｛２，５｝および｛０，５｝のＰＲＢセットにおいて送信され得る。無線フレーム０、１、２、および３は、それぞれ、［０，０］、［０，１］、［１，０］および［１，１］の２個のＳＦＮ  ＬＳＢに関連付けられ得る。無線フレームにおける｛２，５｝のｅＰＢＣＨ  ＰＲＢの検出時に、ＷＴＲＵ１０２は、検出されたＰＲＢのセットを、それらの４個の無線フレームの中の無線フレーム２に関連付けて、ＷＴＲＵ１０２が、その無線フレームのＳＦＮの２ＬＳＢを［１，０］として判断することができるようにしてもよい。
【０３４２】
様々な実施形態では、プロセスおよび／または手順は、異なるセルを構成して、異なるサブフレームおよび／またはＰＲＢロケーションにおいてｅＰＢＣＨを送信して、ｅＰＢＣＨからのセル間干渉を低減（例えば、大幅に低減）するために、実装され得る。
【０３４３】
ｅＰＢＣＨおよびセルスプリット
様々な実施形態では、ｅＰＢＣＨの異なる送信および／または受信のためのプロセス、手順および／または機構が実装される。機構は、本明細書で説明される他の機構との組合せにおいて使用され得る。
【０３４４】
ＤＭＲＳアンテナポート
ｅＰＢＣＨは、以下の機構のうちの１つまたは組合せを使用して、１または複数のＤＭＲＳアンテナポート上で送信および／または受信されてもよく、すなわち、（ｉ）ｅＰＢＣＨが、２またはそれ以上のＤＭＲＳアンテナポート上でＷＴＲＵ１０２へ送信され、および／または、ＷＴＲＵ１０２によって受信され得ること、（ｉｉ）ｅＰＢＣＨが、単一のＤＭＲＳアンテナポート上でＷＴＲＵ１０２へ送信され、および／または、ＷＴＲＵ１０２によって受信され得ること、（ｉｉｉ）ｅＰＢＣＨが、異なるアンテナポート上で異なるＷＴＲＵ１０２へ送信され、および／または、異なるＷＴＲＵ１０２によって受信され得ること、（ｉｖ）ｅＰＢＣＨ情報が、異なるＤＭＲＳアンテナポート上で異なるＷＴＲＵ１０２へ送信され、および／または、異なるＷＴＲＵ１０２によって受信され得ること、（ｖ）異なるｅＰＢＣＨ情報が、異なるＤＭＲＳアンテナポート上で異なるＷＴＲＵ１０２へ送信され、および／または、異なるＷＴＲＵ１０２によって受信され得ること、ならびに（ｖ）異なるｅＰＢＣＨが、各々が異なるセルＩＤに対応する異なるアンテナポート上でＷＴＲＵ１０２へ送信され、および／または、ＷＴＲＵ１０２によって受信され得ることである。
【０３４５】
ＲＥおよびＤＭＲＳアンテナポート
ｅＰＢＣＨを搬送することができる、ＰＲＢのＲＥは、以下の機構のうちの１つまたは組合せを使用して、ＤＭＲＳアンテナポートにマッピングされてもよく、すなわち、（ｉ）ＰＲＢにおいて、ＲＥが、異なるＤＭＲＳアンテナポートに割り当てられ得ること、（ｉｉ）ＰＲＢにおいて、いくつかのＲＥが、１またはいくつかのＤＭＲＳアンテナポートに関連付けられた情報を含有（例えば、そのようにのみ含有）し得るか、または含み得ること、および（ｉｉｉ）ＰＲＢにおいて、いくつかのＲＥが、１またはいくつかのＤＭＲＳアンテナポートに関連付けられた情報を含有しなくてもよいか、または含まなくてもよいことである。
【０３４６】
ｅＰＢＣＨ情報内容
ｅＰＢＣＨによって搬送される情報は、以下のうちの１つまたは組合せによって説明され得るものであり、すなわち、（ｉ）ｅＰＢＣＨが、従来のＰＢＣＨによって搬送される情報の全体またはサブセットを搬送することができること、および（ｉｉ）ｅＰＢＣＨが、従来のＰＢＣＨ情報の部分ではない情報を搬送することができることである。
【０３４７】
ＷＴＲＵ１０２は、以下の機構のうちの１つまたは組合せに従って、ｅＰＢＣＨの情報内容を復号および／または使用することができる。
【０３４８】
１．ＷＴＲＵ１０２は、一部または全部のｅＰＢＣＨ関連パラメータのための値の異なるセットを受信することができる。
【０３４９】
２．ＷＴＲＵ１０２は、異なるＤＭＲＳアンテナポート上で、同じ１または複数のｅＰＢＣＨ関連パラメータのための１または複数の異なる値を受信することができる。
【０３５０】
３．ＷＴＲＵ１０２は、同じＤＭＲＳアンテナポート上で、同じ１または複数のｅＰＢＣＨ関連パラメータのための１または複数の異なる値を受信することができる。
【０３５１】
４．ｅＰＢＣＨ関連パラメータのための異なる値を受信するＷＴＲＵ１０２は、とりわけ、そのＷＴＲＵクラス、ＷＴＲＵ能力、および／またはあらかじめ定義された基準など、異なるファクタに従って、１つの値を選ぶことができる。
【０３５２】
５．１または複数のｅＰＢＣＨ関連パラメータのための異なる値を受信するＷＴＲＵ１０２は、受信された信号、例えば、シングル対雑音および干渉比（ＳＩＮＲ）のより高い品質に関連付けられた１つの値を選ぶことができる。
【０３５３】
重複する物理リソースをもつセル
部分的におよび／もしくは完全に重複するカバレージエリア、ならびに／または、部分的におよび／もしくは完全に重複する物理リソースをもつ、少なくとも２つのセルを有するために、以下の機構のうちの１つまたは組合せが使用され得る。
【０３５４】
１．同じｅノードＢ１６０に対応し得る、２またはそれ以上のセルは、とりわけ、ＰＲＢおよび／またはサブフレームなど、一部または全部の物理リソースを共有することができる。
【０３５５】
２．同じｅノードＢ１６０に対応し得る、２またはそれ以上のセルのカバレージエリアは、完全にまたは部分的に重複し得る。
【０３５６】
３．同じｅノードＢ１６０に対応し得る、２またはそれ以上のセルは、同じＰＳＳ／ＳＳＳ信号を有し得る。
【０３５７】
４．ＷＴＲＵ１０２は、同じセットのＰＳＳ／ＳＳＳを使用して、２以上のセルの情報を獲得することができる。
【０３５８】
５．ＷＴＲＵ１０２は、ＰＳＳ／ＳＳＳ信号のセットの受信時に、２以上のセルＩＤを導出することができる。
【０３５９】
６．ＷＴＲＵ１０２は、セルＩＤに応じたものであり得る、ｅＰＢＣＨの時間および／または周波数ロケーションを判断することができる。
【０３６０】
７．ＷＴＲＵ１０２は、セルＩＤに応じて、１つの候補ｅＰＢＣＨ  ＤＭＲＳアンテナポート、または複数の候補ｅＰＢＣＨ  ＤＭＲＳアンテナポートを判断することができる。
【０３６１】
８．ＷＴＲＵ１０２は、ＰＳＳ／ＳＳＳのセットから、１つのセルＩＤを導出することができ、導出されたセルＩＤを含むいくつかのパラメータに応じて、少なくとも２以上のセルのセルＩＤを判断することができる。
【０３６２】
１つの代表的な実施形態では、セルは、２またはそれ以上のロケーション（例えば、混雑したロケーション）をカバーすることができ、ただし、これらの２つのロケーションは、近い近傍になくてもよい。セルは、２またはそれ以上の異なるＤＭＲＳアンテナポート（例えば、アンテナポート７および８）上で、同じｅＰＢＣＨ情報を送信することができる。各アンテナポートは、ＰＲＢのいくつかのＲＥに関連付けられてもよく、ただし、割り当てられたセットのＲＥは重複しなくてもよい。各アンテナポートは、ｅＰＢＣＨをいくつかのロケーション（例えば、混雑したロケーション）へ送信するために使用されてもよく、ただし、そのアンテナポート上のｅＰＢＣＨの送信は、そのロケーションの（例えば、ロケーションをカバーする）ために最適化され得る。一例として、セルは、関連付けられたロケーションのためのビームフォーミングを実行するために、適したプリコーダ行列を選ぶことができ、それは、そのロケーションにおけるＷＴＲＵ１０２によるｅＰＢＣＨの受信を改善（例えば、したがって改善）することができる。ＷＴＲＵ１０２が、１つのアンテナポートから信号を見る（例えば、そのようにのみ見る）場合、それは、そのアンテナポートのｅＰＢＣＨ情報を復号し、ＷＴＲＵとのさらなる通信のために信号を使用することができる。両方のアンテナポート上でｅＰＢＣＨ情報を見ることができる、あるロケーションにおけるＷＴＲＵ１０２は、より強い受信された信号に関連付けられたｅＰＢＣＨを選ぶことができ、および／または、検出可能な（例えば、すべての検出可能な）ＤＭＲＳアンテナポートから受信された信号を考慮して、結合検出を実行することができる。
【０３６３】
別の代表的な実施形態では、セルは、ＷＴＲＵ１０２の２つの異なるカテゴリをカバーすることができ、ただし、一方のＷＴＲＵカテゴリは、限定された帯域幅（例えば、８個のＲＢ）をサポートすることができ（例えば、そのようにのみサポートすることができ）、他方のＷＴＲＵカテゴリは、全帯域幅（例えば、２０個のＲＢ）をサポートすることができる。セルは、２つの異なるＤＭＲＳアンテナポート（例えば、アンテナポート７および８）上で、２つのセットのｅＰＢＣＨ関連情報を送信することができる。ｅＰＢＣＨを含有するか、または含む、ＰＲＢにおけるＲＥのうちのいくつかは、ＤＭＲＳアンテナポート７に関連付けられてもよく、いくつかの他のものは、ＤＭＲＳアンテナポート８に関連付けられてもよい。ＷＴＲＵ１０２は、それがその特定のＤＭＲＳアンテナポートを使用することを試行するか、または試すとき、各アンテナポートに関連付けられたＲＥを調べる（例えば、そのようにのみ調べる）ことができる。アンテナポート７上で送信されたｅＰＢＣＨは、６ＰＲＢ帯域幅をもつセルについて広告することができるのに対して、アンテナポート８上で送信されたｅＰＢＣＨは、２０ＰＲＢ帯域幅をもつセルについて広告することができる。各ＷＴＲＵ１０２は、両方のアンテナポート上でｅＰＢＣＨパラメータを検出することができ、復号することができる。最大８個のＰＲＢをサポートするＷＴＲＵのカテゴリに属するＷＴＲＵ１０２は、６個のＰＲＢおよび２０個のＰＲＢの両方の値を見ることができる。ＷＴＲＵ１０２は、例えば、そのセルとの通信の部分および／または残部のために、６個のＰＲＢの帯域幅を仮定（または、確立）することができる。最大２０個のＰＲＢをサポートするＷＴＲＵのカテゴリに属するＷＴＲＵ１０２は、６個のＰＲＢおよび２０個のＰＲＢの両方の値を見ることができ、そのセルとの通信の部分および／または残部のために、２０個のＰＲＢの帯域幅を仮定または確立することができ、その理由は、それがより高い帯域幅をサポートすることができるからである。
【０３６４】
別の実施形態では、ｅノードＢ１６０は、２つの異なるセル、および、よってセルＩＤを使用して、完全にまたは部分的に重複するカバレージエリアをカバーすることができる。これらの２つのセルは、例えば、いくつかの重複する時間および／または周波数リソースを使用することができる。一例として、一方のセルは、２０個のＰＲＢの帯域幅を有してもよく、他方のセルは、第１のセルの中心にロケートされた６個のＰＲＢの帯域幅を有してもよい。両方のセルは、それらのそれぞれのｅＰＢＣＨのブロードキャスティングのために、同じまたは重複するＰＲＢを使用することができる。２つのセルは、それらのｅＰＢＣＨブロードキャスティングのために、異なるＤＭＲＳアンテナポートを使用することができる。ｅＰＢＣＨの各々は、重複するｅＰＢＣＨ  ＰＲＢにおけるＲＥのサブセットに関連付けられ得る。１つのセット（例えば、ただ１つのセット）のＰＳＳ／ＳＳＳが、ブロードキャストされ得る。ＷＴＲＵ１０２は、１つのセット（例えば、ただ１つのセット）のＰＳＳ／ＳＳＳを見ることができる。ＷＴＲＵ１０２は、受信されたＰＳＳ／ＳＳＳ信号から、２つのセルＩＤを導出することができる。ＷＴＲＵ１０２は、ＰＳＳ／ＳＳＳから１つのセルＩＤを検出することができ、ＷＴＲＵ１０２は、１またはいくつかのファクタ（例えば、第１のセルＩＤに応じたものなど）に応じて、第２のセルＩＤを導出することができる。ＷＴＲＵ１０２は、両方のセルのｅＰＢＣＨを検出することができる。ＷＴＲＵ１０２は、とりわけ、そのＷＴＲＵクラス、および／またはＷＴＲＵカテゴリに従って、セルに接続することができる。一例として、６個のＰＲＢよりも多くをサポートすることができないＷＴＲＵ１０２は、６個のＰＲＢの帯域幅をもつセルに接続することを選ぶことができる。
【０３６５】
代表的な方法
図１８は、一実施形態による、ｅＰＢＣＨの受信をサポートするための例示的な方法１８００を示すフロー図である。方法１８００は、図１Ａ〜１Ｅの例示的な通信システムを参照しながら説明される。方法１８００は、他のアーキテクチャを使用して、同様に遂行され得る。
【０３６６】
ブロック１８０２で、セルによってサービスされるＷＴＲＵ１０２が、ＷＴＲＵ制御のための基本情報を含む、ｅＰＢＣＨを受信することができる。ブロック１８０４で、ＷＴＲＵ１０２が、復調基準信号（ＤＭＲＳ）に基づいて、ｅＰＢＣＨを復調することができる。
【０３６７】
いくつかの実施形態では、ＷＴＲＵ１０２は、（１）プライマリ同期信号（ＰＳＳ）、（２）セカンダリ同期信号（ＳＳＳ）、および／または（３）セル固有基準信号（ＣＲＳ）のうちのいずれかに基づいて、ｅＰＢＣＨを復調することができる。
【０３６８】
ＷＴＲＵ１０２が単一または複数のＤＭＲＳに基づいてｅＰＢＣＨを復調する、いくつかの実施形態では、ＷＴＲＵ１０２は、ｅＰＢＣＨ復調のための１つのＤＭＲＳポートまたは複数のＤＭＲＳポートを、（１）あらかじめ定義された、および／もしくはあらかじめ構成されたＤＭＲＳポート、または（２）セルＩＤ、ＰＳＳインデックス、および／もしくはＳＳＳインデックスに応じたもの、ならびに（３）あらかじめ定義されたセットのＤＭＲＳポートの中からのＤＭＲＳポートのブラインド検出のうちの１つに従って、判断することができる。
【０３６９】
ＷＴＲＵ１０２が複数のＤＭＲＳに基づいてｅＰＢＣＨを復調する、いくつかの実施形態では、ＷＴＲＵ１０２は、複数のＤＭＲＳポートのうちの１つを選択し、利用可能なセットのリソース要素を、ＤＭＲＳポートのうちの選択された１つに関連付け、ＤＭＲＳポートのうちの選択された１つを使用して、ＤＭＲＳポートのうちの選択された１つに関連付けられたリソース要素において、ｅＰＢＣＨを復調することができる。
【０３７０】
いくつかの実施形態では、ＷＴＲＵ１０２は、複数のサブフレームの１または複数のＲＢにおいて、ｅＰＢＣＨを受信し、（１）ｅＰＢＣＨのサブフレームロケーション、（２）ｅＰＢＣＨを搬送するＲＢのロケーション、（３）ｅＰＢＣＨコンテキストのために使用されるスクランブリング、および／または（４）サイクリック冗長検査（ＣＲＣ）に基づいて、ＳＦＮの少なくとも部分を判断することができる。
【０３７１】
いくつかの実施形態では、ｅＰＢＣＨは、（１）無線フレーム内の、１つのあらかじめ定義されたサブフレーム、もしくは、複数のあらかじめ定義されたサブフレーム、（２）無線フレームにおける位置が、セルＩＤに応じたものである、１つのサブフレームもしくは複数のサブフレーム、（３）無線フレームにおける位置が、動作のモードに応じたものである、１つのサブフレームもしくは複数のサブフレーム、または（４）無線フレームにおける位置が、フレーム番号もしくはＳＦＮに応じたものである、１つのサブフレームもしくは複数のサブフレームのうちのいずれかにおいて、１または複数のリソースブロックにマッピングされ得る。
【０３７２】
いくつかの実施形態では、ｅＰＢＣＨを搬送するＲＢのロケーションは、連続的に変化する。いくつかの実施形態では、特定のサブフレームのｅＰＢＣＨは、以下のいずれかにおいてロケートされてもよく、すなわち、（１）中心領域におけるＲＢ、（２）いくつかの近接した、もしくは分散されたＲＢ、（３）あらかじめ定義された帯域幅にわたって、（４）セルＩＤに応じて判断されたＲＢ、および／または（５）ブラインド検出によって判断されたＲＢである。
【０３７３】
いくつかの実施形態では、ＷＴＲＵは、サブフレームロケーションが無線フレーム内で可変であり得るサブフレームにおいて、ｅＰＢＣＨを復号することができる。いくつかの実施形態では、サブフレームロケーションの可変性は、セルＩＤに少なくとも部分的に基づき得る。いくつかの実施形態では、ロケーションは、サブフレーム番号によって識別されてもよく、および、それにおいて、サブフレーム番号は、（ｉ）ＳＦＮ、（ｉｉ）セルＩＤ、および（ｉｉｉ）二重タイプのうちの少なくとも１つに応じたものであり得る。
【０３７４】
図１９は、一実施形態による、複数のｅＰＢＣＨの送信をサポートするための例示的な方法１９００を示すフロー図である。方法１９００は、図１Ａ〜１Ｅの例示的な通信システムを参照しながら説明される。方法１９００は、他のアーキテクチャを使用して、同様に遂行され得る。
【０３７５】
ブロック１９０２で、近接したセルが、異なるサブフレーム、および、それぞれのサブフレームのＲＢにおける異なるロケーションのいずれかにおいて、異なるｅＰＢＣＨを送信するように構成され得る。ブロック１９０４で、ｅＰＢＣＨのためのサブフレームロケーション、ｅＰＢＣＨを搬送するＲＢにおける異なるロケーション、ｅＰＢＣＨコンテキストのために使用されるスクランブリング、および／またはＣＲＣのうちのいずれかが、判断され得る。ブロック１９０６で、ｅＰＢＣＨが判断に基づいて生成され得る。および、ブロック１９０８で、ｅＰＢＣＨがＲＢにおいて送信され得る。
【０３７６】
図２０は、一実施形態による、ｅＰＢＣＨの送信をサポートするための例示的な方法２０００を示すフロー図である。方法２０００は、図１Ａ〜１Ｅの例示的な通信システムを参照しながら説明される。方法２０００は、他のアーキテクチャを使用して、同様に遂行され得る。
【０３７７】
方法２０００は、ネットワークリソース（例えば、ｅノードＢ１６０）によって、セルに関連付けられたカバレージエリア内の２またはそれ以上の特定のロケーションの方へ、ｅＰＢＣＨ情報を導くために実装され得る。ブロック２００２で、ネットワークリソースが、ｅＰＢＣＨ情報を第１のＤＭＲＳポート上で送信すること、および、同じｅＰＢＣＨ情報を第２のＤＭＲＳポート上で送信することによって、ｅＰＢＣＨ情報をビームフォーミングすることができる。
【０３７８】
いくつかの実施形態では、２またはそれ以上の特定のロケーションは、互いからリモートであり得る。いくつかの実施形態では、第１のＤＭＲＳポートおよび第２のＤＭＲＳポートは、アンテナポート７および８であり得る。いくつかの実施形態では、ネットワークリソースによって遂行されるビームフォーミングは、ネットワークリソースが、２またはそれ以上のロケーションのうちの第１のものに従って、プリコーダ行列を選択し、選択されたプリコーダ行列を使用して、ｅＰＢＣＨ情報をプリコードすることを含み得る。いくつかの実施形態では、ネットワークリソースによって遂行される、第１のＤＭＲＳポート上のｅＰＢＣＨ情報の送信は、プリコードされたｅＰＢＣＨ情報を送信することを含み得る。
【０３７９】
いくつかの実施形態では、ネットワークリソースによって遂行されるビームフォーミングは、２またはそれ以上のロケーションのうちの第２のものに従って、別のプリコーダ行列を選択し、選択されたさらなるプリコーダ行列を使用して、同じｅＰＢＣＨ情報をプリコードすることを含み得る。いくつかの実施形態では、第２のＤＭＲＳポート上の同じｅＰＢＣＨ情報の送信は、プリコードされた同じｅＰＢＣＨ情報を送信することを含み得る。
【０３８０】
いくつかの実施形態では、ネットワークリソースは、特定の２またはそれ以上のロケーションのために最適化されるプリコーダ行列を選択することができる。
【０３８１】
図２１は、一実施形態による、ｅＰＢＣＨ情報の受信をサポートするための例示的な方法２１００を示すフロー図である。方法２１００は、図１Ａ〜１Ｅの例示的な通信システムを参照しながら説明される。方法２１００は、他のアーキテクチャを使用して、同様に遂行され得る。
【０３８２】
ブロック２１０２で、ＷＴＲＵ１０２が、第１のアンテナポートおよび／または第２のアンテナポートのいずれかから、ｅＰＢＣＨ情報を受信することができる。ブロック２１０４で、ＷＴＲＵ１０２が、第１のアンテナポートおよび／または第２のアンテナポートから受信されたｅＰＢＣＨ情報の一方または両方を選択することができる。ブロック２１０６で、ＷＴＲＵ１０２が、選択されたｅＰＢＣＨ情報を復号することができる。
【０３８３】
いくつかの実施形態では、ＷＴＲＵ１０２によって遂行される、ｅＰＢＣＨ情報の復号は、ＷＴＲＵ１０２が、第１のアンテナポートおよび第２のアンテナポートからのｅＰＢＣＨ情報の受信された信号のうちのより強いもののみを復号することを含み得る。いくつかの実施形態では、ＷＴＲＵ１０２によって遂行される、ｅＰＢＣＨ情報の復号は、ＷＴＲＵ１０２が、第１のアンテナポートおよび第２のアンテナポートからの受信されたｅＰＢＣＨ情報の結合検出を実行することを含み得る。
【０３８４】
図２２は、一実施形態による、ｅＰＢＣＨ関連情報の送信をサポートするための例示的な方法２２００を示すフロー図である。方法２２００は、図１Ａ〜１Ｅの例示的な通信システムを参照しながら説明される。方法２２００は、他のアーキテクチャを使用して、同様に遂行され得る。
【０３８５】
方法２２００は、ネットワークリソース（例えば、ｅノードＢ１６０）によって実装され得る。ネットワークリソースは、方法２２００を使用して、それに関連付けられるセルのカバレージエリア内である、１または複数のＷＴＲＵ１０２を構成することができる。ブロック２２０２で、ネットワークリソースが、第１のセットのｅＰＢＣＨ関連情報を第１のＤＭＲＳポート上で送信することができる。ブロック２２０４で、ネットワークリソースが、第２のセットのｅＰＢＣＨ関連情報を第２のＤＭＲＳポート上で送信することができる。
【０３８６】
いくつかの実施形態では、第１のＤＭＲＳポート上の第１のセットのｅＰＢＣＨ関連情報は、第１のタイプのＷＴＲＵ１０２に関連付けられた第１のセットの属性を含んでもよく、第２のＤＭＲＳポート上の第２のセットのｅＰＢＣＨ関連情報は、第２の、異なるタイプのＷＴＲＵ１０２に関連付けられた第２のセットの属性を含んでもよい。いくつかの実施形態では、第１のセットのｅＰＢＣＨ関連情報は、第２のセットのｅＰＢＣＨ関連情報によってサポートされた帯域幅よりも広い帯域幅をサポートすることができる。
【０３８７】
図２３は、一実施形態による、ｅＰＢＣＨ情報の受信をサポートするための例示的な方法２３００を示すフロー図である。方法２３００は、図１Ａ〜１Ｅの例示的な通信システムを参照しながら説明される。方法２３００は、他のアーキテクチャを使用して、同様に遂行され得る。
【０３８８】
ブロック２３０２で、ＷＴＲＵ１０２が、ネットワークリソースから、第１のセットのｅＰＢＣＨ関連情報および第２のセットのｅＰＢＣＨ関連情報を、それぞれ、第１のＤＭＲＳポートおよび第２のＤＭＲＳポート上で受信することができる。ブロック２３０４で、ＷＴＲＵ１０２が、第１のセットのｅＰＢＣＨ関連情報および第２のセットのｅＰＢＣＨ関連情報を復号することができる。ブロック２３０６で、ＷＴＲＵ１０２が、第１のセットのｅＰＢＣＨ関連情報または第２のセットのｅＰＢＣＨ関連情報のうちの１つを選択することができる。ブロック２３０８で、ＷＴＲＵ１０２が、第１のセットのｅＰＢＣＨ関連情報または第２のセットのｅＰＢＣＨ関連情報のうちの、選択された１つに従う動作のために、それ自体を構成することができる。
【０３８９】
ある実施形態では、ＷＴＲＵ１０２が第１のタイプのものである場合、ＷＴＲＵ１０２によって遂行される、第１のセットのｅＰＢＣＨ関連情報または第２のセットのｅＰＢＣＨ関連情報の選択は、ＷＴＲＵ１０２が第１のセットのｅＰＢＣＨ関連情報を選択することを含んでもよく、ＷＴＲＵ１０２が第２のタイプのものである場合、ＷＴＲＵ１０２によって遂行される、第１のセットのｅＰＢＣＨ関連情報または第２のセットのｅＰＢＣＨ関連情報の選択は、ＷＴＲＵ１０２が第２のセットのｅＰＢＣＨ関連情報を選択することを含んでもよい。
【０３９０】
いくつかの実施形態では、第１のタイプのＷＴＲＵ１０２は、第１の帯域幅能力を有し得る。いくつかの実施形態では、第２のタイプのＷＴＲＵ１０２は、第２の、より高い帯域幅能力を有し得る。
【０３９１】
図２４は、一実施形態による、ｅＰＢＣＨ関連情報の送信をサポートするための例示的な方法２４００を示すフロー図である。方法２４００は、図１Ａ〜１Ｅの例示的な通信システムを参照しながら説明される。方法２４００は、他のアーキテクチャを使用して、同様に遂行され得る。
【０３９２】
方法２４００は、ネットワークリソース（例えば、ｅノードＢ１６０）によって実装され得る。ネットワークリソースは、方法２４００を使用して、ネットワークリソースに関連付けられた複数のセルの重複するカバレージエリア内である、１または複数のＷＴＲＵ１０２を構成することができる。ブロック２４０２で、ネットワークリソースが、複数のセルのうちの第１のものについて、ｅＰＢＣＨ関連情報を第１のＤＭＲＳポート上で送信することができる。ブロック２４０４で、ネットワークリソースが、複数のセルのうちの第２のものについて、ｅＰＢＣＨ関連情報を第２のＤＭＲＳポート上で送信することができる。
【０３９３】
いくつかの実施形態では、複数のセルのうちの第１のものおよび第２のものに関連付けられたｅＰＢＣＨ関連情報は、等しいセットのプライマリ同期信号およびセカンダリ同期信号を含む。
【０３９４】
図２５は、一実施形態による、ｅＰＢＣＨ情報の受信をサポートするための例示的な方法２５００を示すフロー図である。方法２５００は、図１Ａ〜１Ｅの例示的な通信システムを参照しながら説明される。方法２５００は、他のアーキテクチャを使用して、同様に遂行され得る。
【０３９５】
ブロック２５０２で、ＷＴＲＵ１０２が、ネットワークリソースから、複数のセルのうちの第１のものおよび第２のものについて、ｅＰＢＣＨ関連情報を、それぞれ、第１のＤＭＲＳポートおよび第２のＤＭＲＳポート上で受信することができる。ブロック２５０４で、ＷＴＲＵ１０２が、複数のセルのうちの第１のものおよび第２のもののｅＰＢＣＨ関連情報を検出することができる。ブロック２５０６で、ＷＴＲＵ１０２が、ＷＴＲＵのタイプに基づいて、複数のセルのうちの第１のものまたは第２のもののうちの１つに接続することができる。
【０３９６】
いくつかの実施形態では、ＷＴＲＵ１０２は、受信された情報に基づいて、複数のセルのうちの第１のものおよび第２のもののセル識別情報を判断することができる。
【０３９７】
図２６は、一実施形態による、ｅＰＢＣＨ関連情報の送信をサポートするための例示的な方法２６００を示すフロー図である。方法２６００は、図１Ａ〜１Ｅの例示的な通信システムを参照しながら説明される。方法２６００は、他のアーキテクチャを使用して、同様に遂行され得る。
【０３９８】
方法２６００は、ネットワークリソース（例えば、ｅノードＢ１６０）によって実装され得る。ネットワークリソースは、方法２６００を使用して、ネットワークリソースに関連付けられた複数のセルの重複するカバレージエリア内である、１または複数のＷＴＲＵ１０２を構成することができる。複数のセルは、重複するリソースブロック（ＲＢ）を有し得る。
【０３９９】
ブロック２６０２で、ネットワークリソースが、複数のセルのうちの第１のセルおよび第２のセルについて、第１のｅＰＢＣＨ関連情報および第２のｅＰＢＣＨ関連情報を生成／確立することができる。第１のｅＰＢＣＨ関連情報および第２のｅＰＢＣＨ関連情報は、共通して同期信号のセットを有し得る。ブロック２６０４で、ネットワークリソースが、重複するＲＢにおいて、第１のｅＰＢＣＨ関連情報および第２のｅＰＢＣＨ関連情報を送信することができる。
【０４００】
いくつかの実施形態では、ネットワークリソースは、重複するＲＢにおいて、それぞれの第１のサブセットのリソース要素および第２のサブセットのリソース要素において、第１のｅＰＢＣＨ関連情報および第２のｅＰＢＣＨ関連情報を送信することができる。いくつかの実施形態では、ネットワークリソースは、それぞれの第１のＤＭＲＳポートおよび第２のＤＭＲＳポート上で送信される、第１のｅＰＢＣＨ関連情報および第２のｅＰＢＣＨ関連情報を送信することができる。
【０４０１】
いくつかの実施形態では、同期信号のセットは、プライマリ同期信号およびセカンダリ同期信号のセットのいずれかを含み得る。いくつかの実施形態では、第１のセルおよび第２のセルは、それぞれの第１の送信帯域幅および第２の送信帯域幅を有してもよく、第１の送信帯域幅は、第２の送信帯域幅を、全体において、または部分において包含する。いくつかの実施形態では、複数のセルのカバレージエリアは、第１のセルの第１のカバレージエリア、および、第２のセルの第２のカバレージエリアを含んでもよく、第１のカバレージエリアおよび第２のカバレージエリアは、部分的に重複する。いくつかの実施形態では、複数のセルの重複するカバレージエリアは、第１のセルの第１のカバレージエリア、および、第２のセルの第２のカバレージエリアを含んでもよく、第１のカバレージエリアは、第２のカバレージエリアに完全に重複するか、または、第２のカバレージエリアは、第１のカバレージエリアを完全に覆う。
【０４０２】
図２７は、一実施形態による、ｅＰＢＣＨ情報の受信をサポートするための例示的な方法２７００を示すフロー図である。方法２７００は、図１Ａ〜１Ｅの例示的な通信システムを参照しながら説明される。方法２７００は、他のアーキテクチャを使用して、同様に遂行され得る。
【０４０３】
方法２７００は、ネットワークリソースに関連付けられた複数のセルの重複するカバレージエリア内のＷＴＲＵ１０２によって実装されてもよく、ただし、複数のセルのうちの少なくとも第１のセルおよび第２のセルは、重複するＲＢを有する。ブロック２７０２で、ＷＴＲＵ１０２が、重複するＲＢにおいて受信された、第１のセルおよび第２のセルの、第１のｅＰＢＣＨ関連情報および第２のｅＰＢＣＨ関連情報のうちのいずれかから、同期信号のセットを受信することができる。受信された同期信号のセットは、第１のｅＰＢＣＨ関連情報と第２のｅＰＢＣＨ関連情報の両方に共通である。ブロック２７０４で、ＷＴＲＵ１０２が、同期信号のセットに少なくとも部分的に基づいて、第１のセルのセルＩＤを判断することができる。ある実施形態では、ブロック２７０６で、ＷＴＲＵ１０２が、第１のセルの判断されたセル識別子に少なくとも部分的に基づいて、第２のセルのセルＩＤを判断することができる。いくつかの実施形態では、ＷＴＲＵ１０２は、第１のｅＰＢＣＨ関連情報および第２のｅＰＢＣＨ関連情報のうちのいずれかを含む、１または複数のファクタに基づいて、第２のセルのセルＩＤを判断することができる。
【０４０４】
いくつかの実施形態では、第１のｅＰＢＣＨ関連情報および第２のｅＰＢＣＨ関連情報は、重複するＲＢにおいて、それぞれの第１のサブセットのリソース要素および第２のサブセットのリソース要素において受信される。いくつかの実施形態では、第１のｅＰＢＣＨ関連情報および第２のｅＰＢＣＨ関連情報は、それぞれの第１のＤＭＲＳポートおよび第２のＤＭＲＳポート上で受信される。
【０４０５】
いくつかの実施形態では、同期信号のセットは、プライマリ同期信号およびセカンダリ同期信号のセットのいずれかであり得る。いくつかの実施形態では、第１のセルおよび第２のセルは、それぞれの第１の送信帯域幅および第２の送信帯域幅を有する。いくつかの実施形態では、第１の送信帯域幅は、第２の送信帯域幅を、全体において、または部分において包含する。いくつかの実施形態では、複数のセルの重複するカバレージエリアは、第１のセルの第１のカバレージエリア、および、第２のセルの第２のカバレージエリアを含んでもよく、第１のカバレージエリアおよび第２のカバレージエリアは、部分的に重複する。いくつかの実施形態では、複数のセルの重複するカバレージエリアは、第１のセルの第１のカバレージエリア、および、第２のセルの第２のカバレージエリアを含んでもよく、第１のカバレージエリアは、第２のカバレージエリアに完全に重複するか、または、第２のカバレージエリアは、第１のカバレージエリアを完全に覆う。
【０４０６】
いくつかの実施形態では、ＷＴＲＵ１０２は、それぞれの第１の帯域幅および第２の帯域幅に少なくとも部分的に基づいて、第１のセルおよび第２のセルのうちのどちらを使用するべきかを判断することができる。いくつかの実施形態では、ＷＴＲＵ１０２は、（ｉ）それぞれの第１の帯域幅および第２の帯域幅、（ｉｉ）ＷＴＲＵクラス、ならびに（ｉｉｉ）ＷＴＲＵカテゴリのうちのいずれかに少なくとも部分的に基づいて、第１のセルおよび第２のセルのうちのどちらを使用するべきかを判断することができる。
【０４０７】
休止／アクティブセル動作
休止セルは、一般に、それにおいて目下、発生中であるＤＬ通信がないか、または比較的ない（例えば、休止している）セルを指すが、アクティブセルは、一般に、それにおいてＤＬ通信が目下、発生中である（例えば、アクティブである）セルを指す。いくつかの展開では、セルは、限定された地理的エリアにおいて密に展開され得る。そのようなセルは、常に均等にＷＴＲＵが詰め込まれているとは限らないことがあることが企図される。不要な干渉を低減し、および／または、省エネルギーを高めるために、セルは、２つの状態、すなわち、アクティブまたは休止のうちの１つにおいて動作することができる。休止はまた、いかなる同期信号およびＣＲＳ信号の送信もないことを暗示し得る。様々な実施形態では、どのセルが休止のままであるか、または休止のままであるべきであるか、および、どのセルがアウェイクされることになるか、またはアウェイクされるべきであるかを、特定のＷＴＲＵ分散に基づいて判断するために、手順が実装される。様々な実施形態では、代表的な方法が実装されてもよく、それによって、ＷＴＲＵは、休止セルの測定を行い、休止セルがアクティブ化されることになるか、アクティブ化され得るか、またはアクティブ化されるべきであるかを、ネットワークが判断することを可能にすることができる。
【０４０８】
休止セル非周期信号
休止セルは、近くのＷＴＲＵが測定を取ることを可能にする、非周期信号またはバーストを送信することができる。ＷＴＲＵ１０２は、そのサービングセルによって、近くのセルのワンショット（例えば、１回限りの）測定を取るように構成され得る。ＷＴＲＵ１０２は、それにおいてそれが近くの休止セルの測定を取ることができる（例えば、測定を取る必要があり得る）、リソースのセットで構成され得る。そのような構成は、より高いレイヤシグナリング（すなわち、ＲＲＣシグナリング）を介して実装され（例えば、行われ）てもよく、または、ＰＨＹレイヤシグナリングによってより動的に実装され（行われ）てもよい。構成は、（ｉ）ＳＦＮ、サブフレーム、タイムスロット、および／もしくはＯＦＤＭシンボルに関する、非周期信号のタイミング、（ｉｉ）ＰＲＢ、サブバンド、もしくはサブキャリアのリストに関する、非周期信号の帯域、（ｉｉｉ）ＺＣもしくはＧｏｌｄシーケンス、および任意の適したサイクリックシフトなど、非周期信号のために使用されるシーケンス、ならびに／または（ｉｖ）および直交カバーコードのうちの、少なくとも１つを含み得る。
【０４０９】
ＷＴＲＵ１０２は、それにおいてそれが測定を取るようにトリガされ得る、複数のセットのリソースで構成され得る。そのようなトリガリングは、ＰＨＹレイヤシグナリングを介して実装され（行われ）得る。例えば、既存のＤＣＩは、ＷＴＲＵ１０２に、どのセットのリソースをそれがその次の測定レポートのために使用するべきであるかを指示する、ビットフィールドを含むように修正され得る。様々な実施形態では、測定のためにｅノードＢ１６０によってトリガされるとき、ＷＴＲＵ１０２は、適したセットのリソースを（明示的に、または、あらかじめ構成されたセットのリソースにマップするビットフィールドによってのいずれかで）指示することができる。
【０４１０】
休止セルの非周期信号において測定を取るとき、ＷＴＲＵ１０２は、信号があらかじめ判断されたセットの品質基準を満足する場合（例えば、その場合のみ）、測定レポートをフィードバックすることができる。様々な実施形態では、ＷＴＲＵ１０２は、実際の測定をレポートしなくてもよい。様々な実施形態では、レポートは、サービングセルに、それが構成されたリソースにおいて信号を検出することができたかどうかを知らせる、簡単な指示（例えば、単一のビット）を含み得る。例えば、ＷＴＲＵ１０２は、しきいで構成されてもよく、測定がしきいを超える場合、ＷＴＲＵ１０２は、肯定指示をそのサービングセルへ送ることができる。
【０４１１】
セル間トリガリングおよび非周期信号の構成
非周期信号は、一般に、非周期的に（例えば、定期的な周期性なしに）送られた、または送信された信号を指すが、また、例えば、１回限りの信号として送られた信号をも企図する。
【０４１２】
これらの非周期信号構成は、制御セル（休止スモールセルの場合、マクロセルなど）によって、休止セルごとにあらかじめ構成されてもよく、または、例えば、セルＩＤに応じて（例えば、セルＩＤに応じて暗示的に）判断されてもよい。様々な実施形態では、セルは、その休止状態非周期信号のためのリソース構成を判断する（例えば、独立して判断する）ことができ、その隣接するセル、クラスタ、および／またはそのマクロセルのうちの一部または全部に、その選ばれた構成を知らせることができる。制御セルまたは任意のネイバーセルは、休止ネイバーセルに、あらかじめ構成されたリソースを使用して、非周期信号をトリガするように尋ね、要求し、および／または求めることができる。このトリガリングは、Ｘ２インターフェースシグナリングを介して行われ得る。様々な実施形態では、非周期シグナリングのために、休止している第２のセルをトリガする第１のセルもまた、その所望された非周期シグナリング構成を含み得る。休止セルは、提案された（所望された）非周期シグナリング構成を使用することができ、または使用することが必要とされてもよく、肯定応答信号を、例えば、Ｘ２インターフェースを介して、第１のセルへ送り、休止セルが非周期信号をトリガすることになることを指示することができる。様々な実施形態では、休止セルは、第１のセルに、例えば、Ｘ２インターフェースを介して、それが別のリソース構成を使用して非周期シグナリングを実行することになるか、または実行するようになることを、肯定応答することができる。休止セルの所望された非周期信号リソース構成は、肯定応答メッセージにおいて指示（例えば、明示的に指示）されてもよく、または、ビットフィールドが、可能なリソース構成のあらかじめ構成されたリストにリンクしてもよい。
【０４１３】
非周期信号リソース構成は、信号の複数の送信を含んでもよく、（例えば、したがって）複数の時間インスタンスにわたって送信され得る。一実施形態では、それにわたって非周期信号が送信され得る時間期間は、構成の部分であり得る。様々な実施形態では、休止セルは、それが、例えば、Ｘ２インターフェースを介して、そのような送信を停止するように命令および／またはコマンドされるまで、非周期信号を送信することができる。
【０４１４】
ＷＴＲＵによりトリガされた休止セル非周期信号：トリガ機構
ＷＴＲＵ１０２は、手順を実行し、および／または、１もしくはいくつかの信号を送信するように、ネイバーｅノードＢ１６０をトリガすることができる。そのようなｅノードＢ１０２の一例は、休止状態にあるｅノードＢであり得る。
【０４１５】
ＷＴＲＵ１０２は、以下のうちの１つまたは組合せに従って、ＰＲＡＣＨ送信を始動することによって、送信（複数可）を始動するように、一部または全部のネイバーｅノードＢ１６０、例えば、ネイバー休止セルをトリガすることができる。
【０４１６】
１．ＷＴＲＵ１０２は、ＰＲＡＣＨを、例えば、ＷＴＲＵが接続される先のｅノードＢによって構成され得る、１または複数の予約されたＰＲＡＣＨリソースにおいて送信することができる。これらのＰＲＡＣＨリソースは、ネイバーセル、例えば、隣接する休止セルによって監視され得る。
【０４１７】
２．ＷＴＲＵ１０２は、このトリガリングの目的のために使用されることになる、（ネイバーセル、例えば、隣接する休止セルによって監視され得る）ＰＲＡＣＨリソースのサブセットの指示を、例えば、それが接続される先のｅノードＢ１６０から、暗示的におよび／または明示的に受信することができる。この場合、ＷＴＲＵ１０２は、そのようなリソースが新しいｅノードＢ１６０へのアクセスのために使用されなくてもよく、ｅノードＢの送信および／またはイベントをトリガ（例えば、そのようにのみトリガ）することになり得ることを、知ることができ、または仮定することができる。
【０４１８】
３．ＷＴＲＵ１０２は、このトリガリングの目的のために使用されることになる、（ネイバーセル、例えば、隣接する休止セルによって監視され得る）ＰＲＡＣＨリソースを含むか、または含有する、サブフレームのサブセットを、例えば、それが接続される先のｅノードＢ１６０から、暗示的におよび／または明示的に受信することができる。この場合、ＷＴＲＵ１０２は、これらのサブフレームにおけるＰＲＡＣＨリソースが新しいｅノードＢ１６０へのアクセスのために使用されなくてもよく、ｅノードＢの送信および／またはイベントをトリガ（例えば、そのようにのみトリガ）することになり得ることを、知るか、または仮定することができる。
【０４１９】
４．ＰＲＡＣＨトリガの送信時に、ＷＴＲＵ１０２は、ＰＲＡＣＨの送信に対応する一部または全部のＬＴＥ  Ｒｅｌ−１０応答信号を予想しないことがある。
【０４２０】
ｅノードＢ１６０が、例えば、ＷＴＲＵ１０２によって始動された、トリガを受信すると、ｅノードＢ１６０は、手順を実行し、および／または、信号のうちの１つ、一部もしくは全部を送信することができる。ネイバーｅノードＢ１６０、例えば、隣接する休止セルのうちの１つ、一部または全部をトリガする目的のために、ＷＴＲＵ１０２に対して構成されたＰＲＡＣＨリソースのセットは、プリアンブルシーケンス、ＰＲＡＣＨリソース（サブフレームおよび／またはＰＲＢなど）、ならびにＷＴＲＵ送信電力のうちの、少なくとも１つを含み得る。
【０４２１】
ＷＴＲＵによりトリガされた休止セル非周期信号：いつトリガすべきか
ＷＴＲＵ１０２は、以下のうちの１つまたは組合せに従って、ＰＲＡＣＨトリガを始動することができ、すなわち、（ｉ）ＷＴＲＵ１０２が、ＰＲＡＣＨトリガリングを始動するために、それが接続される先のｅノードＢ１６０から、明示的および／または暗示的な要求を受信することができること、ならびに（ｉｉ）ＷＴＲＵが、その測定および／もしくはトラフィック条件、またはある他のトリガリングイベントに応じて、ＰＲＡＣＨトリガを始動することができることである。
【０４２２】
ＷＴＲＵによりトリガされた休止セル非周期信号：トリガ後のＷＴＲＵ予想
ＷＴＲＵ１０２によるＰＲＡＣＨトリガの送信時に、ＷＴＲＵ１０２は、以下のうちの１つまたは組合せを使用して、特定の物理リソース、例えば、サブフレーム、ＰＲＢ、および／またはＯＦＤＭシンボルにおいて、いくつかの測定を実行することができる。
【０４２３】
１．ＷＴＲＵ１０２は、信号の１つまたはセットを、例えば、単一の知られている信号、または、知られている信号のセットの中からの信号として、ブラインド探索、検出および／または測定することができる。
【０４２４】
２．ＷＴＲＵ１０２は、測定されることになる信号のサブフレームおよび／または時間ロケーションを、とりわけ、ＰＲＡＣＨトリガ送信のために使用されるサブフレームおよび／もしくはＰＲＡＣＨリソース、ならびに／またはシステム帯域幅など、いくつかのファクタに応じて判断することができる。
【０４２５】
３．ＷＴＲＵ１０２は、測定されることになる信号の帯域、例えば、ＰＲＢおよび／またはＯＦＤＭシンボルを、とりわけ、ＰＲＡＣＨトリガ送信のために使用されるサブフレームおよび／もしくはＰＲＡＣＨリソース、ならびに／またはシステム帯域幅など、いくつかのファクタに応じて判断することができる。
【０４２６】
ＷＴＲＵ１０２によって始動された単一のＰＲＡＣＨトリガのために、ＷＴＲＵ１０２は、例えば、同じまたは異なる物理リソースにおいて、いくつかの測定を実行することができる。これらのリソースは、サービングｅノードＢ１６０によってあらかじめ構成されていてもよく、および／または、サービングｅノードＢのセルＩＤに応じたものであってもよい。様々な実施形態では、ＷＴＲＵ１０２が非周期信号のトリガ時に測定することができ、測定することになり、または測定するべきである、信号のために使用されるリソースは、サービングｅノードＢ１６０のより高いレイヤシグナリングによって構成され得る。様々な実施形態では、ＷＴＲＵ１０２が非周期信号のトリガ時に測定することができ、測定することになり、または測定するべきである、信号のために使用されるリソースは、ＷＴＲＵ１０２に、例えば、ＰＲＡＣＨトリガリングを実行するためのサービングｅノードＢコマンドにおいて、動的に指示され得る。
【０４２７】
図２８は、一実施形態による、休止セル動作をサポートするための例示的な方法２８００を示すシーケンスフロー図である。２８０２で、マクロセルが、ＷＴＲＵへ、スモールセル非周期信号送信の構成を送信することができる。２８０４で、マクロセルが、第１のスモールセルへ、非周期信号送信のための要求を送ることができる。２８０６で、マクロセルが、第２のスモールセルへ、非周期信号送信のための要求を送ることができる。２８０８で、第１のスモールセルが、ＷＴＲＵへ、第１の非周期信号送信を送ることができる。２８１０で、第２のスモールセルが、ＷＴＲＵへ、第２の非周期信号送信を送ることができる。２８１２で、ＷＴＲＵが、マクロセルへ、第１の非周期信号送信および第２の非周期信号送信のうちの一方または両方に関連付けられた測定を含む、非周期信号測定レポートを送ることができる。２８１４で、マクロセルが、第２のスモールセルへ、アクティブ化するための要求を送ることができる。アクティブ化するための要求は、非周期信号測定レポートに基づいて生成され、ならびに／または、非周期信号測定レポートに基づいて、および／もしくはそれに応答して送られ得る。
【０４２８】
ＷＴＲＵによりトリガされた休止セル非周期信号：ＷＴＲＵ測定レポート
ＷＴＲＵ１０２によるＰＲＡＣＨトリガの送信、および、ＷＴＲＵ１０２による対応する測定（複数可）の実行の後、またはそれに後続して、ＷＴＲＵ１０２は、以下のうちの１つまたは組合せを使用して、測定（複数可）の指示をその接続されたｅノードＢ１６０へ送信することができ、すなわち、（ｉ）ＷＴＲＵ１０２が、測定レベルをｅノードＢ１６０に知らせることができること、（ｉｉ）ＷＴＲＵ１０２が、測定があるしきいよりも高い（例えば、しきい条件を満足する）かどうか（および／または、いつそうであるか）を、ｅノードＢ１６０に知らせることができること、（ｉｉｉ）ＷＴＲＵ１２０が、あらかじめ構成された、および／またはあらかじめ判断されたしきいよりも高い（例えば、あらかじめ構成された、またはあらかじめ判断されたしきい条件を満足する）測定を、ｅノードＢ１６０に知らせることができること、（ｉｖ）ＷＴＲＵ１０２が、測定された（例えば、検出された）信号のタイプおよび／またはコンテキストを、ｅノードＢ１６０に知らせることができること、ならびに（ｖ）ＷＴＲＵ１０２が、測定された（例えば、検出された）信号のロケーション（例えば、とりわけ、緯度、経度および／または高度）を、ｅノードＢ１６０に知らせることができることである。
【０４２９】
図２９は、一実施形態による、休止セル動作をサポートするための例示的な方法２９００を示すシーケンスフロー図である。２９０２で、マクロセルが、ＷＴＲＵへ、スモールセル非周期信号送信の構成を送信することができる。２９０４で、ＷＴＲＵが、第１のスモールセルおよび第２のスモールセルへ、非周期信号送信のためのそれぞれの要求を送ることができる。２９０６で、第１のスモールセルが、ＷＴＲＵへ、第１の非周期信号送信を送ることができる。２９０８で、第２のスモールセルが、ＷＴＲＵへ、第２の非周期信号送信を送ることができる。２９１０で、ＷＴＲＵが、マクロセルへ、第１の非周期信号送信および第２の非周期信号送信のうちの一方または両方に関連付けられた測定を含む、非周期信号測定レポートを送ることができる。２９１２で、マクロセルが、第１のスモールセルへ、アクティブ化するための要求を送ることができる。アクティブ化するための要求は、非周期信号測定レポートに基づいて生成され、ならびに／または、非周期信号測定レポートに基づいて、および／もしくはそれに応答して送られ得る。
【０４３０】
休止セル周期信号
休止セルは、それにおいてＷＴＲＵが測定を取ることができる周期信号を送信することができる。ＷＴＲＵ１０２は、休止セルを測定するために、測定リソースで構成され得る。そのようなリソース構成は、とりわけ、（ｉ）例えば、ＳＦＮ、サブフレーム、タイムスロット、および／もしくはＯＦＤＭシンボル（例えば、周期性、ならびに初期オフセットを含む）に関する、周期信号のタイミング、（ｉｉ）例えば、ＰＲＢ、サブバンド、および／もしくはサブキャリアのリストに関する、周期信号の帯域、（ｉｉｉ）ＺＣシーケンスおよび／もしくはＧｏｌｄシーケンス、および任意の適したサイクリックシフトなど、周期信号のために使用される１もしくは複数のシーケンス、ならびに／または（ｉｖ）１もしくは複数の直交カバーコードのうちの、少なくとも１つを含み得る。
【０４３１】
ＷＴＲＵ１０２はまた、休止セルのための１または複数の測定レポートをトリガするために、１または複数のしきいで構成され得る。休止セルのためのしきい（複数可）は、アクティブセルのためのしきいとは異なり得ることが企図される。
【０４３２】
休止セルの数を限定するために、ＷＴＲＵ１０２は、（例えば、クラスタ内の）複数の休止セルを監視することができ、休止セルは、同じリソース構成を使用して、同じ周期信号を送信することができる。様々な実施形態では、地理的エリアまたはクラスタ（例えば、セルの集合であり、その一部または全部が休止であり得る）内の休止セルの一部または全部（例えば、実質的に全部）は、ＳＦＮ（単一周波数ネットワーク）方法において、リソースのセット上で周期信号（例えば、共通周期信号）を送信することができる。ＷＴＲＵ１０２は、そのようなクラスタ固有の周期信号を測定することができ、信号強度が、しきい（例えば、とりわけ、あらかじめ構成されたしきい、クラスタ固有の周期信号しきい、および／または、あらかじめ構成されたクラスタ固有の周期信号しきい）よりも大きい場合、ＷＴＲＵ１０２は、そのサービングｅノードＢ１６０へ、測定の値、または、しきい条件が満たされる（例えば、満足された）という指示のいずれかを、レポートすることができる。
【０４３３】
様々な実施形態では、休止セルの一部または全部（例えば、実質的に全部）は、クラスタ固有の周期信号のリソース構成を共有することができる。様々な実施形態では、特定の休止セル（例えば、各特定の休止セル）は、クラスタ固有の周期信号のために使用されるリソースのサブセット上で実際に（例えば、そのようにのみ実際に）送信することができる。例えば、クラスタ固有の周期信号は、あらゆるフレームの第１のサブフレームにおいて送信され得る。セルの各々、または各セルは、フレームのサブセットにおいて（例えば、フレームのサブセットにおいてのみ）、周期信号を送信するように構成され得る。これは、いずれか１つのフレームにおいて送信することができるセルの数を限定し、ＷＴＲＵ１０２における信号の遅延拡散を低減することができる。
【０４３４】
ＷＴＲＵ１０２は、どの１つのセルまたは複数のセルを、それが任意の時間インスタンスにおいて測定中であり得るかに、気づいていないことがある。例えば、１または複数の測定レポートのトリガリングは、クラスタ固有の周期信号のためのしきいに依存し得る。セル（例えば、各セル）によって使用されるリソースのサブセットは、ネットワークによって構成されてもよく、または、休止セル（例えば、個別に、各休止セル）によって選ばれてもよい。
【０４３５】
測定レポートの受信時のサービングセルアクション
測定レポートの受信時に（例えば、実際の測定であるか、測定がしきいのために十分であり、および／またはしきいを超えたという指示であるかにかかわらず）、サービングセルは、例えば、Ｘ２インターフェースを介して、適したクラスタ内の一部または全部の休止セルへ、セルのうちの少なくとも１つがアクティブ状態に切り替えることができ、および／または切り替える必要があり得ることを、指示することができる。様々な実施形態では、そのような指示は、セル固有の非周期信号を送るように、休止セルをトリガすることができる。ＷＴＲＵ１０２は、適したリソースで構成されることを予想（例えば、次いで予想）してもよく、および／もしくは構成されてもよく、ならびに／または、セル固有の非周期信号を測定するように動的にトリガされることを予想してもよく、および／もしくはトリガされてもよい。ＷＴＲＵ１０２は、適した測定を、ネットワークならびに／またはネットワークリソース（そのサービングセル、および／もしくは、そのサービングｅノードＢなど）へフィードバックすることができる。
【０４３６】
様々な実施形態では、ＷＴＲＵ１０２は、それが、そのレポート基準を満足してレポートをトリガした信号を取得したところの、リソースのサブセットについての具体的な詳細を指示することができる。そのような場合、サービングセルは、アクティブ状態に切り替えるように、および／または、非周期信号を送信するように、特定のセルに要求することが可能であり得る。
【０４３７】
休止状態に切り替えるための要求
サービングセルは、近くのアクティブセルの測定をレポートするように、ＷＴＲＵ１０２をトリガすることができる。測定は、適したＣＳＩプロセス構成を介して、ＲＳＲＰ／ＲＳＲＱであってもよく、または、物理レイヤ測定であってもよい。１つの測定レポートまたは複数の測定レポートに基づいて、セルは、そのＷＴＲＵのうちの１または複数が、ネイバーセルによって引き起こされた干渉のために損害を被っている（例えば、それとともに干渉されている）と判断することができる。第１のセルは、近くの第２のセル（または、隣接するセル）に、例えば、Ｘ２インターフェースを介して、第１のセルに関連付けられたかまたは第１のセルによってサービスされるＷＴＲＵが干渉から損害を被っていることがあるか、または被っていることを、指示することができる。指示は、（例えば、特定のしきいより上の）大きい干渉を有するリソースのセット（例えば、それとともに大幅に干渉されるＷＴＲＵ）、および／または、第１のセルがそのようなＷＴＲＵをスケジュールすることを意図しているところのリソースのセットを含み得る。様々な実施形態では、第１のセルは、第２のセルに（例えば、Ｘ２インターフェースまたはそれ以外を介して）、可能な場合、第２のセルが休止状態になることになるか、および／または、休止状態になる（例えば、移行する）べきであることを、指示することができる。そのような指示はまた、第２のセルに、第２のセルが第２のセルのＷＴＲＵを第１のセルへハンドオフすることができることを、指示することもできる。例えば、第２のセルによって現在サービスされているＷＴＲＵは、第１のセルへ移行し（例えば、ハンドオフされ）得る。ハンドオフは、第１のセルから第２のセルへのものであってもよく、またはその逆も同様であることが企図される。
【０４３８】
第２のセルは、例えば、それが干渉を予想することができる（もしくは、予想しないことがある）ところのリソースのサブセットを提供することによって、または、それ（例えば、第２のセル）が休止状態に切り替えることになるか、もしくは切り替えるようになるかどうかを指示することによって、第１のセルの要求に肯定応答することができる。
【０４３９】
休止セルＲＡＣＨ応答およびＷＴＲＵ挙動
ＰＲＡＣＨプリアンブルの受信時の休止セル挙動
ＰＲＡＣＨの成功した受信時、使用されたＰＲＡＣＨリソース（プリアンブル、時間／周波数リソース、および／または、サブフレーム／フレーム番号など）に基づいて、休止セルは、ＷＴＲＵを構成した第１のセルの識別情報を判断して、休止セルＰＲＡＣＨを実行することができる。休止セルは、Ｘ２シグナリングを使用して、第１のセルに、休止セルがＰＲＡＣＨプリアンブルを成功裏に受信することができたことを指示することができる。さらに、それは、第１のセルに、ＰＲＡＣＨプリアンブルの受信電力を指示することができる。これは、複数の休止セルが同じＷＴＲＵ１０２からＰＲＡＣＨプリアンブルを受信した場合、第１のセルによって使用され得る。休止セルは、いくつかのシナリオにおいて、例えば、休止セルが、ＷＴＲＵ１０２がＰＲＡＣＨ送信のために使用する送信電力に気づかされる場合、休止セルリンクへのＷＴＲＵ１０２の経路損失を判断することができる。ＷＴＲＵ１０２の送信電力は、休止セルＲＡＣＨのための構成に基づいて、休止セルにおいて知られ（例えば、明示的に知られ）得る。様々な実施形態では、ＰＲＡＣＨプリアンブル選択および／またはリソースは、特定のＷＴＲＵ送信電力に結び付けられ（例えば、暗示的に結び付けられ）得る。休止セルは、どのＰＲＡＣＨ構成が使用されたかに基づいて、ＷＴＲＵ送信電力を判断することができる。複数の休止セルが、ＷＴＲＵのＰＲＡＣＨ送信を受信する場合、休止セルは、第１のセルに、ＷＴＲＵ１０２によって使用されたＰＲＡＣＨリソースを指示して、どの休止セルがオンにされることになるか、またはオンにされるべきであるかを、第１のセルが判断することを可能にすることができる。
【０４４０】
ＰＲＡＣＨの成功した受信時、および、場合によっては、第１のセルへのそのようなメッセージの送信後、休止セルは、新しい状態に自律的に入ることができる。そのような新しい状態は、オンにされていて（例えば、完全にオンにされていて）もよく（例えば、ＰＳＳ／ＳＳＳ、ＰＢＣＨ／ＳＩＢ、および／もしくはＣＲＳを送信中）、ならびに／または、状態は、発見信号（ＣＲＳおよび／もしくは新しい発見信号など）の送信を開始中であってもよい。休止セルは、それがＸ２信号の送信後に切り替えるようになる先の状態を指示することができる。これは、第１のセルがＷＴＲＵ１０２との適したアクションを判断することを可能にすることができる。
【０４４１】
様々な実施形態では、休止セルは、応答（例えば、休止セルランダムアクセス応答（ＲＡＲ））をＷＴＲＵ１０２へ送信するように構成され得る。休止セルは、それにおいて休止セルＲＡＲを送信するべきいくつかのリソースで、あらかじめ構成され得る。様々な実施形態では、第１のセルは、例えば、Ｘ２インターフェースを介して、休止セルが休止セルＲＡＲを送信するために使用することができる、リソースのセットを指示することができる。
【０４４２】
様々な実施形態では、休止セルは、オーバージエア応答を第１のセルへ送信して、休止セルがＷＴＲＵ１０２からＰＲＡＣＨプリアンブルを成功裏に受信したことを指示することができる。そのような指示は、第１のセルへ、休止セルが取ることができる後続するステップを指示することができ、どの状態にそれが切り替えることができるか、または切り替えるようになるかを含み得る。そのようなオーバージエア手順は、休止セルを使用して、第１のセルへのＲＡＣＨを実行することができる。休止セルは、第１のセルにアクセスすることを実際に所望しないか、または望まないことがあり、それがＷＴＲＵ  ＰＲＡＣＨプリアンブルを成功裏に受信することを、第１のセルに知らせることを望む（例えば、そのようにのみ望む）ことがある。
【０４４３】
休止セルによって使用されるＲＡＣＨプロセスは、単一のステッププロセスであってもよく、そこで、休止セルは、あらかじめ構成されたセットのリソースおよびプリアンブルを使用して、休止セルがＷＴＲＵのＰＲＡＣＨプリアンブルを受信したことを、第１のセルに指示する。様々な実施形態では、ＰＲＡＣＨプリアンブルおよび／またはＰＲＡＣＨリソースのセットが使用され得る。休止セルは、休止セルがオフのままであるか、新しい状態に入るか、および／もしくはオン（例えば、完全にオン）にされるようになることが可能であるか、またはそのようになるかどうかに基づいて、適した構成を選択することができる。
【０４４４】
様々な実施形態では、休止セルは、第１のセルにアクセスして、休止セルがＷＴＲＵ１０２へ送信する休止セルＲＡＲに第１のセルが含めることができるか、または含めるようになる、適した内容（とりわけ、タイミングアドバンス、ＵＬスケジューリンググラント、および／または、ＷＴＲＵ固有のＲＳ構成など）を提供することを、所望するか、または望むことができる。
【０４４５】
休止セルＰＲＡＣＨプリアンブルを送信した後のＷＴＲＵ挙動
休止ｅノードＢによって受信され得るＰＲＡＣＨプリアンブルを送信すると、ＷＴＲＵ１０２は、タイマーを開始することができる。タイマーの満了までに、ＷＴＲＵ１０２は、新しいＲＡＲメッセージについて、または、休止ｅノードＢのために適用可能な修正されたＲＡＲメッセージについて、チャネルを監視することができる。タイマーは、第１のセルによってＷＴＲＵにおいて構成されてもよく、休止セルをロケートするためにＰＲＡＣＨを実行するように構成されてもよい。応答（例えば、ＲＡＲメッセージ）を検出することなしに、タイマーが満了する場合、ＷＴＲＵ１０２は、その第１のセル（例えば、それが休止セルＲＡＣＨ手順を始める前に、そこから最初に接続されたセル）に、それがハンドオーバされることが潜在的に可能であったか、またはハンドオーバされ得るところの、いかなる休止セルを見つけることもできなかったことを、指示することができる。そのような指示は、より高いレイヤメッセージ（ＲＲＣメッセージなど）であってもよく、または、物理チャネル指示であってもよい。ＷＴＲＵ１０２が適した休止セルを見つけることができなかったという、物理チャネル指示の一例は、あらかじめ構成されたＰＵＣＣＨリソースにおけるＮＡＣＫ送信であり得る。様々な実施形態では、そのようなタイマーの満了時に、ＷＴＲＵ１０２は、その送信電力をあらかじめ構成された量だけ増すことができ、あらかじめ構成されたリソース上でプリアンブルを再送信することができる。
【０４４６】
休止セルからの休止セルＲＡＲを扱うこと
タイマーの満了前、ＷＴＲＵ１０２は、１または複数の休止セルからの休止セルＲＡＲメッセージを、予想または監視することができる。ＲＡＲメッセージは、ＷＴＲＵ１０２へ、第１のセルによってアプリオリに提供された構成を使用して送信され得る。例えば、休止セルをロケートする（および、場合によってはアウェイクさせる）ことを試行するために、ＷＴＲＵ１０２をＰＲＡＣＨリソースで構成すると、第１のセルは、ＷＴＲＵ１０２に、適したランダムアクセス−無線ネットワーク一時識別子（ＲＡ）−ＲＮＴＩおよびＰＤＣＣＨ構成を提供して、ＷＴＲＵ１０２が、ＲＡＲが含まれるところのＤＬ割当てを復号（例えば、適切に復号）することを、可能にすることができる。ＷＴＲＵ１０２は、適したＣＲＳ構成を知らされて、それが休止セルからのＰＤＣＣＨおよび／またはＲＡＲメッセージを適切に復調することを可能にすることができる。
【０４４７】
様々な実施形態では、あらかじめ構成されたセットのＷＴＲＵ固有の基準シンボル（ＲＳ）が、休止セルからのＲＡＲ（例えば、ＲＡＲメッセージ）の復調のために、ＷＴＲＵ１０２に割り当てられ得る。そのようなＷＴＲＵ固有のＲＳの構成は、とりわけ、シーケンス生成のために使用されることになる仮想セルＩＤ、および／またはポートの数を含み得る。ＷＴＲＵ固有のＲＳは、ＰＤＣＣＨおよび／またはｅＰＤＣＣＨを復調するために使用され得る。ＷＴＲＵ固有のＲＳは、ＷＴＲＵ１０２からのＰＲＡＣＨの最初の受信時に、休止セルによって送信され得る（例えば、そのようにのみ送信され得る）。ＷＴＲＵ１０２は、ＷＴＲＵ１０２がＰＲＡＣＨを送信した後、特定の時間から、そのようなＷＴＲＵ固有のＲＥを測定し始めることができる。測定は、第１のセルへ（例えば、そのような休止セルへの経路損失のおおよその推定として）戻すようにレポートされ得る。様々な実施形態では、ＷＴＲＵ１０２は、ＷＴＲＵ１０２が休止セルからの割当てを復号（例えば、成功裏に復号）するとき、ＷＴＲＵ固有のＲＳにおいて測定を取り始めることができる（例えば、そのようにのみ始めることができる）。これは、ＷＴＲＵ１０２が、ＰＲＡＣＨを成功裏に受信した休止セルからのＷＴＲＵ固有のＲＳを実際に測定中であることを、保証することができる。
【０４４８】
様々な実施形態では、ＷＴＲＵ１０２は、第１のセルによって、休止セルＲＡＲのＤＬ割当てで構成され得る。この割当ては、ＷＴＲＵ１０２に、（１）いつ休止セルＲＡＲを予想するべきか、ならびに／または（２）どのリソースにおいて、休止セルＲＡＲを予想するべきか、および、復調のために使用するために、どのＷＴＲＵ固有のＲＳを使用するかを、指示することができる。様々な実施形態では、ＷＴＲＵ１０２は、第１のセルによって、それにおいて休止セルＲＡＲのＤＬ割当てのためのＤＣＩを受信および／または予想するべきｅＰＤＣＣＨリソースで構成され得る。
【０４４９】
休止セルＲＡＲメッセージの代表的な内容
休止セルＲＡＲメッセージの内容は、例えば、通常のＲＡＲメッセージと同様であってもよく、および／または、以下のうちのいずれかを含んでもよく、すなわち、（１）検出された、および、そのための応答が有効である、ランダムアクセスプリアンブルシーケンスのインデックス、（２）ランダムアクセスプリアンブル受信機によって計算されたタイミング訂正、（３）ＷＴＲＵ１０２がメッセージ３の送信のために使用することができ、もしくは使用するべきである、リソースを指示するスケジューリンググラント、（４）一時識別情報、例えば、ＷＴＲＵとネットワークとの間のさらなる通信のために使用され得るＴＣ−ＲＮＴＩ、（５）ＰＲＡＣＨプリアンブル送信の受信電力、もしくは経路損失、（６）周波数もしくはタイミングオフセット、ならびに／または（７）ＷＴＲＵ１０２がそれにおいて測定を行うことができる発見信号の構成である。
【０４５０】
様々な実施形態では、休止セルＲＡＲは、上記で記載された、あらかじめ判断されたサブセットの情報を含み得る（例えば、そのようにのみ含み得る）。様々な実施形態では、休止セルＲＡＲメッセージは、ＰＲＡＣＨを受信した（例えば、成功裏に受信した）休止セルを識別するための識別情報を含んで、例えば、ＷＴＲＵ１０２が、どのセルをＷＴＲＵ１０２が使用することができるかを判断する（例えば、適切に判断する）ことを、可能にすることができる。例えば、休止セルＲＡＲは、以下を含んでもよく、すなわち、（１）検出された、および、例えば、そのための応答が有効である、ランダムアクセスプリアンブルシーケンスのインデックス、ならびに／または（２）プリアンブルシーケンスを検出した休止セルの識別情報である。
【０４５１】
識別情報は、ＴＣ−ＲＮＴＩフィールドを再使用することができ、および／または、識別情報は、セルＩＤであり得る。様々な実施形態では、識別情報は、休止セルのクラスタの、どの休止セルが、ＷＴＲＵのＰＲＡＣＨプリアンブルを受信することができたかを指示する、ビットストリーム（例えば、連続またはシーケンシャルビットの、例えば、単純なビットストリーム）であり得る。様々な実施形態では、ＷＴＲＵ１０２は、ＤＣＩのために使用されるＲＡ−ＲＮＴＩによって、休止セルを識別することができる。ＷＴＲＵ１０２は、休止セルＲＡＲを探して復号するために、可能なＲＡ−ＲＮＴＩのリストであらかじめ構成され得る。ＤＣＩにおいて使用されるスクランブリング（例えば、どのスクランブリングが使用されるか）に応じて、ＷＴＲＵ１０２は、どの休止セルが休止セルＲＡＲを送信中であるかを知ることができる。様々な実施形態では、ＷＴＲＵ１０２は、複数のＣＲＳまたはＷＴＲＵ固有のＲＳ構成であらかじめ構成され得る。復調のために使用されるＲＳ（例えば、どのＲＳが使用されるか）に応じて、ＷＴＲＵ１０２は、休止セルＲＡＲを送信する休止セルを識別し（例えば、識別することが可能であり）得る。
【０４５２】
様々な実施形態では、休止セルＲＡＲは、ＷＴＲＵ１０２に、それにおいてＷＴＲＵがＲＳＲＰを測定して、休止セルへの経路損失を判断することができる、特定のセットのＲＳを（例えば、送信電力とともに）指示することができる。
【０４５３】
様々な実施形態では、休止セルＲＡＲは、あらかじめ構成されたロケーション（例えば、周波数および／または時間ロケーション）における、エネルギーのバーストであり得る。そのようなバーストは、ＷＴＲＵ１０２によって測定のために使用されてもよく、および／または、ＷＴＲＵ１０２に、休止セルがＰＲＡＣＨを受信した（例えば、実際に受信した）ことを指示することができる。バーストのために使用されるリソースは、あらかじめ構成され得る。異なるリソースは、ＷＴＲＵ１０２のための異なる指示（または、意味）を有し得る。例えば、リソースのセットは、休止セルの識別情報を提供することができる。様々な実施形態では、バーストのために使用されるリソースのセットは、ＷＴＲＵ１０２に、それとともに休止セルがＰＲＡＣＨ送信を受信した品質のレベルを指示することができる。
【０４５４】
様々な実施形態では、休止セルＲＡＲは、擬似ランダムシーケンスを使用することができる。擬似ランダムシーケンスは、休止セル識別情報によって生成されてもよく、擬似ランダムシーケンスの復号（例えば、適切な復号）は、ＷＴＲＵ１０２に、どの休止セルがＷＴＲＵのＰＲＡＣＨプリアンブルを受信したかを指示することができる。
【０４５５】
様々な実施形態では、休止セルＲＡＲの時間および周波数におけるロケーションは、休止セルＲＡＲを送信中である休止セルを識別することができる。
【０４５６】
第１のセルによって送信される休止セルＲＡＲ
様々な実施形態では、ＷＴＲＵ１０２は、休止セルＲＡＲが第１のセルから送信されることになると予期または予想することができる。ＲＡＲメッセージは、ＷＴＲＵ１０２に、ＷＴＲＵ１０２がそれにおいて測定（例えば、従来の測定）を実行するべきＲＳをグラントされた（例えば、現在、グラントされている）ことを、指示することができる。様々な実施形態では、メッセージは、オンにされた休止セル（例えば、現在オンである（および、以前に休止していた）セル）へのハンドオーバコマンドであり得る。
【０４５７】
休止セルＲＡＲの受信時のＷＴＲＵ挙動
休止セルＲＡＲの受信時に、ＷＴＲＵ１０２は、メッセージを第１のセルへ送信し、休止セル探索の状況を指示することができる。様々な実施形態では、第１のセルが、ＷＴＲＵ１０２を、休止セル探索のためのＰＲＡＣＨリソースで（例えば、休止セルＲＡＲの受信（例えば、適切な受信）のための構成、およびタイマーの構成で）構成するとき、第１のセルは、ＷＴＲＵ１０２に、そのＷＴＲＵの発見物を第１のセルにレポートするために使用されることになるリソースを指示する、スケジューリンググラントを提供することができる。様々な実施形態では、スケジューリンググラントは、休止セルＲＡＲの部分として含まれ得る。スケジューリンググラントは、ＵＬ  ＤＭ−ＲＳのシーケンス生成のために使用するためのセルＩＤを明示的に指示することができる。
【０４５８】
ＷＴＲＵ１０２は、スケジューリンググラントを使用して、第１のセルに、ＷＴＲＵが休止セルをロケートすることができること（または、できないこと）をレポートすることができる。ＷＴＲＵ１０２が１または複数の休止セルをロケートした場合、ＷＴＲＵ１０２は、第１のセルに、ロケートされたセルの識別情報、および／または、取られたいくつかの測定をレポートすることができる。ＷＴＲＵ１０２は、それがロケートした休止セル（例えば、すべての休止セル）の識別情報をレポートするように構成され得る。様々な実施形態では、ＷＴＲＵ１０２は、その測定が、ある、あらかじめ構成された基準を達成した、休止セルの識別情報をレポートすることができる（例えば、そのようにのみレポートすることができる）。
【０４５９】
休止セルＲＡＲの競合
例えば、複数の休止セルが、ＷＴＲＵ１０２からＰＲＡＣＨ送信を受信することが可能であり得る。そのような場合、複数の休止セルが、１または複数の休止セルＲＡＲを送信することがある。ＷＴＲＵ１０２は、各休止セルＲＡＲにおいて測定を実行することができ、その識別情報をＷＴＲＵ１０２が第１のセルへレポート（例えば、戻すようにレポート）することができる、休止セルのサブセットを選択することができる。
【０４６０】
様々な実施形態では、複数のセルが、同じリソースにおいてＲＡＲを送信することがあり、それは、ＷＴＲＵ１０２がそのような送信を復号（例えば、適切に復号）することを可能にしないことがある。ＷＴＲＵ１０２が、そのような送信の１または複数の衝突に気づいている場合、ＷＴＲＵ１０２は、ＰＲＡＣＨプロセスを新たに始めることができる。様々な実施形態では、ＷＴＲＵ１０２は、第１のセルに、休止セルＲＡＲの衝突が発生したことを指示することができる。ＷＴＲＵ１０２がそのような衝突を検出することができない事態が、それらの休止セルがＰＲＡＣＨ送信を受信しなかったという仮定につながらないことを保証するために、休止セルは、例えば、ＰＲＡＣＨの受信および／または特性を指示する、冗長な肯定応答を、第１のセルへ送信するように構成され得る。この肯定応答は、Ｘ２インターフェースを介してもよい。
【０４６１】
図３０は、一実施形態による、休止セル動作をサポートするための例示的な方法３０００を示すシーケンスフロー図である。３００２で、マクロセルが、ＷＴＲＵへ、休止セルＲＡＣＨリソースの構成を送信することができる。３００４で、ＷＴＲＵが、第１のスモールセルおよび第２のスモールセルへ、それぞれの休止セルＰＲＡＣＨプリアンブル送信を送ることができる。３００６で、第１のスモールセルが、マクロセルへ、ＰＲＡＣＨ送信の第１のレポートを送ることができ、それは測定レポートを含み得る。３００８で、第２のスモールセルが、マクロセルへ、ＰＲＡＣＨ送信の第２の第１のレポートを送ることができ、それは測定レポートを含み得る。３０１０で、マクロセルが、第１のスモールセルへ、アクティブ化するための要求を送ることができる。アクティブ化するための要求は、ＰＲＡＣＨ送信の第１のレポートおよび第２のレポートのいずれかに基づいて生成され、ならびに／または、それに基づいて、および／もしくはそれに応答して送られ得る。３０１２で、第１のスモールセルが、休止セルＲＡＲをＷＴＲＵへ送ることができる。
【０４６２】
図３１は、一実施形態による、休止セル動作をサポートするための例示的な方法３１００を示すシーケンスフロー図である。３１０２で、マクロセルが、ＷＴＲＵへ、休止セルＲＡＣＨリソースの構成を送信することができる。３００４で、ＷＴＲＵが、第１のスモールセルおよび第２のスモールセルへ、それぞれの休止セルＰＲＡＣＨプリアンブル送信を送ることができる。３００６で、ＷＴＲＵが、休止セル送信タイマーを始動することができる。３１０８で、ＷＴＲＵが、マクロセルへ、ＷＴＲＵが休止セル送信タイマーの満了より前に第１のスモールセルおよび第２のスモールセルのいずれからも送信を受信しなかったという指示を、送ることができる。
【０４６３】
代表的な実施形態
１または複数の代表的な実施形態では、方法（「第１の例示的な方法」）は、キャリアにおいて、ＮＣＴサブフレームを１または複数の他のサブフレームタイプと選択的に混合することを含み得る。１または複数の代表的な実施形態では、キャリアは、従来のキャリアであり得る。１または複数の代表的な実施形態では、キャリアは、ＮＣＴキャリアであり得る。
【０４６４】
１または複数の代表的な実施形態では、キャリアにおいて、ＮＣＴサブフレームを１または複数の他のサブフレームタイプと選択的に混合することは、様々なタイプの二重モードのうちの１つに従って構成されたキャリアにおいて、ＮＣＴサブフレームを１または複数の他のサブフレームタイプと選択的に混合することを含み得る。１または複数の代表的な実施形態では、様々なタイプの二重モードは、ＦＤＤモードを含み得る。１または複数の代表的な実施形態では、様々なタイプの二重モードは、ＴＤＤモードを含み得る。
【０４６５】
１または複数の代表的な実施形態では、１または複数の他のサブフレームタイプは、非ＮＣＴサブフレームを含み得る。１または複数の代表的な実施形態では、非ＮＣＴサブフレームは、従来のサブフレームタイプを含み得る。１または複数の代表的な実施形態では、非ＮＣＴサブフレームは、（ｉ）通常の（例えば、ＵＬおよび／またはＤＬ）サブフレーム、（ｉｉ）特殊サブフレーム、（ｉｉｉ）ＭＢＳＦＮサブフレーム、ならびに（ｉｖ）ＡＢＳから選択された、少なくとも１つのサブフレームを含み得る。
【０４６６】
１または複数の代表的な実施形態では、ＮＣＴサブフレームは、従来のサブフレームタイプとは異なる少なくとも１つのプロトコルに従って定義されたサブフレームの少なくとも部分を含み得る。１または複数の代表的な実施形態では、ＮＣＴサブフレームは、（ｉ）ＣＲＳなしサブフレーム、（ｉｉ）ＣＲＳ限定されたサブフレーム、（ｉｉｉ）限定されたポートＣＲＳサブフレーム、（ｉｖ）ＤＭ−ＲＳサブフレーム、（ｖ）非後方互換サブフレーム、および（ｖｉ）混合されたＮＣＴサブフレームから選択された、サブフレームを含み得る。
【０４６７】
１または複数の代表的な実施形態では、ＮＣＴサブフレームは、ＣＲＳなしサブフレームであり得る。１または複数の代表的な実施形態では、ＣＲＳなしサブフレームは、ＣＲＳのための時間／周波数リソース予約および／または占有を欠いているサブフレームを含み得る。１または複数の代表的な実施形態では、ＣＲＳなしサブフレームは、ＰＤＳＣＨ、ＤＭ−ＲＳ、ＰＲＳ、およびＣＳＩ−ＲＳのうちのいずれかを含む、１または複数の信号のための時間／周波数リソース予約および／または占有を含んでもよく、そのような時間／周波数リソース予約および／または占有は、そうでなければ従来のサブフレームタイプにおいてＣＲＳのために予約および／または占有されるであろう、時間／周波数リソースである。１または複数の代表的な実施形態では、ＣＲＳなしサブフレームは、ＰＢＣＨにおいて搬送されるアンテナポートの数には関係なく、ＣＲＳのための時間／周波数リソース予約および／または占有を欠いているサブフレームを含み得る。
【０４６８】
１または複数の代表的な実施形態では、ＮＣＴサブフレームは、ＣＲＳ限定されたサブフレームであり得る。１または複数の代表的な実施形態では、ＣＲＳ限定されたサブフレームは、ＣＲＳオーバーヘッドを所与のレベルに限定するサブフレームを含み得る。１または複数の代表的な実施形態では、ＣＲＳ限定されたサブフレームは、ＣＲＳのための時間／周波数リソース予約および／または占有の量を含んでもよく、ＣＲＳ限定されたサブフレームは、ＣＲＳのための時間／周波数リソース予約および／または占有の量を限定することによって、ＣＲＳオーバーヘッドを限定することができる。１または複数の代表的な実施形態では、所与のレベルは、ＣＲＳのための時間／周波数リソース予約および／もしくは占有の量を最小化するように設定されたレベルであってもよく、ならびに／またはそれを含んでもよい。１または複数の代表的な実施形態では、所与のレベルは、（例えば、ＣＲＳを採用する広帯域送信をサポートするために）ＣＲＳのための時間／周波数リソース予約および／もしくは占有の量を最小化するように設定されたレベルであってもよく、ならびに／またはそれを含んでもよい。１または複数の代表的な実施形態では、所与のレベルは、ＣＲＳオーバーヘッドを、通常もしくは他の非ＮＣＴサブフレームに関連付けられたＣＲＳオーバーヘッド未満にさせるように設定されたレベルであってもよく、および／またはそれを含んでもよい。
【０４６９】
１または複数の代表的な実施形態では、ＣＲＳ限定されたサブフレームは、時間ドメインにおいてＣＲＳオーバーヘッドを限定するサブフレームであってもよく、および／またはそれを含んでもよい。１または複数の代表的な実施形態では、ＣＲＳ限定されたサブフレームは、通常もしくは他の非ＮＣＴサブフレームに関連付けられたＣＲＳオーバーヘッドの半分のレベルで、時間ドメインにおいてＣＲＳオーバーヘッドを限定するサブフレームであってもよく、および／またはそれを含んでもよい。
【０４７０】
１または複数の代表的な実施形態では、ＣＲＳ限定されたサブフレームは、第１のスロットおよび第２のスロットであってもよく、ならびに／またはそれを含んでもよく、第１のスロットまたは第２のスロットのいずれかは、ＣＲＳのためのＯＦＤＭシンボルのセットを含んでもよい。１または複数の代表的な実施形態では、ＯＦＤＭシンボルのセットは、ＣＲＳ限定されたサブフレームのＯＦＤＭシンボルの時間的シーケンスによって指定された、ＣＲＳ限定されたサブフレームのＯＦＤＭシンボルのサブセットであってもよく、および／またはそれを含んでもよい。１または複数の代表的な実施形態では、ＯＦＤＭシンボルのセットは、ＣＲＳ限定されたサブフレームのスロット番号によって指定された、ＣＲＳ限定されたサブフレームのＯＦＤＭシンボルのサブセットであってもよく、および／またはそれを含んでもよい。１または複数の代表的な実施形態では、ＯＦＤＭシンボルのセットは、より高いレイヤによって構成され得る。１または複数の代表的な実施形態では、ＯＦＤＭシンボルのセットは、より高いレイヤによって構成されてもよく、ＭＩＢおよび／またはＳＩＢにおいて搬送されてもよい。１または複数の代表的な実施形態では、ＭＩＢおよび／またはＳＩＢのいずれかは、ブロードキャストされ、および／または、ブロードキャストを介して受信され得る。
【０４７１】
１または複数の代表的な実施形態では、ＣＲＳ限定されたサブフレームは、周波数ドメインにおいてＣＲＳオーバーヘッドを限定するサブフレームであってもよく、および／またはそれを含んでもよい。１または複数の代表的な実施形態では、ＣＲＳ限定されたサブフレームは、ＰＲＢペアのセットを含み得る。１または複数の代表的な実施形態では、ＰＲＢペアのセットのサブセットは、ＣＲＳを含み得る。１または複数の代表的な実施形態では、ＰＲＢペアのセットのサブセットは、ＣＲＳ限定されたサブフレームの少なくとも１つの偶数番号のＰＲＢペアであってもよく、および／またはそれを含んでもよい。１または複数の代表的な実施形態では、ＰＲＢペアのセットのサブセットは、ＣＲＳ限定されたサブフレームの少なくとも１つの奇数番号のＰＲＢペアであってもよく、および／またはそれを含んでもよい。
【０４７２】
１または複数の代表的な実施形態では、ＣＲＳ限定されたサブフレームは、ＰＲＢペアのセットを含み得る。１または複数の代表的な実施形態では、ＰＲＢペアのセットの第１のサブセットは、ＣＲＳを含んでもよく、ＰＲＢペアのセットの第２のサブセットは、ＣＲＳを欠いていてもよい。１または複数の代表的な実施形態では、第１のサブセットは、少なくとも１つの偶数番号のＰＲＢペアであってもよく、および／もしくはそれを含んでもよく、ならびに／または、第２のサブセットは、少なくとも１つの奇数番号のＰＲＢペアであってもよく、および／もしくはそれを含んでもよい。１または複数の代表的な実施形態では、第１のサブセットは、少なくとも１つの奇数番号のＰＲＢペアであってもよく、および／もしくはそれを含んでもよく、ならびに／または、第２のサブセットは、少なくとも１つの偶数番号のＰＲＢペアであってもよく、および／もしくはそれを含んでもよい。１または複数の代表的な実施形態では、ＰＲＢペアのサブセットは、ビットマップ、偶数／奇数ＰＲＢペアのためのインジケータ、ＲＢＧ、その他に従って指定および／もしくは選択された、ＰＲＢペアのうちの少なくとも１つであってもよく、ならびに／またはそれを含んでもよい。
【０４７３】
１または複数の代表的な実施形態では、ＰＲＢペアのサブセットは、より高いレイヤによって構成される。１または複数の代表的な実施形態では、ＰＲＢペアのサブセットは、より高いレイヤによって構成され、ＭＩＢおよび／またはＳＩＢにおいて搬送される。１または複数の代表的な実施形態では、ＭＩＢおよび／またはＳＩＢのいずれかは、ブロードキャストされ、および／または、ブロードキャストを介して受信され得る。
【０４７４】
１または複数の代表的な実施形態では、ＣＲＳ限定されたサブフレームは、アンテナポートドメインにおいてＣＲＳオーバーヘッドを限定するサブフレームであってもよく、および／またはそれを含んでもよい。１または複数の代表的な実施形態では、ＣＲＳ限定されたサブフレームは、サブセットアンテナポートのためのＣＲＳを限定するサブフレームであってもよく、および／またはそれを含んでもよい。１または複数の代表的な実施形態では、サブセットアンテナポートは、最小セットのアンテナポートであってもよく、および／またはそれを含んでもよい。１または複数の代表的な実施形態では、サブセットアンテナポートは、ＰＢＣＨにおいて搬送されるアンテナポートの数には関係なく、最小セットのアンテナポートであってもよく、および／またはそれを含んでもよい。１または複数の代表的な実施形態では、最小セットのアンテナポートは、単一のアンテナポートであり得る。１または複数の代表的な実施形態では、単一のアンテナポートは、セルに関連付けられ得る。
【０４７５】
１または複数の代表的な実施形態では、サブセットアンテナポートは、最大セットのアンテナポートであってもよく、および／またはそれを含んでもよい。１または複数の代表的な実施形態では、最大セットのアンテナポートは、あらかじめ定義された最大数のアンテナポートであってもよく、および／またはそれを含んでもよい。１または複数の代表的な実施形態では、あらかじめ定義された最大数のアンテナポートは、ＰＢＣＨにおいて搬送されるアンテナポートの数を超えないように、いくつかのアンテナポートであってもよく、および／またはそれを含んでもよい。
【０４７６】
１または複数の代表的な実施形態では、ＮＣＴサブフレームは、複数のＮＣＴサブフレームを含んでもよく、複数のＮＣＴサブフレームは、１もしくは複数のＣＲＳなしサブフレーム、および、１もしくは複数のＣＲＳ限定されたサブフレームであってもよく、ならびに／またはそれを含んでもよい。１または複数の代表的な実施形態では、キャリアにおいて、ＮＣＴサブフレームを１または複数の他のサブフレームタイプと選択的に混合することは、ＮＣＴサブフレームがＰＳＳ／ＳＳＳを搬送するかどうかに基づいて、ＣＲＳなしサブフレームおよびＣＲＳ限定されたサブフレームを選択的に運ぶことを含み得る。１または複数の代表的な実施形態では、ＣＲＳなしサブフレームおよびＣＲＳ限定されたサブフレームを選択的に運ぶことは、ＮＣＴサブフレームがＰＳＳ／ＳＳＳを搬送する場合、ＣＲＳ限定されたサブフレームを選択することを備える。１または複数の代表的な実施形態では、ＣＲＳなしサブフレームおよびＣＲＳ限定されたサブフレームを選択的に運ぶことは、ＮＣＴサブフレームがＰＳＳ／ＳＳＳを欠いている場合、ＣＲＳなしサブフレームを選択することを含み得る。
【０４７７】
１または複数の代表的な実施形態では、キャリアにおいて、ＮＣＴサブフレームを１または複数の他のサブフレームタイプと選択的に混合することは、サブフレーム番号に基づいて、ＣＲＳなしサブフレームおよびＣＲＳ限定されたサブフレームを選択的に運ぶことを含み得る。１または複数の代表的な実施形態では、ＣＲＳなしサブフレームおよびＣＲＳ限定されたサブフレームを選択的に運ぶことは、ＮＣＴサブフレームとして定義される場合、サブフレーム番号０および５に対して、ＣＲＳ限定されたサブフレームを選択すること、ならびに、サブフレーム番号１、２、３、４、６、７、８、および９に対して、ＣＲＳなしサブフレームを選択することを含み得る。
【０４７８】
１または複数の代表的な実施形態では、ＮＣＴサブフレームは、混合されたＮＣＴサブフレームであってもよく、および／またはそれを含んでもよい。１または複数の代表的な実施形態では、混合されたＮＣＴサブフレームは、複数の部分を含み得る。複数の部分のうちの少なくともいくつかは、非ＮＣＴサブフレームの要素であってもよく、および／またはそれを含んでもよい。１または複数の代表的な実施形態では、混合されたＮＣＴサブフレームは、ＧＰ部分およびＵｐＰＴＳ部分であってもよく、ならびに／またはそれを含んでもよいが、ＤｗＰＴＳ部分でなくてもよく、および／またはそれを含まなくてもよい。
【０４７９】
１または複数の代表的な実施形態では、混合されたＮＣＴサブフレームは、ＣＲＳなしサブフレーム、ＣＲＳ限定されたサブフレーム、および、任意の他のＮＣＴサブフレームのうちのいずれかとして構成された部分を含み得る。
【０４８０】
１または複数の代表的な実施形態では、混合されたＮＣＴサブフレームは、ＴＤＤにおいて特殊サブフレームの代わりに使用され得る。
【０４８１】
１または複数の代表的な実施形態では、混合されたＮＣＴサブフレームは、非ＮＣＴサブフレームに従って定義されたＯＦＤＭシンボルのセット、および、ＮＣＴサブフレームに従って定義されたＯＦＤＭシンボルのセットを含み得る。１または複数の代表的な実施形態では、混合されたＮＣＴサブフレームは、非ＮＣＴサブフレームに従って定義された第１のセットの７個のＯＦＤＭシンボル、および、ＮＣＴサブフレームに従って定義された第２のセットの７個のＯＦＤＭシンボルを含み得る。１または複数の代表的な実施形態では、第１のセットの７個のＯＦＤＭシンボルは、非ＮＣＴサブフレームに従ってＣＲＳを含んでもよく、第２のセットの７個のＯＦＤＭシンボルは、ＣＲＳを欠いていてもよい。
【０４８２】
１または複数の代表的な実施形態では、非ＮＣＴサブフレームに従う部分、および、ＮＣＴサブフレームに従う部分のための、スロット−レベル構成が使用され得る。
【０４８３】
１または複数の代表的な実施形態では、非ＮＣＴサブフレームに従うＰＲＢペアのサブセット、および、ＮＣＴサブフレームに従う他のＰＲＢペアが、使用され得る。
【０４８４】
１または複数の代表的な実施形態では、ＦＤＤのためのＮＣＴサブフレーム構成は、ＰＳＳ／ＳＳＳおよび／またはＰＢＣＨを欠いているサブフレームを含み得る。１または複数の代表的な実施形態では、ＮＣＴサブフレーム構成は、サブフレームｎｏ．０および５がＮＣＴサブフレームのために構成されない、サブフレーム構成であってもよく、ならびに／またはそれを含んでもよい。
【０４８５】
１または複数の代表的な実施形態では、ＦＤＤのためのＮＣＴサブフレーム構成は、ページングチャネルを欠いているサブフレームを含み得る。１または複数の代表的な実施形態では、ＦＤＤのためのＮＣＴサブフレーム構成は、ＮＣＴサブフレームとして構成されたＨＡＲＱプロセスのサブセットを含み得る。１または複数の代表的な実施形態では、８（８）個のＨＡＲＱプロセスが使用される場合、そのＨＡＲＱプロセスのサブセットは、ＮＣＴサブフレームのために使用され得る。１または複数の代表的な実施形態では、第１のＨＡＲＱプロセスおよび第２のＨＡＲＱプロセスが、ＮＣＴサブフレームのために使用される場合、８（８）個のダウンリンクサブフレームごとに、第１のサブフレームおよび第２のサブフレームが、ＮＣＴサブフレームとして構成され得る。
【０４８６】
１または複数の代表的な実施形態では、ＮＣＴサブフレームは、より高いレイヤによって、および／またはブロードキャスティングチャネルのために構成され得る。
【０４８７】
１または複数の代表的な実施形態では、ＮＣＴサブフレームは、デューティサイクルｘで構成されてもよく、ビットマップが使用されてもよい。１または複数の代表的な実施形態では、デューティサイクルｘは、セット｛８，１０，２０，４０，１００｝ｍｓのうちの１つであり得る。
【０４８８】
１または複数の代表的な実施形態では、ＮＣＴサブフレームは、オン／オフインジケータで構成され得る。１または複数の代表的な実施形態では、ＮＣＴサブフレーム構成は、あらかじめ定義されてもよく、ならびに／または、ＮＣＴサブフレームがキャリア内で使用されるかどうかは、オン−オフインジケータで構成および／もしくはブロードキャストされ得る。１または複数の代表的な実施形態では、オン−オフインジケータは、１ビットまたは複数のビットであり得る。
【０４８９】
１または複数の代表的な実施形態では、ＴＤＤのためのＮＣＴサブフレーム構成は、セル固有のＵＬ／ＤＬサブフレーム構成におけるアップリンクサブフレームを含み得る。１または複数の代表的な実施形態では、ＴＤＤのためのＮＣＴサブフレーム構成は、特定の特殊サブフレーム構成を含み得る。１または複数の代表的な実施形態では、特定の特殊サブフレーム構成は、ＤｗＰＴＳおよびＵｐＰＴＳを含み得る。
【０４９０】
１または複数の代表的な実施形態では、ＴＤＤのためのＮＣＴサブフレーム構成は、ＤＬサブフレームを含み得る。１または複数の代表的な実施形態では、ＤＬサブフレームのサブセットは、それがＰＳＳ／ＳＳＳおよび／またはＰＢＣＨを含有する場合、非ＮＣＴサブフレームに制限される。
【０４９１】
１または複数の代表的な実施形態では、アップリンクサブフレームの中で、サブセットは、より高いレイヤシグナリング、および／または、１もしくは複数のブロードキャスティングチャネルを介して、ＤＬ  ＮＣＴサブフレームのために構成され得る。１または複数の代表的な実施形態では、ＵＬサブフレームおよび特殊サブフレームの中で、サブセットは、より高いレイヤシグナリング、および／または、１もしくは複数のブロードキャスティングチャネルを介して、ＤＬ  ＮＣＴサブフレームのために構成され得る。
【０４９２】
１または複数の代表的な実施形態では、方法は、サブフレームおよび／または探索空間に従って、ＰＤＣＣＨおよび／またはｅＰＤＣＣＨのいずれかを使用することを、さらに含み得る。１または複数の代表的な実施形態では、ＰＤＣＣＨおよび／またはｅＰＤＣＣＨ受信挙動は、非ＮＣＴサブフレームおよび／またはＮＣＴサブフレーム構成に従うものであり得る。
【０４９３】
１または複数の代表的な実施形態では、ＰＤＣＣＨは、非ＮＣＴサブフレームにおいて、ＷＴＲＵ固有の探索空間と共通の探索空間の両方のために使用されてもよく、ｅＰＤＣＣＨは、ＮＣＴサブフレームにおいて、ＷＴＲＵ固有の探索空間のために使用されてもよい。１または複数の代表的な実施形態では、共通の探索空間は、ｅＰＤＣＣＨを伴うＮＣＴサブフレームにおいてサポートされないことがあり、ブロードキャスティング、ページング、およびＰＲＡＣＨは、非ＮＣＴサブフレームによってサポートされ得る。１または複数の代表的な実施形態では、ＷＴＲＵは、ＮＣＴサブフレームにおいて、ＤＬ／ＵＬグラントを受信することができる。
【０４９４】
１または複数の代表的な実施形態では、ＰＤＣＣＨは、非ＮＣＴサブフレームにおいて、ＷＴＲＵ固有の探索空間と共通の探索空間の両方のために使用されてもよく、ｅＰＤＣＣＨは、ＷＴＲＵ固有の探索空間と共通の探索空間の両方のために使用されてもよい。１または複数の代表的な実施形態では、非ＮＣＴサブフレームにおいて、ＰＤＣＣＨまたはｅＰＤＣＣＨのいずれかが、構成に従ってＷＴＲＵ固有の探索空間のために使用されてもよく、ＰＤＣＣＨは、共通の探索空間のために使用されてもよい。そのような代表的な実施形態では、ｅＰＤＣＣＨは、ＮＣＴサブフレームのために、ＷＴＲＵ固有の探索空間のために使用され得る。そのような代表的な実施形態では、ＷＴＲＵは、ＮＣＴサブフレームにおいて、ＤＬ／ＵＬグラントを受信することができる。
【０４９５】
１または複数の代表的な実施形態では、非ＮＣＴサブフレームにおいて、ＰＤＣＣＨまたはｅＰＤＣＣＨのいずれかが、構成に従って、ＷＴＲＵ固有の探索空間および／または共通の探索空間のために使用されてもよく、ｅＰＤＣＣＨは、ＮＣＴサブフレームのために、ＷＴＲＵ固有の探索空間および／または共通の探索空間のために使用されてもよい。そのような代表的な実施形態では、ｅＰＤＣＣＨ構成は、サブフレームタイプに従って異なり得る。
【０４９６】
１または複数の代表的な実施形態では、ＷＴＲＵ固有の探索空間のためのｅＰＤＣＣＨパラメータは、非ＮＣＴサブフレームおよび／またはＮＣＴサブフレームのために独立して構成され得る。
【０４９７】
１または複数の代表的な実施形態では、２つの異なるｅＰＤＣＣＨ構成は、それぞれ、非ＮＣＴサブフレームおよびＮＣＴサブフレームのために使用されてもよく、ｅＰＤＣＣＨ開始シンボルインジケータは、独立して構成され得る。１または複数の代表的な実施形態では、２つの異なるｅＰＤＣＣＨ構成は、非ＮＣＴサブフレームおよびＮＣＴサブフレームのために使用されてもよく、ｅＰＤＣＣＨ開始シンボルインジケータは、ゼロ（０）または他のシンボル番号に固定され得る。
【０４９８】
１または複数の代表的な実施形態では、方法は、サブフレームタイプに従って送信方式を適合させることをさらに含み得る。そのような代表的な実施形態では、ＷＴＲＵは、非ＮＣＴサブフレームにおいて、ＤＣＩフォーマットによる構成された送信方式で、ＰＤＳＣＨを受信することができる。１または複数の代表的な実施形態では、ＷＴＲＵは、ＮＣＴサブフレームにおいて、あらかじめ定義された送信方式で、ＰＤＳＣＨを受信することができる。１または複数の代表的な実施形態では、あらかじめ定義された送信方式は、送信モードにかかわらず固定され得る。１または複数の代表的な実施形態では、ＮＣＴサブフレームがＣＲＳなしサブフレームである場合、送信方式は、ＤＭＲＳに基づき得る。１または複数の代表的な実施形態では、ＮＣＴサブフレームがＣＲＳ限定されたサブフレームである場合、送信方式は、ＤＭＲＳに基づき得る。
【０４９９】
送信方式がサブフレームタイプに従って適合され得る、１または複数の代表的な実施形態では、ＷＴＲＵは、非ＮＣＴサブフレームにおいて、ＤＣＩフォーマットによる構成された送信モードで、ＰＤＳＣＨを受信することができる。送信方式がサブフレームタイプに従って適合され得る、１または複数の代表的な実施形態では、ＷＴＲＵは、ＣＲＳ限定されたサブフレームにおいて、ＤＣＩフォーマットによる構成された送信モードで、ＰＤＳＣＨを受信することができる。
【０５００】
送信方式がサブフレームタイプに従って適合され得る、１または複数の代表的な実施形態では、ＮＣＴサブフレームがＣＲＳ限定されたサブフレームである場合、送信方式は、低減された数のアンテナポートとともに、非ＮＣＴサブフレームのために使用される送信モードに基づき得る。送信方式がサブフレームタイプに従って適合され得る、１または複数の代表的な実施形態では、ＰＤＳＣＨのための送信方式は、対応する制御チャネルタイプに関連付けられ得る。１または複数の代表的な実施形態では、制御チャネルタイプは、復調タイプと相関させられ得る。１または複数の代表的な実施形態では、ＷＴＲＵおよび／またはネットワークリソース動作は、ページング、セル再選択および測定、無線リンク監視、システム情報獲得、およびセルタイプ検出のうちのいずれかを含み得る。
【０５０１】
１または複数の代表的な実施形態では、受信機、送信機、およびプロセッサのうちのいずれかを含み得る、ネットワークリソース（例えば、ｅノードＢ）は、前述の実施形態のうちの少なくとも１つにおけるような方法を実行するように構成され得る。１または複数の代表的な実施形態では、システムは、前述の実施形態のうちの少なくとも１つにおけるような方法を実行するように構成され得る。１または複数の代表的な実施形態では、有形コンピュータ可読記憶媒体は、前述の実施形態のうちの少なくとも１つにおけるような方法を実行するためのコンピュータ実行可能命令を、その上に記憶していてもよい。
【０５０２】
１または複数の代表的な実施形態では、ネットワークリソースは、受信機、送信機、およびプロセッサのうちのいずれかを含んでもよく、少なくともプロセッサは、キャリアにおいて、ＮＣＴサブフレームを１または複数の他のサブフレームタイプと選択的に混合するように構成され得る。１または複数の代表的な実施形態では、送信機は、選択的に混合されたＮＣＴサブフレームおよび他のサブフレームタイプを送信することができる。
【０５０３】
１または複数の代表的な実施形態では、送信機は、サブフレームおよび／または探索空間に従って、ＰＤＣＣＨおよび／またはｅＰＤＣＣＨのいずれかを送信することができる。１または複数の代表的な実施形態では、少なくともプロセッサは、サブフレームタイプに従って送信方式を適合させるように構成され得る。
【０５０４】
１または複数の代表的な実施形態では、ＷＴＲＵは、受信機、送信機、およびプロセッサのうちのいずれかを含んでもよく、少なくともプロセッサは、キャリアにおいて選択的に混合されたＮＣＴサブフレームおよび他のサブフレームタイプを受信するように構成され得る。１または複数の代表的な実施形態では、受信機は、選択的に混合されたＮＣＴサブフレームおよび他のサブフレームタイプを受信することができる。
【０５０５】
第１の例示的な方法（および、対応する装置）に関して上述された特徴は、ＮＣＴサブフレームを他のサブフレームタイプと選択的に混合することに関して上記で説明された１または複数の特徴と組み合わせられ得る。
【０５０６】
１または複数の代表的な実施形態では、方法（「第２の例示的な方法」）は、ネットワーク要素（例えば、ｅノードＢ）において、ＷＴＲＵがＮＣＴキャリアをサポートすることが可能であるかどうかを判断すること、および、ＷＴＲＵがＮＣＴキャリアをサポートすることが可能ではないという条件で、ＮＣＴセルにおいてＷＴＲＵをページングすることを回避することのうちの、いずれかを含み得る。１または複数の代表的な実施形態では、方法は、ＷＴＲＵがＮＣＴキャリアをサポートすることが可能であるという条件で、ＮＣＴセルおよび別のキャリアタイプセルのいずれかにおいて、ＷＴＲＵをページングすることを含み得る。
【０５０７】
１または複数の代表的な実施形態では、方法は、ＷＴＲＵがＮＣＴキャリアをサポートすることが可能であるかどうかを指示する、ＮＣＴ能力情報を受信することを、さらに含み得る。１または複数の代表的な実施形態では、ＮＣＴ能力情報は、ＷＴＲＵから受信され得る。１または複数の代表的な実施形態では、ＮＣＴ能力情報は、ＷＴＲＵに関連付けられた能力情報に含まれ得る。１または複数の代表的な実施形態では、ＷＴＲＵに関連付けられた能力情報は、ＷＴＲＵに関連付けられた無線能力情報を含み得る。１または複数の代表的な実施形態では、ＮＣＴ能力情報は、ＭＭＥによって受信され得る。１または複数の代表的な実施形態では、ＮＣＴ能力情報は、ＭＭＥによって記憶され得る。
【０５０８】
１または複数の代表的な実施形態では、受信機、送信機、およびプロセッサのうちのいずれかを含み得る、ネットワークリソース（例えば、ｅノードＢ）は、前述の実施形態のうちの少なくとも１つにおけるような方法を実行するように構成され得る。１または複数の代表的な実施形態では、システムは、前述の実施形態のうちの少なくとも１つにおけるような方法を実行するように構成され得る。１または複数の代表的な実施形態では、有形コンピュータ可読記憶媒体は、前述の実施形態のうちの少なくとも１つにおけるような方法を実行するためのコンピュータ実行可能命令を、その上に記憶していてもよい。
【０５０９】
１または複数の代表的な実施形態では、ネットワークリソースは、受信機、送信機、およびプロセッサのうちのいずれかを含んでもよく、少なくともプロセッサは、キャリアにおいて、ＮＣＴサブフレームを１または複数の他のサブフレームタイプと選択的に混合するように構成され得る。１または複数の代表的な実施形態では、送信機は、選択的に混合されたＮＣＴサブフレームおよび他のサブフレームタイプを送信することができる。
【０５１０】
１または複数の代表的な実施形態では、送信機は、サブフレームおよび／または探索空間に従って、ＰＤＣＣＨおよび／またはｅＰＤＣＣＨのいずれかを送信することができる。１または複数の代表的な実施形態では、少なくともプロセッサは、サブフレームタイプに従って送信方式を適合させるように構成され得る。
【０５１１】
１または複数の代表的な実施形態では、ＷＴＲＵは、受信機、送信機、およびプロセッサのうちのいずれかを含んでもよく、少なくともプロセッサは、キャリアにおいて選択的に混合されたＮＣＴサブフレームおよび他のサブフレームタイプを受信するように構成され得る。１または複数の代表的な実施形態では、受信機は、選択的に混合されたＮＣＴサブフレームおよび他のサブフレームタイプを受信することができる。
【０５１２】
第１の例示的な方法および第２の例示的な方法（ならびに、対応する装置）に関して上述された特徴は、ＮＣＴサブフレームを他のサブフレームタイプと選択的に混合することに関して、および／またはそれとともに上記で説明された、１または複数の特徴と組み合わせられ得る。
【０５１３】
１または複数の代表的な実施形態では、ＷＴＲＵにおいて実装される方法（「第３の例示的な方法」）は、ＷＴＲＵがＮＣＴキャリアをサポートすることが可能であるという条件で、ＮＣＴセルおよび別のキャリアタイプセルのいずれかにおけるページングを予想することを含み得る。１または複数の代表的な実施形態では、方法は、ネットワーク要素に、ＷＴＲＵがＮＣＴキャリアをサポートすることが可能であるかどうかを指示するＮＣＴ能力情報を提供することを含み得る。１または複数の代表的な実施形態では、ＮＣＴ能力情報は、無線リソース制御（ＲＲＣ）シグナリングを使用して提供され得る。
【０５１４】
１または複数の代表的な実施形態では、ネットワークリソース（例えば、ｅノードＢ）において実装される方法（「第４の例示的な方法」）は、ＷＴＲＵがＮＣＴキャリアをサポートすることが可能であるという条件で、ＮＣＴセルおよび別のキャリアタイプセルのいずれかにおいて、ＷＴＲＵをページングすることを含み得る。１または複数の代表的な実施形態では、方法は、ネットワーク要素において、ＷＴＲＵがＮＣＴキャリアをサポートすることが可能であるかどうかを指示するＮＣＴ能力情報を受信することを含み得る。１または複数の代表的な実施形態では、ＮＣＴ能力情報は、無線リソース制御（ＲＲＣ）シグナリングを介して受信され得る。
【０５１５】
１または複数の代表的な実施形態では、受信機、送信機、およびプロセッサのうちのいずれかを含み得る、ネットワークリソース（例えば、ｅノードＢ）は、第３の例示的な方法および／または第４の例示的な方法に向けられた、前述の実施形態のうちの少なくとも１つにおけるような方法を実行するように構成され得る。１または複数の代表的な実施形態では、システムは、第３の例示的な方法および／または第４の例示的な方法に向けられた、前述の実施形態のうちの少なくとも１つにおけるような方法を実行するように構成され得る。１または複数の代表的な実施形態では、有形コンピュータ可読記憶媒体は、第３の例示的な方法および／または第４の例示的な方法に向けられた、前述の実施形態のうちの少なくとも１つにおけるような方法を実行するためのコンピュータ実行可能命令を、その上に記憶していてもよい。
【０５１６】
１または複数の代表的な実施形態では、ＷＴＲＵは、受信機、送信機、およびプロセッサのうちのいずれかを含んでもよく、少なくともプロセッサは、ＷＴＲＵがＮＣＴキャリアをサポートすることが可能であるという条件で、ＮＣＴセルおよび別のキャリアタイプセルのいずれかにおけるページングを予想するように構成され得る。１または複数の代表的な実施形態では、ＷＴＲＵは、ネットワーク要素に、ＷＴＲＵがＮＣＴキャリアをサポートすることが可能であるかどうかを指示するＮＣＴ能力情報を提供することができる。１または複数の代表的な実施形態では、このＮＣＴ能力情報は、無線リソース制御（ＲＲＣ）シグナリングを使用して提供され得る。
【０５１７】
１または複数の代表的な実施形態では、ネットワークリソースは、受信機、送信機、およびプロセッサのうちのいずれかを含んでもよく、少なくとも送信機は、ＷＴＲＵがＮＣＴキャリアをサポートすることが可能であるという条件で、ＮＣＴセルおよび別のキャリアタイプセルのいずれかにおいて、ＷＴＲＵをページングするように構成され得る。１または複数の代表的な実施形態では、ネットワークリソースは、ＷＴＲＵがＮＣＴキャリアをサポートすることが可能であるかどうかを指示するＮＣＴ能力情報を、受信することができる。１または複数の代表的な実施形態では、ＮＣＴ能力情報は、無線リソース制御（ＲＲＣ）シグナリングを介して受信され得る。
【０５１８】
第３の例示的な方法および第４の例示的な方法（ならびに、対応する装置）に関して上述された特徴は、ＮＣＴセルにおいてＷＴＲＵをページングすることに関して、および／またはそれとともに上記で説明された、１または複数の特徴と組み合わせられ得る。
【０５１９】
１または複数の代表的な実施形態では、ＷＴＲＵにおいて実装される方法（「第５の例示的な方法」）は、セルにキャンプオンすること、アイドルモードにおいて、ＮＣＴセルを検出すること、および、ＷＴＲＵがＮＣＴキャリアをサポートすることが可能であるという条件で、ＮＣＴセルに再選択することのうちの、少なくとも１つを含み得る。１または複数の代表的な実施形態では、ＮＣＴセルに再選択することは、キャンプオンされたセルの優先度には関係なく、ＮＣＴセルに再選択することを含み得る。１または複数の代表的な実施形態では、ＮＣＴセルに再選択することは、ＮＣＴセルが最高にランク付けされたセルであるという条件で、ＮＣＴセルに再選択することを含み得る。１または複数の代表的な実施形態では、ＮＣＴセルに再選択することは、ＮＣＴセルがキャンプオンされたセルと同じ周波数上であるという条件で、ＮＣＴセルに再選択することを含み得る。
【０５２０】
１または複数の代表的な実施形態では、方法は、ＮＣＴセルの優先度を調節して、キャンプオンされたセルに勝るように、ＮＣＴセルを優先度付けすることを含み得る。１または複数の代表的な実施形態では、ＮＣＴセルに再選択することは、ＮＣＴセルの調節された優先度に基づいて、ＮＣＴセルに再選択することを含み得る。
【０５２１】
１または複数の代表的な実施形態では、受信機、送信機、およびプロセッサのうちのいずれかを含み得る、ネットワークリソース（例えば、ｅノードＢ）は、第５の例示的な方法に向けられた、前述の実施形態のうちの少なくとも１つにおけるような方法を実行するように構成され得る。１または複数の代表的な実施形態では、システムは、第５の例示的な方法に向けられた、前述の実施形態のうちの少なくとも１つにおけるような方法を実行するように構成され得る。１または複数の代表的な実施形態では、有形コンピュータ可読記憶媒体は、第５の例示的な方法に向けられた、前述の実施形態のうちの少なくとも１つにおけるような方法を実行するためのコンピュータ実行可能命令を、その上に記憶していてもよい。
【０５２２】
１または複数の代表的な実施形態では、ＷＴＲＵは、受信機、送信機、およびプロセッサのうちのいずれかを含んでもよく、少なくともプロセッサは、セルにキャンプオンすること、アイドルモードにおいて、ＮＣＴセルを検出すること、および／または、ＷＴＲＵがＮＣＴキャリアをサポートすることが可能であるという条件で、ＮＣＴセルに再選択することを行うように構成され得る。１または複数の代表的な実施形態では、少なくともプロセッサは、キャンプオンされたセルの優先度には関係なく、ＮＣＴセルに再選択するように構成され得る。１または複数の代表的な実施形態では、少なくともプロセッサは、ＮＣＴセルが最高にランク付けされたセルであるという条件で、ＮＣＴセルに再選択するように構成され得る。１または複数の代表的な実施形態では、少なくともプロセッサは、ＮＣＴセルがキャンプオンされたセルと同じ周波数上であるという条件で、ＮＣＴセルに再選択するように構成され得る。
【０５２３】
１または複数の代表的な実施形態では、少なくともプロセッサは、ＮＣＴセルの優先度を調節して、キャンプオンされたセルに勝るように、ＮＣＴセルを優先度付けするように構成され得る。１または複数の代表的な実施形態では、少なくともプロセッサは、ＮＣＴセルの調節された優先度に基づいて、ＮＣＴセルに再選択するように構成され得る。
【０５２４】
第５の例示的な方法（および、対応する装置）に関して上述された特徴は、ＮＣＴセルに鑑みたセル選択および／もしくは再選択に関して、ならびに／またはそれとともに上記で説明された、１または複数の特徴と組み合わせられ得る。
【０５２５】
１または複数の代表的な実施形態では、ＷＴＲＵにおいて実装される方法（「第６の例示的な方法」）は、セル再選択およびセル選択のうちのいずれかを実行するとき、別のキャリアタイプセルに勝るようにＮＣＴセルを優先度付けすることを含み得る。
【０５２６】
１または複数の代表的な実施形態では、ＷＴＲＵは、受信機、送信機、およびプロセッサのうちのいずれかを含んでもよく、少なくともプロセッサは、セル再選択およびセル選択のうちのいずれかを実行するとき、別のキャリアタイプセルに勝るようにＮＣＴセルを優先度付けするように構成され得る。
【０５２７】
１または複数の代表的な実施形態では、受信機、送信機、およびプロセッサのうちのいずれかを含み得る、ネットワークリソース（例えば、ｅノードＢ）は、第６の例示的な方法に向けられた、前述の実施形態のうちの少なくとも１つにおけるような方法を実行するように構成され得る。１または複数の代表的な実施形態では、システムは、第６の例示的な方法に向けられた、前述の実施形態のうちの少なくとも１つにおけるような方法を実行するように構成され得る。１または複数の代表的な実施形態では、有形コンピュータ可読記憶媒体は、第６の例示的な方法に向けられた、前述の実施形態のうちの少なくとも１つにおけるような方法を実行するためのコンピュータ実行可能命令を、その上に記憶していてもよい。
【０５２８】
第６の例示的な方法（および、対応する装置）に関して上述された特徴は、ＮＣＴセルに鑑みたセル選択および／もしくは再選択に関して、ならびに／またはそれとともに上記で説明された、１または複数の特徴と組み合わせられ得る。
【０５２９】
１または複数の代表的な実施形態では、方法（「第７の例示的な方法」）は、ネットワーク要素から、ＮＣＴキャリアをサポートすることが可能ではないＷＴＲＵについて、ハンドオーバをＮＣＴセル以外のセルに制限するための情報を提供すること、および、ＷＴＲＵがＮＣＴセルへハンドオーバすることをブロックすることのうちの、少なくとも１つを含み得る。１または複数の代表的な実施形態では、方法は、ＷＴＲＵがセルへハンドオーバすることを許可することをさらに含み得る。
【０５３０】
１または複数の代表的な実施形態では、受信機、送信機、およびプロセッサのうちのいずれかを含み得る、ネットワークリソース（例えば、ｅノードＢ）は、第７の例示的な方法に向けられた、前述の実施形態のうちの少なくとも１つへの方法を実行するように構成され得る。１または複数の代表的な実施形態では、システムは、第７の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第７の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５３１】
１または複数の代表的な実施形態では、ネットワークリソース（例えば、ｅノードＢ）は、受信機、送信機、およびプロセッサのうちのいずれかを含んでもよく、少なくともプロセッサは、ＮＣＴキャリアをサポートすることが可能ではないＷＴＲＵについて、ハンドオーバをＮＣＴセル以外のセルに制限するための情報を提供すること、および／または、ＷＴＲＵがＮＣＴセルへハンドオーバすることをブロックすることを行うように構成され得る。１または複数の代表的な実施形態では、ネットワークリソースは、ＷＴＲＵがセルへハンドオーバすることを許可するように構成され得る。
【０５３２】
第７の例示的な方法（および、対応する装置）に関して上述された特徴は、ＮＣＴキャリアに鑑みたハンドオーバに関して、および／またはそれとともに上記で説明された、１または複数の特徴と組み合わせられ得る。
【０５３３】
１または複数の代表的な実施形態では、ＮＣＴセルによってサービスされるＷＴＲＵによって実装される方法（「第８の例示的な方法」）は、ＷＴＲＵによって、ＮＣＴセルから、ＭＢＳＦＮサブフレーム構成を受信すること、ならびに、ＷＴＲＵによって、ＮＣＴセルの受信されたＭＢＳＦＮサブフレーム構成に基づいて、ＷＴＲＵのための割り振られたページングフレーム、および／または割り振られたページングオケージョンを判断することのうちの、いずれかを含み得る。１または複数の代表的な実施形態では、ＭＢＳＦＮサブフレームは、サブフレーム０、４、５、および／または９のうちの少なくとも１つを含み得る。１または複数の代表的な実施形態では、方法は、ＭＢＳＦＮサブフレーム構成およびＷＴＲＵ  ＩＤに基づいて、ページングオケージョンを割り振ることを、さらに含み得る。１または複数の代表的な実施形態では、ＭＢＳＦＮサブフレーム構成の受信は、ＭＢＳＦＮサブフレームパターンを表すビットマップを取得することを含み得る。
【０５３４】
１または複数の代表的な実施形態では、受信機、送信機、およびプロセッサのうちのいずれかを含み得る、ネットワークリソース（例えば、ｅノードＢ）は、第８の例示的な方法に向けられた、前述の実施形態のうちの少なくとも１つに対して補足的な方法を実行するように構成され得る。１または複数の代表的な実施形態では、システムは、第８の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第８の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５３５】
１または複数の代表的な実施形態では、ＮＣＴセルによってサービスされるＷＴＲＵは、受信機、送信機、およびプロセッサのうちのいずれかを含んでもよく、少なくともプロセッサは、ＭＢＳＦＮサブフレーム構成を受信すること、ならびに／または、ＮＣＴセルの受信されたＭＢＳＦＮサブフレーム構成に基づいて、ＷＴＲＵのための割り振られたページングフレーム、および／もしくは割り振られたページングオケージョンを判断することを行うように構成され得る。
【０５３６】
第８の例示的な方法（および、対応する装置）に関して上述された特徴は、図７〜１６のうちの１もしくは複数に関して上記で説明されたものなど、ＮＣＴキャリアに鑑みたＭＢＭＳに関して、および／またはそれとともに上記で説明された、１または複数の特徴と組み合わせられ得る。
【０５３７】
１または複数の代表的な実施形態では、ＮＣＴセルによってサービスされるＷＴＲＵによって実装される方法（「第９の例示的な方法」）は、ＷＴＲＵによって、ＮＣＴフレームの非ＭＢＳＦＮサブフレームのサブフレームインデックスを指示する、ＳＩＢにおける情報を受信すること、ＷＴＲＵによって、ｅＰＤＣＣＨを監視して、ＭＣＣＨ変更通知スケジュールを導出すること、および、ＷＴＲＵによって、ＮＣＴセルから、導出されたＭＣＣＨ変更通知スケジュールに従って、ＮＣＴフレームの非ＭＢＳＦＮサブフレームにおいて、来るべきＭＣＣＨ変更についての通知を受信することのうちの、いずれかを含み得る。
【０５３８】
１または複数の代表的な実施形態では、方法は、ＷＴＲＵによって、非マルチキャストブロードキャスト単一周波数ネットワーク（非ＭＢＳＦＮ）サブフレームにおいて、ＭＢＭＳ無線ネットワーク一時識別子（Ｍ−ＲＮＴＩ）でスクランブルされたＤＣＩフォーマットを受信すること、および、ＷＴＲＵによって、Ｍ−ＲＮＴＩを使用して、非ＭＢＳＦＮサブフレームにおいてＤＣＩフォーマットを復号することのうちの、いずれかをさらに含み得る。
【０５３９】
１または複数の代表的な実施形態では、受信機、送信機、およびプロセッサのうちのいずれかを含み得る、ネットワークリソース（例えば、ｅノードＢ）は、第９の例示的な方法に向けられた、前述の実施形態のうちの少なくとも１つに対して補足的な方法を実行するように構成され得る。１または複数の代表的な実施形態では、システムは、第９の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第９の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５４０】
１または複数の代表的な実施形態では、ＮＣＴセルによってサービスされるＷＴＲＵは、受信機、送信機、およびプロセッサのうちのいずれかを含んでもよく、少なくともプロセッサは、ＮＣＴフレームの非ＭＢＳＦＮサブフレームのサブフレームインデックスを指示する、ＳＩＢにおける情報を受信すること、ｅＰＤＣＣＨを監視して、ＭＣＣＨ変更通知スケジュールを導出すること、および／または、ＮＣＴセルから、導出されたマルチキャスト制御チャネル（ＭＣＣＨ）変更通知スケジュールに従って、ＮＣＴフレームの非ＭＢＳＦＮサブフレームにおいて、来るべきＭＣＣＨ変更についての通知を受信することを行うように構成され得る。
【０５４１】
第９の例示的な方法（および、対応する装置）に関して上述された特徴は、図７〜１６のうちの１もしくは複数に関して上記で説明されたものなど、ＮＣＴキャリアに鑑みたＭＢＭＳに関して、および／またはそれとともに上記で説明された、１または複数の特徴と組み合わせられ得る。
【０５４２】
１または複数の代表的な実施形態では、ＮＣＴセルによってサービスされるＷＴＲＵによって実装される方法（「第１０の例示的な方法」）は、ＷＴＲＵによって、ＭＢＳＦＮサブフレームを受信すること、ＷＴＲＵによって、ＭＢＳＦＮ基準信号を受信すること、および、ＭＢＳＦＮ基準信号を使用して、ＭＢＳＦＮサブフレームにおける情報を復調することのうちの、いずれかを含み得る。
【０５４３】
１または複数の代表的な実施形態では、方法は、ＭＢＳＦＮサブフレームにおいて、ＰＤＳＣＨ送信を受信することをさらに含み得る。１または複数の代表的な実施形態では、方法は、来るべきＭＢＳＦＮサブフレームが、（１）ＰＤＳＣＨ上の通常のＣＰを伴うユニキャスト送信、または（２）ＰＭＣＨ送信のうちの１つのために使用されるかどうかを、判断することをさらに含み得る。
【０５４４】
１または複数の代表的な実施形態では、方法は、ＷＴＲＵによって、ＭＣＨ送信スケジュール、および、各ＭＴＣＨの最初にスケジュールされたサブフレームにおけるＭＣＨスケジューリング情報を読み取ること、ならびに、ＰＭＣＨ送信のためにスケジュールされる、および／または、ＰＤＳＣＨ送信のためにスケジュールされる、ＭＢＳＦＮサブフレームを判断することをさらに含み得る。
【０５４５】
１または複数の代表的な実施形態では、方法は、ＭＢＳＦＮサブフレームパターンを受信すること、ＭＢＳＦＮサブフレームパターンの各ビットを読み取ること、および、それぞれのビットの論理レベルに基づいて、対応するＭＢＳＦＮサブフレームが（１）ＰＭＣＨ送信、または（２）ＰＤＳＣＨ送信のうちの１つのためのものであるかどうかを、判断することをさらに含み得る。
【０５４６】
１または複数の代表的な実施形態では、方法は、ＷＴＲＵによって、対応するビットの判断された論理レベルに基づいて、来るべきＭＢＳＦＮサブフレームがＰＤＳＣＨ送信のために使用される場合、通常のＣＰを伴う情報、または、来るべきＭＢＳＦＮサブフレームがＰＭＣＨ送信のためにスケジュールされる場合、拡張ＣＰを伴う情報について、監視することをさらに含み得る。
【０５４７】
１または複数の代表的な実施形態では、ＭＢＳＦＮサブフレームは、ＰＭＣＨ送信のために全体として拡張ＣＰを有してもよく、情報の復調は、ＭＢＳＦＮサブフレームにおいてＰＭＣＨを復調することを含み得る。
【０５４８】
１または複数の代表的な実施形態では、受信機、送信機、およびプロセッサのうちのいずれかを含み得る、ネットワークリソース（例えば、ｅノードＢ）は、第１０の例示的な方法に向けられた、前述の実施形態のうちの少なくとも１つに対して補足的な方法を実行するように構成され得る。１または複数の代表的な実施形態では、システムは、第１０の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１０の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５４９】
１または複数の代表的な実施形態では、ＮＣＴセルによってサービスされるＷＴＲＵは、受信機、送信機、およびプロセッサのうちのいずれかを含んでもよく、少なくともプロセッサは、ＭＢＳＦＮサブフレームを受信すること、ＭＢＳＦＮ基準信号を受信すること、および／または、ＭＢＳＦＮ基準信号を使用して、ＭＢＳＦＮサブフレームにおける情報を復調することを行うように構成され得る。１または複数の代表的な実施形態では、送信機および／またはプロセッサは、ＭＢＳＦＮサブフレームにおいて、ＰＤＳＣＨ送信を受信するように構成され得る。１または複数の代表的な実施形態では、プロセッサは、来るべきＭＢＳＦＮサブフレームが、（１）ＰＤＳＣＨ上の通常のＣＰを伴うユニキャスト送信、または（２）ＰＭＣＨ送信のうちの１つのために使用されるかどうかを、判断するように構成され得る。
【０５５０】
１または複数の代表的な実施形態では、プロセッサは、ＭＣＨ送信スケジュール、および、各ＭＴＣＨの最初にスケジュールされたサブフレームにおけるＭＣＨスケジューリング情報を読み取ること、ならびに／または、ＰＭＣＨ送信のためにスケジュールされる、および／もしくは、ＰＤＳＣＨ送信のためにスケジュールされる、ＭＢＳＦＮサブフレームを判断することを行うように構成され得る。
【０５５１】
１または複数の代表的な実施形態では、受信機および／またはプロセッサは、ＭＢＳＦＮサブフレームパターンを受信すること、ＭＢＳＦＮサブフレームパターンの各ビットを読み取ること、および／または、それぞれのビットの論理レベルに基づいて、対応するＭＢＳＦＮサブフレームが（１）ＰＭＣＨ送信、もしくは（２）ＰＤＳＣＨ送信のうちの１つのためのものであるかどうかを、判断することを行うように構成され得る。
【０５５２】
１または複数の代表的な実施形態では、プロセッサにおいて、対応するビットの判断された論理レベルに基づいて、来るべきＭＢＳＦＮサブフレームがＰＤＳＣＨ送信のために使用される場合、通常のＣＰを伴う情報、または、来るべきＭＢＳＦＮサブフレームがＰＭＣＨ送信のためにスケジュールされる場合、拡張ＣＰを伴う情報について、監視するように構成され得る。１または複数の代表的な実施形態では、ＭＢＳＦＮサブフレームは、ＰＭＣＨ送信のために全体として拡張ＣＰを有してもよく、情報の復調は、ＭＢＳＦＮサブフレームにおいてＰＭＣＨを復調することを含み得る。
【０５５３】
第１０の例示的な方法（および、対応する装置）に関して上述された特徴は、図７〜１６のうちの１もしくは複数に関して上記で説明されたものなど、ＮＣＴキャリアに鑑みたＭＢＭＳに関して、および／またはそれとともに上記で説明された、１または複数の特徴と組み合わせられ得る。
【０５５４】
１または複数の代表的な実施形態では、ＮＣＴセルによってサービスされるＷＴＲＵによって実装される方法（「第１１の例示的な方法」）であって、そこで、ＮＣＴセルのＭＢＳＦＮサブフレームは、単一の通常のＣＰシンボルの非ＭＢＳＦＮ領域と、ＰＭＣＨ送信のための拡張されたＭＢＳＦＮ領域とを有し、方法は、ＷＴＲＵによって、非ＭＢＳＦＮ領域において、（ｉ）来るべきＭＢＳＦＮ領域が、拡張ＣＰを伴うＰＭＣＨ送信のために使用されるか、通常のＣＰを伴うＰＤＳＣＨ送信のために使用されるかを指示する、バイナリ指示、および／または（ｉｉ）１シンボル非ＭＢＳＦＮ領域において、制御チャネルへの来るべき変更を指示する、ビットマップインジケータを含む、情報を受信すること、ならびに、ＷＴＲＵによって、受信された情報に従って、ＷＴＲＵの動作を構成することのうちの、いずれかを含み得る。
【０５５５】
１または複数の代表的な実施形態では、受信機、送信機、およびプロセッサのうちのいずれかを含み得る、ネットワークリソース（例えば、ｅノードＢ）は、第１１の例示的な方法に向けられた、前述の実施形態のうちの少なくとも１つに対して補足的な方法を実行するように構成され得る。１または複数の代表的な実施形態では、システムは、第１１の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１１の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５５６】
１または複数の代表的な実施形態では、ＮＣＴセルによってサービスされるＷＴＲＵは、受信機、送信機、およびプロセッサのうちのいずれかを含み得る。ＮＣＴセルのＭＢＳＦＮサブフレームは、単一の通常のＣＰシンボルの非ＭＢＳＦＮ領域と、ＰＭＣＨ送信のための拡張されたＭＢＳＦＮ領域とを有し得る。少なくともプロセッサは、非ＭＢＳＦＮ領域において、（ｉ）来るべきＭＢＳＦＮ領域が、拡張ＣＰを伴うＰＭＣＨ送信のために使用されるか、通常のＣＰを伴うＰＤＳＣＨ送信のために使用されるかを指示する、バイナリ指示、および／もしくは（ｉｉ）１シンボル非ＭＢＳＦＮ領域において、制御チャネルへの来るべき変更を指示する、ビットマップインジケータを含む、情報を受信すること、ならびに／または、受信された情報に従って、ＷＴＲＵの動作を構成することを行うように構成され得る。
【０５５７】
第１１の例示的な方法（および、対応する装置）に関して上述された特徴は、図７〜１６のうちの１もしくは複数に関して上記で説明されたものなど、ＮＣＴキャリアに鑑みたＭＢＭＳに関して、および／またはそれとともに上記で説明された、１または複数の特徴と組み合わせられ得る。
【０５５８】
１または複数の代表的な実施形態では、ＮＣＴセルによってサービスされるＷＴＲＵによって実装される方法（「第１２の例示的な方法」）であって、ＮＣＴセルのＭＢＳＦＮサブフレームは、ＰＭＣＨ送信のためのサブフレーム全体のための拡張されたＭＢＳＦＮ領域を有し、方法は、ＷＴＲＵによって、通常のＣＰモードにおいて、ＰＭＣＨを受信すること、拡張ＣＰモードにおける送信のために使用されるＭＢＳＦＮ基準パターンのセットとは異なる、第１のセットのＭＢＳＦＮ基準パターンを確立すること、および、第１のセットのＭＢＳＦＮ基準パターンを使用して、ＰＭＣＨを復号することのうちの、いずれかを含み得る。
【０５５９】
１または複数の代表的な実施形態では、受信機、送信機、およびプロセッサのうちのいずれかを含み得る、ネットワークリソース（例えば、ｅノードＢ）は、第１２の例示的な方法に向けられた、前述の実施形態のうちの少なくとも１つに対して補足的な方法を実行するように構成され得る。１または複数の代表的な実施形態では、システムは、第１２の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１２の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５６０】
１または複数の代表的な実施形態では、ＮＣＴセルによってサービスされるＷＴＲＵは、受信機、送信機、およびプロセッサのうちのいずれかを含み得る。ＮＣＴセルのＭＢＳＦＮサブフレームは、ＰＭＣＨ送信のためのサブフレーム全体のための拡張されたＭＢＳＦＮ領域を有し得る。少なくともプロセッサは、通常のＣＰモードにおいて、ＰＭＣＨを受信すること、拡張ＣＰモードにおける送信のために使用されるＭＢＳＦＮ基準パターンのセットとは異なる、第１のセットのＭＢＳＦＮ基準パターンを確立すること、および／または、第１のセットのＭＢＳＦＮ基準パターンを使用して、ＰＭＣＨを復号することを行うように構成され得る。
【０５６１】
第１２の例示的な方法（および、対応する装置）に関して上述された特徴は、図７〜１６のうちの１もしくは複数に関して上記で説明されたものなど、ＮＣＴキャリアに鑑みたＭＢＭＳに関して、および／またはそれとともに上記で説明された、１または複数の特徴と組み合わせられ得る。
【０５６２】
１または複数の代表的な実施形態では、ＮＣＴセルによってサービスされるＷＴＲＵによって実装される方法（「第１３の例示的な方法」）であって、そこで、ｅＰＢＣＨは、ＮＣＴセルによって送られてもよく、ＷＴＲＵ制御のための基本情報を含んでもよく、方法は、ＷＴＲＵによって、ｅＰＢＣＨを受信すること、および、ＷＴＲＵによって、ＤＭＲＳに基づいてｅＰＢＣＨを復調することのうちの、いずれかを含み得る。
【０５６３】
１または複数の代表的な実施形態では、復調することは、（１）プライマリ同期信号（ＰＳＳ）、（２）セカンダリ同期信号（ＳＳＳ）、および／または（３）セル固有基準信号（ＣＲＳ）のうちのいずれかにさらに基づき得る。
【０５６４】
１または複数の代表的な実施形態では、ｅＰＢＣＨの復調は、単一または複数のＤＭＲＳに基づいてもよく、方法は、ＷＴＲＵによって、ｅＰＢＣＨ復調のためのＤＭＲＳポートを、（１）あらかじめ定義されたＤＭＲＳポート、または（２）セルＩＤ、ＰＳＳインデックス、および／もしくはＳＳＳインデックスに応じたもの、ならびに（３）あらかじめ定義されたセットのＤＭＲＳポートの中からのＤＭＲＳポートのブラインド検出のうちの１つに従って、判断することをさらに含み得る。
【０５６５】
１または複数の代表的な実施形態では、ｅＰＢＣＨの復調は、複数のＤＭＲＳポートに基づいてもよく、方法は、ＷＴＲＵによって、複数のＤＭＲＳポートのうちの１つを選択すること、利用可能なセットのリソース要素を、ＤＭＲＳポートのうちの選択された１つに関連付けること、および、ＤＭＲＳポートのうちの選択された１つを使用して、ＤＭＲＳポートのうちの選択された１つに関連付けられたリソース要素において、ｅＰＢＣＨを復調することを、さらに含み得る。
【０５６６】
１または複数の代表的な実施形態では、方法は、ＷＴＲＵによって、複数のサブフレームの１または複数のＲＢにおいて、ｅＰＢＣＨを受信すること、ならびに、ＷＴＲＵによって、（１）ｅＰＢＣＨのサブフレームロケーション、（２）ｅＰＢＣＨを搬送するＲＢのロケーション、（３）ｅＰＢＣＨコンテキストのために使用されるスクランブリング、および／または（４）サイクリック冗長検査（ＣＲＣ）に基づいて、システムフレーム番号（ＳＦＮ）の少なくとも部分を判断することのうちの、いずれかをさらに含み得る。
【０５６７】
１または複数の代表的な実施形態では、ｅＰＢＣＨは、（１）無線フレーム内の、１つのあらかじめ定義されたサブフレーム、もしくは、複数のあらかじめ定義されたサブフレーム、（２）無線フレームにおける位置が、セルＩＤに応じたものである、１つのサブフレームもしくは複数のサブフレーム、（３）無線フレームにおける位置が、動作のモードに応じたものである、１つのサブフレームもしくは複数のサブフレーム、または（４）無線フレームにおける位置が、フレーム番号もしくはシステムフレーム番号（ＳＦＮ）に応じたものである、１つのサブフレームもしくは複数のサブフレームうちのいずれかにおいて、１または複数のリソースブロックにマッピングされ得る。１または複数の代表的な実施形態では、ｅＰＢＣＨを搬送するＲＢのロケーションは、連続的に変化し得る。１または複数の代表的な実施形態では、特定のサブフレームのｅＰＢＣＨは、以下のいずれかにおいてロケートされてもよく、すなわち、（１）中心領域におけるＲＢ、（２）いくつかの近接した、もしくは分散されたＲＢ、（３）あらかじめ定義された帯域幅にわたって、（４）セルＩＤに応じて判断されたＲＢ、および／または（５）ブラインド検出によって判断されたＲＢである。
【０５６８】
１または複数の代表的な実施形態では、受信機、送信機、およびプロセッサのうちのいずれかを含み得る、ネットワークリソース（例えば、ｅノードＢ）は、第１３の例示的な方法に向けられた、前述の実施形態のうちの少なくとも１つに対して補足的な方法を実行するように構成され得る。１または複数の代表的な実施形態では、システムは、第１３の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１３の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５６９】
１または複数の代表的な実施形態では、ＮＣＴセルによってサービスされるＷＴＲＵは、受信機、送信機、およびプロセッサのうちのいずれかを含み得る。ｅＰＢＣＨは、ＷＴＲＵ制御のための基本情報を含んで、ＮＣＴセルによって送られ得る。少なくともプロセッサは、ｅＰＢＣＨを受信すること、および／または、ＤＭＲＳに基づいてｅＰＢＣＨを復調することを行うように構成され得る。
【０５７０】
１または複数の代表的な実施形態では、プロセッサは、（１）プライマリ同期信号（ＰＳＳ）、（２）セカンダリ同期信号（ＳＳＳ）、および／または（３）セル固有基準信号（ＣＲＳ）のうちのいずれかに基づいて、復調するように構成され得る。１または複数の代表的な実施形態では、プロセッサは、単一または複数のＤＭＲＳに基づいてｅＰＢＣＨを復調すること、ならびに／または、ｅＰＢＣＨ復調のためのＤＭＲＳポートを、（１）あらかじめ定義されたＤＭＲＳポート、もしくは（２）セルＩＤ、ＰＳＳインデックスおよび／もしくはＳＳＳインデックスに応じたもの、および（３）あらかじめ定義されたセットのＤＭＲＳポートの中からのＤＭＲＳポートのブラインド検出のうちの１つに従って、判断することを行うように構成され得る。
【０５７１】
１または複数の代表的な実施形態では、プロセッサは、複数のＤＭＲＳポートのうちの１つを選択すること、利用可能なセットのリソース要素を、ＤＭＲＳポートのうちの選択された１つに関連付けること、および／または、ＤＭＲＳポートのうちの選択された１つを使用して、ＤＭＲＳポートのうちの選択された１つに関連付けられたリソース要素において、ｅＰＢＣＨを復調することを行うように構成され得る。
【０５７２】
１または複数の代表的な実施形態では、受信機および／またはプロセッサは、複数のサブフレームの１または複数のＲＢにおいて、ｅＰＢＣＨを受信すること、ならびに／または、（１）ｅＰＢＣＨのサブフレームロケーション、（２）ｅＰＢＣＨを搬送するＲＢのロケーション、（３）ｅＰＢＣＨコンテキストのために使用されるスクランブリング、および／もしくは（４）サイクリック冗長検査（ＣＲＣ）に基づいて、システムフレーム番号（ＳＦＮ）の少なくとも部分を判断することを行うように構成され得る。
【０５７３】
１または複数の代表的な実施形態では、ｅＰＢＣＨは、（１）無線フレーム内の、１つのあらかじめ定義されたサブフレーム、もしくは、複数のあらかじめ定義されたサブフレーム、（２）無線フレームにおける位置が、セルＩＤに応じたものである、１つのサブフレームもしくは複数のサブフレーム、（３）無線フレームにおける位置が、動作のモードに応じたものである、１つのサブフレームもしくは複数のサブフレーム、または（４）無線フレームにおける位置が、フレーム番号もしくはシステムフレーム番号（ＳＦＮ）に応じたものである、１つのサブフレームもしくは複数のサブフレームのうちのいずれかにおいて、１または複数のリソースブロックにマッピングされ得る。１または複数の代表的な実施形態では、ｅＰＢＣＨを搬送するＲＢのロケーションは、連続的に変化し得る。１または複数の代表的な実施形態では、特定のサブフレームのｅＰＢＣＨは、以下のいずれかにおいてロケートされてもよく、すなわち、（１）中心領域におけるＲＢ、（２）いくつかの近接した、もしくは分散されたＲＢ、（３）あらかじめ定義された帯域幅にわたって、（４）セルＩＤに応じて判断されたＲＢ、および／または（５）ブラインド検出によって判断されたＲＢである。
【０５７４】
１または複数の代表的な実施形態では、１または複数のネットワークリソースは、異なるサブフレームおよび／またはＲＢロケーションにおいてｅＰＢＣＨを送信するように（例えば、セル間干渉を低減するように）、近接したセルを構成するように構成され得る。
【０５７５】
第１３の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０５７６】
１または複数の代表的な実施形態では、方法（「第１４の例示的な方法」）は、異なるサブフレームおよび／またはＲＢロケーションにおいてｅＰＢＣＨを送信するように（例えば、セル間干渉を低減するように）、近接したセルを構成することを含み得る。１または複数の代表的な実施形態では、方法は、（１）ｅＰＢＣＨのためのサブフレームロケーション、（２）ｅＰＢＣＨを搬送するＲＢにおける異なるロケーション、（３）ｅＰＢＣＨコンテキストのために使用されるスクランブリング、および／もしくは（４）サイクリック冗長検査（ＣＲＣ）を判断すること、判断に基づいてｅＰＢＣＨを生成すること、ならびに、ｅＰＢＣＨをＲＢにおいて送ることのうちの、いずれかをさらに含み得る。
【０５７７】
１または複数の代表的な実施形態では、１または複数のネットワークリソース（その各々は、受信機、送信機およびプロセッサのうちのいずれかを含み得る）は、第１４の例示的な方法に向けられた、前述の実施形態のうちの少なくとも１つに対して補足的な方法を実行するように構成され得る。１または複数の代表的な実施形態では、システムは、第１４の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１４の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５７８】
１または複数の代表的な実施形態では、１または複数のネットワークリソースは、その各々が、受信機、送信機およびプロセッサのうちのいずれかを含んでもよく、ネットワークリソースのうちの少なくとも１つの少なくともプロセッサは、異なるサブフレームおよび／またはＲＢロケーションにおいてｅＰＢＣＨを送信するように、近接したセルを構成するように構成され得る。１または複数の代表的な実施形態では、ネットワークリソースのうちの少なくとも１つの少なくともプロセッサは、（１）ｅＰＢＣＨのためのサブフレームロケーション、（２）ｅＰＢＣＨを搬送するＲＢにおける異なるロケーション、（３）ｅＰＢＣＨコンテキストのために使用されるスクランブリング、および／もしくは（４）サイクリック冗長検査（ＣＲＣ）を判断すること、判断に基づいてｅＰＢＣＨを生成すること、ならびに、ｅＰＢＣＨをＲＢにおいて送ることを行うように構成され得る。
【０５７９】
第１４の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０５８０】
１または複数の代表的な実施形態では、ネットワークリソースによって、セルに関連付けられたカバレージエリア内の２またはそれ以上の特定のロケーションの方へ、ｅＰＢＣＨ情報を導くために実装される方法（「第１５の例示的な方法」）は、ネットワークリソースによって、ｅＰＢＣＨ情報を第１のＤＭＲＳポート上で送信すること、および、同じｅＰＢＣＨ情報を第２のＤＭＲＳポート上で送信することによって、ｅＰＢＣＨ情報をビームフォーミングすることを含み得る。
【０５８１】
１または複数の代表的な実施形態では、２またはそれ以上の特定のロケーションは、互いからリモートであり得る。１または複数の代表的な実施形態では、第１のＤＭＲＳポートおよび第２のＤＭＲＳポートは、アンテナポート７および８であり得る。
【０５８２】
１または複数の代表的な実施形態では、ビームフォーミングは、２またはそれ以上のロケーションのうちの第１のものに従って、プリコーダ行列を選択すること、および、選択されたプリコーダ行列を使用して、ｅＰＢＣＨ情報をプリコードすることのうちの、いずれかを含んでもよく、第１のＤＭＲＳポート上のｅＰＢＣＨ情報の送信は、プリコードされたｅＰＢＣＨ情報を送信することを含む。
【０５８３】
１または複数の代表的な実施形態では、ビームフォーミングは、２またはそれ以上のロケーションのうちの第２のものに従って、さらなるプリコーダ行列を選択すること、および、選択されたさらなるプリコーダ行列を使用して、同じｅＰＢＣＨ情報をプリコードすることのうちの、いずれかを含んでもよく、第２のＤＭＲＳポート上の同じｅＰＢＣＨ情報の送信は、プリコードされた同じｅＰＢＣＨ情報を送信することを含む。１または複数の代表的な実施形態では、プリコーダ行列およびさらなるプリコーダ行列の選択は、特定の２またはそれ以上のロケーションのために最適化されるプリコーダ行列およびさらなるプリコーダ行列を選択することを含み得る。
【０５８４】
１または複数の代表的な実施形態では、ＷＴＲＵは、第１５の例示的な方法に向けられた、前述の実施形態のうちの少なくとも１つに対して補足的な方法を実行するように構成され得る。１または複数の代表的な実施形態では、システムは、第１５の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１５の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５８５】
１または複数の代表的な実施形態では、ＷＴＲＵは、送信機、受信機およびプロセッサのうちのいずれかを含んでもよく、受信機および／またはプロセッサは、ネットワークリソースによって、ビームフォーミングを使用して、カバレージエリア内の２またはそれ以上の特定のロケーションの方へ導かれたｅＰＢＣＨ情報を受信するように構成されてもよく、同じｅＰＢＣＨ情報は、第１のＤＭＲＳポートおよび第２のＤＭＲＳポートのいずれかにおいて利用可能である。
【０５８６】
１または複数の代表的な実施形態では、２またはそれ以上の特定のロケーションは、互いからリモートであり得る。１または複数の代表的な実施形態では、第１のＤＭＲＳポートおよび第２のＤＭＲＳポートは、アンテナポート７および８であり得る。
【０５８７】
１または複数の代表的な実施形態では、第１のＤＭＲＳポート上のｅＰＢＣＨ情報は、２またはそれ以上のロケーションのうちの第１のものに従うプリコーダ行列を使用してプリコードされ得る。１または複数の代表的な実施形態では、第２のＤＭＲＳポート上のｅＰＢＣＨ情報は、２またはそれ以上のロケーションのうちの第２のものに従うさらなるプリコーダ行列を使用してプリコードされ得る。１または複数の代表的な実施形態では、プリコーダ行列およびさらなるプリコーダ行列は、特定の２またはそれ以上のロケーションのために最適化され得る。
【０５８８】
第１５の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０５８９】
１または複数の代表的な実施形態では、ＷＴＲＵにおいて実装される方法（「第１６の例示的な方法」）は、ＷＴＲＵによって、第１のアンテナポートおよび／または第２のアンテナポートのいずれかから、ｅＰＢＣＨ情報を受信すること、第１のアンテナポートおよび／または第２のアンテナポートから受信されたｅＰＢＣＨ情報の一方または両方を選択すること、ならびに、ｅＰＢＣＨ情報を復号することのうちの、いずれかを含み得る。
【０５９０】
１または複数の代表的な実施形態では、ｅＰＢＣＨ情報の復号は、第１のアンテナポートおよび第２のアンテナポートからのｅＰＢＣＨ情報の受信された信号のうちのより強いもののみを復号することを含み得る。１または複数の代表的な実施形態では、ｅＰＢＣＨ情報の復号は、第１のアンテナポートおよび第２のアンテナポートからの受信されたｅＰＢＣＨ情報の結合検出を含む。
【０５９１】
１または複数の代表的な実施形態では、ネットワークリソースは、第１６の例示的な方法に向けられた、前述の実施形態のうちの少なくとも１つに対して補足的な方法を実行するように構成され得る。１または複数の代表的な実施形態では、システムは、第１６の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１６の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５９２】
第１６の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０５９３】
１または複数の代表的な実施形態では、ネットワークリソースによって、ネットワークリソースに関連付けられたセルのカバレージエリア内である、１または複数のＷＴＲＵを構成するために実装される方法（「第１７の例示的な方法」）は、ネットワークリソースによって、第１のセットのｅＰＢＣＨ関連情報を第１のＤＭＲＳポート上で送信すること、および、ネットワークリソースによって、第２のセットのｅＰＢＣＨ関連情報を第２のＤＭＲＳポート上で送信することのうちの、いずれかを含み得る。
【０５９４】
１または複数の代表的な実施形態では、第１のＤＭＲＳポート上の第１のセットのｅＰＢＣＨ関連情報は、第１のタイプのＷＴＲＵに関連付けられた第１のセットの属性を含んでもよく、および／または、第２のＤＭＲＳポート上の第２のセットのｅＰＢＣＨ関連情報は、第２の、異なるタイプのＷＴＲＵに関連付けられた第２のセットの属性を含んでもよい。１または複数の代表的な実施形態では、第１のセットのｅＰＢＣＨ関連情報は、第２のセットのｅＰＢＣＨ関連情報によってサポートされた帯域幅よりも広い帯域幅をサポートすることができる。
【０５９５】
１または複数の代表的な実施形態では、ＷＴＲＵは、第１７の例示的な方法に向けられた、前述の実施形態のうちの少なくとも１つに対して補足的な方法を実行するように構成され得る。１または複数の代表的な実施形態では、システムは、第１７の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１７の例示的な方法に向けられた、前述の実施形態のうちの少なくとも１つにおけるような方法、および／またはそれに対して補足的な方法を実行するためのコンピュータ実行可能命令を、その上に記憶していてもよい。
【０５９６】
１または複数の代表的な実施形態では、ネットワークリソースに関連付けられたセルのカバレージエリア内であり得るＷＴＲＵは、受信機、送信機、およびプロセッサを含んでもよく、受信機および／またはプロセッサは、ネットワークリソースから、第１のセットのｅＰＢＣＨ関連情報を第１のＤＭＲＳポート上で、および、第２のセットのｅＰＢＣＨ関連情報を第２のＤＭＲＳポート上で受信するように構成され得る。１または複数の代表的な実施形態では、第１のＤＭＲＳポート上の第１のセットのｅＰＢＣＨ関連情報は、第１のタイプのＷＴＲＵに関連付けられた第１のセットの属性を含んでもよく、および／または、第２のＤＭＲＳポート上の第２のセットのｅＰＢＣＨ関連情報は、第２の、異なるタイプのＷＴＲＵに関連付けられた第２のセットの属性を含んでもよい。１または複数の代表的な実施形態では、第１のセットのｅＰＢＣＨ関連情報は、第２のセットのｅＰＢＣＨ関連情報によってサポートされた帯域幅よりも広い帯域幅をサポートすることができる。
【０５９７】
第１７の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０５９８】
１または複数の代表的な実施形態では、ＷＴＲＵによって実装される方法（「第１８の例示的な方法」）は、ＷＴＲＵによって、ネットワークリソースから、第１のセットのｅＰＢＣＨ関連情報および第２のセットのｅＰＢＣＨ関連情報を、それぞれ、第１のＤＭＲＳポートおよび第２のＤＭＲＳポート上で受信すること、ＷＴＲＵによって、第１のセットのｅＰＢＣＨ関連情報および第２のセットのｅＰＢＣＨ関連情報を復号すること、ＷＴＲＵによって、第１のセットのｅＰＢＣＨ関連情報または第２のセットのｅＰＢＣＨ関連情報のうちの１つを選択すること、ならびに、第１のセットのｅＰＢＣＨ関連情報または第２のセットのｅＰＢＣＨ関連情報のうちの、選択された１つに従う動作のために、ＷＴＲＵを構成することのうちの、いずれかを含み得る。
【０５９９】
１または複数の代表的な実施形態では、ＷＴＲＵが第１のタイプのものである場合、第１のセットのｅＰＢＣＨ関連情報もしくは第２のセットのｅＰＢＣＨ関連情報の選択は、第１のセットのｅＰＢＣＨ関連情報を選択することを含んでもよく、および／または、ＷＴＲＵが第２のタイプのものである場合、第１のセットのｅＰＢＣＨ関連情報もしくは第２のセットのｅＰＢＣＨ関連情報の選択は、第２のセットのｅＰＢＣＨ関連情報を選択することを含んでもよい。１または複数の代表的な実施形態では、第１のタイプのＷＴＲＵは、第１の帯域幅能力を有するＷＴＲＵであってもよく、および／またはそれを含んでもよい。１または複数の代表的な実施形態では、第２のタイプのＷＴＲＵは、第２の、より高い帯域幅能力を有するＷＴＲＵであってもよく、および／またはそれを含んでもよい。
【０６００】
１または複数の代表的な実施形態では、ネットワークリソースは、第１８の例示的な方法に向けられた、前述の実施形態のうちの少なくとも１つに対して補足的な方法を実行するように構成され得る。１または複数の代表的な実施形態では、システムは、第１８の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１８の例示的な方法に向けられた、前述の実施形態のうちの少なくとも１つにおけるような方法、および／またはそれに対して補足的な方法を実行するためのコンピュータ実行可能命令を、その上に記憶していてもよい。
【０６０１】
１または複数の代表的な実施形態では、ネットワークリソースに関連付けられたセルのカバレージエリア内であり得るＷＴＲＵを構成するように構成され得る、ネットワークリソースは、受信機、送信機、およびプロセッサを含んでもよく、送信機および／またはプロセッサは、第１のセットのｅＰＢＣＨ関連情報を第１のＤＭＲＳポート上で、および、第２のセットのｅＰＢＣＨ関連情報を第２のＤＭＲＳポート上で送信するように構成され得る。１または複数の代表的な実施形態では、第１のＤＭＲＳポート上の第１のセットのｅＰＢＣＨ関連情報は、第１のタイプのＷＴＲＵに関連付けられた第１のセットの属性を含んでもよく、および／または、第２のＤＭＲＳポート上の第２のセットのｅＰＢＣＨ関連情報は、第２の、異なるタイプのＷＴＲＵに関連付けられた第２のセットの属性を含んでもよい。１または複数の代表的な実施形態では、第１のセットのｅＰＢＣＨ関連情報は、第２のセットのｅＰＢＣＨ関連情報によってサポートされた帯域幅よりも広い帯域幅をサポートすることができる。
【０６０２】
第１８の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０６０３】
１または複数の代表的な実施形態では、ネットワークリソースによって、ネットワークリソースに関連付けられた複数のセルの重複するカバレージエリア内で、１または複数のＷＴＲＵを構成するために実装される方法（「第１９の例示的な方法」）は、ネットワークリソースによって、複数のセルのうちの第１のものについて、ｅＰＢＣＨ関連情報を第１のＤＭＲＳポート上で送信すること、および、ネットワークリソースによって、複数のセルのうちの第２のものについて、ｅＰＢＣＨ関連情報を第２のＤＭＲＳポート上で送信することのうちの、いずれかを含み得る。
【０６０４】
１または複数の代表的な実施形態では、複数のセルのうちの第１のものおよび第２のものに関連付けられたｅＰＢＣＨ関連情報は、等しいセットのプライマリ同期信号およびセカンダリ同期信号を含み得る。
【０６０５】
１または複数の代表的な実施形態では、ＷＴＲＵは、第１９の例示的な方法に向けられた、前述の実施形態のうちの少なくとも１つに対して補足的な方法を実行するように構成され得る。１または複数の代表的な実施形態では、システムは、第１９の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第１９の例示的な方法に向けられた、前述の実施形態のうちの少なくとも１つにおけるような方法、および／またはそれに対して補足的な方法を実行するためのコンピュータ実行可能命令を、その上に記憶していてもよい。
【０６０６】
１または複数の代表的な実施形態では、ネットワークリソースに関連付けられたセルのカバレージエリア内であり得るＷＴＲＵは、受信機、送信機、およびプロセッサを含んでもよく、受信機および／またはプロセッサは、第１のセットのｅＰＢＣＨ関連情報を第１のＤＭＲＳポート上で、および、第２のセットのｅＰＢＣＨ関連情報を第２のＤＭＲＳポート上で受信するように構成され得る。１または複数の代表的な実施形態では、第１のＤＭＲＳポート上の第１のセットのｅＰＢＣＨ関連情報は、第１のタイプのＷＴＲＵに関連付けられた第１のセットの属性を含んでもよく、および／または、第２のＤＭＲＳポート上の第２のセットのｅＰＢＣＨ関連情報は、第２の、異なるタイプのＷＴＲＵに関連付けられた第２のセットの属性を含んでもよい。１または複数の代表的な実施形態では、第１のセットのｅＰＢＣＨ関連情報は、第２のセットのｅＰＢＣＨ関連情報によってサポートされた帯域幅よりも広い帯域幅をサポートすることができる。
【０６０７】
第１９の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０６０８】
１または複数の代表的な実施形態では、ＷＴＲＵによって実装される方法（「第２０の例示的な方法」）は、ＷＴＲＵによって、ネットワークリソースから、複数のセルのうちの第１のものおよび第２のものについて、ｅＰＢＣＨ関連情報を、それぞれ、第１のＤＭＲＳポートおよび第２のＤＭＲＳポート上で受信すること、ＷＴＲＵによって、複数のセルのうちの第１のものおよび第２のもののｅＰＢＣＨ関連情報を検出すること、ならびに、ＷＴＲＵによって、ＷＴＲＵのタイプに基づいて、複数のセルのうちの第１のものまたは第２のもののうちの１つに接続することのうちの、いずれかを含み得る。１または複数の代表的な実施形態では、方法は、受信された情報に基づいて、複数のセルのうちの第１のものおよび第２のもののセル識別情報を判断することをさらに含む。
【０６０９】
１または複数の代表的な実施形態では、ネットワークリソースは、第２０の例示的な方法に向けられた、前述の実施形態のうちの少なくとも１つに対して補足的な方法を実行するように構成され得る。１または複数の代表的な実施形態では、システムは、第２０の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２０の例示的な方法に向けられた、前述の実施形態のうちの少なくとも１つにおけるような方法、および／またはそれに対して補足的な方法を実行するためのコンピュータ実行可能命令を、その上に記憶していてもよい。
【０６１０】
第２０の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０６１１】
１または複数の代表的な実施形態では、ネットワークリソースによって、ネットワークリソースに関連付けられた複数のセルの重複するカバレージエリア内で、１または複数のＷＴＲＵを構成するために実装される方法（「第２１の例示的な方法」）であって、複数のセルは、重複するリソースブロック（ＲＢ）を有し、方法は、複数のセルのうちの第１のセルおよび第２のセルについて、第１のｅＰＢＣＨ関連情報および第２のｅＰＢＣＨ関連情報を生成および／または確立することであって、第１のｅＰＢＣＨ関連情報および第２のｅＰＢＣＨ関連情報は、共通して同期信号のセットを有すること、ネットワークリソースによって、重複するＲＢにおいて、第１のｅＰＢＣＨ関連情報および第２のｅＰＢＣＨ関連情報を送信することのうちの、いずれかを含み得る。
【０６１２】
１または複数の代表的な実施形態では、第１のｅＰＢＣＨ関連情報および第２のｅＰＢＣＨ関連情報は、重複するＲＢにおいて、それぞれの第１のサブセットのリソース要素および第２のサブセットのリソース要素において送信され得る。１または複数の代表的な実施形態では、同期信号のセットは、プライマリ同期信号およびセカンダリ同期信号のセットのいずれかであってもよく、ならびに／またはそれを含んでもよい。１または複数の代表的な実施形態では、第１のｅＰＢＣＨ関連情報および第２のｅＰＢＣＨ関連情報は、それぞれの第１のＤＭＲＳポートおよび第２のＤＭＲＳポート上で送信され得る。１または複数の代表的な実施形態では、第１のセルおよび第２のセルは、それぞれの第１の送信帯域幅および第２の送信帯域幅を有し、第１の送信帯域幅は、第２の送信帯域幅を、全体において、または部分において包含する。
【０６１３】
１または複数の代表的な実施形態では、複数のセルの重複するカバレージエリアは、第１のセルの第１のカバレージエリア、および、第２のセルの第２のカバレージエリアを備え、第１のカバレージエリアおよび第２のカバレージエリアは、部分的に重複する。１または複数の代表的な実施形態では、複数のセルの重複するカバレージエリアは、第１のセルの第１のカバレージエリア、および、第２のセルの第２のカバレージエリアを備え、第１のカバレージエリアは、第２のカバレージエリアに完全に重複するか、または、第２のカバレージエリアは、第１のカバレージエリアを完全に覆う。
【０６１４】
１または複数の代表的な実施形態では、ＷＴＲＵは、第２１の例示的な方法に向けられた、前述の実施形態のうちの少なくとも１つに対して補足的な方法を実行するように構成され得る。１または複数の代表的な実施形態では、システムは、第２１の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２１の例示的な方法に向けられた、前述の実施形態のうちの少なくとも１つにおけるような方法、および／またはそれに対して補足的な方法を実行するためのコンピュータ実行可能命令を、その上に記憶していてもよい。
【０６１５】
第２１の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０６１６】
１または複数の代表的な実施形態では、ネットワークリソースに関連付けられた複数のセルの重複するカバレージエリア内のＷＴＲＵによって実装される方法（「第２２の例示的な方法」）であって、複数のセルのうちの第１のセルおよび第２のセルは、重複するリソースブロック（ＲＢ）を有し、方法は、重複するＲＢにおいて受信された、第１のセルおよび第２のセルの、第１のｅＰＢＣＨ関連情報および第２のｅＰＢＣＨ関連情報のうちのいずれかから、同期信号のセットを受信することであって、同期信号のセットは、第１のｅＰＢＣＨ関連情報と第２のｅＰＢＣＨ関連情報の両方に共通であること、ならびに、同期信号のセットに少なくとも部分的に基づいて、第１のセルのセル識別子を判断することのうちの、いずれかを含み得る。
【０６１７】
１または複数の代表的な実施形態では、方法は、第１のセルの判断されたセル識別子に少なくとも部分的に基づいて、第２のセルのセル識別子を判断することを含み得る。１または複数の代表的な実施形態では、方法は、第１のｅＰＢＣＨ関連情報および第２のｅＰＢＣＨ関連情報のうちのいずれかを含む、１または複数のファクタに基づいて、第２のセルのセル識別子を判断することを含み得る。
【０６１８】
１または複数の代表的な実施形態では、方法は、第１のｅＰＢＣＨ関連情報および第２のｅＰＢＣＨ関連情報の一方または両方を受信することを含み得る。１または複数の代表的な実施形態では、第１のｅＰＢＣＨ関連情報および第２のｅＰＢＣＨ関連情報は、重複するＲＢにおいて、それぞれの第１のサブセットのリソース要素および第２のサブセットのリソース要素において受信され得る。
【０６１９】
１または複数の代表的な実施形態では、同期信号のセットは、プライマリ同期信号およびセカンダリ同期信号のセットのいずれかであってもよく、ならびに／またはそれを含んでもよい。
【０６２０】
１または複数の代表的な実施形態では、第１のｅＰＢＣＨ関連情報および第２のｅＰＢＣＨ関連情報は、それぞれの第１のＤＭＲＳポートおよび第２のＤＭＲＳポート上で受信され得る。１または複数の代表的な実施形態では、第１のセルおよび第２のセルは、それぞれの第１の送信帯域幅および第２の送信帯域幅を有し得る。１または複数の代表的な実施形態では、第１の送信帯域幅は、第２の送信帯域幅を、全体において、または部分において包含し得る。
【０６２１】
１または複数の代表的な実施形態では、方法は、それぞれの第１の帯域幅および第２の帯域幅に少なくとも部分的に基づいて、第１のセルおよび第２のセルのうちのどちらを使用するべきかを判断することを含み得る。１または複数の代表的な実施形態では、方法は、（ｉ）それぞれの第１の帯域幅および第２の帯域幅、（ｉｉ）ＷＴＲＵクラス、ならびに（ｉｉｉ）ＷＴＲＵカテゴリのうちのいずれかに少なくとも部分的に基づいて、第１のセルおよび第２のセルのうちのどちらを使用するべきかを判断することを含み得る。
【０６２２】
１または複数の代表的な実施形態では、複数のセルの重複するカバレージエリアは、第１のセルの第１のカバレージエリア、および、第２のセルの第２のカバレージエリアを含んでもよく、第１のカバレージエリアおよび第２のカバレージエリアは、部分的に重複する。１または複数の代表的な実施形態では、複数のセルの重複するカバレージエリアは、第１のセルの第１のカバレージエリア、および、第２のセルの第２のカバレージエリアを含んでもよく、第１のカバレージエリアは、第２のカバレージエリアに完全に重複するか、または、第２のカバレージエリアは、第１のカバレージエリアを完全に覆う。
【０６２３】
１または複数の代表的な実施形態では、ネットワークリソースは、第２２の例示的な方法に向けられた、前述の実施形態のうちの少なくとも１つに対して補足的な方法を実行するように構成され得る。１または複数の代表的な実施形態では、システムは、第２２の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２２の例示的な方法に向けられた、前述の実施形態のうちの少なくとも１つにおけるような方法、および／またはそれに対して補足的な方法を実行するためのコンピュータ実行可能命令を、その上に記憶していてもよい。
【０６２４】
第２２の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０６２５】
１または複数の代表的な実施形態では、ＷＴＲＵによって実装される方法（「第２３の例示的な方法」）は、サブフレームロケーションが無線フレーム内で可変であるサブフレームにおいて、ｅＰＢＣＨを復号することを含み得る。１または複数の代表的な実施形態では、サブフレームロケーションの可変性は、セル識別子に少なくとも部分的に基づき得る。１または複数の代表的な実施形態では、ロケーションは、サブフレーム番号によって識別され、サブフレーム番号は、（ｉ）システムフレーム番号、（ｉｉ）セル識別子、および（ｉｉｉ）二重タイプのうちの少なくとも１つに応じたものである。
【０６２６】
１または複数の代表的な実施形態では、ＷＴＲＵは、第２３の例示的な方法に向けられた、前述の実施形態のうちの少なくとも１つに対して補足的な方法を実行するように構成され得る。１または複数の代表的な実施形態では、システムは、第２３の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２３の例示的な方法に向けられた、前述の実施形態のうちの少なくとも１つにおけるような方法、および／またはそれに対して補足的な方法を実行するためのコンピュータ実行可能命令を、その上に記憶していてもよい。
【０６２７】
第２３の例示的な方法（および、対応する装置）に関して上述された特徴は、図１７〜２７のうちの１もしくは複数に関して上記で説明されたものなど、ｅＰＢＣＨに関して、および／またはそれとともに上記で説明された、１または複数の特徴と組み合わせられ得る。
【０６２８】
１または複数の代表的な実施形態では、休止セルの近傍におけるＷＴＲＵによって実装される方法（「第２４の例示的な方法」）は、ＷＴＲＵによって、休止セルから、信号を受信すること、ＷＴＲＵによって、サービングセルから、１または複数の休止セルの測定を始動するためのトリガを受信すること、および、ＷＴＲＵによって、信号を測定することのうちの、いずれかを含み得る。
【０６２９】
１または複数の代表的な実施形態では、信号は、非周期信号または１回限りの信号であってもよく、信号の測定は、非周期信号のタイミング、非周期信号の帯域、非周期信号のために使用されるシーケンス、および／または直交カバーコードを測定することを含み得る。
【０６３０】
１または複数の代表的な実施形態では、方法は、ＷＴＲＵによって、後続の測定レポートのために使用されることになるリソースのセットをＷＴＲＵに指示するビットフィールドを受信することを、さらに含み得る。
【０６３１】
１または複数の代表的な実施形態では、方法は、ＷＴＲＵによって、信号が１または複数の基準を満足するかどうかを判断すること、および、１または複数の基準が満足されるとき、ＷＴＲＵによって、サービングセルへ、測定レポートを送ることをさらに含み得る。
【０６３２】
１または複数の代表的な実施形態では、測定レポートは、ＷＴＲＵが構成されたリソースにおいて信号を検出することができるかどうかを指示するためのインジケータを含み得る。
【０６３３】
１または複数の代表的な実施形態では、ネットワークリソースは、第２３の例示的な方法に向けられた、前述の実施形態のうちの少なくとも１つに対して補足的な方法を実行するように構成され得る。１または複数の代表的な実施形態では、システムは、第２３の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２３の例示的な方法に向けられた、前述の実施形態のうちの少なくとも１つにおけるような方法、および／またはそれに対して補足的な方法を実行するためのコンピュータ実行可能命令を、その上に記憶していてもよい。第２３の例示的な方法（および、対応する装置）に関して上述された特徴は、図２８〜３１のうちの１もしくは複数に関して上記で説明されたものなど、休止セル／アクティブセルに関して、および／またはそれとともに上記で説明された、１または複数の特徴と組み合わせられ得る。
【０６３４】
１または複数の代表的な実施形態では、休止セルのためのアクセスポイントによって実装される方法（「第２５の例示的な方法」）は、休止セルのための１または複数の非周期信号構成を確立すること、休止セルによって、休止セルの休止状態非周期信号を通信するために使用されることになるリソースを構成すること、休止セルによって、１または複数の隣接するセル、セルクラスタ、および／またはマクロセルに、休止状態非周期信号を通信するために使用されることになる構成されたリソースを知らせること、休止セルによって、休止状態非周期信号をトリガするための要求を受信すること、ならびに、休止セルによって、受信された要求に応答して、構成されたリソースを使用して、休止状態非周期信号を送ることのうちの、いずれかを含み得る。
【０６３５】
１または複数の代表的な実施形態では、休止状態非周期信号をトリガするための要求の受信は、隣接するセルから、Ｘ２インターフェースを介して、休止状態非周期信号をトリガするための要求を受信することを含み得る。
【０６３６】
１または複数の代表的な実施形態では、休止状態非周期信号をトリガするための要求は、隣接するセルにより所望された非周期シグナリング構成を含んでもよく、方法は、休止セルによって、肯定応答信号を、Ｘ２インターフェースを介して、隣接するセルへ送り、休止セルが所望された非周期シグナリング構成を使用することになることを指示することを、さらに含み得る。
【０６３７】
１または複数の代表的な実施形態では、休止状態非周期信号をトリガするための要求の受信は、ワイヤレス送信／受信ユニット（ＷＴＲＵ）から、物理ランダムアクセスチャネル（ＰＲＡＣＨ）送信を介して、休止状態非周期信号をトリガするための要求を受信することを含み得る。
【０６３８】
１または複数の代表的な実施形態では、ネットワークリソースは、第２５の例示的な方法に向けられた、前述の実施形態のうちの少なくとも１つに対して補足的な方法を実行するように構成され得る。１または複数の代表的な実施形態では、システムは、第２５の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２５の例示的な方法に向けられた、前述の実施形態のうちの少なくとも１つにおけるような方法、および／またはそれに対して補足的な方法を実行するためのコンピュータ実行可能命令を、その上に記憶していてもよい。第２５の例示的な方法（および、対応する装置）に関して上述された特徴は、図２８〜３１のうちの１もしくは複数に関して上記で説明されたものなど、休止セル／アクティブセルに関して、および／またはそれとともに上記で説明された、１または複数の特徴と組み合わせられ得る。
【０６３９】
１または複数の代表的な実施形態では、ＷＴＲＵによって実装される方法（「第２６の例示的な方法」）は、ＷＴＲＵによって、１または複数の休止状態信号について監視すること、ＷＴＲＵによって、各休止状態信号の少なくとも１つの基準を測定すること、各休止状態信号について、比較結果として、少なくとも１つの基準をしきいと比較すること、ＷＴＲＵによって、測定レポートを送るかどうかを、比較結果に基づいて判断すること、および、ＷＴＲＵによって、測定レポートを送ることのうちの、いずれかを含み得る。
【０６４０】
１または複数の代表的な実施形態では、方法は、ＷＴＲＵによって、測定レポートを送った後、近傍における休止セルのうちの１つへＷＴＲＵをハンドオフするためのハンドオフコマンドを受信することを含み得る。
【０６４１】
１または複数の代表的な実施形態では、１または複数の休止状態信号は、非周期信号であってもよく、方法は、ＷＴＲＵによって、物理ランダムアクセスチャネル（ＰＲＡＣＨ）送信を、ＷＴＲＵの近傍における休止セルから、１または複数の休止状態信号をトリガするための要求として、始動することを含み得る。
【０６４２】
１または複数の代表的な実施形態では、１または複数の休止状態信号について監視することは、１または複数の休止状態信号についてブラインド探索すること、および、ブラインド探索に基づいて、１または複数の休止状態信号を検出することのうちの、いずれかを含み得る。
【０６４３】
１または複数の代表的な実施形態では、各休止状態信号の少なくとも１つの基準の測定は、（１）休止状態信号のサブフレームロケーション、（２）休止状態信号の時間ロケーション、および／または（３）休止状態信号の帯域のうちのいずれかを判断することであって、サブフレームロケーション、時間ロケーション、および帯域は、ＰＲＡＣＨトリガ送信のために使用されるサブフレームリソースまたは物理ランダムアクセスチャネル（ＰＲＡＣＨ）リソースに応じたものであることを含み得る。
【０６４４】
１または複数の代表的な実施形態では、測定レポートの送ることは、測定された基準の指示をサービングセルへ送信することを含み得る。
【０６４５】
１または複数の代表的な実施形態では、測定された基準の指示は、（１）１または複数の測定された基準レベル、（２）１または複数の測定された基準がしきいを満足するという指示、（３）測定された休止状態信号のタイプおよび／もしくはコンテキスト、ならびに／または（４）測定された休止状態信号のロケーションのうちのいずれかを含み得る。
【０６４６】
１または複数の代表的な実施形態では、１または複数の休止状態信号は、周期信号であってもよく、各周期的休止状態信号の少なくとも１つの基準の測定は、ＷＴＲＵによって、ＷＴＲＵの近傍におけるそれぞれの休止セルに関連付けられた各周期的休止状態信号の少なくとも１つの基準を測定するために、測定リソースを構成することを含み得る。
【０６４７】
１または複数の代表的な実施形態では、測定リソースは、（１）（例えば、ＳＦＮ、サブフレーム、タイムスロット、および／もしくはＯＦＤＭシンボルに関する）周期信号のタイミング、（２）周期信号の周期性、（３）周期信号の初期オフセット、（３）周期信号のタイムスロット、（４）周期信号のＯＦＤＭシンボル、（５）周期信号の帯域、（６）周期信号のために使用される１もしくは複数のシーケンス、ならびに／または（７）直交カバーコードのうちの、いずれかを含み得る。
【０６４８】
１または複数の代表的な実施形態では、１または複数の休止状態信号について監視することは、共通リソース構成を使用して共通周期信号を送信する、複数の休止セルを、クラスタとして監視することを含んでもよく、各休止状態信号の少なくとも１つの基準の測定は、クラスタ固有の周期信号を測定することを含んでもよく、しきいとの少なくとも１つの基準の比較は、比較結果として、信号強度をしきいと比較し、信号強度がしきいよりも大きい場合、測定レポートがサービングセルへ送られて、比較結果が指示されるようにすることを含んでもよい。
【０６４９】
１または複数の代表的な実施形態では、ネットワークリソースは、第２６の例示的な方法に向けられた、前述の実施形態のうちの少なくとも１つに対して補足的な方法を実行するように構成され得る。１または複数の代表的な実施形態では、システムは、第２６の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２６の例示的な方法に向けられた、前述の実施形態のうちの少なくとも１つにおけるような方法、および／またはそれに対して補足的な方法を実行するためのコンピュータ実行可能命令を、その上に記憶していてもよい。第２６の例示的な方法（および、対応する装置）に関して上述された特徴は、図２８〜３１のうちの１もしくは複数に関して上記で説明されたものなど、休止セル／アクティブセルに関して、および／またはそれとともに上記で説明された、１または複数の特徴と組み合わせられ得る。
【０６５０】
１または複数の代表的な実施形態では、少なくとも１つのＷＴＲＵにサービスするサービングセルによって実装される方法（「第２７の例示的な方法」）は、サービングセルによって、ＷＴＲＵから、測定された基準がしきいを満足することを指示する測定レポートを受信すること、および、サービングセルによって、クラスタ内の１または複数の休止セルに、休止セルのうちの少なくとも１つがアクティブ状態に切り替えることになることを知らせることのうちの、いずれかを含み得る。
【０６５１】
１または複数の代表的な実施形態では、方法は、サービングセルによって、非周期的休止状態信号がＷＴＲＵによって測定されることに反応して、第２の測定レポートを受信すること、および、サービングセルによって、第２の測定レポートに基づいて、ＷＴＲＵを、アクティブ状態に切り替えられた休止セルの各々にハンドオフすることのうちの、いずれかを含み得る。１または複数の代表的な実施形態では、休止セルのうちの少なくとも１つがアクティブ状態に切り替えることになることを知らせることは、１または複数のＸ２インターフェースを介して、メッセージを送って、アクティブ状態に切り替えるための休止セルのうちの少なくとも１つを知らせることを含み得る。
【０６５２】
１または複数の代表的な実施形態では、ＷＴＲＵは、第２７の例示的な方法に向けられた、前述の実施形態のうちの少なくとも１つに対して補足的な方法を実行するように構成され得る。１または複数の代表的な実施形態では、システムは、第２７の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２７の例示的な方法に向けられた、前述の実施形態のうちの少なくとも１つにおけるような方法、および／またはそれに対して補足的な方法を実行するためのコンピュータ実行可能命令を、その上に記憶していてもよい。第２７の例示的な方法（および、対応する装置）に関して上述された特徴は、図２８〜３１のうちの１もしくは複数に関して上記で説明されたものなど、休止セル／アクティブセルに関して、および／またはそれとともに上記で説明された、１または複数の特徴と組み合わせられ得る。
【０６５３】
１または複数の代表的な実施形態では、少なくとも１つのＷＴＲＵにサービスするサービングセルによって実装される方法（「第２８の例示的な方法」）は、サービングセルによって、ＷＴＲＵから、１または複数の隣接するアクティブセルからの干渉レベルを指示する測定レポートを受信すること、サービングセルによって、サービングセルによってサービスされるＷＴＲＵのうちの１または複数が、干渉する隣接するアクティブセルとして、隣接するアクティブセルの各々によって引き起こされた干渉のために損害を被っていると判断すること、および、サービングセルによって、干渉する隣接するアクティブセルへ、干渉する隣接するアクティブセルによって引き起こされた干渉の指示を送ることのうちの、いずれかを含み得る。
【０６５４】
１または複数の代表的な実施形態では、干渉の指示は、干渉する隣接するアクティブセルが休止状態に切り替えるための要求を含み得る。１または複数の代表的な実施形態では、干渉の指示は、大きい干渉を有するリソースのセット、および／または、サービングセルが、サービングセルによってサービスされるＷＴＲＵをスケジュールしようとしているところの、リソースのセットを含み得る。１または複数の代表的な実施形態では、干渉の指示は、サービングセルによってサービスされるＷＴＲＵのうちの１または複数を、干渉する隣接するアクティブセルへハンドオフするための情報を含み得る。１または複数の代表的な実施形態では、干渉の指示は、干渉する隣接するアクティブセルによってサービスされるＷＴＲＵを、サービングセルへハンドオフするための情報を含み得る。
【０６５５】
１または複数の代表的な実施形態では、ＷＴＲＵは、第２８の例示的な方法に向けられた、前述の実施形態のうちの少なくとも１つに対して補足的な方法を実行するように構成され得る。１または複数の代表的な実施形態では、システムは、第２８の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２８の例示的な方法に向けられた、前述の実施形態のうちの少なくとも１つにおけるような方法、および／またはそれに対して補足的な方法を実行するためのコンピュータ実行可能命令を、その上に記憶していてもよい。第２８の例示的な方法（および、対応する装置）に関して上述された特徴は、図２８〜３１のうちの１もしくは複数に関して上記で説明されたものなど、休止セル／アクティブセルに関して、および／またはそれとともに上記で説明された、１または複数の特徴と組み合わせられ得る。
【０６５６】
１または複数の代表的な実施形態では、休止セルに関連付けられたネットワークリソースによって実装される方法（「第２９の例示的な方法」）は、休止セルのネットワークリソースによって、ＷＴＲＵから、ＰＲＡＣＨ送信を受信すること、および、受信されたＰＲＡＣＨ送信から、第１のセルの識別情報を判断することのうちの、いずれかを含み得る。１または複数の代表的な実施形態では、受信されたＰＲＡＣＨ送信は、ＷＴＲＵの属性を含んでもよく、および、それにおいて、第１のセルの識別情報を判断することは、ＷＴＲＵの属性に少なくとも部分的に基づいて、識別情報を判断することを含み得る。
【０６５７】
１または複数の代表的な実施形態では、方法は、休止セルのネットワークリソースによって、Ｘ２インターフェースを介して、第１のセルのネットワークリソースへ、休止セルのネットワークリソースがＰＲＡＣＨ送信を受信したという指示を送ることを含み得る。
【０６５８】
１または複数の代表的な実施形態では、方法は、休止セルのネットワークリソースによって、ＷＴＲＵの属性を判断することを含んでもよく、休止セルのネットワークリソースがＰＲＡＣＨ送信を受信したという指示を送ることは、ＷＴＲＵの判断された属性を送ることを含み（または、さらに含み）得る。１または複数の代表的な実施形態では、ＷＴＲＵの判断された属性は、（１）休止セルへのＷＴＲＵの経路損失、（２）受信されたＰＲＡＣＨ送信のためのＷＴＲＵの送信電力、および／または（３）ＷＴＲＵによって使用されたＰＲＡＣＨリソースのうちの、いずれかを含む。
【０６５９】
１または複数の代表的な実施形態では、方法は、自律的に、または、アクティブになるための指示の受信後、制御情報の送信をオンにするか、または、発見信号をオンにすることのうちの１つによって、休止セルをアクティブ化することを含み得る。
【０６６０】
１または複数の代表的な実施形態では、方法は、休止セルのネットワークリソースによって、第１のセルから、ＷＴＲＵの属性情報を受信すること、および、休止セルのネットワークリソースによって、ＷＴＲＵへ、受信された属性情報に基づいて、休止セル応答を送信することのうちの、いずれかを含み得る。
【０６６１】
１または複数の代表的な実施形態では、ＷＴＲＵは、第２９の例示的な方法に向けられた、前述の実施形態のうちの少なくとも１つに対して補足的な方法を実行するように構成され得る。１または複数の代表的な実施形態では、システムは、第２９の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第２９の例示的な方法に向けられた、前述の実施形態のうちの少なくとも１つにおけるような方法、および／またはそれに対して補足的な方法を実行するためのコンピュータ実行可能命令を、その上に記憶していてもよい。第２９の例示的な方法（および、対応する装置）に関して上述された特徴は、図２８〜３１のうちの１もしくは複数に関して上記で説明されたものなど、休止セル／アクティブセルに関して、および／またはそれとともに上記で説明された、１または複数の特徴と組み合わせられ得る。
【０６６２】
１または複数の代表的な実施形態では、第１のセルに関連付けられたネットワークリソースによって、より多くの休止セルのうちの１つを管理するために実装される方法（「第３０の例示的な方法」）は、第１のセルのネットワークリソースによって、１または複数のインターフェースを介して１または複数の休止セルから、休止セルのうちの特定の１つまたは複数のものがＷＴＲＵからのＰＲＡＣＨ送信を受信したという、１または複数の指示を受信すること、ＰＲＡＣＨ送信を受信した１または複数の休止セルのうちのどの１つまたは複数のものがアクティブになることになるかを判断すること、および、第１のセルのネットワークリソースによって、休止セルのうちの判断された１つまたは複数のものへ、少なくとも、アクティブになるための指示を送ることのうちの、いずれかを含み得る。
【０６６３】
１または複数の代表的な実施形態では、ＷＴＲＵは、第３０の例示的な方法に向けられた、前述の実施形態のうちの少なくとも１つに対して補足的な方法を実行するように構成され得る。１または複数の代表的な実施形態では、システムは、第３０の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第３０の例示的な方法に向けられた、前述の実施形態のうちの少なくとも１つにおけるような方法、および／またはそれに対して補足的な方法を実行するためのコンピュータ実行可能命令を、その上に記憶していてもよい。第３０の例示的な方法（および、対応する装置）に関して上述された特徴は、図２８〜３１のうちの１もしくは複数に関して上記で説明されたものなど、休止セル／アクティブセルに関して、および／またはそれとともに上記で説明された、１または複数の特徴と組み合わせられ得る。
【０６６４】
１または複数の代表的な実施形態では、ＷＴＲＵによって休止セル発見のために実装される方法（「第３１の例示的な方法」）は、ＷＴＲＵによって、ＰＲＡＣＨ送信を送ること、送ることに反応して、タイマーを設定すること、および、ランダムアクセス応答（ＲＡＲ）がタイマーの満了において受信されなかった場合、ＷＴＲＵによって、ネットワークリソースへ、休止セルが発見されなかったという指示を送ることのうちの、いずれかを含み得る。１または複数の代表的な実施形態では、方法は、ＲＡＲがタイマーの満了において受信されなかった場合、ＰＲＡＣＨ送信を、あらかじめ構成されたリソース上で増大された電力レベルにおいて再送することを含み得る。
【０６６５】
１または複数の代表的な実施形態では、ネットワークリソースは、第３１の例示的な方法に向けられた、前述の実施形態のうちの少なくとも１つに対して補足的な方法を実行するように構成され得る。１または複数の代表的な実施形態では、システムは、第３１の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第３１の例示的な方法に向けられた、前述の実施形態のうちの少なくとも１つにおけるような方法、および／またはそれに対して補足的な方法を実行するためのコンピュータ実行可能命令を、その上に記憶していてもよい。第３１の例示的な方法（および、対応する装置）に関して上述された特徴は、図２８〜３１のうちの１もしくは複数に関して上記で説明されたものなど、休止セル／アクティブセルに関して、および／またはそれとともに上記で説明された、１または複数の特徴と組み合わせられ得る。
【０６６６】
１または複数の代表的な実施形態では、ＷＴＲＵによって休止セル発見のために実装される方法（「第３２の例示的な方法」）は、第１のセルからの事前構成および／または情報に基づいて、ＷＴＲＵがＰＲＡＣＨ送信に対するランダムアクセス応答（ＲＡＲ）を復号することを可能にするために、構成情報を確立すること、ＷＴＲＵによって、ＰＲＡＣＨ送信を送ること、送ることに反応して、タイマーを設定すること、ならびに、ＲＡＲを受信および復号することのうちの、いずれかを含み得る。
【０６６７】
１または複数の代表的な実施形態では、第１のセルからの情報は、（１）ＲＡ−ＲＮＴＩ、（２）ＰＤＣＣＨ構成、（３）ＣＲＳ構成、（４）ＲＡＲのダウンリンク割当て、および／または（５）それにおいてＲＡＲのダウンリンク割当てのためのＤＣＩを予想するべきｅＰＤＣＣＨリソースのうちの、いずれかを含み得る。１または複数の代表的な実施形態では、事前構成は、ＷＴＲＵに割り当てられた、少なくともあらかじめ構成されたセットのＷＴＲＵ固有の基準シンボルを含み得る。１または複数の代表的な実施形態では、ＲＡＲは、（１）検出された、および、そのためのＲＡＲが有効である、ランダムアクセスプリアンブルシーケンスのインデックス、（２）計算されたタイミング訂正、（３）ＷＴＲＵによって使用されることになるリソースを指示するスケジューリンググラント、（４）ＴＣ−ＲＮＴＩ、（５）ＰＲＡＣＨ送信の受信電力および／もしくは経路損失、ならびに／または（５）周波数および／もしくはタイミングオフセットのうちの、いずれかを含み得る。
【０６６８】
１または複数の代表的な実施形態では、ＲＡＲの受信は、直接、または第１のセルを介して、休止セルからＲＡＲを取得することを含み得る。１または複数の代表的な実施形態では、ＲＡＲは、第１のセルを介して取得されてもよく、方法は、ＲＡＲ、および／またはＲＡＲを含むハンドオーバコマンドにおいて、ＷＴＲＵに、それにおいて従来の測定を実行するべきグラントされた基準シンボルを指示することを含み（または、さらに含み）得る。
【０６６９】
１または複数の代表的な実施形態では、方法は、ＷＴＲＵによって、第１のセルへ、第１のセルによって確立されたスケジューリンググラントに基づいて、休止セル探索の状況を指示する、および、休止セル探索をレポートするために使用されることになるアップリンクリソースを指示する、情報を送信することを含み得る。
【０６７０】
１または複数の代表的な実施形態では、方法は、休止セル探索の状況とともに、休止セルの識別情報、および／または、休止セルに関連付けられた測定のうちのいずれかを含む、他の情報を、測定があらかじめ構成された基準を満足することに反応して、送信することを含み得る。
【０６７１】
１または複数の代表的な実施形態では、方法は、ＷＴＲＵによる複数のＲＡＲの受信に反応して、ＲＡＲの各々において測定を実行すること、および、第１のセルにレポートするための関連付けられた休止セルのサブセットを選択することのうちの、いずれかを含み得る。
【０６７２】
１または複数の代表的な実施形態では、方法は、ＷＴＲＵによって、第１のセルに、ＲＡＲの１または複数の衝突が発生したことをレポートすることを含み得る。
【０６７３】
１または複数の代表的な実施形態では、ネットワークリソースは、第３２の例示的な方法に向けられた、前述の実施形態のうちの少なくとも１つに対して補足的な方法を実行するように構成され得る。１または複数の代表的な実施形態では、システムは、第３２の例示的な方法に向けられた、前述の実施形態のうちの少なくとも１つにおけるような方法、および／またはそれに対して補足的な方法を実行するように構成され得る。１または複数の代表的な実施形態では、有形コンピュータ可読記憶媒体は、第３２の例示的な方法に向けられた、前述の実施形態のうちの少なくとも１つにおけるような方法、および／またはそれに対して補足的な方法を実行するためのコンピュータ実行可能命令を、その上に記憶していてもよい。第３２の例示的な方法（および、対応する装置）に関して上述された特徴は、図２８〜３１のうちの１もしくは複数に関して上記で説明されたものなど、休止セル／アクティブセルに関して、および／またはそれとともに上記で説明された、１または複数の特徴と組み合わせられ得る。
【０６７４】
結論
上記で説明された方法、装置およびシステムの変形形態は、本発明の範囲から逸脱することなく、可能である。適用され得る幅広い実施形態に鑑みて、図示された実施形態は例示的でしかなく、以下の特許請求の範囲の範囲を限定するものとして取られるべきではないことは、理解されるべきである。例えば、本明細書で説明される例示的な実施形態は、ハンドヘルドデバイスを含み、ハンドヘルドデバイスは、任意の適した電圧を提供する、バッテリおよび同様のものなど、任意の適した電圧源を含んでもよく、またはそれとともに利用されてもよい。
【０６７５】
特徴および要素が特定の組合せにおいて上記で説明されるが、各特徴または要素は、単独で、または、他の特徴および要素との任意の組合せにおいて使用され得ることを、当業者は諒解するであろう。加えて、本明細書で説明される方法は、コンピュータまたはプロセッサによる実行のためにコンピュータ可読媒体に組み込まれた、コンピュータプログラム、ソフトウェア、またはファームウェアにおいて実装され得る。コンピュータ可読媒体の例は、（ワイヤードまたはワイヤレス接続を介して送信される）電子信号、およびコンピュータ可読記憶媒体を含む。コンピュータ可読記憶媒体の例は、それに限定されないが、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびに、ＣＤ−ＲＯＭディスクおよびデジタル多用途ディスク（ＤＶＤ）などの光媒体を含む。ソフトウェアに関連するプロセッサは、ＷＴＲＵ、ＵＥ、端末、基地局、ＲＮＣ、または任意のホストコンピュータにおける使用のための、無線周波数トランシーバを実装するために使用され得る。
【０６７６】
その上、上記で説明された実施形態では、プロセッサを含有する処理プラットフォーム、コンピューティングシステム、コントローラ、および他のデバイスが言及される。これらのデバイスは、少なくとも１つの中央処理ユニット（「ＣＰＵ」）およびメモリを含有し得る。コンピュータプログラミングの当業者の慣例によれば、行為、および、動作または命令のシンボル的表現への参照は、様々なＣＰＵおよびメモリによって実行され得る。そのような行為および動作または命令は、「実行」、「コンピュータにより実行」または「ＣＰＵにより実行」されると言われることがある。
【０６７７】
行為、および、シンボル的に表された動作または命令は、ＣＰＵによる電気信号の操作を含むことを、当業者は諒解するであろう。電気システムは、電気信号の、結果として生じる変換または低減、および、メモリシステムにおけるメモリロケーションでのデータビットの維持を引き起こして、それによって、ＣＰＵの動作、ならびに信号の他の処理を再構成または場合によっては改変することができる、データビットを表す。データビットが維持されるメモリロケーションは、データビットに対応するか、またはそれを表す、特定の電気的、磁気的、光学的、または有機的プロパティを有する、物理ロケーションである。例示的な実施形態が上述されたプラットフォームまたはＣＰＵに限定されないこと、ならびに、他のプラットフォームおよびＣＰＵが説明された方法をサポートし得ることは、理解されるべきである。
【０６７８】
データビットはまた、ＣＰＵによって可読な、磁気ディスク、光ディスク、および、任意の他の揮発性（例えば、ランダムアクセスメモリ（「ＲＡＭ」））または不揮発性（例えば、読取り専用メモリ（「ＲＯＭ」））大容量記憶システムを含む、コンピュータ可読媒体上でも維持され得る。コンピュータ可読媒体は、処理システム上で排他的に存在するか、または、処理システムにとってローカルもしくはリモートであり得る複数の相互接続された処理システムの間で分散される、協働する、または相互接続されたコンピュータ可読媒体を含み得る。例示的な実施形態が上述されたメモリに限定されないこと、ならびに、他のプラットフォームおよびメモリが説明された方法をサポートし得ることは、理解されるべきである。
【０６７９】
本出願の明細書において使用される要素、行為、または命令はいずれも、そのようなものとして明示的に説明されていない限り、本発明に重要または必須であるとして解釈されるべきではない。また、本明細書で使用されるような、冠詞「ａ」および「ａｎ」の各々は、１または複数のアイテムを含むように意図される。ただ１つのアイテムが意図される場合、「単一の」という用語、または同様の文言が使用される。さらに、本明細書で使用されるような、複数のアイテムおよび／またはアイテムの複数のカテゴリのリストによって後続される「のうちのいずれか」という用語は、個々に、または、他のアイテムおよび／もしくはアイテムの他のカテゴリとともに、アイテムおよび／またはアイテムのカテゴリ「のうちのいずれか」、「の任意の組合せ」、「のうちの任意の複数」、および／または「のうちの複数の任意の組合せ」を含むように意図される。さらに、本明細書で使用されるような、「セット」という用語は、ゼロを含む、任意の数のアイテムを含むように意図される。さらに、本明細書で使用されるような、「数」という用語は、ゼロを含む、任意の数を含むように意図される。
【０６８０】
その上、特許請求の範囲は、その趣旨で述べられない限り、説明された順序または要素に限定されるように読まれるべきではない。加えて、いかなる請求項における「手段」という用語の使用も、米国特許法第１１条第６項を行使するように意図され、「手段」という言葉のないいかなる請求項も、そのように意図されない。
【図１Ａ】
2015536097.tif 000004
【図１Ｂ】
2015536097.tif 000005
【図１Ｃ】
2015536097.tif 000006
【図１Ｄ】
2015536097.tif 000007
【図１Ｅ】
2015536097.tif 000008
【図２Ａ】
2015536097.tif 000009
【図２Ｂ】
2015536097.tif 000010
【図３】
2015536097.tif 000011
【図４】
2015536097.tif 000012
【図５】
2015536097.tif 000013
【図６】
2015536097.tif 000014
【図７】
2015536097.tif 000015
【図８】
2015536097.tif 000016
【図９】
2015536097.tif 000017
【図１０】
2015536097.tif 000018
【図１１】
2015536097.tif 000019
【図１２】
2015536097.tif 000020
【図１３】
2015536097.tif 000021
【図１４】
2015536097.tif 000022
【図１５】
2015536097.tif 000023
【図１６】
2015536097.tif 000024
【図１７】
2015536097.tif 000025
【図１８】
2015536097.tif 000026
【図１９】
2015536097.tif 000027
【図２０】
2015536097.tif 000028
【図２１】
2015536097.tif 000029
【図２２】
2015536097.tif 000030
【図２３】
2015536097.tif 000031
【図２４】
2015536097.tif 000032
【図２５】
2015536097.tif 000033
【図２６】
2015536097.tif 000034
【図２７】
2015536097.tif 000035
【図２８】
2015536097.tif 000036
【図２９】
2015536097.tif 000037
【図３０】
2015536097.tif 000038
【図３１】
2015536097.tif 000039
【国際調査報告】
2015536097.tif 000040
2015536097.tif 000041
2015536097.tif 000042
2015536097.tif 000043
2015536097.tif 000044